(57)【特許請求の範囲】
【請求項１】
第１乃至第８のトランジスタと、第１乃至第７の配線と、を有し、
前記第１のトランジスタのソース又はドレインの一方は、前記第４の配線と電気的に接続され、
前記第１のトランジスタのソース又はドレインの他方は、前記第３の配線と電気的に接続され、
前記第２のトランジスタのソース又はドレインの一方は、前記第６の配線と電気的に接続され、
前記第２のトランジスタのソース又はドレインの他方は、前記第３の配線と電気的に接続され、
前記第３のトランジスタのソース又はドレインの一方は、前記第７の配線と電気的に接続され、
前記第３のトランジスタのソース又はドレインの他方は、前記第２のトランジスタのゲートと電気的に接続され、
前記第３のトランジスタのゲートは、前記第７の配線と電気的に接続され、
前記第４のトランジスタのソース又はドレインの一方は、前記第６の配線と電気的に接続され、
前記第４のトランジスタのソース又はドレインの他方は、前記第２のトランジスタのゲートと電気的に接続され、
前記第４のトランジスタのゲートは、前記第１のトランジスタのゲートと電気的に接続され、
前記第５のトランジスタのソース又はドレインの一方は、前記第５の配線と電気的に接続され、
前記第５のトランジスタのソース又はドレインの他方は、前記第１のトランジスタのゲートと電気的に接続され、
前記第５のトランジスタのゲートは、少なくとも第１の導電層を介して前記第１の配線と電気的に接続され、
前記第６のトランジスタのソース又はドレインの一方は、前記第６の配線と電気的に接続され、
前記第６のトランジスタのソース又はドレインの他方は、前記第１のトランジスタのゲートと電気的に接続され、
前記第６のトランジスタのゲートは、前記第２のトランジスタのゲートと電気的に接続され、
前記第７のトランジスタのソース又はドレインの一方は、前記第６の配線と電気的に接続され、
前記第７のトランジスタのソース又はドレインの他方は、前記第１のトランジスタのゲートと電気的に接続され、
前記第７のトランジスタのゲートは、少なくとも第２の導電層を介して前記第２の配線と電気的に接続され、
前記第８のトランジスタのソース又はドレインの一方は、前記第６の配線と電気的に接続され、
前記第８のトランジスタのソース又はドレインの他方は、前記第２のトランジスタのゲートと電気的に接続され、
前記第８のトランジスタのゲートは、前記第１の配線と電気的に接続され、
前記第１の導電層は、透光性を有し、
前記第２の導電層は、透光性を有し、
前記第１の導電層は、第１の幅を有し、
前記第２の導電層は、第２の幅を有し、
前記第２の幅は、前記第１の幅よりも小さいことを特徴とする半導体装置。
【請求項２】
第１乃至第８のトランジスタと、第１乃至第７の配線と、を有し、
前記第１のトランジスタのソース又はドレインの一方は、少なくとも第１の導電層を介して前記第４の配線と電気的に接続され、
前記第１のトランジスタのソース又はドレインの他方は、前記第３の配線と電気的に接続され、
前記第２のトランジスタのソース又はドレインの一方は、前記第６の配線と電気的に接続され、
前記第２のトランジスタのソース又はドレインの他方は、前記第３の配線と電気的に接続され、
前記第３のトランジスタのソース又はドレインの一方は、前記第７の配線と電気的に接続され、
前記第３のトランジスタのソース又はドレインの他方は、前記第２のトランジスタのゲートと電気的に接続され、
前記第３のトランジスタのゲートは、前記第７の配線と電気的に接続され、
前記第４のトランジスタのソース又はドレインの一方は、前記第６の配線と電気的に接続され、
前記第４のトランジスタのソース又はドレインの他方は、前記第２のトランジスタのゲートと電気的に接続され、
前記第４のトランジスタのゲートは、前記第１のトランジスタのゲートと電気的に接続され、
前記第５のトランジスタのソース又はドレインの一方は、前記第５の配線と電気的に接続され、
前記第５のトランジスタのソース又はドレインの他方は、前記第１のトランジスタのゲートと電気的に接続され、
前記第５のトランジスタのゲートは、前記第１の配線と電気的に接続され、
前記第６のトランジスタのソース又はドレインの一方は、前記第６の配線と電気的に接続され、
前記第６のトランジスタのソース又はドレインの他方は、前記第１のトランジスタのゲートと電気的に接続され、
前記第６のトランジスタのゲートは、前記第２のトランジスタのゲートと電気的に接続され、
前記第７のトランジスタのソース又はドレインの一方は、前記第６の配線と電気的に接続され、
前記第７のトランジスタのソース又はドレインの他方は、前記第１のトランジスタのゲートと電気的に接続され、
前記第７のトランジスタのゲートは、少なくとも第２の導電層を介して前記第２の配線と電気的に接続され、
前記第８のトランジスタのソース又はドレインの一方は、前記第６の配線と電気的に接続され、
前記第８のトランジスタのソース又はドレインの他方は、前記第２のトランジスタのゲートと電気的に接続され、
前記第８のトランジスタのゲートは、前記第１の配線と電気的に接続され、
前記第１の導電層は、透光性を有し、
前記第２の導電層は、透光性を有し、
前記第１の導電層は、第１の幅を有し、
前記第２の導電層は、第２の幅を有し、
前記第２の幅は、前記第１の幅よりも小さいことを特徴とする半導体装置。
【請求項３】
第１乃至第８のトランジスタと、第１乃至第７の配線と、を有し、
前記第１のトランジスタのソース又はドレインの一方は、前記第４の配線と電気的に接続され、
前記第１のトランジスタのソース又はドレインの他方は、少なくとも第１の導電層を介して前記第３の配線と電気的に接続され、
前記第２のトランジスタのソース又はドレインの一方は、前記第６の配線と電気的に接続され、
前記第２のトランジスタのソース又はドレインの他方は、前記第３の配線と電気的に接続され、
前記第３のトランジスタのソース又はドレインの一方は、前記第７の配線と電気的に接続され、
前記第３のトランジスタのソース又はドレインの他方は、前記第２のトランジスタのゲートと電気的に接続され、
前記第３のトランジスタのゲートは、前記第７の配線と電気的に接続され、
前記第４のトランジスタのソース又はドレインの一方は、前記第６の配線と電気的に接続され、
前記第４のトランジスタのソース又はドレインの他方は、前記第２のトランジスタのゲートと電気的に接続され、
前記第４のトランジスタのゲートは、前記第１のトランジスタのゲートと電気的に接続され、
前記第５のトランジスタのソース又はドレインの一方は、前記第５の配線と電気的に接続され、
前記第５のトランジスタのソース又はドレインの他方は、前記第１のトランジスタのゲートと電気的に接続され、
前記第５のトランジスタのゲートは、前記第１の配線と電気的に接続され、
前記第６のトランジスタのソース又はドレインの一方は、前記第６の配線と電気的に接続され、
前記第６のトランジスタのソース又はドレインの他方は、前記第１のトランジスタのゲートと電気的に接続され、
前記第６のトランジスタのゲートは、前記第２のトランジスタのゲートと電気的に接続され、
前記第７のトランジスタのソース又はドレインの一方は、前記第６の配線と電気的に接続され、
前記第７のトランジスタのソース又はドレインの他方は、前記第１のトランジスタのゲートと電気的に接続され、
前記第７のトランジスタのゲートは、少なくとも第２の導電層を介して前記第２の配線と電気的に接続され、
前記第８のトランジスタのソース又はドレインの一方は、前記第６の配線と電気的に接続され、
前記第８のトランジスタのソース又はドレインの他方は、前記第２のトランジスタのゲートと電気的に接続され、
前記第８のトランジスタのゲートは、前記第１の配線と電気的に接続され、
前記第１の導電層は、透光性を有し、
前記第２の導電層は、透光性を有し、
前記第１の導電層は、第１の幅を有し、
前記第２の導電層は、第２の幅を有し、
前記第２の幅は、前記第１の幅よりも小さいことを特徴とする半導体装置。
【請求項４】
請求項１乃至請求項３のいずれか一項において、
前記第７のトランジスタのＷ／Ｌ（Ｗはチャネル幅、Ｌはチャネル長）の値は、前記第１のトランジスタのＷ／Ｌの値の１／４０倍以上、且つ１／１０倍以下の値を有することを特徴とする半導体装置。
【請求項５】
請求項１乃至請求項４のいずれか一項において、
前記第１のトランジスタのＷ／Ｌの値は、前記第１乃至第８のトランジスタのＷ／Ｌの値の中で最も大きいことを特徴とする半導体装置。
【請求項６】
請求項１乃至請求項５のいずれか一項に記載の半導体装置と、画素と、を有し、
前記画素は、表示素子を有し、
前記画素は、前記第３の配線と電気的に接続されていることを特徴とする表示装置。
【請求項７】
請求項１乃至請求項５のいずれか一項に記載の半導体装置と、画素と、を有し、
前記画素は、発光素子を有し、
前記画素は、前記第３の配線と電気的に接続されていることを特徴とする表示装置。
【請求項８】
請求項１乃至請求項５のいずれか一項に記載の半導体装置と、画素と、を有し、
前記画素は、液晶素子を有し、
前記画素は、前記第３の配線と電気的に接続されていることを特徴とする液晶表示装置。
【請求項９】
請求項１乃至請求項５のいずれか一項に記載の半導体装置、請求項６若しくは請求項７に記載の表示装置、又は請求項８に記載の液晶表示装置と、
ＦＰＣと、
を有する表示モジュール。
【請求項１０】
請求項９に記載の表示モジュールと、
操作スイッチ、センサ、スピーカ又はバッテリと、
を有する電子機器。
【発明の詳細な説明】
【技術分野】
【０００１】
本発明は、トランジスタを用いて構成された回路を有する表示装置に関する。特に液晶
素子などの電気光学素子、もしくは発光素子などを表示媒体として用いる表示装置、およ
びその駆動方法に関する。
【背景技術】
【０００２】
近年、液晶テレビなどの大型表示装置の増加から、表示装置の開発が活発に進められて
いる。特に、絶縁基板上に非結晶半導体（以下、アモルファスシリコンともいう）によっ
て構成されたトランジスタを用いて、画素回路およびシフトレジスタなどを含む駆動回路
（以下、内部回路ともいう）を一体形成する技術は、低消費電力化、低コスト化に大きく
貢献するため、活発に開発が進められている。絶縁基板上に形成された内部回路は、ＦＰ
Ｃ（Ｆｌｅｘｉｂｌｅ  Ｐｒｉｎｔｅｄ  Ｃｉｒｃｕｉｔ）などを介してコントローラＩ
Ｃなど（以下、外部回路ともいう）に接続され、その動作が制御される。
【０００３】
上記示した内部回路の中でも、非結晶半導体によって構成されたトランジスタ（以下、
アモルファスシリコントランジスタともいう）を用いたシフトレジスタが考案されている
。従来のシフトレジスタが有するフリップフロップの構成を図１００（Ａ）に示す（特許
文献１）。図１００（Ａ）のフリップフロップは、トランジスタ１１（ブートストラップ
用トランジスタ）、トランジスタ１２、トランジスタ１３、トランジスタ１４、トランジ
スタ１５、トランジスタ１６およびトランジスタ１７を有し、信号線２１、信号線２２、
配線２３、信号線２４、電源線２５、電源線２６に接続されている。信号線２１、信号線
２２、信号線２４、電源線２５、電源線２６には、それぞれスタート信号、リセット信号
、クロック信号、電源電位ＶＤＤ、電源電位ＶＳＳが入力される。図１００（Ａ）のフリ
ップフロップの動作期間は、図１００（Ｂ）のタイミングチャートに示すように、セット
期間、選択期間、リセット期間、非選択期間に分割される。
【０００４】
セット期間において、信号線２１からＨ信号を入力し、ノード４１の電位をＶＤＤ−Ｖ
ｔｈ１５（Ｖｔｈ１５：トランジスタ１５のしきい値電圧）に上昇させることで、トラン
ジスタ１１をオンしたままノード４１を浮遊状態としている。トランジスタ１６は、信号
線２１からＨ信号が入力されるときにはオンしているので、ノード４１にゲート電極が接
続されたトランジスタ１４をオンして、ノード４２の電位をＬレベルとすることで、トラ
ンジスタ１６をオフしている。つまり、信号線２１にＨ信号が入力されてから、トランジ
スタ１６がオフするまでの期間は、トランジスタ１１のゲート電極から電荷が漏れていた
。
【０００５】
ここで、電位がＶＤＤである信号をＨ信号、電位がＶＳＳである信号をＬ信号と呼ぶ。
また、Ｌレベルとは、Ｌ信号の電位がＶＳＳであることをいう。
【０００６】
非特許文献１および非特許文献２の表示装置は、アモルファスシリコントランジスタで
構成されるシフトレジスタを走査線駆動回路として用いて、さらにＲ、Ｇ、Ｂのサブ画素
に１つの信号線からビデオ信号を入力することで、信号線の数を１／３に減らしている。
こうして、非特許文献１および非特許文献２の表示装置は、表示パネルとドライバＩＣの
接続数を減らしている。
【先行技術文献】
【特許文献】
【０００７】
【特許文献１】特開２００４−１５７５０８号公報
【非特許文献】
【０００８】
【非特許文献１】Ｊｉｎ  Ｙｏｕｎｇ  Ｃｈｏｉ，  ｅｔ  ａｌ．，  ”Ａ  Ｃｏｍｐａｃｔ  ａｎｄ  Ｃｏｓｔ−ｅｆｆｉｃｉｅｎｔ  ＴＦＴ−ＬＣＤ  ｔｈｒｏｕｇｈ  ｔｈｅ  Ｔｒｉｐｌｅ−Ｇａｔｅ  Ｐｉｘｅｌ  Ｓｔｒｕｃｔｕｒｅ”，  ＳＯＣＩＥＴＹ  ＦＯＲ  ＩＮＦＯＲＭＡＴＩＯＮ  ＤＩＳＰＬＡＹ  ２００６  ＩＮＴＥＲＮＡＴＩＯＮＡＬ  ＳＹＭＰＯＳＩＵＭ  ＤＩＧＥＳＴ  ＯＦ  ＴＥＣＨＮＩＣＡＬ  ＰＡＰＥＲＳ，  Ｖｏｌｕｍｅ  ＸＸＸＶＩＩ，  ｐ．２７４−２７６
【非特許文献２】Ｙｏｎｇ  Ｓｏｏｎ  Ｌｅｅ，  ｅｔ  ａｌ．，  ”Ａｄｖａｎｃｅｄ  ＴＦＴ−ＬＣＤ  Ｄａｔａ  Ｌｉｎｅ  Ｒｅｄｕｃｔｉｏｎ  Ｍｅｔｈｏｄ”，  ＳＯＣＩＥＴＹ  ＦＯＲ  ＩＮＦＯＲＭＡＴＩＯＮ  ＤＩＳＰＬＡＹ  ２００６  ＩＮＴＥＲＮＡＴＩＯＮＡＬ  ＳＹＭＰＯＳＩＵＭ  ＤＩＧＥＳＴ  ＯＦ  ＴＥＣＨＮＩＣＡＬ  ＰＡＰＥＲＳ，  Ｖｏｌｕｍｅ  ＸＸＸＶＩＩ，  ｐ．１０８３−１０８６
【発明の概要】
【発明が解決しようとする課題】
【０００９】
従来の技術によれば、ブートストラップ用トランジスタをオンしたまま、ブートストラ
ップ用トランジスタのゲート電極を浮遊状態としていた。しかしながら、従来の技術では
、ブートストラップ用トランジスタをオンしたまま、ブートストラップ用トランジスタの
ゲート電極を浮遊状態とするまでに、時間を必要とするため、高速に動作できないという
問題があった。さらに、トランジスタの半導体層としてアモルファスシリコンを用いた場
合、トランジスタのしきい値電圧シフトを生じるという問題があった。さらに、信号線の
数を１／３に減らして、表示パネルとドライバＩＣの接点の数を削減することが提案され
ているが（非特許文献１および非特許文献２）、実用的にはドライバＩＣの接点の数をさ
らに削減することが求められている。
【００１０】
すなわち、従来の技術で解決されないものとして、シフトレジスタが高速に動作できる
回路技術、トランジスタのしきい値電圧の変動を抑制する回路技術が課題として残されて
いる。また、表示パネルに実装するドライバＩＣの接点数を削減する技術、表示装置の低
消費電力化および表示装置の大型化または高精細化も課題として残されている。
【課題を解決するための手段】
【００１１】
本明細書の表示装置は、ブートストラップ用トランジスタのゲート電極に接続されるト
ランジスタのゲート電極に、スタート信号によって制御されるスイッチを設けている。ス
タート信号が入力されると、スイッチを介して当該トランジスタのゲート電極に電位が供
給され、当該トランジスタはオフされる。当該トランジスタがオフされると、ブートスト
ラップ用トランジスタのゲート電極からの電荷の漏れを防止することができる。したがっ
て、ブートストラップ用トランジスタのゲート電極に電荷を充電するための時間を早くす
ることができるので、高速に動作することができる。
【００１２】
本書類（明細書、特許請求の範囲または図面など）に示すスイッチは、さまざまな形態
のものを用いることができる。例としては、電気的スイッチや機械的スイッチなどがある
。つまり、電流の流れを制御できるものであればよく、特定のものに限定されない。例え
ば、スイッチとして、トランジスタ（例えば、バイポーラトランジスタ、ＭＯＳトランジ
スタなど）、ダイオード（例えば、ＰＮダイオード、ＰＩＮダイオード、ショットキーダ
イオード、ＭＩＭ（Ｍｅｔａｌ  Ｉｎｓｕｌａｔｏｒ  Ｍｅｔａｌ）ダイオード、ＭＩＳ
（Ｍｅｔａｌ  Ｉｎｓｕｌａｔｏｒ  Ｓｅｍｉｃｏｎｄｕｃｔｏｒ）ダイオード、ダイオ
ード接続のトランジスタなど）、サイリスタなどを用いることができる。また、これらを
組み合わせた論理回路をスイッチとして用いることができる。
【００１３】
スイッチとしてトランジスタを用いる場合、そのトランジスタは、単なるスイッチとし
て動作するため、トランジスタの極性（導電型）は特に限定されない。ただし、オフ電流
を抑えたい場合、オフ電流が少ない方の極性のトランジスタを用いることが望ましい。オ
フ電流が少ないトランジスタとしては、ＬＤＤ領域を有するトランジスタやマルチゲート
構造を有するトランジスタなどがある。また、スイッチとして動作させるトランジスタの
ソース端子の電位が、低電位側電源（Ｖｓｓ、ＧＮＤ、０Ｖなど）に近い状態で動作する
場合は、Ｎチャネル型トランジスタを用いることが望ましい。反対に、ソース端子の電位
が、高電位側電源（Ｖｄｄなど）に近い状態で動作する場合は、Ｐチャネル型トランジス
タを用いることが望ましい。なぜなら、Ｎチャネル型トランジスタのソース端子が低電位
側電源に近い状態で動作するとき、またはＰチャネル型トランジスタのソース端子が高電
位側電源に近い状態で動作するときは、ゲート・ソース間電圧の絶対値を大きくでき、ス
イッチのオンまたはオフの切り替えが容易となるからである。また、トランジスタがソー
スフォロワ動作をしてしまうことが少ないため、出力電圧の大きさが小さくなってしまう
ことが少ないからである。
【００１４】
Ｎチャネル型トランジスタとＰチャネル型トランジスタの両方を用いて、ＣＭＯＳ型ス
イッチをスイッチとして用いてもよい。ＣＭＯＳ型スイッチにすると、Ｐチャネル型トラ
ンジスタまたはＮチャネル型トランジスタの、どちらか一方のトランジスタが導通すれば
電流が流れるため、スイッチとして機能しやすくなる。例えば、スイッチへの入力信号の
電圧が高い場合でも、低い場合でも、適切に電圧を出力させることができる。さらに、ス
イッチをオン・オフさせるための信号の電圧振幅値を小さくすることができるので、消費
電力を小さくすることもできる。
【００１５】
スイッチとしてトランジスタを用いる場合、スイッチは、入力端子（ソース端子および
ドレイン端子の一方）と、出力端子（ソース端子およびドレイン端子の他方）と、導通を
制御する端子（ゲート端子）と、を有している。一方、スイッチとしてダイオードを用い
る場合、スイッチは、導通を制御する端子を有していない場合がある。そのため、トラン
ジスタよりもダイオードをスイッチとして用いた方が、端子を制御するための配線を少な
くすることができる。
【００１６】
本明細書において、ＡとＢが接続されている、と明示的に記載する場合は、ＡとＢが電
気的に接続されている場合と、ＡとＢが機能的に接続されている場合と、ＡとＢが直接接
続されている場合と、を含むものとする。ここで、Ａ、Ｂは、対象物（例えば、装置、素
子、回路、配線、電極、端子、導電膜、層、など）であるとする。したがって、本明細書
が開示する構成において、所定の接続関係、例えば、図または文章に示された接続関係に
限定されず、図または文章に示された接続関係以外のものも含むものとする。
【００１７】
例えば、ＡとＢが電気的に接続されている場合として、ＡとＢの電気的な接続を可能と
する素子（例えば、スイッチ、トランジスタ、容量素子、インダクタ、抵抗素子、ダイオ
ードなど）が、ＡとＢの間に１個以上配置されていてもよい。あるいは、ＡとＢが機能的
に接続されている場合として、ＡとＢの機能的な接続を可能とする回路（例えば、論理回
路（インバータ、ＮＡＮＤ回路、ＮＯＲ回路など）、信号変換回路（ＤＡ変換回路、ＡＤ
変換回路、ガンマ補正回路など）、電位レベル変換回路（電源回路（昇圧回路、降圧回路
など）、信号の電位レベルを変えるレベルシフタ回路など）、電圧源、電流源、切り替え
回路、増幅回路（信号振幅または電流量などを大きくできる回路、オペアンプ、差動増幅
回路、ソースフォロワ回路、バッファ回路など）、信号生成回路、記憶回路、制御回路な
ど）が、ＡとＢの間に１個以上配置されていてもよい。あるいは、ＡとＢが直接接続され
ている場合として、ＡとＢの間に他の素子や他の回路を挟まずに、ＡとＢが直接接続され
ていてもよい。
【００１８】
ＡとＢが直接接続されている、と明示的に記載する場合は、ＡとＢが直接接続されてい
る場合（つまり、ＡとＢの間に他の素子や他の回路を間に介さずに接続されている場合）
と、ＡとＢが電気的に接続されている場合（つまり、ＡとＢの間に別の素子や別の回路を
挟んで接続されている場合）と、を含むものとする。
【００１９】
ＡとＢが電気的に接続されている、と明示的に記載する場合は、ＡとＢが電気的に接続
されている場合（つまり、ＡとＢの間に別の素子や別の回路を挟んで接続されている場合
）と、ＡとＢが機能的に接続されている場合（つまり、ＡとＢの間に別の回路を挟んで機
能的に接続されている場合）と、ＡとＢが直接接続されている場合（つまり、ＡとＢの間
に別の素子や別の回路を挟まずに接続されている場合）と、を含むものとする。つまり、
電気的に接続されている、と明示的に記載する場合は、単に、接続されている、とのみ明
示的に記載されている場合と同じであるとする。
【００２０】
表示素子、表示素子を有する装置である表示装置、発光素子、発光素子を有する装置で
ある発光装置は、さまざまな形態に用いることができ、またさまざまな素子を有すること
ができる。例えば、表示素子、表示装置、発光素子または発光装置としては、ＥＬ素子（
有機ＥＬ素子、無機ＥＬ素子または有機物および無機物を含むＥＬ素子）、電子放出素子
、液晶素子、電子インク、電気泳動素子、グレーティングライトバルブ（ＧＬＶ）、プラ
ズマディスプレイ（ＰＤＰ）、デジタルマイクロミラーデバイス（ＤＭＤ）、圧電セラミ
ックディスプレイ、カーボンナノチューブなど、電気磁気的作用により、コントラスト、
輝度、反射率、透過率などが変化する表示媒体を用いることができる。なお、ＥＬ素子を
用いた表示装置としてはＥＬディスプレイ、電子放出素子を用いた表示装置としてはフィ
ールドエミッションディスプレイ（ＦＥＤ）やＳＥＤ方式平面型ディスプレイ（ＳＥＤ：
Ｓｕｒｆａｃｅ−ｃｏｎｄｕｃｔｉｏｎ  Ｅｌｅｃｔｒｏｎ−ｅｍｉｔｔｅｒ  Ｄｉｓｐ
ｌｙ）など、液晶素子を用いた表示装置としては液晶ディスプレイ（透過型液晶ディスプ
レイ、半透過型液晶ディスプレイ、反射型液晶ディスプレイ、直視型液晶ディスプレイ、
投射型液晶ディスプレイ）、電子インクや電気泳動素子を用いた表示装置としては電子ペ
ーパーがある。
【００２１】
本書類（明細書、特許請求の範囲または図面など）に記載されたトランジスタとして、
さまざまな形態のトランジスタを用いることができる。よって、用いるトランジスタの種
類に限定はない。例えば、非晶質シリコン、多結晶シリコン、微結晶（マイクロクリスタ
ル、セミアモルファスともいう）シリコンなどに代表される非単結晶半導体膜を有する薄
膜トランジスタ（ＴＦＴ）などを用いることができる。ＴＦＴを用いる場合、さまざまな
メリットがある。例えば、単結晶シリコンの場合よりも低い温度で製造できるため、製造
コストの削減、または製造装置の大型化を図ることができる。製造装置の大型化により、
大型基板上にトランジスタを製造できる。その結果、低コストで、同時に多くの個数の表
示装置を製造できる。さらに、製造温度が低いため、耐熱性の弱い基板を用いることがで
きる。そのため、透明基板上にトランジスタを製造できる。その結果、透明基板上のトラ
ンジスタを用いて、表示素子での光の透過を制御することができる。あるいは、トランジ
スタの膜厚が薄いため、トランジスタを構成する膜の一部は、光を透過させることができ
る。その結果、開口率を向上させることができる。
【００２２】
多結晶シリコンを製造するときに、触媒（ニッケルなど）を用いることにより、結晶性
をさらに向上させ、電気特性のよいトランジスタを製造することが可能となる。その結果
、ゲートドライバ回路（走査線駆動回路）やソースドライバ回路（信号線駆動回路）、信
号処理回路（信号生成回路、ガンマ補正回路、ＤＡ変換回路など）を基板上に一体形成す
ることができる。
【００２３】
微結晶シリコンを製造するときに、触媒（ニッケルなど）を用いることにより、結晶性
をさらに向上させ、電気特性のよいトランジスタを製造することが可能となる。このとき
、レーザを用いず、熱処理を加えるだけで、結晶性を向上させることができる。その結果
、ゲートドライバ回路（走査線駆動回路）やソースドライバ回路の一部（アナログスイッ
チなど）を基板上に一体形成することができる。さらに、結晶化にレーザを用いない場合
は、シリコンの結晶性のムラを抑えることができる。その結果、画質の向上した画像を表
示することができる。
【００２４】
ただし、触媒（ニッケルなど）を用いずに、多結晶シリコンや微結晶シリコンを製造す
ることは可能である。
【００２５】
半導体基板やＳＯＩ基板などを用いてトランジスタを形成することができる。その場合
、ＭＯＳ型トランジスタ、接合型トランジスタ、バイポーラトランジスタなどを本明細書
に記載されたトランジスタとして用いることができる。これらにより、特性やサイズや形
状などのバラツキが少なく、電流供給能力が高く、サイズの小さいトランジスタを製造す
ることができる。これらのトランジスタを用いると、回路の低消費電力化、または回路の
高集積化を図ることができる。
【００２６】
使用できるトランジスタとして、酸化亜鉛（ＺｎＯ）、アモルファス酸化物（ａ−Ｉｎ
ＧａＺｎＯ）、シリコンゲルマニウム（ＳｉＧｅ）、ガリウム砒素（ＧａＡｓ）、インジ
ウム亜鉛酸化物（ＩＺＯ）、インジウム錫酸化物（ＩＴＯ）、酸化錫（ＳｎＯ）などの化
合物半導体、または酸化物半導体を有するトランジスタや、さらに、これらの化合物半導
体または酸化物半導体を薄膜化した薄膜トランジスタなどがある。これらにより、製造温
度を低くでき、例えば、室温でトランジスタを製造することが可能となる。その結果、耐
熱性の低い基板、例えば、プラスチック基板やフィルム基板に直接トランジスタを形成す
ることができる。なお、これらの化合物半導体または酸化物半導体を、トランジスタのチ
ャネル部分に用いるだけでなく、それ以外の用途で用いることもできる。例えば、これら
の化合物半導体または酸化物半導体を抵抗素子、画素電極、透明電極として用いることが
できる。さらに、それらをトランジスタと同時に成膜または形成できるため、コストを低
減できる。
【００２７】
使用できるトランジスタとして、インクジェットや印刷法を用いて形成したトランジス
タなどがある。これらにより、トランジスタを室温で製造、低真空度で製造、または大型
基板上に製造することができる。また、マスク（レチクル）を用いなくても製造すること
が可能となるため、トランジスタのレイアウトを容易に変更することができる。さらに、
レジストを用いる必要がないので、材料費が安くなり、工程数を削減できる。さらに、必
要な部分にのみ膜を付けるため、全面に成膜した後でエッチングする、という製法よりも
、材料が無駄にならず、低コストにできる。
【００２８】
使用できるトランジスタとして、有機半導体やカーボンナノチューブを有するトランジ
スタなどがある。これらにより、曲げることが可能な基板上にトランジスタを形成するこ
とができる。そのため、有機半導体やカーボンナノチューブを有するトランジスタなどを
用いた装置は、衝撃に強くできる。
【００２９】
その他、さまざまなトランジスタを用いることができる。
【００３０】
トランジスタが形成されている基板の種類は、さまざまなものを用いることができ、特
定のものに限定されることはない。トランジスタが形成される基板としては、例えば、単
結晶基板、ＳＯＩ基板、ガラス基板、石英基板、プラスチック基板、紙基板、セロファン
基板、石材基板、木材基板、布基板（天然繊維（絹、綿、麻）、合成繊維（ナイロン、ポ
リウレタン、ポリエステル）もしくは再生繊維（アセテート、キュプラ、レーヨン、再生
ポリエステル）などを含む）、皮革基板、ゴム基板、ステンレス・スチル基板、ステンレ
ス・スチル・ホイルを有する基板などを用いることができる。あるいは、人などの動物の
皮膚（皮表、真皮）または皮下組織を基板として用いてもよい。または、ある基板でトラ
ンジスタを形成し、その後、別の基板にトランジスタを転置してもよい。トランジスタが
転置される基板としては、単結晶基板、ＳＯＩ基板、ガラス基板、石英基板、プラスチッ
ク基板、紙基板、セロファン基板、石材基板、木材基板、布基板（天然繊維（絹、綿、麻
）、合成繊維（ナイロン、ポリウレタン、ポリエステル）もしくは再生繊維（アセテート
、キュプラ、レーヨン、再生ポリエステル）などを含む）、皮革基板、ゴム基板、ステン
レス・スチル基板、ステンレス・スチル・ホイルを有する基板などを用いることができる
。あるいは、人などの動物の皮膚（皮表、真皮）または皮下組織をトランジスタが転置さ
れる基板として用いてもよい。これらの基板を用いることにより、特性のよいトランジス
タの形成、消費電力の小さいトランジスタの形成、壊れにくい装置の製造、耐熱性の付与
、または軽量化を図ることができる。
【００３１】
トランジスタの構成は、さまざまな形態をとることができ、特定の構成に限定されない
。例えば、ゲート電極が２個以上のマルチゲート構造を用いてもよい。マルチゲート構造
にすると、チャネル領域が直列に接続されるため、複数のトランジスタが直列に接続され
た構成となる。マルチゲート構造により、オフ電流の低減、トランジスタの耐圧向上によ
る信頼性の向上を図ることができる。あるいは、マルチゲート構造により、飽和領域で動
作する時に、ドレイン・ソース間電圧が変化しても、ドレイン・ソース間電流があまり変
化せず、傾きがフラットである電圧・電流特性を得ることができる。傾きがフラットであ
る電圧・電流特性を利用すると、理想的な電流源回路や、非常に高い抵抗値を持つ能動負
荷を実現することができる。その結果、特性のよい差動回路やカレントミラー回路を実現
することができる。また、チャネルの上下にゲート電極が配置されている構造でもよい。
チャネルの上下にゲート電極が配置されている構造にすることにより、チャネル領域が増
えるため、電流値の増加、または空乏層ができやすくなることによるＳ値の低減を図るこ
とができる。チャネルの上下にゲート電極が配置されると、複数のトランジスタが並列に
接続された構成となる。
【００３２】
その他、チャネル領域の上にゲート電極が配置されている構造でもよいし、チャネル領
域の下にゲート電極が配置されている構造でもよい。あるいは、正スタガ構造または逆ス
タガ構造でもよいし、チャネル領域が複数の領域に分かれていてもよいし、チャネル領域
が並列に接続されていてもよいし、チャネル領域が直列に接続されていてもよい。また、
チャネル領域（もしくはその一部）にソース電極やドレイン電極が重なっていてもよい。
チャネル領域（もしくはその一部）にソース電極やドレイン電極が重なる構造にすること
により、チャネル領域の一部に電荷がたまって、動作が不安定になることを防ぐことがで
きる。また、ＬＤＤ領域を設けてもよい。ＬＤＤ領域を設けることにより、オフ電流の低
減、またはトランジスタの耐圧向上による信頼性の向上を図ることができる。あるいは、
ＬＤＤ領域を設けることにより、飽和領域で動作する時に、ドレイン・ソース間電圧が変
化しても、ドレイン・ソース間電流があまり変化せず、電圧・電流特性の傾きがフラット
である特性にすることができる。
【００３３】
本明細書におけるトランジスタは、さまざまなタイプを用いることができ、さまざまな
基板上に形成することができる。したがって、所定の機能を実現するために必要な回路の
全てが、同一基板上に形成されていてもよい。例えば、所定の機能を実現するために必要
な回路の全てが、ガラス基板上、プラスチック基板上、単結晶基板上、またはＳＯＩ基板
上に形成されていてもよく、その他さまざまな基板上に形成されていてもよい。所定の機
能を実現するために必要な回路の全てが、同じ基板上に形成されていることにより、部品
点数を減らしてコストを低減し、回路部品との接続点数を減らして信頼性を向上させるこ
とができる。あるいは、所定の機能を実現するために必要な回路の一部が、ある基板上に
形成されており、所定の機能を実現させるために必要な回路の別の一部が、別の基板上に
形成されていてもよい。つまり、所定の機能を実現するために必要な回路の全てが、同じ
基板上に形成されていなくてもよい。例えば、所定の機能を実現するために必要な回路の
一部は、ガラス基板上にトランジスタを用いて形成され、所定の機能を実現するために必
要な回路の別の一部は、単結晶基板上に形成され、単結晶基板上のトランジスタで構成さ
れたＩＣチップを、ＣＯＧ（Ｃｈｉｐ  Ｏｎ  Ｇｌａｓｓ）でガラス基板に接続して、ガ
ラス基板上にそのＩＣチップを配置してもよい。あるいは、そのＩＣチップをＴＡＢ（Ｔ
ａｐｅ  Ａｕｔｏｍａｔｅｄ  Ｂｏｎｄｉｎｇ）やプリント基板を用いてガラス基板と接
続してもよい。このように、回路の一部が同じ基板上に形成されていることにより、部品
点数を減らしてコストを低減し、回路部品との接続点数を減らして信頼性を向上させるこ
とができる。また、駆動電圧が高い部分や駆動周波数が高い部分の回路は、消費電力が大
きくなってしまうので、そのような部分の回路は同じ基板上に形成せず、そのかわりに、
単結晶基板上にその部分の回路を形成して、その回路で構成されたＩＣチップを用いるよ
うにすれば、消費電力の増加を防ぐことができる。
【００３４】
本明細書においては、一画素とは、明るさを制御できる要素１つ分を示すものとする。
一例としては、一画素とは、１つの色要素を示すものとし、その色要素１つで明るさを表
現する。したがって、Ｒ（赤）Ｇ（緑）Ｂ（青）の色要素からなるカラー表示装置の場合
には、画像の最小単位は、Ｒの画素とＧの画素とＢの画素との三画素から構成されるもの
とする。なお、色要素は、３色に限定されず、３色以上を用いてもよいし、ＲＧＢ以外の
色を用いてもよい。例えば、Ｗ（白）を加えて、ＲＧＢＷとしてもよい。また、ＲＧＢに
、例えば、イエロー、シアン、マゼンタ、エメラルドグリーン、朱色などを１色以上追加
してもよい。また、例えば、ＲＧＢの中の少なくとも１色に類似した色を、ＲＧＢに追加
してもよい。例えば、Ｒ、Ｇ、Ｂ１、Ｂ２としてもよい。Ｂ１とＢ２とは、どちらも青色
であるが、少し周波数が異なっている。同様に、Ｒ１、Ｒ２、Ｇ、Ｂとしてもよい。この
ような色要素を用いることにより、より実物に近く表示することができ、また消費電力を
低減することができる。別の例としては、１つの色要素について、複数の領域を用いて明
るさを制御する場合は、その領域１つ分を一画素としてもよい。一例として、面積階調を
行う場合、または副画素（サブ画素）を有している場合、１つの色要素につき、明るさを
制御する領域が複数あり、その全体で階調を表現するが、その明るさを制御する領域の１
つ分を一画素としてもよい。その場合、１つの色要素は、複数の画素で構成される。ある
いは、明るさを制御する領域が１つの色要素の中に複数あっても、それらをまとめて、１
つの色要素を一画素としてもよい。その場合、１つの色要素は、１つの画素で構成される
こととなる。また、１つの色要素について、複数の領域を用いて明るさを制御する場合、
画素によって、表示に寄与する領域の大きさが異なっている場合がある。その場合、１つ
の色要素につき複数ある、明るさを制御する領域において、各々に供給する信号を僅かに
異ならせるようにして、視野角を広げてもよい。つまり、１つの色要素について、複数個
ある領域が各々有する画素電極の電位が、各々異なっていてもよい。その結果、液晶分子
に加わる電圧が各画素電極によって各々異なる。よって、視野角を広くすることができる
。
【００３５】
なお、一画素（３色分）と明示的に記載する場合は、ＲとＧとＢの三画素分を一画素と
考える場合である。一画素（１色分）と明示的に記載する場合は、１つの色要素につき、
複数の領域がある場合、それらをまとめて一画素と考える場合である。
【００３６】
本書類において、画素は、マトリクス状に配置（配列）されている場合がある。ここで
、画素がマトリクスに配置（配列）されているとは、縦方向もしくは横方向において、画
素が直線上に並んで配置されている場合や、ギザギザな線上に配置されている場合を含む
。例えば、３色の色要素（例えばＲＧＢ）でフルカラー表示する場合に、ストライプ配置
されている場合や、３つの色要素のドットがデルタ配置されている場合も含む。さらに、
ベイヤー配置されている場合も含む。なお、色要素は、３色に限定されず、それ以上でも
よい。例えば、ＲＧＢＷ（Ｗは白）や、ＲＧＢに、イエロー、シアン、マゼンタなどを１
色以上追加したものなどがある。また、色要素のドットごとにその表示領域の大きさが異
なっていてもよい。これにより、低消費電力化、または表示素子の長寿命化を図ることが
できる。
【００３７】
本書類において、画素に能動素子を有するアクティブマトリクス方式、または、画素に
能動素子を有しないパッシブマトリクス方式を用いることができる。
【００３８】
アクティブマトリクス方式では、能動素子（アクティブ素子、非線形素子）として、ト
ランジスタだけでなく、さまざまな能動素子（アクティブ素子、非線形素子）を用いるこ
とができる。例えば、ＭＩＭ（Ｍｅｔａｌ  Ｉｎｓｕｌａｔｏｒ  Ｍｅｔａｌ）やＴＦＤ
（Ｔｈｉｎ  Ｆｉｌｍ  Ｄｉｏｄｅ）などを用いることも可能である。これらの素子は、
製造工程が少ないため、製造コストの低減、または歩留まりの向上を図ることができる。
さらに、素子のサイズが小さいため、開口率を向上させることができ、低消費電力化や高
輝度化を図ることができる。
【００３９】
アクティブマトリクス方式以外のものとして、能動素子（アクティブ素子、非線形素子
）を用いないパッシブマトリクス型を用いることも可能である。能動素子（アクティブ素
子、非線形素子）を用いないため、製造工程が少なく、製造コストの低減、または歩留ま
りの向上を図ることができる。また、能動素子（アクティブ素子、非線形素子）を用いな
いため、開口率を向上させることができ、低消費電力化や高輝度化を図ることができる。
【００４０】
トランジスタとは、ゲートと、ドレインと、ソースと、を含む少なくとも３つの端子を
有する素子であり、ドレイン領域とソース領域の間にチャネル領域を有しており、ドレイ
ン領域と、チャネル領域と、ソース領域と、を介して電流を流すことができる。ここで、
ソースとドレインとは、トランジスタの構造や動作条件などによって変わるため、いずれ
がソースまたはドレインであるかを限定することが困難である。そこで、本明細書におい
ては、ソースおよびドレインとして機能する領域を、ソースもしくはドレインと呼ばない
場合がある。その場合、それぞれを第１端子、第２端子と表記する場合がある。あるいは
、それぞれを第１の電極、第２の電極と表記する場合がある。あるいは、ソース領域、ド
レイン領域と表記する場合がある。
【００４１】
トランジスタは、ベースと、エミッタと、コレクタと、を含む少なくとも３つの端子を
有する素子であってもよい。この場合も同様に、エミッタとコレクタとを、第１端子、第
２端子と表記する場合がある。
【００４２】
ゲートとは、ゲート電極と、ゲート配線（ゲート線、ゲート信号線、走査線、走査信号
線などともいう）と、を含んだ全体、もしくは、それらの一部のことをいう。ゲート電極
とは、チャネル領域を形成する半導体と、ゲート絶縁膜を介してオーバーラップしている
部分の導電膜のことをいう。なお、ゲート電極の一部は、ＬＤＤ（Ｌｉｇｈｔｌｙ  Ｄｏ
ｐｅｄ  Ｄｒａｉｎ）領域、ソース領域またはドレイン領域と、ゲート絶縁膜を介してオ
ーバーラップしている場合もある。ゲート配線とは、各トランジスタのゲート電極の間を
接続するための配線、各画素の有するゲート電極の間を接続するための配線、またはゲー
ト電極と、別の配線と、を接続するための配線のことをいう。
【００４３】
ただし、ゲート電極としても機能し、ゲート配線としても機能する部分（領域、導電膜
、配線など）も存在する。そのような部分（領域、導電膜、配線など）は、ゲート電極と
呼んでもよいし、ゲート配線と呼んでもよい。つまり、ゲート電極とゲート配線とが、明
確に区別できない領域も存在する。例えば、延伸して配置されているゲート配線の一部と
チャネル領域がオーバーラップしている場合、その部分（領域、導電膜、配線など）はゲ
ート配線として機能しているが、ゲート電極としても機能している。よって、そのような
部分（領域、導電膜、配線など）は、ゲート電極と呼んでもよいし、ゲート配線と呼んで
もよい。
【００４４】
ゲート電極と同じ材料で形成され、ゲート電極と同じ島（アイランド）を形成してつな
がっている部分（領域、導電膜、配線など）も、ゲート電極と呼んでもよい。同様に、ゲ
ート配線と同じ材料で形成され、ゲート配線と同じ島（アイランド）を形成してつながっ
ている部分（領域、導電膜、配線など）も、ゲート配線と呼んでもよい。このような部分
（領域、導電膜、配線など）は、厳密な意味では、チャネル領域とオーバーラップしてい
ない場合、または別のゲート電極と接続させる機能を有していない場合がある。しかし、
ゲート電極またはゲート配線と同じ材料で形成され、ゲート電極またはゲート配線と同じ
島（アイランド）を形成してつながっている部分（領域、導電膜、配線など）もある。よ
って、そのような部分（領域、導電膜、配線など）もゲート電極またはゲート配線と呼ん
でもよい。
【００４５】
例えば、マルチゲートのトランジスタにおいて、１つのゲート電極と、別のゲート電極
とは、ゲート電極と同じ材料で形成された導電膜で接続される場合が多い。そのような部
分（領域、導電膜、配線など）は、ゲート電極と、ゲート電極と、を接続させるための部
分（領域、導電膜、配線など）であるため、ゲート配線と呼んでもよいが、マルチゲート
のトランジスタを１つのトランジスタと見なすこともできるため、ゲート電極と呼んでも
よい。つまり、ゲート電極またはゲート配線と同じ材料で形成され、ゲート電極またはゲ
ート配線と同じ島（アイランド）を形成してつながっている部分（領域、導電膜、配線な
ど）は、ゲート電極やゲート配線と呼んでもよい。さらに、ゲート電極と、ゲート配線と
、を接続させている部分の導電膜であって、ゲート電極またはゲート配線とは異なる材料
で形成された導電膜も、ゲート電極と呼んでもよいし、ゲート配線と呼んでもよい。
【００４６】
ゲート端子とは、ゲート電極の部分（領域、導電膜、配線など）、またはゲート電極と
電気的に接続されている部分（領域、導電膜、配線など）について、その一部分のことを
いう。
【００４７】
配線を、ゲート配線、ゲート線、ゲート信号線、走査線、走査信号線などと呼ぶ場合、
配線にトランジスタのゲートが接続されていない場合もある。この場合、ゲート配線、ゲ
ート線、ゲート信号線、走査線、走査信号線は、トランジスタのゲートと同じ層で形成さ
れた配線、トランジスタのゲートと同じ材料で形成された配線、またはトランジスタのゲ
ートと同時に成膜された配線を意味している場合がある。例としては、保持容量用配線、
電源線、基準電位供給配線などがある。
【００４８】
ソースとは、ソース領域と、ソース電極と、ソース配線（ソース線、ソース信号線、デ
ータ線、データ信号線などともいう）と、を含んだ全体、もしくは、それらの一部のこと
をいう。ソース領域とは、Ｐ型不純物（ボロンやガリウムなど）やＮ型不純物（リンやヒ
素など）が多く含まれる半導体領域のことをいう。したがって、少しだけＰ型不純物やＮ
型不純物が含まれる領域、いわゆる、ＬＤＤ（Ｌｉｇｈｔｌｙ  Ｄｏｐｅｄ  Ｄｒａｉｎ
）領域は、ソース領域には含まれない。ソース電極とは、ソース領域とは別の材料で形成
され、ソース領域と電気的に接続されて配置されている部分の導電層のことをいう。ただ
し、ソース電極は、ソース領域も含んでソース電極と呼ぶこともある。ソース配線とは、
各トランジスタのソース電極の間を接続するための配線、各画素の有するソース電極の間
を接続するための配線、またはソース電極と、別の配線と、を接続するための配線のこと
をいう。
【００４９】
しかしながら、ソース電極としても機能し、ソース配線としても機能する部分（領域、
導電膜、配線など）も存在する。そのような部分（領域、導電膜、配線など）は、ソース
電極と呼んでもよいし、ソース配線と呼んでもよい。つまり、ソース電極とソース配線が
、明確に区別できない領域も存在する。例えば、延伸して配置されているソース配線の一
部とソース領域がオーバーラップしている場合、その部分（領域、導電膜、配線など）は
ソース配線として機能しているが、ソース電極としても機能していることになる。よって
、そのような部分（領域、導電膜、配線など）は、ソース電極と呼んでもよいし、ソース
配線と呼んでもよい。
【００５０】
ソース電極と同じ材料で形成され、ソース電極と同じ島（アイランド）を形成してつな
がっている部分（領域、導電膜、配線など）や、ソース電極とソース電極を接続する部分
（領域、導電膜、配線など）も、ソース電極と呼んでもよい。さらに、ソース領域とオー
バーラップしている部分も、ソース電極と呼んでもよい。同様に、ソース配線と同じ材料
で形成され、ソース配線と同じ島（アイランド）を形成してつながっている領域も、ソー
ス配線と呼んでもよい。このような部分（領域、導電膜、配線など）は、厳密な意味では
、別のソース電極と接続させる機能を有していない場合がある。しかし、ソース電極また
はソース配線と同じ材料で形成され、ソース電極またはソース配線とつながっている部分
（領域、導電膜、配線など）がある。よって、そのような部分（領域、導電膜、配線など
）もソース電極またはソース配線と呼んでもよい。
【００５１】
例えば、ソース電極とソース配線とを接続している部分の導電膜であって、ソース電極
またはソース配線とは異なる材料で形成された導電膜も、ソース電極と呼んでもよいし、
ソース配線と呼んでもよい。
【００５２】
ソース端子とは、ソース領域の領域や、ソース電極や、ソース電極と電気的に接続され
ている部分（領域、導電膜、配線など）について、その一部分のことをいう。
【００５３】
配線を、ソース配線、ソース線、ソース信号線、データ線、データ信号線などと呼ぶ場
合、配線にトランジスタのソース（ドレイン）が接続されていない場合もある。この場合
、ソース配線、ソース線、ソース信号線、データ線、データ信号線は、トランジスタのソ
ース（ドレイン）と同じ層で形成された配線、トランジスタのソース（ドレイン）と同じ
材料で形成された配線、またはトランジスタのソース（ドレイン）と同時に成膜された配
線を意味している場合がある。例としては、保持容量用配線、電源線、基準電位供給配線
などがある。
【００５４】
なお、ドレインについては、ソースと同様である。
【００５５】
半導体装置とは半導体素子（トランジスタ、ダイオード、サイリスタなど）を含む回路
を有する装置のことをいう。さらに、半導体特性を利用することで機能しうる装置全般を
半導体装置と呼んでもよい。
【００５６】
表示素子とは、光学変調素子、液晶素子、発光素子、ＥＬ素子（有機ＥＬ素子、無機Ｅ
Ｌ素子または有機物および無機物を含むＥＬ素子）、電子放出素子、電気泳動素子、放電
素子、光反射素子、光回折素子、ＤＭＤ、などのことをいう。ただし、これらに限定され
ない。
【００５７】
表示装置とは、表示素子を有する装置のことをいう。なお、表示装置とは、表示素子を
含む複数の画素、またはそれらの画素を駆動させる周辺駆動回路が同一基板上に形成され
た表示パネル本体のことを指す。なお、表示装置は、ワイヤボンディングやバンプなどに
よって基板上に配置された周辺駆動回路、いわゆる、ＣＯＧで接続されたＩＣチップ、ま
たは、ＴＡＢなどで接続されたＩＣチップを含んでいてもよい。さらに、表示装置は、Ｉ
Ｃチップ、抵抗素子、容量素子、インダクタ、トランジスタなどが取り付けられたＦＰＣ
を含んでもよい。さらに、表示装置は、ＦＰＣなどを介して接続され、ＩＣチップ、抵抗
素子、容量素子、インダクタ、トランジスタなどが取り付けられたプリント配線基板（Ｐ
ＷＢ）を含んでいてもよい。さらに、表示装置は、偏光板または位相差板などの光学シー
トを含んでいてもよい。さらに、表示装置は、照明装置、筐体、音声入出力装置、光セン
サなどを含んでいてもよい。ここで、バックライトユニットのような照明装置は、導光板
、プリズムシート、拡散シート、反射シート、光源（ＬＥＤ、冷陰極管など）、冷却装置
（水冷式、空冷式）などを含んでいてもよい。
【００５８】
照明装置とは、バックライトユニット、導光板、プリズムシート、拡散シート、反射シ
ート、光源（ＬＥＤ、冷陰極管、熱陰極管など）、冷却装置などを有している装置のこと
をいう。
【００５９】
発光装置とは、発光素子などを有している装置のことをいう。
【００６０】
反射装置とは、光反射素子、光回折素子、光反射電極などを有している装置のことをい
う。
【００６１】
液晶表示装置とは、液晶素子を有している表示装置をいう。液晶表示装置には、直視型
、投写型、透過型、反射型、半透過型などがある。
【００６２】
駆動装置とは、半導体素子、電気回路、電子回路を有する装置のことをいう。例えば、
ソース信号線から画素内への信号の入力を制御するトランジスタ（選択用トランジスタ、
スイッチング用トランジスタなどと呼ぶことがある）、画素電極に電圧または電流を供給
するトランジスタ、発光素子に電圧または電流を供給するトランジスタなどは、駆動装置
の一例である。さらに、ゲート信号線に信号を供給する回路（ゲートドライバ、ゲート線
駆動回路などと呼ぶことがある）、ソース信号線に信号を供給する回路（ソースドライバ
、ソース線駆動回路などと呼ぶことがある）などは、駆動装置の一例である。
【００６３】
表示装置、半導体装置、照明装置、冷却装置、発光装置、反射装置、駆動装置などは、
互いに重複している装置もある。例えば、表示装置が、半導体装置および発光装置を有し
ている場合がある。あるいは、半導体装置が、表示装置および駆動装置を有している場合
がある。
【００６４】
本書類において、Ａの上にＢが形成されている、あるいは、Ａ上にＢが形成されている
、と明示的に記載する場合は、Ａの上にＢが直接接して形成されていることに限定されな
い。直接接していない場合、つまり、ＡとＢの間に別の対象物が介在する場合も含むもの
とする。ここで、Ａ、Ｂは、対象物（例えば、装置、素子、回路、配線、電極、端子、導
電膜、層、など）であるとする。
【００６５】
例えば、層Ａの上に（もしくは層Ａ上に）、層Ｂが形成されている、と明示的に記載さ
れている場合は、層Ａの上に直接接して層Ｂが形成されている場合と、層Ａの上に直接接
して別の層（例えば層Ｃや層Ｄなど）が形成されていて、その上に層Ｂが形成されている
場合と、を含むものとする。なお、別の層（例えば層Ｃや層Ｄなど）は、単層でもよいし
、複層でもよい。
【００６６】
さらに、Ａの上方にＢが形成されている、と明示的に記載されている場合についても同
様であり、Ａの上にＢが直接接していることに限定されず、ＡとＢとの間に別の対象物が
介在する場合も含むものとする。例えば、層Ａの上方に、層Ｂが形成されている、という
場合は、層Ａの上に直接接して層Ｂが形成されている場合と、層Ａの上に直接接して別の
層（例えば層Ｃや層Ｄなど）が形成されていて、その上に層Ｂが形成されている場合と、
を含むものとする。なお、別の層（例えば層Ｃや層Ｄなど）は、単層でもよいし、複層で
もよい。
【００６７】
Ａの上にＢが直接接して形成されている、と明示的に記載する場合は、Ａの上に直接接
してＢが形成されている場合のみを含み、ＡとＢの間に別の対象物が介在する場合は含ま
ないものとする。
【００６８】
なお、Ａの下にＢが、あるいは、Ａの下方にＢが、の場合についても、同様である。
【発明の効果】
【００６９】
本明細書に記載の構成によって、シフトレジスタを高速に動作できる。特に、トランジ
スタの半導体層としてアモルファスシリコンを用いた場合でも、シフトレジスタを高速に
動作できる。そのため、液晶表示装置をはじめとする当該シフトレジスタを適用した半導
体装置を高速に動作でき、大型化または高精細化を容易に図ることができる。
【図面の簡単な説明】
【００７０】
【図１】実施の形態１に示すフリップフロップの構成を説明する図。
【図２】図１で示したフリップフロップの動作を説明するタイミングチャート。
【図３】図１で示したフリップフロップの動作を説明する図。
【図４】実施の形態１に示すフリップフロップの構成を説明する図。
【図５】実施の形態１に示すフリップフロップの構成を説明する図。
【図６】実施の形態１に示すフリップフロップの動作を説明するタイミングチャート。
【図７】実施の形態１に示すシフトレジスタの構成を説明する図。
【図８】図７に示したシフトレジスタの動作を説明するタイミングチャート。
【図９】図７に示したシフトレジスタの動作を説明するタイミングチャート。
【図１０】実施の形態１に示すシフトレジスタの構成を説明する図。
【図１１】実施の形態１に示す表示装置の構成を説明する図。
【図１２】図１１で示した表示装置の書き込み動作を説明するタイミングチャート。
【図１３】実施の形態１に示す表示装置の構成を説明する図。
【図１４】実施の形態１に示す表示装置の構成を説明する図。
【図１５】図１４で示した表示装置の書き込み動作を説明するタイミングチャート。
【図１６】実施の形態２に示すフリップフロップの動作を説明するタイミングチャート。
【図１７】実施の形態２に示すフリップフロップの動作を説明するタイミングチャート。
【図１８】実施の形態２に示すシフトレジスタの構成を説明する図。
【図１９】図１８で示したシフトレジスタの動作を説明するタイミングチャート。
【図２０】図１８で示したシフトレジスタの動作を説明するタイミングチャート。
【図２１】実施の形態２に示す表示装置の構成を説明する図。
【図２２】実施の形態２に示す表示装置の構成を説明する図
【図２３】実施の形態３に示すフリップフロップの構成を説明する図。
【図２４】図２３で示したフリップフロップの動作を説明するタイミングチャート。
【図２５】実施の形態３に示すシフトレジスタの構成を説明する図。
【図２６】図２５で示したシフトレジスタの動作を説明するタイミングチャート。
【図２７】実施の形態４に示すフリップフロップの構成を説明する図。
【図２８】図２７で示したフリップフロップの動作を説明するタイミングチャート。
【図２９】図５（Ａ）に示したフリップフロップの上面図。
【図３０】図１０に示したバッファの構成を説明する図。
【図３１】実施の形態５に示す信号線駆動回路の構成を説明する図。
【図３２】図３１で示した信号線駆動回路の動作を説明するタイミングチャート。
【図３３】実施の形態５に示す信号線駆動回路の構成を説明する図。
【図３４】図３３で示した信号線駆動回路の動作を説明するタイミングチャート。
【図３５】実施の形態５に示す信号線駆動回路の構成を説明する図。
【図３６】実施の形態６に示す保護ダイオードの構成を説明する図。
【図３７】実施の形態６に示す保護ダイオードの構成を説明する図。
【図３８】実施の形態６に示す保護ダイオードの構成を説明する図。
【図３９】実施の形態７に示す表示装置の構成を説明する図。
【図４０】本発明に係る半導体装置を製造するプロセスを説明する図。
【図４１】本発明に係る半導体装置の構造を説明する図。
【図４２】本発明に係る半導体装置の構造を説明する図。
【図４３】本発明に係る半導体装置の構造を説明する図。
【図４４】本発明に係る半導体装置の構造を説明する図。
【図４５】本発明に係る半導体装置の駆動方法の一を説明する図。
【図４６】本発明に係る半導体装置の駆動方法の一を説明する図。
【図４７】本発明に係る半導体装置の表示装置の構成を説明する図。
【図４８】本発明に係る半導体装置の周辺回路構成を説明する図。
【図４９】本発明に係る半導体装置の周辺構成部材を説明する図。
【図５０】本発明に係る半導体装置の周辺構成部材を説明する図。
【図５１】本発明に係る半導体装置の周辺構成部材を説明する図。
【図５２】本発明に係る半導体装置の周辺回路構成を説明する図。
【図５３】本発明に係る半導体装置の周辺構成部材を説明する図。
【図５４】本発明に係る半導体装置のパネル回路構成を説明する図。
【図５５】本発明に係る半導体装置のパネル回路構成を説明する図。
【図５６】本発明に係る半導体装置のパネル回路構成を説明する図。
【図５７】本発明に係る半導体装置の表示素子の断面図。
【図５８】本発明に係る半導体装置の表示素子の断面図。
【図５９】本発明に係る半導体装置の表示素子の断面図。
【図６０】本発明に係る半導体装置の表示素子の断面図。
【図６１】本発明に係る半導体装置の画素の上面図。
【図６２】本発明に係る半導体装置の画素の上面図。
【図６３】本発明に係る半導体装置の画素の上面図。
【図６４】本発明に係る半導体装置の画素レイアウト例。
【図６５】本発明に係る半導体装置の画素レイアウト例。
【図６６】本発明に係る半導体装置の画素レイアウト例。
【図６７】本発明に係る半導体装置の駆動方法の一を説明する図。
【図６８】本発明に係る半導体装置の駆動方法の一を説明する図。
【図６９】本発明に係る半導体装置の画素の構成を説明する図。
【図７０】本発明に係る半導体装置の画素の構成を説明する図。
【図７１】本発明に係る半導体装置の画素の構成を説明する図。
【図７２】本発明に係る半導体装置の画素レイアウト例と断面図。
【図７３】本発明に係る半導体装置の表示素子の断面図。
【図７４】本発明に係る半導体装置の表示素子の断面図。
【図７５】本発明に係る半導体装置の表示素子の断面図。
【図７６】本発明に係る半導体装置の構造を説明する図。
【図７７】本発明に係る半導体装置の構造を説明する図。
【図７８】本発明に係る半導体装置の構造を説明する図。
【図７９】本発明に係る半導体装置の構造を説明する図。
【図８０】本発明に係る半導体装置の構造を説明する図。
【図８１】本発明に係る半導体装置の構造を説明する図。
【図８２】本発明に係る半導体装置の駆動方法の一を説明する図。
【図８３】本発明に係る半導体装置の駆動方法の一を説明する図。
【図８４】本発明に係る半導体装置の駆動方法の一を説明する図。
【図８５】本発明に係る半導体装置の駆動方法の一を説明する図。
【図８６】本発明に係る半導体装置の構造を説明する図。
【図８７】本発明に係る半導体装置を用いた電子機器を説明する図。
【図８８】本発明に係る半導体装置の構造を説明する図。
【図８９】本発明に係る半導体装置を用いた電子機器を説明する図。
【図９０】本発明に係る半導体装置を用いた電子機器を説明する図。
【図９１】本発明に係る半導体装置を用いた電子機器を説明する図。
【図９２】本発明に係る半導体装置を用いた電子機器を説明する図。
【図９３】本発明に係る半導体装置を用いた電子機器を説明する図。
【図９４】本発明に係る半導体装置を用いた電子機器を説明する図。
【図９５】本発明に係る半導体装置を用いた電子機器を説明する図。
【図９６】本発明に係る半導体装置を用いた電子機器を説明する図。
【図９７】本発明に係る半導体装置を用いた電子機器を説明する図。
【図９８】本発明に係る半導体装置を用いた電子機器を説明する図。
【図９９】図１０に示したバッファの構成を説明する図。
【図１００】従来技術のフリップフロップの構成とタイミングを説明する図。
【発明を実施するための形態】
【００７１】
本発明の実施の形態について、図面を用いて詳細に説明する。ただし、本発明は以下の
説明に限定されず、本発明の趣旨およびその範囲から逸脱することなく、その形態および
詳細をさまざまに変更し得ることは、当業者であれば容易に理解される。したがって、本
発明は以下に示す実施の形態の記載内容に限定して解釈されるものではない。以下に説明
する本発明の構成において、同一部分または同様な機能を有する部分には同一の符号を異
なる図面間で共通して用い、その繰り返しの説明は省略する。
【００７２】
（実施の形態１）
本実施の形態では、フリップフロップ、当該フリップフロップを有する駆動回路、およ
び当該駆動回路を有する表示装置の構成ならびに駆動方法について説明する。
【００７３】
本実施の形態のフリップフロップの基本構成について、図１（Ａ）を参照して説明する
。図１（Ａ）に示すフリップフロップは、第１のトランジスタ１０１、第２のトランジス
タ１０２、第３のトランジスタ１０３、第４のトランジスタ１０４、第５のトランジスタ
１０５、第６のトランジスタ１０６、第７のトランジスタ１０７および第８のトランジス
タ１０８を有する。本実施の形態において、第１のトランジスタ１０１、第２のトランジ
スタ１０２、第３のトランジスタ１０３、第４のトランジスタ１０４、第５のトランジス
タ１０５、第６のトランジスタ１０６、第７のトランジスタ１０７および第８のトランジ
スタ１０８は、Ｎチャネル型トランジスタとし、ゲート・ソース間電圧（Ｖｇｓ）がしき
い値電圧（Ｖｔｈ）を上回ったとき導通状態になるものとする。
【００７４】
本実施の形態のフリップフロップは、第１のトランジスタ１０１〜第８のトランジスタ
１０８が、全てＮチャネル型トランジスタで構成されていることを特徴とする。また、本
実施の形態のフリップフロップは、トランジスタの半導体層として、アモルファスシリコ
ンを用いることができる。そのため、製造工程の簡略化、製造コストの削減や歩留まりの
向上を図ることができる。ただし、トランジスタの半導体層として、ポリシリコンや単結
晶シリコンを用いても製造工程の簡略化を図ることができる。
【００７５】
図１（Ａ）のフリップフロップの接続関係について説明する。第１のトランジスタ１０
１の第１の電極（ソース電極およびドレイン電極の一方）が第５の配線１２５に接続され
、第１のトランジスタ１０１の第２の電極（ソース電極およびドレイン電極の他方）が第
３の配線１２３に接続される。第２のトランジスタ１０２の第１の電極が第４の配線１２
４に接続され、第２のトランジスタ１０２の第２の電極が第３の配線１２３に接続される
。第３のトランジスタ１０３の第１の電極が第６の配線１２６に接続され、第３のトラン
ジスタ１０３の第２の電極が第２のトランジスタ１０２のゲート電極に接続され、第３の
トランジスタ１０３のゲート電極が第６の配線１２６に接続される。第４のトランジスタ
１０４の第１の電極が第８の配線１２８に接続され、第４のトランジスタ１０４の第２の
電極が第２のトランジスタ１０２のゲート電極に接続され、第４のトランジスタ１０４の
ゲート電極が第１のトランジスタ１０１のゲート電極に接続される。第５のトランジスタ
１０５の第１の電極が第７の配線１２７に接続され、第５のトランジスタ１０５の第２の
電極が第１のトランジスタ１０１のゲート電極に接続され、第５のトランジスタ１０５の
ゲート電極が第１の配線１２１に接続される。第６のトランジスタ１０６の第１の電極が
第１０の配線１３０に接続され、第６のトランジスタ１０６の第２の電極が第１のトラン
ジスタ１０１のゲート電極に接続され、第６のトランジスタ１０６のゲート電極が第２の
トランジスタ１０２のゲート電極に接続される。第７のトランジスタ１０７の第１の電極
が第１１の配線１３１に接続され、第７のトランジスタ１０７の第２の電極が第１のトラ
ンジスタ１０１のゲート電極に接続され、第７のトランジスタ１０７のゲート電極が第２
の配線１２２に接続される。第８のトランジスタ１０８の第１の電極が第９の配線１２９
に接続され、第８のトランジスタ１０８の第２の電極が第２のトランジスタ１０２のゲー
ト電極に接続され、第８のトランジスタ１０８のゲート電極が第１の配線１２１に接続さ
れる。
【００７６】
第１のトランジスタ１０１のゲート電極、第４のトランジスタ１０４のゲート電極、第
５のトランジスタ１０５の第２の電極、第６のトランジスタ１０６の第２の電極および第
７のトランジスタ１０７の第２の電極の接続箇所をノード１４１とする。第２のトランジ
スタ１０２のゲート電極、第３のトランジスタ１０３の第２の電極、第４のトランジスタ
１０４の第２の電極、第６のトランジスタ１０６のゲート電極および第８のトランジスタ
１０８の第２の電極の接続箇所をノード１４２とする。
【００７７】
第１の配線１２１、第２の配線１２２、第３の配線１２３および第５の配線１２５を、
それぞれ第１の信号線、第２の信号線、第３の信号線、第４の信号線と呼んでもよい。ま
た、第４の配線１２４、第６の配線１２６、第７の配線１２７、第８の配線１２８、第９
の配線１２９、第１０の配線１３０および第１１の配線１３１を、それぞれ第１の電源線
、第２の電源線、第３の電源線、第４の電源線、第５の電源線、第６の電源線、第７の電
源線と呼んでもよい。
【００７８】
次に、図１（Ａ）に示したフリップフロップの動作について、図２のタイミングチャー
トおよび図３を参照して説明する。さらに、図２のタイミングチャートをセット期間、選
択期間、リセット期間、非選択期間に分割して説明する。ただし、セット期間、リセット
期間、非選択期間を合わせて非選択期間と呼ぶこともある。
【００７９】
第６の配線１２６および第７の配線１２７には、Ｖ１の電位が供給される。第４の配線
１２４、第８の配線１２８、第９の配線１２９、第１０の配線１３０および第１１の配線
１３１には、Ｖ２の電位が供給される。ここで、Ｖ１＞Ｖ２である。また、電位がＶ１で
ある信号をＨ信号、電位がＶ２である信号をＬ信号と呼ぶ。
【００８０】
第１の配線１２１、第５の配線１２５、第２の配線１２２には、それぞれ図２に示す信
号２２１、信号２２５、信号２２２が入力される。そして、第３の配線１２３からは、図
２に示す信号２２３が出力される。ここで、信号２２１、信号２２５、信号２２２および
信号２２３は、Ｈ信号の電位がＶ１（以下、Ｈレベルともいう）、Ｌ信号の電位がＶ２（
以下、Ｌレベルともいう）のデジタル信号である。さらに、信号２２１、信号２２５、信
号２２２および信号２２３を、それぞれスタート信号、クロック信号、リセット信号、出
力信号と呼んでもよい。
【００８１】
ただし、第１の配線１２１、第２の配線１２２、第４の配線１２４〜第１１の配線１３
１には、それぞれさまざまな信号、電位および電流が入力されてもよい。
【００８２】
図２（Ａ）および図３（Ａ）に示すセット期間において、信号２２１がＨレベルとなり
、第５のトランジスタ１０５および第８のトランジスタ１０８がオンする。また、信号２
２２がＬレベルなので、第７のトランジスタ１０７がオフする。このときノード１４１の
電位（電位２４１）は、第５のトランジスタ１０５の第２の電極がソース電極となって、
第７の配線１２７の電位から第５のトランジスタ１０５のしきい値電圧を引いた値となる
ため、Ｖ１−Ｖｔｈ１０５（Ｖｔｈ１０５：第５のトランジスタ１０５のしきい値電圧）
となる。よって、第１のトランジスタ１０１および第４のトランジスタ１０４がオンし、
第５のトランジスタ１０５がオフする。このときノード１４２の電位（電位２４２）は、
第８の配線１２８の電位（Ｖ２）と第６の配線１２６の電位（Ｖ１）との電位差（Ｖ１−
Ｖ２）が、第３のトランジスタ１０３、第４のトランジスタ１０４および第８のトランジ
スタ１０８によって分圧され、Ｖ２＋β（β：任意の正の数）となる。ただし、β＜Ｖｔ
ｈ１０２（Ｖｔｈ１０２：第２のトランジスタ１０２のしきい値電圧）およびβ＜Ｖｔｈ
１０６（第６のトランジスタ１０６のしきい値電圧）とする。よって、第２のトランジス
タ１０２および第６のトランジスタ１０６が、オフする。このように、セット期間では、
第３の配線１２３は、Ｌ信号が入力されている第５の配線１２５と導通するため、第３の
配線１２３の電位がＶ２となる。したがって、Ｌ信号が第３の配線１２３から出力される
。さらに、ノード１４１は、電位をＶ１−Ｖｔｈ１０５に維持したまま浮遊状態となる。
【００８３】
第３のトランジスタ１０３および第４のトランジスタ１０４は、入力端子をノード１４
１、出力端子をノード１４２とするインバータを構成している。したがって、本実施の形
態のフリップフロップは、ノード１４１とノード１４２との間に、インバータとして機能
する回路が配置されていればよい。
【００８４】
本実施の形態のフリップフロップは、ノード１４２に第８のトランジスタ１０８を介し
てＶ２を供給し、第６のトランジスタ１０６がオフするタイミングを早めている。そのた
め、ノード１４２の電位が、Ｖ１−Ｖｔｈ１０５となる時間を短くできる。したがって、
本実施の形態のフリップフロップは、高速動作が可能となり、より大型の表示装置または
より高精細な表示装置に適用できる。
【００８５】
本実施の形態のフリップフロップは、図４（Ｂ）に示すように、第５のトランジスタ１
０５の第１の電極が、第１の配線１２１に接続されても、上記説明したセット期間と同じ
動作ができる。その結果、図４（Ｂ）のフリップフロップは、第７の配線１２７が不要と
なるため、歩留まりの向上を図ることができる。さらに、図４（Ｂ）のフリップフロップ
は、レイアウト面積の縮小を図ることができる。
【００８６】
ノード１４２の電位をＶ２＋βとするために、第４のトランジスタ１０４のチャネル幅
Ｗとチャネル長Ｌとの比Ｗ／Ｌの値は、第３のトランジスタ１０３のＷ／Ｌの値よりも、
少なくとも１０倍以上にすることが好ましい。したがって、第４のトランジスタ１０４の
トランジスタサイズ（Ｗ×Ｌ）が大きくなってしまう。そこで、第３のトランジスタ１０
３のチャネル長Ｌの値を、第４のトランジスタ１０４のチャネル長Ｌの値よりも大きく、
より好ましくは２倍〜３倍とするとよい。その結果、第４のトランジスタ１０４のトラン
ジスタサイズを小さくできるため、レイアウト面積の縮小を図ることができる。
【００８７】
図２（Ｂ）および図３（Ｂ）に示す選択期間では、信号２２１がＬレベルとなり、第５
のトランジスタ１０５および第８のトランジスタ１０８がオフする。また、信号２２２が
Ｌレベルのままなので、第７のトランジスタ１０７はオフのままである。このときノード
１４１は、電位をＶ１−Ｖｔｈ１０５に維持している。よって、第１のトランジスタ１０
１および第４のトランジスタ１０４は、オンのままである。また、このときノード１４２
は電位をＶ２＋βに維持している。よって、第２のトランジスタ１０２および第６のトラ
ンジスタ１０６は、オフのままである。ここで、第５の配線１２５にＨ信号が入力される
ので、第３の配線１２３の電位が上昇し始める。すると、ノード１４１の電位は、ブート
ストラップ動作によってＶ１−Ｖｔｈ１０５から上昇し、Ｖ１＋Ｖｔｈ１０１＋α（Ｖｔ
ｈ１０１：第１のトランジスタ１０１のしきい値電圧、α：任意の正の数）となる。した
がって、第３の配線１２３の電位は、第５の配線１２５と等しい電位Ｖ１となる。このよ
うに、選択期間では、第３の配線１２３はＨ信号が入力されている第５の配線１２５と導
通するため、第３の配線１２３の電位がＶ１となる。したがって、Ｈ信号が第３の配線１
２３から出力される。
【００８８】
このブートストラップ動作は、第１のトランジスタ１０１のゲート電極と第２の電極の
間の、寄生容量の容量結合によって行われる。図１（Ｂ）に示すように、第１のトランジ
スタ１０１のゲート電極と第２の電極の間に容量素子１５１を配置することで、安定して
ブートストラップ動作ができ、第１のトランジスタ１０１の寄生容量を小さくできる。容
量素子１５１は、絶縁層としてゲート絶縁膜を用いて、導電層としてゲート電極層および
配線層を用いてもよい。また、絶縁層としてゲート絶縁膜を用いて、導電層としてゲート
電極層および不純物が添加された半導体層を用いてもよい。あるいは、絶縁層として層間
膜（絶縁膜）を用いて、導電層として配線層および透明電極層を用いてもよい。容量素子
１５１は、導電膜としてゲート電極層および配線層を用いる場合、ゲート電極層を第１の
トランジスタ１０１のゲート電極と接続し、配線層を第１のトランジスタ１０１の第２の
電極と接続するとよい。より望ましくは、導電膜としてゲート電極層および配線層を用い
る場合、ゲート電極層を第１のトランジスタ１０１のゲート電極と直接接続し、配線層を
第１のトランジスタ１０１の第２の電極と直接接続するとよい。なぜなら、容量素子１５
１の配置によるフリップフロップのレイアウト面積の増加が、小さくなるからである。
【００８９】
図１（Ｃ）に示すように、容量素子１５１としてトランジスタ１５２を用いてもよい。
トランジスタ１５２は、ゲート電極がノード１４１に接続され、第１の電極および第２の
電極が第３の配線１２３に接続されることで、大きな容量成分を持つ容量素子として機能
することができる。ただし、トランジスタ１５２は、第１の電極および第２の電極のうち
、どちらか一方を浮遊状態としても容量素子として機能できる。
【００９０】
第１のトランジスタ１０１は、第３の配線１２３にＨ信号を供給しなければならない。
したがって、信号２２３の立ち下がり時間および立ち上がり時間を短くするために、第１
のトランジスタ１０１のＷ／Ｌの値は、第１のトランジスタ１０１〜第８のトランジスタ
１０８のそれぞれのＷ／Ｌの値の中で最大とすることが望ましい。
【００９１】
第５のトランジスタ１０５は、セット期間において、ノード１４１（第１のトランジス
タ１０１のゲート電極）の電位をＶ１−Ｖｔｈ１０５としなければならない。そのため、
第５のトランジスタ１０５のＷ／Ｌの値は第１のトランジスタ１０１のＷ／Ｌの値よりも
１／２倍〜１／５倍、より望ましくは１／３倍〜１／４倍とするとよい。
【００９２】
図２（Ｃ）および図３（Ｃ）に示すリセット期間では、信号２２１がＬレベルのままな
ので、第５のトランジスタ１０５および第８のトランジスタ１０８はオフのままである。
また、信号２２２がＨレベルなので、第７のトランジスタ１０７がオンする。このときの
ノード１４１の電位は、第１１の配線１３１の電位（Ｖ２）が、第７のトランジスタ１０
７を介して供給されるためＶ２となる。よって、第１のトランジスタ１０１および第４の
トランジスタ１０４が、オフする。このときのノード１４２の電位は、第３のトランジス
タ１０３の第２の電極がソース電極となって、第６の配線１２６の電位（Ｖ１）から第３
のトランジスタ１０３のしきい値電圧を引いた値となるため、Ｖ１−Ｖｔｈ１０３（Ｖｔ
ｈ１０３：第３のトランジスタ１０３のしきい値電圧）となる。よって、第２のトランジ
スタ１０２および第６のトランジスタ１０６が、オンする。このように、リセット期間で
は、第３の配線１２３と、Ｖ２が供給されている第４の配線１２４が導通するため、第３
の配線１２３の電位がＶ２となる。したがって、Ｌ信号が、第３の配線１２３から出力さ
れる。
【００９３】
第７のトランジスタ１０７がオンするタイミングを遅延させることで、信号２２３の立
ち下がり時間を短くできる。なぜなら、第５の配線１２５に入力されるＬ信号が、Ｗ／Ｌ
の値が大きい第１のトランジスタ１０１を介して、第３の配線１２３に供給されるからで
ある。
【００９４】
第７のトランジスタ１０７のＷ／Ｌの値を小さくして、ノード１４１の電位がＶ２とな
るまでの立ち下がり時間を長くしても、信号２２３の立ち下がり時間を短くできる。この
場合は、第７のトランジスタ１０７のＷ／Ｌの値を、第１のトランジスタ１０１のＷ／Ｌ
の値よりも１／１０〜１／４０倍、より好ましくは１／２０〜１／３０倍とするとよい。
【００９５】
図４（Ａ）に示すように、第３のトランジスタ１０３の代わりに抵抗素子４０１を用い
ることで、ノード１４２の電位をＶ１にできる。そのため、第２のトランジスタ１０２お
よび第６のトランジスタ１０６をオンしやすくでき、動作効率の向上を図ることができる
。また、図４（Ｃ）に示すように、第３のトランジスタ１０３と並列に、トランジスタ４
０２を接続してもよい。
【００９６】
図２（Ｄ）および図３（Ｄ）に示す非選択期間において、信号２２１がＬレベルのまま
なので、第５のトランジスタ１０５および第８のトランジスタ１０８はオフのままである
。また、信号２２２がＬレベルとなるので、第７のトランジスタ１０７がオフする。この
とき、ノード１４２は、電位をＶ１−Ｖｔｈ１０３に維持している。そのため、第２のト
ランジスタ１０２および第６のトランジスタ１０６は、オンのままである。このとき、ノ
ード１４１の電位は、第６のトランジスタ１０６を介してＶ２が供給されるので、Ｖ２の
ままである。よって、第１のトランジスタ１０１および第４のトランジスタ１０４は、オ
フのままである。このように、非選択期間では、第３の配線１２３と、Ｖ２が供給されて
いる第４の配線１２４が導通するため、第３の配線１２３の電位は、Ｖ２のままである。
したがって、Ｌ信号が、第３の配線１２３から出力される。
【００９７】
第６の配線１２６に供給される電位をＶ１よりも小さくすることで、ノード１４２の電
位を小さくできる。そのため、第２のトランジスタ１０２および第６のトランジスタ１０
６のしきい値電圧シフトを抑制できる。したがって、本実施の形態のフリップフロップは
、トランジスタの半導体層として特性劣化（しきい値電圧のシフト）が顕著に表れるアモ
ルファスシリコンを用いても、トランジスタの特性劣化を抑制できる。
【００９８】
以上のことから、本実施の形態のフリップフロップは、セット期間においてノード１４
１の電位の立ち上がり時間を短くできるため、高速動作が可能となり、より大型の表示装
置またはより高精細な表示装置に適用できる。
【００９９】
ここで、第１のトランジスタ１０１〜第８のトランジスタ１０８が有する機能を説明す
る。第１のトランジスタ１０１は、第５の配線１２５の電位を、第３の配線１２３に供給
するタイミングを選択する機能を有する。また、ノード１４１の電位をブートストラップ
動作によって上昇させる機能を有し、ブートストラップ用トランジスタとして機能する。
第２のトランジスタ１０２は、第４の配線１２４の電位を、第３の配線１２３に供給する
タイミングを選択する機能を有し、スイッチングトランジスタとして機能する。第３のト
ランジスタ１０３は、第６の配線１２６の電位と、第８の配線１２８の電位と、を分圧す
る機能を有し、抵抗成分を有する素子または抵抗素子として機能する。第４のトランジス
タ１０４は、第８の配線１２８の電位を、ノード１４２に供給するタイミングを選択する
機能を有し、スイッチングトランジスタとして機能する。第５のトランジスタ１０５は、
第７の配線１２７の電位を、ノード１４１に供給するタイミングを選択する機能を有し、
入力用トランジスタとして機能する。第６のトランジスタ１０６は、第１０の配線１３０
の電位を、ノード１４１に供給するタイミングを選択する機能を有し、スイッチングトラ
ンジスタとして機能する。第７のトランジスタ１０７は、第１１の配線１３１の電位を、
ノード１４１に供給するタイミングを選択する機能を有し、スイッチングトランジスタと
して機能する。第８のトランジスタ１０８は、第９の配線１２９の電位を、ノード１４２
に供給するタイミングを選択する機能を有し、スイッチングトランジスタとして機能する
。
【０１００】
ただし、第１のトランジスタ１０１〜第８のトランジスタ１０８は、上記説明した機能
を有していれば、トランジスタとは限定されない。例えば、スイッチングトランジスタと
して機能する第２のトランジスタ１０２、第４のトランジスタ１０４、第６のトランジス
タ１０６、第７のトランジスタ１０７および第８のトランジスタ１０８は、スイッチング
機能を有する素子であれば、ダイオード、ＣＭＯＳアナログスイッチまたはさまざまな論
理回路などを適用してもよい。さらに、入力用トランジスタとして機能する第５のトラン
ジスタ１０５は、ノード１４１の電位を上昇させてオフするタイミングを選択する機能を
有していれば、ＰＮ接合ダイオードまたはダイオード接続したトランジスタなどを適用し
てもよい。
【０１０１】
図１と同様に動作するものであれば、各トランジスタの配置および数などは図１に限定
されない。図１（Ａ）のフリップフロップの動作を説明した図３から分かるように、本実
施の形態では、セット期間、選択期間、リセット期間、非選択期間は、それぞれ図３（Ａ
）〜図３（Ｄ）に示す実線のように導通がとれていればよい。よって、これを満たすよう
にトランジスタなどを配置し、動作させうる構成であれば、トランジスタ、その他の素子
（抵抗素子、容量素子など）、ダイオード、スイッチ、さまざまな論理回路などを新たに
配置してもよい。
【０１０２】
さらに、図１と同様に動作するものであれば、本実施の形態のフリップフロップの駆動
タイミングは、図２のタイミングチャートに限定されない。
【０１０３】
例えば、図６のタイミングチャートに示すように、第１の配線１２１、第２の配線１２
２、第５の配線１２５にＨ信号を入力する期間を短くしてもよい。図６は、図２のタイミ
ングチャートと比較して、信号がＬレベルからＨレベルに切り替わるタイミングが期間Ｔ
ａ１だけ遅延し、信号がＨレベルからＬレベルに切り替わるタイミングが期間Ｔａ２だけ
早くなっている。したがって、図６のタイミングチャートを適用したフリップフロップは
、各配線の瞬間電流が小さくなるため、省電力化、誤動作の抑制、動作効率の向上などを
図ることができる。さらに、図６のタイミングチャートを適用したフリップフロップは、
リセット期間において、第３の配線１２３から出力される信号の立ち下がり時間を短くで
きる。なぜなら、ノード１４１の電位がＬレベルとなるタイミングが、期間Ｔａ１＋期間
Ｔａ２だけ遅延するので、第５の配線１２５に入力されているＬ信号が、電流能力の大き
い（チャネル幅が大きい）第１のトランジスタ１０１を介して第３の配線１２３に供給さ
れるからである。なお、図２のタイミングチャートと共通するところは、共通の符号を用
いてその説明を省略する。
【０１０４】
期間Ｔａ１、期間Ｔａ２および期間Ｔｂの関係は、（（Ｔａ１＋Ｔｂ）／（Ｔａ１＋Ｔ
ａ２＋Ｔｂ））×１００＜１０［％］とすることが望ましい。より望ましくは、（（Ｔａ
１＋Ｔｂ）／（Ｔａ１＋Ｔａ２＋Ｔｂ））×１００＜５［％］とすることが望ましい。さ
らに、期間Ｔａ１≒期間Ｔａ２とすることが望ましい。
【０１０５】
図１と同様に動作するものであれば、第１の配線１２１〜第１１の配線１３１は、自由
に接続することができる。例えば、図５（Ａ）に示すように、第２のトランジスタ１０２
の第１の電極、第４のトランジスタ１０４の第１の電極、第６のトランジスタ１０６の第
１の電極、第７のトランジスタ１０７の第１の電極および第８のトランジスタ１０８の第
１の電極が、第６の配線５０６に接続されてもよい。さらに、第５のトランジスタ１０５
の第１の電極、第３のトランジスタ１０３の第１の電極および第３のトランジスタ１０３
のゲート電極が、第５の配線５０５に接続されてもよい。また、図５（Ｂ）に示すように
、第３のトランジスタ１０３の第１の電極および第３のトランジスタ１０３のゲート電極
が、第７の配線５０７に接続されてもよい。ここで、第１の配線５０１、第２の配線５０
２、第３の配線５０３および第４の配線５０４は、図１（Ａ）の第１の配線１２１、第２
の配線１２２、第３の配線１２３および第５の配線１２５に相当する。
【０１０６】
図５（Ａ）、（Ｂ）のフリップフロップは、配線数を削減できるため、歩留まりの向上
およびレイアウト面積の縮小を図ることができる。さらに、図５（Ａ）、（Ｂ）のフリッ
プフロップは、信頼性の向上および動作効率の向上を図ることができる。さらに、図５（
Ｂ）のフリップフロップは、第６の配線５０６に供給する電位を小さくできるため、第２
のトランジスタ１０２および第６のトランジスタ１０６のしきい値電圧のシフトを抑制で
きる。
【０１０７】
図５（Ａ）に示したフリップフロップの上面図の一例を図２９に示す。導電層２９０１
は、第１のトランジスタ１０１の第１の電極として機能する部分を含み、配線２９５１を
介して第４の配線５０４と接続される。導電層２９０２は第１のトランジスタ１０１の第
２の電極として機能する部分を含み、配線２９５２を介して第３の配線５０３と接続され
る。導電層２９０３は、第１のトランジスタ１０１のゲート電極、および第４のトランジ
スタ１０４のゲート電極として機能する部分を含む。導電層２９０４は、第２のトランジ
スタ１０２の第１の電極、第６のトランジスタ１０６の第１の電極、第４のトランジスタ
１０４の第１の電極、および第８のトランジスタ１０８の第１の電極として機能する部分
を含み、第６の配線５０６と接続される。導電層２９０５は、第２のトランジスタ１０２
の第２の電極として機能する部分を含み、配線２９５４を介して第３の配線５０３と接続
される。導電層２９０６は第２のトランジスタ１０２のゲート電極、および第６のトラン
ジスタ１０６のゲート電極として機能する部分を含む。導電層２９０７は、第３のトラン
ジスタ１０３の第１の電極として機能する部分を含み、配線２９５５を介して第５の配線
５０５と接続される。導電層２９０８は、第３のトランジスタ１０３の第２の電極、およ
び第４のトランジスタ１０４の第２の電極として機能する部分を含み、配線２９５６を介
して導電層２９０６と接続される。導電層２９０９は、第３のトランジスタ１０３のゲー
ト電極として機能する部分を含み、配線２９５５を介して第５の配線５０５と接続される
。導電層２９１０は、第５のトランジスタ１０５の第１の電極として機能する部分を含み
、配線２９５９を介して第５の配線５０５と接続される。導電層２９１１は、第５のトラ
ンジスタ１０５の第２の電極、および第７のトランジスタ１０７の第２の電極として機能
する部分を含み、配線２９５８を介して導電層２９０３と接続される。導電層２９１２は
、第５のトランジスタ１０５のゲート電極として機能する部分を含み、配線２９６０を介
して第１の配線５０１と接続される。導電層２９１３は、第６のトランジスタ１０６の第
２の電極として機能する部分を含み、配線２９５７を介して導電層２９０３と接続される
。導電層２９１４は、第７のトランジスタ１０７のゲート電極として機能する部分を含み
、配線２９６２を介して第２の配線５０２と接続される。導電層２９１５は、第８のトラ
ンジスタ１０８のゲート電極として機能する部分を含み、配線２９６１を介して導電層２
９１２と接続される。導電層２９１６は、第８のトランジスタ１０８の第２の電極として
機能する部分を含み、配線２９５３を介して導電層２９０６と接続される。
【０１０８】
ここで、配線２９６２は、配線２９５１、配線２９５２、配線２９５３、配線２９５４、
配線２９５５、配線２９５６、配線２９５７、配線２９５８、配線２９５９、配線２９６
０または配線２９６１よりも、配線の幅が小さいことを特徴とする。あるいは、配線の長
さが大きいことを特徴とする。つまり、配線２９６２の抵抗値を大きくすることを特徴と
する。こうすることで、リセット期間において、導電層２９１４の電位が、Ｈレベルにな
るタイミングを遅延させることができる。よって、リセット期間において、第７のトラン
ジスタ１０７がオンするタイミングを遅延させることができるので、第３の配線５０３の
信号を早くＬレベルにすることができる。なぜなら、ノード１４１がＬレベルになるタイ
ミングが遅延し、その遅延の期間にＬ信号が第１のトランジスタ１０１を介して、第３の
配線５０３に供給されるからである。
【０１０９】
なお、配線２９５１、配線２９５２、配線２９５３、配線２０５４、配線２９５５、配線
２９５６、配線２９５７、配線２９５８、配線２９５９、配線２９６０、配線２９６１お
よび配線２９６２は、画素電極（または透明電極、反射電極ともいう）と同様なものであ
り、同様のプロセスおよび材料によって形成されている。
【０１１０】
第１のトランジスタ１０１のゲート電極、第１の電極および第２の電極として機能する
部分は、それぞれを含む導電層と半導体層２９８１とが重なって形成される部分である。
第２のトランジスタ１０２のゲート電極、第１の電極および第２の電極として機能する部
分は、それぞれを含む導電層と半導体層２９８２とが重なって形成される部分である。第
３のトランジスタ１０３のゲート電極、第１の電極および第２の電極として機能する部分
は、それぞれを含む導電層と半導体層２９８３とが重なって形成される部分である。第４
のトランジスタ１０４のゲート電極、第１の電極および第２の電極として機能する部分は
、それぞれを含む導電層と半導体層２９８４とが重なって形成される部分である。第５の
トランジスタ１０５のゲート電極、第１の電極および第２の電極として機能する部分は、
それぞれを含む導電層と半導体層２９８５とが重なって形成される部分である。第６のト
ランジスタ１０６のゲート電極、第１の電極および第２の電極として機能する部分は、そ
れぞれを含む導電層と半導体層２９８６とが重なって形成される部分である。第７のトラ
ンジスタ１０７のゲート電極、第１の電極および第２の電極として機能する部分は、それ
ぞれを含む導電層と半導体層２９８７とが重なって形成される部分である。第８のトラン
ジスタ１０８のゲート電極、第１の電極および第２の電極として機能する部分は、それぞ
れを含む導電層と半導体層２９８８とが重なって形成される部分である。
【０１１１】
続いて、上述した本実施の形態のフリップフロップを有するシフトレジスタの構成およ
び駆動方法について説明する。
【０１１２】
本実施の形態のシフトレジスタの構成について図７を参照して説明する。図７のシフト
レジスタは、ｎ個のフリップフロップ（フリップフロップ７０１＿１〜フリップフロップ
７０１＿ｎ）を有する。
【０１１３】
図７のシフトレジスタの接続関係について説明する。図７のシフトレジスタにおいて、
ｉ段目のフリップフロップ７０１＿ｉ（フリップフロップ７０１＿１〜フリップフロップ
７０１＿ｎのうちいずれか一）は、図１（Ａ）に示した第１の配線１２１が、第７の配線
７１７＿ｉ−１に接続される。図１（Ａ）に示した第２の配線１２２が、第７の配線７１
７＿ｉ＋１に接続される。図１（Ａ）に示した第３の配線１２３が、第７の配線７１７＿
ｉに接続される。図１（Ａ）に示した第４の配線１２４、第８の配線１２８、第９の配線
１２９、第１０の配線１３０および第１１の配線１３１が、第５の配線７１５に接続され
る。図１（Ａ）に示した第５の配線１２５が、奇数段目のフリップフロップでは第２の配
線７１２に接続され、偶数段目のフリップフロップでは第３の配線７１３に接続される。
図１（Ａ）に示した第６の配線１２６および第７の配線１２７が、第４の配線７１４に接
続される。１段目のフリップフリップ７０１＿１の図１（Ａ）に示す第１の配線１２１は
、第１の配線７１１に接続される。また、ｎ段目のフリップフロップ７０１＿ｎの図１（
Ａ）に示す第２の配線１２２は、第６の配線７１６に接続される。
【０１１４】
第１の配線７１１、第２の配線７１２、第３の配線７１３、第６の配線７１６を、それ
ぞれ第１の信号線、第２の信号線、第３の信号線、第４の信号線と呼んでもよい。さらに
、第４の配線７１４、第５の配線７１５を、それぞれ第１の電源線、第２の電源線と呼ん
でもよい。
【０１１５】
次に、図１０に示したシフトレジスタの動作について、図８のタイミングチャートおよ
び図９のタイミングチャートを参照して説明する。図８のタイミングチャートは、走査期
間と帰線期間に分割されている。走査期間は、第７の配線７１７＿１からの選択信号の出
力が開始されて、第７の配線７１７＿ｎからの選択信号の出力が終了するまでの期間であ
る。帰線期間は、第７の配線７１７＿ｎからの選択信号の出力が終了して、第７の配線７
１７＿１からの選択信号の出力が開始されるまでの期間である。
【０１１６】
第４の配線７１４にはＶ１の電位が供給され、第５の配線７１５にはＶ２の電位が供給
される。
【０１１７】
第１の配線７１１、第２の配線７１２、第３の配線７１３および第６の配線７１６には
、それぞれ図８に示す信号８１１、信号８１２、信号８１３および信号８１６が入力され
る。ここで、信号８１１、信号８１２、信号８１３および信号８１６は、Ｈ信号の電位が
Ｖ１、Ｌ信号の電位がＶ２のデジタル信号である。さらに、信号８１１、信号８１２、信
号８１３および信号８１６を、それぞれスタート信号、第１のクロック信号、第２のクロ
ック信号（反転クロック信号）およびリセット信号と呼んでもよい。
【０１１８】
ただし、第１の配線７１１〜第６の配線７１６には、それぞれさまざまな信号、電位お
よび電流が入力されてもよい。
【０１１９】
第７の配線７１７＿１〜第７の配線７１７＿ｎからは、それぞれＨ信号の電位がＶ１、
Ｌ信号の電位がＶ２の、デジタル信号８１７＿１〜８１７＿ｎが出力される。ただし、図
１０に示すように、第７の配線７１７＿１〜第７の配線７１７＿ｎから、それぞれバッフ
ァ１００１＿１〜バッファ１００１＿ｎを介して信号が出力されてもよい。図１０のシフ
トレジスタは、シフトレジスタの出力信号と、各フリップフロップの転送信号と、を分割
できるので、動作させやすい。
【０１２０】
図１０に示すシフトレジスタが有するバッファ１００１＿１〜バッファ１００１＿ｎの
一例について、図９９（Ａ）および図９９（Ｂ）を参照して説明する。図９９（Ａ）に示
すバッファ８０００は、配線８０１１と配線８０１２の間にインバータ８００１ａ、イン
バータ８００１ｂおよびインバータ８００１ｃが接続されることで、配線８０１１に入力
される信号の反転信号が、配線８０１２から出力される。ただし、配線８０１１と配線８
０１２の間に接続されるインバータの数に限定はなく、例えば配線８０１１と配線８０１
２の間に偶数個のインバータが接続される場合は、配線８０１１に入力される信号と同じ
極性の信号が配線８０１２から出力される。さらに、図９９（Ｂ）のバッファ８１００に
示すように、直列に接続されたインバータ８００２ａ、インバータ８００２ｂおよびイン
バータ８００２ｃと、直列に配置されたインバータ８００３ａ、インバータ８００３ｂお
よびインバータ８００３ｃが、並列に接続されてもよい。図９９（Ｂ）のバッファ８１０
０は、トランジスタの特性のバラツキを平均化できるため、配線８０１２から出力される
信号の遅延およびなまりを低減できる。さらに、インバータ８００２ａおよびインバータ
８００３ａの出力、ならびにインバータ８００２ｂおよびインバータ８００３ｂの出力は
、接続されてもよい。
【０１２１】
図９９（Ａ）において、インバータ８００１ａが有するトランジスタのＷ＜インバータ
８００１ｂが有するトランジスタのＷ＜インバータ８００１ｃが有するトランジスタのＷ
、とすることが好ましい。なぜなら、インバータ８００１ａが有するトランジスタのＷが
小さいことで、フリップフロップの駆動能力（具体的には図１（Ａ）のトランジスタ１０
１のＷ／Ｌの値）を小さくできるので、本発明のシフトレジスタのレイアウト面積を小さ
くできるからである。同様に、図９９（Ｂ）において、インバータ８００２ａが有するト
ランジスタのＷ＜インバータ８００２ｂが有するトランジスタのＷ＜インバータ８００２
ｃが有するトランジスタのＷ、とすることが好ましい。同様に、図９９（Ｂ）において、
インバータ８００３ａが有するトランジスタのＷ＜インバータ８００３ｂが有するトラン
ジスタのＷ＜インバータ８００３ｃが有するトランジスタのＷ、とすることが好ましい。
さらに、インバータ８００２ａが有するトランジスタのＷ＝インバータ８００３ａが有す
るトランジスタのＷ、インバータ８００２ｂが有するトランジスタのＷ＝インバータ８０
０３ｂが有するトランジスタのＷ、インバータ８００２ｃが有するトランジスタのＷ＝イ
ンバータ８００３ｃが有するトランジスタのＷ、とすることが好ましい。
【０１２２】
図９９（Ａ）および図９９（Ｂ）に示すインバータとしては、入力された信号を反転し
て出力できるものであれば特に限定されない。例えば、図９９（Ｃ）に示すように、第１
のトランジスタ８２０１および第２のトランジスタ８２０２によって、インバータを構成
してもよい。さらに、第１の配線８２１１には信号が入力され、第２の配線８２１２から
は信号が出力され、第３の配線８２１３にはＶ１が供給され、第４の配線８２１４にはＶ
２が供給される。図９９（Ｃ）のインバータは、第１の配線８２１１にＨ信号を入力する
と、Ｖ１−Ｖ２を第１のトランジスタ８２０１と第２のトランジスタ８２０２で分割した
電位（第１のトランジスタ８２０１のＷ／Ｌ＜第２のトランジスタ８２０２のＷ／Ｌ）を
、第２の配線８２１２から出力する。さらに、図９９（Ｃ）のインバータは、第１の配線
８２１１にＬ信号を入力すると、Ｖ１−Ｖｔｈ８２０１（Ｖｔｈ８２０１：第１のトラン
ジスタ８２０１のしきい値電圧）を第２の配線８２１２から出力する。さらに、第１のト
ランジスタ８２０１は抵抗成分を有する素子であれば、ＰＮ接合ダイオードでもよいし、
単に抵抗素子でもよい。
【０１２３】
図９９（Ｄ）に示すように、第１のトランジスタ８３０１、第２のトランジスタ８３０
２、第３のトランジスタ８３０３および第４のトランジスタ８３０４によってインバータ
を構成してもよい。第１の配線８３１１には信号が入力され、第２の配線８３１２からは
信号が出力され、第３の配線８３１３および第５の配線８３１５にはＶ１が供給され、第
４の配線８３１４および第６の配線８３１６にはＶ２が供給される。図９９（Ｄ）のイン
バータは、第１の配線８３１１にＨ信号を入力すると、Ｖ２を第２の配線８３１２から出
力する。このとき、ノード８３４１は電位をＬレベルとするため、第１のトランジスタ８
３０１はオフする。さらに、図９９（Ｄ）のインバータは、第１の配線８３１１にＬ信号
を入力すると、Ｖ１を第２の配線８３１２から出力する。このとき、ノード８３４１の電
位が、Ｖ１−Ｖｔｈ８３０３（Ｖｔｈ８３０３：第３のトランジスタ８３０３のしきい値
電圧）となると、ノード８３４１が浮遊状態となる。その結果、ノード８３４１の電位が
、ブートストラップ動作によってＶ１＋Ｖｔｈ８３０１（Ｖｔｈ８３０１：第１のトラン
ジスタ８３０１のしきい値電圧）よりも高くなるので、第１のトランジスタ８３０１はオ
ンする。さらに、第１のトランジスタ８３０１は、ブートストラップ用トランジスタとし
て機能するため、第２の電極とゲート電極との間に容量素子が配置されてもよい。
【０１２４】
図３０（Ａ）に示すように、第１のトランジスタ８４０１、第２のトランジスタ８４０
２、第３のトランジスタ８４０３および第４のトランジスタ８４０４によってインバータ
を構成してもよい。図３０（Ａ）のインバータは、２入力型のインバータであり、ブート
ストラップ動作が可能である。第１の配線８４１１には信号が入力され、第２の配線８４
１２には反転信号が入力され、第３の配線８４１３からは信号が出力される。第４の配線
８４１４および第６の配線８４１６にはＶ１が供給され、第５の配線８４１５および第７
の配線８４１７にはＶ２が供給される。図３０（Ａ）のインバータは、第１の配線８４１
１にＬ信号、第２の配線８４１２にＨ信号を入力すると、Ｖ２を第３の配線８４１３から
出力する。このとき、ノード８４４１の電位はＶ２となるため、第１のトランジスタ８４
０１はオフする。さらに、図３０（Ａ）のインバータは、第１の配線８４１１にＨ信号、
第２の配線８４１２にＬ信号を入力すると、Ｖ１を第３の配線８４１３から出力する。こ
のとき、ノード８４４１の電位がＶ１−Ｖｔｈ８４０３（Ｖｔｈ８４０３：第３のトラン
ジスタ８４０３のしきい値電圧）となると、ノード８４４１が浮遊状態となる。その結果
、ノード８４４１の電位が、ブートストラップ動作によってＶ１＋Ｖｔｈ８４０１（Ｖｔ
ｈ８４０１：第１のトランジスタ８４０１のしきい値電圧）よりも高くなるので、第１の
トランジスタ８４０１はオンする。さらに、第１のトランジスタ８４０１は、ブートスト
ラップ用トランジスタとして機能するため、第２の電極とゲート電極の間に容量素子が配
置されてもよい。さらに、第１の配線８４１１および第２の配線８４１２のうち一方には
、図１（Ａ）に示す第３の配線１２３を接続し、他方には図１（Ａ）に示すノード１４２
を接続するとよい。
【０１２５】
図３０（Ｂ）に示すように、第１のトランジスタ８５０１、第２のトランジスタ８５０
２および第３のトランジスタ８５０３によって、インバータを構成してもよい。図３０（
Ｂ）のインバータは、２入力型のインバータであり、ブートストラップ動作が可能である
。第１の配線８５１１には信号が入力され、第２の配線８５１２には反転信号が入力され
、第３の配線８５１３からは信号が出力される。第４の配線８５１４および第６の配線８
５１６にはＶ１が供給され、第５の配線８５１５にはＶ２が供給される。図３０（Ｂ）の
インバータは、第１の配線８５１１にＬ信号、第２の配線８５１２にＨ信号を入力すると
、Ｖ２を第３の配線８５１３から出力する。このとき、ノード８５４１の電位はＶ２とな
るため、第１のトランジスタ８５０１はオフする。さらに、図３０（Ｂ）のインバータは
、第１の配線８５１１にＨ信号、第２の配線８５１２にＬ信号を入力すると、Ｖ１を第３
の配線８５１３から出力する。このとき、ノード８５４１の電位がＶ１−Ｖｔｈ８５０３
（Ｖｔｈ８５０３：第３のトランジスタ８５０３のしきい値電圧）となると、ノード８５
４１が浮遊状態となる。その結果、ノード８５４１の電位が、ブートストラップ動作によ
ってＶ１＋Ｖｔｈ８５０１（Ｖｔｈ８５０１：第１のトランジスタ８５０１のしきい値電
圧）よりも高くなるので、第１のトランジスタ８５０１はオンする。さらに、第１のトラ
ンジスタ８５０１は、ブートストラップ用トランジスタとして機能するため、第２の電極
とゲート電極との間に容量素子が配置されてもよい。さらに、第１の配線８５１１および
第２の配線８５１２のうち一方には、図１（Ａ）に示す第３の配線１２３を接続し、他方
には図１（Ａ）に示すノード１４２を接続するとよい。
【０１２６】
図３０（Ｃ）に示すように、第１のトランジスタ８６０１、第２のトランジスタ８６０
２、第３のトランジスタ８６０３および第４のトランジスタ８６０４によって、インバー
タを構成してもよい。図３０（Ｃ）のインバータは、２入力型のインバータであり、ブー
トストラップ動作が可能である。さらに、第１の配線８６１１には信号が入力され、第２
の配線８６１２には反転信号が入力され、第３の配線８６１３からは信号が出力される。
第４の配線８６１４にはＶ１が供給され、第５の配線８６１５および第６の配線８６１６
にはＶ２が供給される。図３０（Ｃ）のインバータは、第１の配線８６１１にＬ信号、第
２の配線８６１２にＨ信号を入力すると、Ｖ２を第３の配線８６１３から出力する。この
とき、ノード８６４１の電位はＶ２となるため、第１のトランジスタ８６０１はオフする
。さらに、図３０（Ｃ）のインバータは、第１の配線８６１１にＨ信号、第２の配線８６
１２にＬ信号を入力すると、Ｖ１を第３の配線８６１３から出力する。このとき、ノード
８６４１の電位がＶ１−Ｖｔｈ８６０３（Ｖｔｈ８６０３：第３のトランジスタ８６０３
のしきい値電圧）となると、ノード８６４１が浮遊状態となる。その結果、ノード８６４
１の電位が、ブートストラップ動作によってＶ１＋Ｖｔｈ８６０１（Ｖｔｈ８６０１：第
１のトランジスタ８６０１のしきい値電圧）よりも高くなるので、第１のトランジスタ８
６０１はオンする。第１のトランジスタ８６０１は、ブートストラップ用トランジスタと
して機能するため、第２の電極とゲート電極の間に容量素子が配置されてもよい。さらに
、第１の配線８６１１および第２の配線８６１２のうち一方には、図１（Ａ）に示す第３
の配線１２３を接続し、他方には図１（Ａ）に示すノード１４２を接続するとよい。
【０１２７】
図７において、フリップフロップ７０１＿ｉのスタート信号として、第７の配線７１７
＿ｉ−１から出力される信号を用い、リセット信号として、第７の配線７１７＿ｉ＋１か
ら出力される信号を用いる。フリップフロップ７０１＿１のスタート信号は、第１の配線
７１１から入力される。また、フリップフロップ７０１＿ｎのリセット信号は、第６の配
線７１６から入力される。ただし、フリップフロップ７０１＿ｎのリセット信号として、
第７の配線７１７＿１から出力される信号を用いてもよいし、第７の配線７１７＿２から
出力される信号を用いてもよい。あるいは、ダミーのフリップフロップを新たに配置して
、ダミーのフリップフロップの出力信号を用いてもよい。こうすることで、配線数および
信号数を減らすことができる。
【０１２８】
図９に示すように、例えば、フリップフロップ７０１＿ｉが選択期間となると、第７の
配線７１７＿ｉからＨ信号（選択信号）が出力される。このとき、フリップフロップ７０
１＿ｉ＋１は、セット期間となる。その後、フリップフロップ７０１＿ｉがリセット期間
となって、第７の配線７１７＿ｉからＬ信号が出力される。このとき、フリップフロップ
７０１＿ｉ＋１は、選択期間となる。その後、フリップフロップ７０１＿ｉが非選択期間
となって、第７の配線７１７＿ｉからＬ信号が出力されたままとなる。このとき、フリッ
プフロップ７０１＿ｉ＋１は、リセット期間となる。
【０１２９】
こうして、図７のシフトレジスタは、選択信号を第７の配線７１７＿１から順に第７の
配線７１７＿ｎまで出力できる。つまり、図７のシフトレジスタは、第７の配線７１７＿
１〜第７の配線７１７＿ｎを走査できる。
【０１３０】
本実施の形態のフリップフロップを適用したシフトレジスタは、高速動作が可能なので
、より高精細な表示装置、またはより大型の表示装置に適用できる。さらに、本実施の形
態のフリップフロップを適用したシフトレジスタは、工程の簡略化、製造コストの削減お
よび歩留まりの向上を図ることができる。
【０１３１】
続いて、上述した本実施の形態のシフトレジスタを有する表示装置の構造、および駆動
方法について説明する。ただし、本実施の形態の表示装置は、少なくとも本実施の形態の
フリップフロップを有していればよい。
【０１３２】
本実施の形態の表示装置の構成について、図１１を参照して説明する。図１１の表示装
置は、信号線駆動回路１１０１、走査線駆動回路１１０２および画素部１１０４を有する
。画素部１１０４は、信号線駆動回路１１０１から列方向に伸張して配置された複数の信
号線Ｓ１〜Ｓｍ、走査線駆動回路１１０２から行方向に伸張して配置された複数の走査線
Ｇ１〜Ｇｎ、および信号線Ｓ１〜Ｓｍならびに走査線Ｇ１〜Ｇｎに対応してマトリクス状
に配置された複数の画素１１０３を有する。そして、各画素１１０３は、信号線Ｓｊ（信
号線Ｓ１〜Ｓｍのうちいずれか一）、走査線Ｇｉ（走査線Ｇ１〜Ｇｎのうちいずれか一）
と接続される。
【０１３３】
走査線駆動回路１１０２として、本実施の形態のシフトレジスタを適用することができ
る。もちろん、信号線駆動回路１１０１にも本実施の形態のシフトレジスタを用いてもよ
い。
【０１３４】
走査線Ｇ１〜Ｇｎは、図７および図１０に示した第７の配線７１７＿１〜第７の配線７
１７＿ｎに接続される。
【０１３５】
信号線および走査線は、単に配線と呼んでもよい。さらに、信号線駆動回路１１０１お
よび走査線駆動回路１１０２を、それぞれを駆動回路と呼んでもよい。
【０１３６】
画素１１０３は、少なくとも１つのスイッチング素子、１つの容量素子および画素電極
を有している。ただし、画素１１０３は、複数のスイッチング素子または複数の容量素子
を有していてもよい。さらに、容量素子は、必ずしも必要ではない。画素１１０３は、飽
和領域で動作するトランジスタを有していてもよい。画素１１０３は、液晶素子またはＥ
Ｌ素子などの表示素子を有していてもよい。スイッチング素子としては、トランジスタお
よびＰＮ接合ダイオードを用いることができる。ただし、スイッチング素子としてトラン
ジスタを用いる場合は、トランジスタが線形領域で動作することが望ましい。さらに、走
査線駆動回路１１０２が、Ｎチャネル型のトランジスタのみで構成される場合は、スイッ
チング素子としてＮチャネル型トランジスタを用いることが望ましい。さらに、走査線駆
動回路１１０２が、Ｐチャネル型のトランジスタのみで構成される場合は、スイッチング
素子としてＰチャネル型トランジスタを用いることが望ましい。
【０１３７】
走査線駆動回路１１０２および画素部１１０４は、絶縁基板１１０５上に形成され、信
号線駆動回路１１０１は、絶縁基板１１０５上に形成されない。信号線駆動回路１１０１
は、単結晶基板上、ＳＯＩ基板上または絶縁基板１１０５とは別の絶縁基板上に形成され
ている。そして、信号線駆動回路１１０１は、ＦＰＣなどのプリント基板を介して、信号
線Ｓ１〜Ｓｍと接続される。ただし、信号線駆動回路１１０１は絶縁基板１１０５上に形
成されていてもよいし、信号線駆動回路１１０１の一部を構成する回路が絶縁基板１１０
５上に形成されてもよい。
【０１３８】
信号線駆動回路１１０１は、信号線Ｓ１〜Ｓｍにビデオ信号として電圧または電流を入
力する。ただし、ビデオ信号はデジタル信号でもよいし、アナログ信号でもよい。さらに
、ビデオ信号は、１フレームごとに正極と負極が反転してもよいし（フレーム反転駆動）
、１行ごとに正極と負極が反転してもよい（ゲートライン反転駆動）。あるいは、ビデオ
信号は、１列ごとに正極と負極が反転してもよいし（ソースライン反転駆動）、１行およ
び１列ごとに正極と負極が反転してもよい（ドット反転駆動）。さらに、ビデオ信号は、
信号線Ｓ１〜Ｓｍに点順次駆動で入力されてもよいし、線順次駆動で入力されてもよい。
さらに、信号線駆動回路１１０１は、ビデオ信号だけでなく、プリチャージ電圧などの一
定電圧を信号線Ｓ１〜Ｓｍに入力してもよい。プリチャージ電圧などの一定電圧は、１ゲ
ート選択期間ごと、１フレームごとに入力することが望ましい。
【０１３９】
走査線駆動回路１１０２は、走査線Ｇ１〜Ｇｎに信号を入力し、走査線Ｇ１〜Ｇｎを１
行目から順に選択（以下、走査するともいう）する。そして、走査線駆動回路１１０２は
、選択された走査線に接続される複数の画素１１０３を選択する。ここで、１つの走査線
が選択されている期間を１ゲート選択期間と呼び、当該走査線が選択されていない期間を
非選択期間と呼ぶ。さらに、走査線駆動回路１１０２が走査線に出力する信号を、走査信
号と呼ぶ。さらに、走査信号の最大値は、ビデオ信号の最大値または信号線の最大電圧よ
りも大きく、走査信号の最小値は、ビデオ信号の最小値または信号線の最小電圧よりも小
さいことを特徴とする。
【０１４０】
画素１１０３が選択されている場合には、信号線駆動回路１１０１から信号線を介して
、画素１１０３にビデオ信号が入力される。さらに、画素１１０３が選択されていない場
合には、画素１１０３は、選択期間に入力されたビデオ信号（ビデオ信号に対応した電位
）を保持している。
【０１４１】
図示はしないが、信号線駆動回路１１０１および走査線駆動回路１１０２には、複数の
電位および複数の信号が供給されている。
【０１４２】
次に、図１１に示した表示装置の動作について、図１２のタイミングチャートを参照し
て説明する。図１２において、１画面分の画像を表示する期間に相当する１フレーム期間
を示す。１フレーム期間は特に限定はしないが、画像を見る人がちらつき（フリッカ）を
感じないように、１／６０秒以下とすることが好ましい。
【０１４３】
図１２のタイミングチャートでは、１行目の走査線Ｇ１、ｉ行目の走査線Ｇｉ、ｉ＋１
行目の走査線Ｇｉ＋１およびｎ行目の走査線Ｇｎがそれぞれ選択されるタイミングを示し
ている。
【０１４４】
図１２において、例えばｉ行目の走査線Ｇｉが選択され、走査線Ｇｉに接続される複数
の画素１１０３が選択される。そして、走査線Ｇｉに接続される複数の画素１１０３は、
それぞれビデオ信号を入力され、ビデオ信号に応じた電位を保持する。その後、ｉ行目の
走査線Ｇｉが非選択になって、ｉ＋１行目の走査線Ｇｉ＋１が選択され、走査線Ｇｉ＋１
に接続される複数の画素１１０３が選択される。そして、走査線Ｇｉ＋１に接続される複
数の画素１１０３は、それぞれビデオ信号を入力され、ビデオ信号に応じた電位を保持す
る。このように、１フレーム期間において、走査線Ｇ１から走査線Ｇｎまで順に選択され
、各々の走査線に接続される画素１１０３も順に選択される。そして、各々の走査線に接
続される複数の画素１１０３は、それぞれビデオ信号を入力され、ビデオ信号に応じた電
位を保持する。
【０１４５】
本実施の形態のシフトレジスタを、走査線駆動回路１１０２として用いた表示装置は、
高速動作が可能となるので、より高精細、またはより大型化を図ることができる。さらに
、本実施の形態の表示装置は、工程の簡略化、製造コストの削減および歩留まりの向上を
図ることができる。
【０１４６】
図１１の表示装置は、高速動作が必要な信号線駆動回路１１０１と、走査線駆動回路１
１０２および画素部１１０４と、を別々の基板上に形成する。そのため、走査線駆動回路
１１０２が有するトランジスタの半導体層、および画素１１０３が有するトランジスタの
半導体層として、アモルファスシリコンを用いることができる。その結果、製造工程の簡
略化を図ることができ、製造コストの削減や歩留まりの向上を図ることができる。さらに
、本実施の形態の表示装置は、大型化を図ることができる。あるいは、トランジスタの半
導体層として、ポリシリコンや単結晶シリコンを用いても、製造工程の簡略化を図ること
ができる。
【０１４７】
信号線駆動回路１１０１と、走査線駆動回路１１０２および画素部１１０４と、を同一
基板上に形成する場合は、走査線駆動回路１１０２が有するトランジスタの半導体層、お
よび画素１１０３が有するトランジスタの半導体層として、ポリシリコンまたは単結晶シ
リコンを用いるとよい。
【０１４８】
図１１のように、画素を選択し、画素に独立してビデオ信号を書き込むことができれば
、各駆動回路の数や配置などは図１１に限定されない。
【０１４９】
例えば、図１３に示すように、走査線Ｇ１〜走査線Ｇｎが第１の走査線駆動回路１３０
２ａおよび第２の走査線駆動回路１３０２ｂによって走査されてもよい。第１の走査線駆
動回路１３０２ａおよび第２の駆動回路１３０２ｂは、図１１に示した走査線駆動回路１
１０２と同様の構成であり、同じタイミングで走査線Ｇ１〜走査線Ｇｎを走査する。さら
に、第１の走査線駆動回路１３０２ａおよび第２の駆動回路１３０２ｂを、それぞれ第１
の駆動回路、第２の駆動回路と呼んでもよい。
【０１５０】
図１３の表示装置は、第１の走査線駆動回路１３０２ａおよび第２の走査線駆動回路１
３０２ｂのうち一方に不良が生じても、走査線駆動回路１３０２ａおよび第２の走査線駆
動回路１３０２ｂのうち他方が走査線Ｇ１〜走査線Ｇｎを走査できるため、冗長性を持つ
ことができる。さらに、図１３の表示装置は、第１の走査線駆動回路１３０２ａの負荷（
走査線の配線抵抗および走査線の寄生容量）および第２の走査線駆動回路１３０２ｂの負
荷を図１１に比べ半分程度にできる。そのため、走査線Ｇ１〜走査線Ｇｎに入力される信
号（第１の走査線駆動回路１３０２ａおよび第２の駆動回路１３０２ｂの出力信号）の遅
延およびなまりを低減できる。さらに、図１３の表示装置は、第１の走査線駆動回路１３
０２ａの負荷および第２の走査線駆動回路１３０２ｂの負荷が低減されるので、走査線Ｇ
１〜走査線Ｇｎを高速に走査することができる。さらに、走査線Ｇ１〜走査線Ｇｎを高速
に走査することができるので、パネルの大型化またはパネルの高精細化を可能にできる。
なお、図１１の構成と共通するところは共通の符号を用いてその説明を省略する。
【０１５１】
別の例として、図１４は、画素にビデオ信号を高速に書き込むことができる表示装置で
ある。図１４の表示装置は、奇数行目の画素１１０３には奇数列目の信号線からビデオ信
号を入力し、偶数行目の画素１１０３には偶数列目の信号線からビデオ信号を入力する。
さらに、図１４の表示装置は、走査線Ｇ１〜走査線Ｇｎのうち奇数段目の走査線が、第１
の走査線駆動回路１４０２ａによって走査され、走査線Ｇ１〜走査線Ｇｎのうち偶数段目
の走査線が、第２の走査線駆動回路１４０２ｂによって走査される。さらに、第１の走査
線駆動回路１４０２ａに入力されるスタート信号は、第２の走査線駆動回路１４０２ｂに
入力されるスタート信号よりも、クロック信号の１／４周期分遅延して入力される。
【０１５２】
図１４の表示装置は、１フレーム期間において各信号線、１列ごとに正極のビデオ信号
と、負極のビデオ信号と、を入力するだけで、ドット反転駆動をすることができる。さら
に、図１４の表示装置は、１フレーム期間ごとに、各信号線に入力するビデオ信号の極性
を反転することで、フレーム反転駆動をすることができる。
【０１５３】
図１４の表示装置の動作について、図１５のタイミングチャートを参照して説明する。
図１５のタイミングチャートでは、１行目の走査線Ｇ１、ｉ−１行目の走査線Ｇｉ−１、
ｉ行目の走査線Ｇｉ、ｉ＋１行目の走査線Ｇｉ＋１およびｎ行目の走査線Ｇｎが、それぞ
れ選択されるタイミングを示している。さらに、図１５のタイミングチャートでは、１つ
の選択期間を選択期間ａと選択期間ｂに分割している。さらに、図１５のタイミングチャ
ートでは、図１４の表示装置が、ドット反転駆動およびフレーム反転駆動する場合につい
て説明する。
【０１５４】
図１５において、例えばｉ行目の走査線Ｇｉの選択期間ａは、ｉ−１行目の走査線Ｇｉ
−１の選択期間ｂと重なっている。また、ｉ行目の走査線Ｇｉの選択期間ｂは、ｉ＋１行
目の走査線Ｇｉ＋１の選択期間ａと重なっている。したがって、選択期間ａにおいて、ｉ
−１行ｊ＋１列目の画素１１０３に入力されるビデオ信号と同様のものが、ｉ行ｊ列目の
画素１１０３に入力される。さらに、選択期間ｂにおいて、ｉ行ｊ列目の画素１１０３に
入力されるビデオ信号と同様のものが、ｉ＋１行ｊ＋１列目の画素１１０３に入力される
。なお、選択期間ｂにおいて画素１１０３に入力されるビデオ信号が、本来のビデオ信号
であり、選択期間ａにおいて画素１１０３に入力されるビデオ信号が、画素１１０３のプ
リチャージ用のビデオ信号である。したがって、画素１１０３それぞれは、選択期間ａに
おいてｉ−１行ｊ＋１列目の画素１１０３に入力されるビデオ信号によってプリチャージ
したあとに、選択期間ｂにおいて本来（ｉ行ｊ列目）のビデオ信号を入力する。
【０１５５】
以上のことから、図１４の表示装置は、画素１１０３に高速にビデオ信号を書き込むこ
とができるため、大型化、高精細化を容易に実現することができる。さらに、図１４の表
示装置は、１フレーム期間において信号線各々は同じ極性のビデオ信号が入力されるため
、各信号線の充放電が少なく、低消費電力化を実現できる。さらに、図１４の表示装置は
、ビデオ信号を入力するためのＩＣの負荷が大幅に低減されるため、ＩＣの発熱およびＩ
Ｃの消費電力などを低減することができる。さらに、図１４の表示装置は、第１の走査線
駆動回路１４０２ａおよび第２の走査線駆動回路１４０２ｂの駆動周波数を約半分にでき
るため、省電力化を図ることができる。
【０１５６】
本実施の形態の表示装置は、画素１１０３の構成および駆動方法によって、さまざまな
駆動方法を行うことができる。例えば、１フレーム期間において、走査線駆動回路は、走
査線を複数回走査してもよい。
【０１５７】
図１１、図１３および図１４の表示装置は、画素１１０３の構成によって別の配線など
を追加してもよい。例えば、一定の電位に保たれている電源線、容量線および新たな走査
線などを追加してもよい。新たに走査線を追加する場合には、本実施の形態のシフトレジ
スタを適用した走査線駆動回路を、新たに追加してもよい。別の例として、ダミーの走査
線、信号線、電源線または容量線が画素部に配置されていてもよい。
【０１５８】
本実施の形態において、さまざまな図を用いて述べてきたが、各々の図で述べた内容ま
たは内容の一部を、別の図で述べた内容または内容の一部にも適用、あるいは組み合わせ
ることができる。さらに、これまでに述べた図において、各々の部分に関して、別の部分
を組み合わせることにより、さらに多くの図を構成できる。
【０１５９】
本実施の形態の各々の図で述べた内容または内容の一部を、別の実施の形態の図で述べ
た内容または内容の一部にも適用、あるいは組み合わせることができる。さらに、本実施
の形態の図において、各々の部分に関して、別の実施の形態の部分を組み合わせることに
より、さらに多くの図を構成できる。
【０１６０】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用できる。あるいは、組み合
わせることができる。
【０１６１】
（実施の形態２）
本実施の形態では、実施の形態１とは別のフリップフロップ、当該フリップフロップを
有する駆動回路、および当該駆動回路を有する表示装置の構成ならびに駆動方法について
説明する。なお、実施の形態１と同様なものに関しては共通の符号を用いて示し、同一部
分または同様な機能を有する部分の詳細な説明は省略する。
【０１６２】
本実施の形態のフリップフロップの構成は、実施の形態１と同様のフリップフロップの
構成を用いることができる。よって、本実施の形態では、フリップフロップの構成の説明
を省略する。ただし、フリップフロップを駆動するタイミングが実施の形態１とは異なる
。
【０１６３】
本実施の形態の駆動タイミングを、図１（Ａ）に適用した場合について説明するが、本
実施の形態の駆動タイミングを図１（Ｂ）、図１（Ｃ）、図４（Ａ）、図４（Ｂ）、図４
（Ｃ）、図５（Ａ）および図５（Ｂ）のフリップフロップと自由に組み合わせて実施する
こともできる。さらに、本実施の形態の駆動タイミングは、実施の形態１に記載の駆動タ
イミングと、自由に組み合わせて実施することもできる。
【０１６４】
本実施の形態のフリップフロップの動作について、図１（Ａ）のフリップフロップおよ
び図１６のタイミングチャートを参照して説明する。さらに、図１６のタイミングチャー
トを、セット期間、選択期間、リセット期間、非選択期間に分割して説明する。ただし、
セット期間は、第１のセット期間および第２のセット期間に分割され、選択期間は第１の
選択期間および第２の選択期間に分割される。
【０１６５】
第１の配線１２１、第５の配線１２５および第２の配線１２２には、それぞれ図１６に
示す信号１６２１、信号１６２５および信号１６２２が入力される。そして、第３の配線
１２３からは、図１６に示す信号１６２３が出力される。ここで、信号１６２１、信号１
６２５、信号１６２２および信号１６２３は、それぞれ図２に示した信号２２１、信号２
２５、信号２２２および信号２２３に相当する。さらに、信号１６２１、信号１６２５、
信号１６２２および信号１６２３を、それぞれスタート信号、クロック信号、リセット信
号および出力信号と呼んでもよい。
【０１６６】
本実施の形態のフリップフロップは、基本的には実施の形態１で説明したフリップフロ
ップと同様に動作する。ただし、本実施の形態のフリップフロップは、第１の配線１２１
にＨ信号が入力されるタイミングが、クロック信号の１／４周期分遅延しているところが
、実施の形態１のフリップフロップと異なる。
【０１６７】
本実施の形態のフリップフロップは、図１６に示す第１のセット期間（Ａ１）、第２の
セット期間（Ａ２）、リセット期間（Ｃ）および非選択期間（Ｄ）において、それぞれ図
２に示した非選択期間（Ｄ）、セット期間（Ａ）、リセット期間（Ｃ）および非選択期間
（Ｄ）と同様の動作をするので説明を省略する。
【０１６８】
図１７に示すように、本実施の形態のフリップフロップは、第２の配線１２２にＨ信号
を入力するタイミングを、クロック信号の１／４周期分遅延させることで、出力信号の立
ち下がり時間を大幅に短くすることができる。つまり、図１７を適用した本実施の形態の
フリップフロップは、図１７に示す第１のリセット期間において、第５の配線１２５にＬ
信号が入力され、ノード１４１の電位がおおむねＶ１＋Ｖｔｈ１０１まで下がる。したが
って、第１のトランジスタ１０１はオンのままであり、Ｌ信号が第３の配線１２３から出
力される。第３の配線１２３には、Ｗ／Ｌの値が大きい第１のトランジスタ１０１を介し
て、Ｌ信号が入力される。そのため、第３の配線１２３の電位が、ＨレベルからＬレベル
になるまでの時間を大幅に短くできる。その後、図１７を適用した本実施の形態のフリッ
プフロップは、図１７（Ｃ２）に示す第２のリセット期間において、第７のトランジスタ
１０７がオンして、ノード１４１の電位がＶ２となる。このときのノード１４２の電位（
電位１６４２）は、Ｖ１−Ｖｔｈ１０３となって、第３のトランジスタ１０３がオンする
ため、Ｌ信号が第３の配線１２３から出力される。
【０１６９】
本実施の形態のフリップフロップは、実施の形態１に示したフリップフロップと同様の
効果を得ることができる。
【０１７０】
続いて、上述した本実施の形態のフリップフロップを有するシフトレジスタの構成およ
び駆動方法について説明する。
【０１７１】
本実施の形態のシフトレジスタの構成について、図１８を参照して説明する。図１８の
シフトレジスタは、ｎ個のフリップフロップ（フリップフロップ１８０１＿１〜フリップ
フロップ１８０１＿ｎ）を有する。
【０１７２】
図１８のシフトレジスタの接続関係について説明する。図１８のシフトレジスタにおい
て、ｉ段目のフリップフロップ１８０１＿ｉ（フリップフロップ１８０１＿１〜フリップ
フロップ１８０１＿ｎのうちいずれか一）では、図１（Ａ）に示した第１の配線１２１が
、第１０の配線１８２０＿ｉ−１に接続される。図１（Ａ）に示した第２の配線１２２が
、第１０の配線１８２０＿ｉ＋２に接続される。図１（Ａ）に示した第３の配線１２３が
、第１０の配線１８２０＿ｉに接続される。図１（Ａ）に示した第４の配線１２４、第８
の配線１２８、第９の配線１２９、第１０の配線１３０および第１１の配線１３１が、第
７の配線１８１７に接続される。図１（Ａ）に示した第５の配線１２５が、４Ｎ−３（Ｎ
は１以上の自然数）段目のフリップフロップでは第２の配線１８１２に接続され、４Ｎ−
２段目のフリップフロップでは第３の配線１８１３に接続され、４Ｎ−１段目のフリップ
フロップでは第４の配線１８１４に接続され、４Ｎ段目のフリップフロップでは第５の配
線１８１５に接続される。図１（Ａ）に示す第６の配線１２６および第７の配線１２７が
、第６の配線１８１６に接続される。ただし、１段目のフリップフロップ１８０１＿１に
おいて、図１（Ａ）に示す第１の配線１２１が、第１の配線１８１１に接続される。ｎ−
１段目のフリップフロップ１８０１＿ｎ−１において、図１（Ａ）に示す第２の配線１２
２が、第９の配線１８１９に接続される。ｎ段目のフリップフロップ１８０１＿ｎにおい
て、図１（Ａ）に示す第２の配線１２２が、第８の配線１８１８に接続される。
【０１７３】
本実施の形態のフリップフロップに、図１７のタイミングチャートを適用した場合は、
ｉ段目のフリップフロップ１８０１＿ｉにおいて、図１に示す第２の配線１２２は、第１
０の配線１８２０＿ｉ＋３と接続される。したがって、ｎ−３段目のフリップフロップ１
８０１＿ｎ−３において、図１（Ａ）に示す第２の配線１２２には、新たに追加した配線
が接続される。
【０１７４】
第１の配線１８１１、第２の配線１８１２、第３の配線１８１３、第４の配線１８１４
、第５の配線１８１５、第８の配線１８１８および第９の配線１８１９を、それぞれ第１
の信号線、第２の信号線、第３の信号線、第４の信号線、第５の信号線、第６の信号線お
よび第７の配線と呼んでもよい。さらに、第６の配線１８１６および第７の配線１８１７
を、それぞれ第１の電源線および第２の電源線と呼んでもよい。
【０１７５】
次に、図１８に示したシフトレジスタの動作について、図１９のタイミングチャートお
よび図２０のタイミングチャートを参照して説明する。ここで、図１９のタイミングチャ
ートは、走査期間と帰線期間とに分割されている。
【０１７６】
第６の配線１８１６には、Ｖ１の電位が供給される。また、第７の配線１８１７には、
Ｖ２の電位が供給される。
【０１７７】
第１の配線１８１１、第２の配線１８１２、第３の配線１８１３、第４の配線１８１４
、第５の配線１８１５、第８の配線１８１８および第９の配線１８１９には、それぞれ図
１９に示す信号１９１１、信号１９１２、信号１９１３、信号１９１４、信号１９１５、
信号１９１８および信号１９１９が入力される。ここで、信号１９１１、信号１９１２、
信号１９１３、信号１９１４、信号１９１５、信号１９１８および信号１９１９は、Ｈ信
号の電位がＶ１、Ｌ信号の電位がＶ２のデジタル信号である。さらに、信号１９１１、信
号１９１２、信号１９１３、信号１９１４、信号１９１５、信号１９１８および信号１９
１９を、それぞれスタート信号、第１のクロック信号、第２のクロック信号、第３のクロ
ック信号、第４のクロック信号、第１のリセット信号および第２のリセット信号と呼んで
もよい。
【０１７８】
ただし、第１の配線１８１１〜第９の配線１８１９には、それぞれさまざまな信号、電
位および電流が入力されてもよい。
【０１７９】
第１０の配線１８２０＿１〜１８２０＿ｎからは、それぞれＨ信号の電位がＶ１、Ｌ信
号の電位がＶ２のデジタル信号１９２０＿１〜１９２０＿ｎが出力される。さらに、実施
の形態１と同様に、第１０の配線１８２０＿１〜１８２０＿ｎにそれぞれバッファ接続す
ることで、動作させやすくできる。
【０１８０】
フリップフロップ１８０１＿ｉのスタート信号として、第１０の配線１８２０＿ｉ−１
から出力される信号を用い、リセット信号として、第１０の配線１８２０＿ｉ＋２から出
力される信号を用いる。ここで、フリップフロップ１８０１＿１のスタート信号は、第１
の配線１８１１から入力される。フリップフロップ１８０１＿ｎ−１の第２のリセット信
号は、第９の配線１８１９から入力される。フリップフロップ１８０１＿ｎの第１のリセ
ット信号は、第８の配線１８１８から入力される。ただし、フリップフロップ１８０１＿
ｎ−１の第２のリセット信号として、第１０の配線１８２０＿１から出力される信号を用
い、フリップフロップ１８０１＿ｎの第１のリセット信号として、第１０の配線１８２０
＿２から出力される信号を用いてもよい。あるいは、フリップフロップ１８０１＿ｎ−１
の第２のリセット信号として、第１０の配線１８２０＿２から出力される信号を用い、フ
リップフロップ１８０１＿ｎの第１のリセット信号として、第１０の配線１８２０＿３か
ら出力される信号を用いてもよい。あるいは、第１のダミーのフリップフロップおよび第
２のダミーのフリップフロップを新たに配置して、第１のダミーのフリップフロップの出
力信号および第２のダミーのフリップフロップの出力信号を、それぞれ第１のリセット信
号および第２のリセット信号として用いてもよい。こうすることで、配線数および信号数
を減らすことができる。
【０１８１】
図２０に示すように、例えば、フリップフロップ１８０１＿ｉが、第１の選択期間とな
ると、第１０の配線１８２０＿ｉからＨ信号（選択信号）が出力される。このとき、フリ
ップフロップ１８０１＿ｉ＋１は、第２のセット期間となる。その後、フリップフロップ
１８０１＿ｉが、第２の選択期間となっても、第１０の配線１８２０＿ｉからは、Ｈ信号
が出力されたままである。このとき、フリップフロップ１８０１＿ｉ＋１は、第１の選択
期間となる。その後、フリップフロップ１８０１＿ｉが、リセット期間となると、第１０
の配線１８２０＿ｉからＬ信号が出力される。このとき、フリップフロップ１８０１＿ｉ
＋１は、第２の選択期間となる。その後、フリップフロップ１８０１＿ｉが、非選択期間
となっても、第１０の配線１８２０＿ｉからは、Ｌ信号が出力されたままである。このと
き、フリップフロップ１８０１＿ｉ＋１は、リセット期間となる。
【０１８２】
こうして、図１８のシフトレジスタは、選択信号を、第１０の配線１８２０＿１から順
に第１０の配線１８２０＿ｎまで出力できる。さらに、図１８のシフトレジスタは、フリ
ップフロップ１８０１＿ｉの第２の選択期間と、フリップフリップ１８０１＿ｉ＋１の第
１の選択期間とが同一の期間となるため、同じ期間に第１０の配線１８２０＿ｉと第１０
の配線１８２０＿ｉ＋１から選択信号を出力できる。
【０１８３】
本実施の形態のフリップフロップを適用したシフトレジスタは、高精細な表示装置また
は大型表示装置に適用できる。さらに、本実施の形態のシフトレジスタは、実施の形態１
に示したシフトレジスタと同様の効果を得ることができる。
【０１８４】
続いて、上述した本実施の形態のシフトレジスタを有する表示装置の構成および駆動方
法について説明する。ただし、本実施の形態の表示装置は、少なくとも本実施の形態のフ
リップフロップを有していればよい。
【０１８５】
本実施の形態の表示装置の構成について、図２１を参照して説明する。図２１の表示装
置は、走査線Ｇ１〜走査線Ｇｎが、走査線駆動回路２１０２によって走査される。さらに
、図２１の表示装置は、奇数行目の画素１１０３には、奇数行目の信号線からビデオ信号
を入力し、偶数行目の画素１１０３には、偶数行目の信号線からビデオ信号を入力する。
なお、図１１の構成と共通するところは、共通の符号を用いてその説明を省略する。
【０１８６】
図２１の表示装置は、走査線駆動回路２１０２に、本実施の形態のシフトレジスタを適
用することによって、１つの走査線駆動回路によって、図１４の表示装置と同様の動作が
できる。その結果、図１４の表示装置と同様の効果を得ることができる。
【０１８７】
図１３と同様に、走査線Ｇ１〜走査線Ｇｎが、第１の走査線駆動回路２２０２ａおよび
第２の走査線駆動回路２２０２ｂによって走査されてもよい。その結果、図１３の表示装
置と同様の効果を得ることができる。その場合の構成を図２２に示す。
【０１８８】
本実施の形態において、さまざまな図を用いて述べてきたが、各々の図で述べた内容ま
たは内容の一部を、別の図で述べた内容または内容の一部にも適用、あるいは組み合わせ
ることができる。さらに、これまでに述べた図において、各々の部分に関して、別の部分
を組み合わせることにより、さらに多くの図を構成できる。
【０１８９】
本実施の形態の各々の図で述べた内容または内容の一部を、別の実施の形態の図で述べ
た内容または内容の一部にも適用、あるいは、組み合わせることができる。さらに、本実
施の形態の図において、各々の部分に関して、別の実施の形態の部分を組み合わせること
により、さらに多くの図を構成できる。
【０１９０】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０１９１】
（実施の形態３）
本実施の形態では、実施の形態１および実施の形態２とは別のフリップフロップ、当該
フリップフロップを有する駆動回路、および当該駆動回路を有する表示装置の構成ならび
に駆動方法について説明する。本実施の形態のフリップフロップは、フリップフロップの
出力信号と、フリップフロップの転送信号と、を別々のトランジスタによって別々の配線
から出力することを特徴とする。なお、実施の形態１および実施の形態２と同様なものに
関しては共通の符号を用いて示し、同一部分または同様な機能を有する部分の詳細な説明
は省略する。
【０１９２】
本実施の形態のフリップフロップの基本構成について、図２３を参照して説明する。図
２３に示すフリップフロップは、図１（Ａ）のフリップフロップに、第９のトランジスタ
１０９および第１０のトランジスタ１１０を追加したものと同様である。
【０１９３】
図２３のフリップフロップの接続関係について説明する。第９のトランジスタ１０９の
第１の電極が、第１３の配線１３３に接続され、第９のトランジスタ１０９の第２の電極
が、第１２の配線１３２に接続され、第９のトランジスタ１０９のゲート電極が、ノード
１４１に接続されている。第１０のトランジスタ１１０の第１の電極が、第１４の配線１
３４に接続され、第１０のトランジスタ１１０の第２の電極が、第１２の配線１３２に接
続され、第１０のトランジスタ１１０のゲート電極がノード１４２に接続されている。そ
の他の接続関係は、図１（Ａ）と同様である。
【０１９４】
第１３の配線１３３および第１４の配線１３４を、それぞれ第５の信号線および第８の
電源線と呼んでもよい。
【０１９５】
次に、図２３に示したフリップフロップの動作について、図２４のタイミングチャート
を参照して説明する。ここで、図２４のタイミングチャートを、セット期間、選択期間、
リセット期間および非選択期間に分割して説明する。ただし、セット期間、リセット期間
および非選択期間を合わせて非選択期間と呼ぶこともある。
【０１９６】
第３の配線１２３および第１２の配線１３２からは、それぞれ信号２２３、信号２３２
が出力される。信号２３２はフリップフロップの出力信号であり、信号２２３はフリップ
フロップの転送信号である。ただし、信号２２３をフリップフロップの出力信号、信号２
３２をフリップフロップの転送信号としてもよい。
【０１９７】
信号２３２をフリップフロップの出力信号、信号２２３をフリップフロップの転送信号
として用いる場合は、第９のトランジスタ１０９のＷ／Ｌの値を、第１のトランジスタ１
０１〜第１０のトランジスタ１１０のＷ／Ｌの中で最大とするとよい。また、信号２２３
をフリップフロップの出力信号、信号２３２をフリップフロップの転送信号として用いる
場合は、第１のトランジスタ１０１のＷ／Ｌの値を、第１のトランジスタ１０１〜第１０
のトランジスタ１１０のＷ／Ｌの中で最大とするとよい。
【０１９８】
本実施の形態では、すでに述べたように、フリップフロップの出力信号と、フリップフ
ロップの転送信号と、を別々のトランジスタによって別々の配線から出力することを特徴
とする。つまり、図２３のフリップフロップは、第１のトランジスタ１０１および第２の
トランジスタ１０２によって、第３の配線１２３から信号を出力する。また、第９のトラ
ンジスタ１０９および第１０のトランジスタ１１０によって、第１２の配線１３２から信
号を出力する。さらに、第９のトランジスタ１０９および第１０のトランジスタ１１０は
、第１のトランジスタ１０１および第２のトランジスタ１０２と同じように接続されるた
め、図２４に示すように、第１２の配線１３２から出力される信号（信号２３２）は、第
３の配線１２３から出力される信号（信号２２３）とおおむね同じ波形である。
【０１９９】
第１のトランジスタ１０１は、次の段の第５のトランジスタ１０５のゲート電極、およ
び第８のトランジスタ１０８のゲート電極に電荷を供給できればよいので、第１のトラン
ジスタ１０１のＷ／Ｌの値は、第５のトランジスタ１０５のＷ／Ｌの値の２倍以下とする
ことが好ましい。より好ましくは第５のトランジスタ１０５のＷ／Ｌの値以下とするとよ
い。
【０２００】
第９のトランジスタ１０９および第１０のトランジスタ１１０は、それぞれ第１のトラ
ンジスタ１０１および第２のトランジスタ１０２と同様の機能を有する。さらに、第９の
トランジスタ１０９および第１０のトランジスタ１１０をバッファ部と呼んでもよい。
【０２０１】
以上のことから、図２３のフリップフロップは、第１２の配線１３２に大きな負荷が接
続され、信号２３２に遅延、なまりなどが生じても、誤動作を防止することができる。な
ぜなら、図２３のフリップフロップは、フリップフロップの出力信号と、フリップフロッ
プの転送信号と、を別々のトランジスタによって別々の配線から出力することによって、
出力信号の遅延、なまりなどの影響を受けないからである。
【０２０２】
図２３のフリップフロップは、実施の形態１および実施の形態２で説明したフリップフ
ロップと同様の効果を得ることができる。
【０２０３】
本実施の形態のフリップフロップは、図１（Ｂ）、図１（Ｃ）、図４（Ａ）、図４（Ｂ
）、図４（Ｃ）、図５（Ａ）および図５（Ｂ）と自由に組み合わせて実施することができ
る。さらに、本実施の形態のフリップフロップは、実施の形態１に記載の駆動タイミング
および実施の形態２に記載の駆動タイミングと、自由に組み合わせて実施することができ
る。
【０２０４】
続いて、上述した本実施の形態のフリップフロップを有するシフトレジスタの構成およ
び駆動方法について説明する。
【０２０５】
本実施の形態のシフトレジスタの構成について、図２５を参照して説明する。図２５の
シフトレジスタは、ｎ個のフリップフロップ（フリップフロップ２５０１＿１〜フリップ
フロップ２５０１＿ｎ）を有する。
【０２０６】
フリップフロップ２５０１＿１〜フリップフロップ２５０１＿ｎ、第１の配線２５１１
、第２の配線２５１２、第３の配線２５１３、第４の配線２５１４、第５の配線２５１５
および第６の配線２５１６は、図７のフリップフロップ７０１＿１〜フリップフロップ７
０１＿ｎ、第１の配線７１１、第２の配線７１２、第３の配線７１３、第４の配線７１４
、第５の配線７１５および第６の配線７１６に相当し、同様の信号または同様の電源電圧
が入力される。そして、第７の配線２５１７＿１〜第７の配線２５１７＿ｎと第８の配線
２５１８＿１〜第８の配線２５１８＿ｎは、図７の第７の配線７１７＿１〜第７の配線７
１７＿ｎに相当する。
【０２０７】
次に、図２５に示したシフトレジスタの動作について、図２６のタイミングチャートを
参照して説明する。
【０２０８】
図２５に示すシフトレジスタの動作は、図７に示したシフトレジスタの動作と比較して
、出力信号と、転送信号とを、別々の配線に出力するところが異なる。具体的には、出力
信号は、第８の配線２５１８＿１〜第８の配線２５１８＿ｎそれぞれに出力され、転送信
号は、第７の配線２５１７＿１〜第７の配線２５１７＿ｎそれぞれに出力される。
【０２０９】
図２５のシフトレジスタは、第８の配線２５１８＿１〜第８の配線２５１８＿ｎに大き
な負荷（抵抗および容量など）が接続されても、負荷の影響を受けずに動作することがで
きる。さらに、図２５のシフトレジスタは、第８の配線２５１８＿１〜第８の配線２５１
８＿ｎのいずれかが、電源線または信号線とショートしても、正常動作を続けることがで
きる。したがって、図２５のシフトレジスタは、動作効率の向上、信頼性の向上および歩
留まりの向上を図ることができる。なぜなら、図２５のシフトレジスタは、各フリップフ
ロップの転送信号と、各フリップフロップの出力信号と、を分割しているからである。
【０２１０】
本実施の形態のフリップフロップを適用したシフトレジスタは、実施の形態１および実
施の形態２で説明したシフトレジスタと同様の効果を得ることができる。
【０２１１】
本実施の形態のシフトレジスタは、図７および図１０のシフトレジスタと自由に組み合
わせて実施することができる。さらに、本実施の形態のシフトレジスタは、実施の形態１
および実施の形態２の記載と自由に組み合わせて実施することができる。
【０２１２】
本実施の形態の表示装置として、図１１、図１３、図１４、図２１および図２２の表示
装置を用いることができる。したがって、本実施の形態の表示装置は、実施の形態１およ
び実施の形態２で説明した表示装置と同様の効果を得ることができる。
【０２１３】
本実施の形態において、さまざまな図を用いて述べてきたが、各々の図で述べた内容ま
たは内容の一部を、別の図で述べた内容または内容の一部にも適用、あるいは、組み合わ
せることができる。さらに、これまでに述べた図において、各々の部分に関して、別の部
分を組み合わせることにより、さらに多くの図を構成できる。
【０２１４】
本実施の形態の各々の図で述べた内容または内容の一部を、別の実施の形態の図で述べ
た内容または内容の一部にも適用、あるいは、組み合わせることができる。さらに、本実
施の形態の図において、各々の部分に関して、別の実施の形態の部分を組み合わせること
により、さらに多くの図を構成できる。
【０２１５】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０２１６】
（実施の形態４）
本実施の形態では、本明細書のフリップフロップが有するトランジスタに、Ｐチャネル
型トランジスタを適用した場合について説明する。さらに、当該フリップフロップを有す
る駆動回路、および当該駆動回路を有する表示装置の構成ならびに駆動方法について説明
する。
【０２１７】
本実施の形態のフリップフロップは、図１（Ａ）のフリップフロップが有するトランジ
スタの極性を、Ｐチャネル型とした場合について説明する。したがって、図２７のフリッ
プフロップは、図１のフリップフロップと同様の効果を得ることができる。なお、図１（
Ｂ）、図１（Ｃ）、図４（Ａ）、図４（Ｂ）、図４（Ｃ）、図５（Ａ）、図５（Ｂ）およ
び図２３に示したフリップフロップが有するトランジスタの極性を、Ｐチャネル型とする
こともできる。なお、本実施の形態のフリップフロップは、実施の形態１乃至実施の形態
３の記載と自由に組み合わせて実施することもできる。
【０２１８】
本実施の形態のフリップフロップの基本構成について、図２７を参照して説明する。図
２７に示すフリップフロップは、第１のトランジスタ２７０１〜第８のトランジスタ２７
０８を有する。そして、第１のトランジスタ２７０１〜第８のトランジスタ２７０８は、
図１（Ａ）の第１のトランジスタ１０１〜第８のトランジスタ１０８にそれぞれ対応する
。ただし、第１のトランジスタ２７０１〜第８のトランジスタ２７０８は、Ｐチャネル型
トランジスタとし、ゲート・ソース間電圧の絶対値（｜Ｖｇｓ｜）が、しきい値電圧の絶
対値（｜Ｖｔｈ｜）を上回ったとき（ＶｇｓがＶｔｈを下回ったとき）、導通状態になる
ものとする。
【０２１９】
本実施の形態のフリップフロップは、第１のトランジスタ２７０１〜第８のトランジス
タ２７０８が、全てＰチャネル型トランジスタで構成されていることを特徴とする。した
がって、本実施の形態のフリップフロップは、製造工程の簡略化、製造コストの削減およ
び歩留まりの向上を図ることができる。
【０２２０】
図２７のフリップフロップの接続関係は、図１（Ａ）と同様なので省略する。
【０２２１】
図２７の第１の配線２７２１〜第１１の配線２７３１は、図１の第１の配線１２１〜第
１１の配線１３１にそれぞれ相当する。
【０２２２】
次に、図２７に示したフリップフロップの動作について、図２８のタイミングチャート
を参照して説明する。ここで、図２８のタイミングチャートをセット期間、選択期間、リ
セット期間および非選択期間に分割して説明する。ただし、セット期間、リセット期間お
よび非選択期間を合わせて非選択期間と呼ぶこともある。
【０２２３】
図２８のタイミングチャートは、図２のタイミングチャートのＨレベルとＬレベルを反
転したものと、同様である。つまり、図２７のフリップフロップは、図１（Ａ）のフリッ
プフロップと比較して、入力信号および出力信号のＨレベルとＬレベルとが反転しただけ
である。なお、信号２８２１、信号２８２５、信号２８４１、信号２８４２、信号２８２
２および信号２８２３は、図２の信号２２１、信号２２５、信号２４１、信号２４２、信
号２２２および信号２２３にそれぞれ相当する。
【０２２４】
なお、図２７のフリップフロップに供給されている電源電圧は、図１（Ａ）のフリップ
フロップと比較して、Ｖ１とＶ２とが反転している。
【０２２５】
まず、図２８の（Ａ）に示すセット期間における、フリップフロップの動作を説明する
。ノード２７４１の電位２８４１がＶ２＋｜Ｖｔｈ２７０５｜となる。そして、ノード２
７４１は、電位をＶ２＋｜Ｖｔｈ２７０５｜に維持したまま浮遊状態となる。このとき、
ノード２７４２では、電位２８４２がＶ１−θ（θ：任意の正の数）となる。なお、第１
のトランジスタ２７０１および第２のトランジスタ２７０２がオンしているため、Ｈ信号
が第３の配線２７２３から出力される。
【０２２６】
図２８の（Ｂ）に示す選択期間における、フリップフロップの動作を説明する。ノード
２７４１の電位２８４１がブートストラップ動作によって、Ｖ２−｜Ｖｔｈ２７０１｜−
γ（Ｖｔｈ２７０１：第１のトランジスタ２７０１のしきい値電圧、γ：任意の正の数）
となる。よって、第１のトランジスタ２７０１がオンするので、Ｌ信号が第３の配線２７
２３から出力される。
【０２２７】
図２８の（Ｃ）に示すリセット期間における、フリップフロップの動作を説明する。第
７のトランジスタ２７０７がオンするため、ノード２７４１の電位２８４１は、Ｖ１とな
る。よって、第１のトランジスタ２７０１がオフする。このとき、ノード２７４２の電位
２８４２は、Ｖ２＋｜Ｖｔｈ２７０３｜となり、第２のトランジスタ２７０２がオンする
。よって、Ｈ信号が、第３の配線２７２３から出力される。
【０２２８】
図２８の（Ｄ）に示す非選択期間における、フリップフロップの動作を説明する。ノー
ド２７４１の電位２８４１はＶ１のままである。そして、ノード２７４２の電位２８４２
もＶ２＋｜Ｖｔｈ２７０３｜のままなので、第２のトランジスタ２７０２はオンのままで
ある。よって、Ｈ信号が、第３の配線２７２３から出力される。
【０２２９】
本実施の形態のシフトレジスタは、本実施の形態のフリップフロップを、実施の形態１
乃至実施の形態３に記載のシフトレジスタと、自由に組み合わせて実施することができる
。例えば、本実施の形態のシフトレジスタは、本実施の形態のフリップフロップを図７、
図１０および図２５のシフトレジスタと、自由に組み合わせて実施することができる。た
だし、本実施の形態のシフトレジスタは、実施の形態１乃至実施の形態３に記載のシフト
レジスタと比較して、ＨレベルとＬレベルが反転している。
【０２３０】
本実施の形態の表示装置は、本実施の形態のシフトレジスタを、実施の形態１乃至実施
の形態３に記載の表示装置と、自由に組み合わせて実施することができる。例えば、本実
施の形態の表示装置は、図１１、図１３、図１４、図２１および図２２の表示装置と、自
由に組み合わせて実施することができる。ただし、本実施の形態の表示装置は、実施の形
態１乃至実施の形態３に記載の表示装置と比較して、ＨレベルとＬレベルが反転している
。
【０２３１】
本実施の形態において、さまざまな図を用いて述べてきたが、各々の図で述べた内容ま
たは内容の一部を、別の図で述べた内容または内容の一部にも適用、あるいは、組み合わ
せることができる。さらに、これまでに述べた図において、各々の部分に関して、別の部
分を組み合わせることにより、さらに多くの図を構成できる。
【０２３２】
本実施の形態の各々の図で述べた内容、または内容の一部を、別の実施の形態の図で述
べた内容、または内容の一部にも適用、あるいは、組み合わせることができる。さらに、
本実施の形態の図において、各々の部分に関して、別の実施の形態の部分を組み合わせる
ことにより、さらに多くの図を構成できる。
【０２３３】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０２３４】
（実施の形態５）
本実施の形態では、実施の形態１乃至実施の形態４に示した表示装置が有する信号線駆
動回路について説明する。
【０２３５】
図３１の信号線駆動回路について説明する。図３１に示す信号線駆動回路は、ドライバ
ＩＣ５６０１、スイッチ群５６０２＿１〜５６０２＿Ｍ、第１の配線５６１１、第２の配
線５６１２、第３の配線５６１３および配線５６２１＿１〜５６２１＿Ｍを有する。スイ
ッチ群５６０２＿１〜５６０２＿Ｍそれぞれは、第１のスイッチ５６０３ａ、第２のスイ
ッチ５６０３ｂおよび第３のスイッチ５６０３ｃを有する。
【０２３６】
ドライバＩＣ５６０１は、第１の配線５６１１、第２の配線５６１２、第３の配線５６
１３および配線５６２１＿１〜５６２１＿Ｍに接続される。そして、スイッチ群５６０２
＿１〜５６０２＿Ｍそれぞれは、第１の配線５６１１、第２の配線５６１２、第３の配線
５６１３およびスイッチ群５６０２＿１〜５６０２＿Ｍそれぞれに対応した配線５６２１
＿１〜５６２１＿Ｍのうちいずれかに接続される。そして、配線５６２１＿１〜５６２１
＿Ｍそれぞれは、第１のスイッチ５６０３ａ、第２のスイッチ５６０３ｂおよび第３のス
イッチ５６０３ｃを介して、３つの信号線に接続される。例えば、Ｊ列目の配線５６２１
＿Ｊ（配線５６２１＿１〜配線５６２１＿Ｍのうちいずれか一）は、スイッチ群５６０２
＿Ｊが有する第１のスイッチ５６０３ａ、第２のスイッチ５６０３ｂおよび第３のスイッ
チ５６０３ｃを介して、信号線Ｓｊ−１、信号線Ｓｊおよび信号線Ｓｊ＋１に接続される
。
【０２３７】
第１の配線５６１１、第２の配線５６１２および第３の配線５６１３には、それぞれ信
号が入力される。
【０２３８】
ドライバＩＣ５６０１は、単結晶基板もしくは多結晶半導体を用いたガラス基板上に形
成されていることが望ましい。さらに、スイッチ群５６０２＿１〜５６０２＿Ｍは、実施
の形態１および実施の形態２に示した画素部と、同一基板上に形成されていることが望ま
しい。したがって、ドライバＩＣ５６０１とスイッチ群５６０２＿１〜５６０２＿Ｍとは
ＦＰＣなどを介して接続するとよい。
【０２３９】
次に、図３１に示した信号線駆動回路の動作について、図３２のタイミングチャートを
参照して説明する。なお、図３２のタイミングチャートは、ｉ行目の走査線Ｇｉが選択さ
れている場合のタイミングチャートを示している。さらに、ｉ行目の走査線Ｇｉの選択期
間は、第１のサブ選択期間Ｔ１、第２のサブ選択期間Ｔ２および第３のサブ選択期間Ｔ３
に分割されている。さらに、図３１の信号線駆動回路は、他の行の走査線が選択されてい
る場合でも、図３２と同様の動作をする。
【０２４０】
図３２のタイミングチャートは、Ｊ列目の配線５６２１＿Ｊが、第１のスイッチ５６０
３ａ、第２のスイッチ５６０３ｂおよび第３のスイッチ５６０３ｃを介して、信号線Ｓｊ
−１、信号線Ｓｊおよび信号線Ｓｊ＋１に接続される場合について示している。
【０２４１】
図３２のタイミングチャートは、ｉ行目の走査線Ｇｉが選択されるタイミング、第１の
スイッチ５６０３ａのオン・オフのタイミング５７０３ａ、第２のスイッチ５６０３ｂの
オン・オフのタイミング５７０３ｂ、第３のスイッチ５６０３ｃのオン・オフのタイミン
グ５７０３ｃおよびＪ列目の配線５６２１＿Ｊに入力される信号５７２１＿Ｊを示してい
る。
【０２４２】
配線５６２１＿１〜配線５６２１＿Ｍには、第１のサブ選択期間Ｔ１、第２のサブ選択
期間Ｔ２および第３のサブ選択期間Ｔ３において、それぞれ別のビデオ信号が入力される
。例えば、第１のサブ選択期間Ｔ１において、配線５６２１＿Ｊに入力されるビデオ信号
は、信号線Ｓｊ−１に入力される。第２のサブ選択期間Ｔ２において、配線５６２１＿Ｊ
に入力されるビデオ信号は、信号線Ｓｊに入力される。第３のサブ選択期間Ｔ３において
、配線５６２１＿Ｊに入力されるビデオ信号は、信号線Ｓｊ＋１に入力される。さらに、
第１のサブ選択期間Ｔ１、第２のサブ選択期間Ｔ２および第３のサブ選択期間Ｔ３におい
て、配線５６２１＿Ｊに入力されるビデオ信号を、それぞれＤａｔａｊ−１、Ｄａｔａｊ
およびＤａｔａｊ＋１とする。
【０２４３】
図３２に示すように、第１のサブ選択期間Ｔ１において、第１のスイッチ５６０３ａが
オンし、第２のスイッチ５６０３ｂおよび第３のスイッチ５６０３ｃがオフする。このと
き、配線５６２１＿Ｊに入力されるＤａｔａｊ−１が、第１のスイッチ５６０３ａを介し
て信号線Ｓｊ−１に入力される。第２のサブ選択期間Ｔ２では、第２のスイッチ５６０３
ｂがオンし、第１のスイッチ５６０３ａおよび第３のスイッチ５６０３ｃがオフする。こ
のとき、配線５６２１＿Ｊに入力されるＤａｔａｊが、第２のスイッチ５６０３ｂを介し
て信号線Ｓｊに入力される。第３のサブ選択期間Ｔ３では、第３のスイッチ５６０３ｃが
オンし、第１のスイッチ５６０３ａおよび第２のスイッチ５６０３ｂがオフする。このと
き、配線５６２１＿Ｊに入力されるＤａｔａｊ＋１が、第３のスイッチ５６０３ｃを介し
て信号線Ｓｊ＋１に入力される。
【０２４４】
以上のことから、図３１の信号線駆動回路は、１ゲート選択期間を３つに分割すること
で、１ゲート選択期間中に、１つの配線５６２１から、３つの信号線にビデオ信号を入力
することができる。したがって、図３１の信号線駆動回路は、ドライバＩＣ５６０１が形
成される基板と、画素部が形成されている基板との接続数を、信号線の数に比べて約１／
３にすることができる。接続数が約１／３になることによって、図３１の信号線駆動回路
は、信頼性、歩留まりなどを向上できる。
【０２４５】
本実施の形態の信号線駆動回路を、実施の形態１乃至実施の形態４に示した表示装置に
適用することによって、さらに画素部が形成されている基板と、外部基板との接続数を減
らすことができる。したがって、本発明の表示装置は、信頼性の向上および歩留まりの向
上を図ることができる。
【０２４６】
次に、第１のスイッチ５６０３ａ、第２のスイッチ５６０３ｂおよび第３のスイッチ５
６０３ｃに、Ｎチャネル型のトランジスタを適用した場合について、図３３を参照して説
明する。なお、図３１と同様なものに関しては、共通の符号を用いて示し、同一部分また
は同様な機能を有する部分の詳細な説明は省略する。
【０２４７】
図３３における第１のトランジスタ５９０３ａは、図３１における第１のスイッチ５６
０３ａに相当する。図３３における第２のトランジスタ５９０３ｂは、図３１における第
２のスイッチ５６０３ｂに相当する。図３３における第３のトランジスタ５９０３ｃは、
図３１における第３のスイッチ５６０３ｃに相当する。
【０２４８】
例えば、スイッチ群５６０２＿Ｍの場合、第１のトランジスタ５９０３ａは、第１の電
極が配線５６２１＿Ｊに接続され、第２の電極が信号線Ｓｊ−１に接続され、ゲート電極
が第１の配線５６１１に接続される。第２のトランジスタ５９０３ｂは、第１の電極が配
線５６２１＿Ｊに接続され、第２の電極が信号線Ｓｊに接続され、ゲート電極が第２の配
線５６１２に接続される。第３のトランジスタ５９０３ｃは、第１の電極が配線５６２１
＿Ｊに接続され、第２の電極が信号線Ｓｊ＋１に接続され、ゲート電極が第３の配線５６
１３に接続される。
【０２４９】
第１のトランジスタ５９０３ａ、第２のトランジスタ５９０３ｂおよび第３のトランジ
スタ５９０３ｃは、それぞれスイッチングトランジスタとして機能する。さらに、第１の
トランジスタ５９０３ａ、第２のトランジスタ５９０３ｂおよび第３のトランジスタ５９
０３ｃはそれぞれ、ゲート電極に入力される信号がＨレベルのときにオンとなり、ゲート
電極に入力される信号がＬレベルのときにオフとなる。
【０２５０】
第１のスイッチ５６０３ａ、第２のスイッチ５６０３ｂおよび第３のスイッチ５６０３
ｃとして、Ｎチャネル型のトランジスタを用いることによって、トランジスタの半導体層
として、アモルファスシリコンを用いることができるため、製造工程の簡略化、製造コス
トの削減や歩留まりの向上を図ることができる。さらに、大型の表示パネルなどの半導体
装置を、作製することも可能となる。また、トランジスタの半導体層として、ポリシリコ
ンや多結晶シリコンを用いても、製造工程の簡略化を図ることができる。
【０２５１】
図３３の信号線駆動回路では、第１のトランジスタ５９０３ａ、第２のトランジスタ５
９０３ｂおよび第３のトランジスタ５９０３ｃとして、Ｎチャネル型のトランジスタを用
いた場合について説明したが、第１のトランジスタ５９０３ａ、第２のトランジスタ５９
０３ｂおよび第３のトランジスタ５９０３ｃとして、Ｐチャネル型のトランジスタを用い
てもよい。このときトランジスタは、ゲート電極に入力される信号がＬレベルのときにオ
ンとなり、ゲート電極に入力される信号がＨレベルのときにオフとなる。
【０２５２】
図３１のように、１ゲート選択期間を複数のサブ選択期間に分割し、複数のサブ選択期
間それぞれにおいてある１つの配線から、複数の信号線それぞれにビデオ信号を入力する
ことができれば、スイッチの配置や数、駆動方法などは限定されない。
【０２５３】
例えば、３つ以上のサブ選択期間それぞれにおいて、１つの配線から３つ以上の信号線
それぞれに、ビデオ信号を入力する場合は、スイッチおよびスイッチを制御するための配
線を追加すればよい。ただし、１ゲート選択期間を４つ以上のサブ選択期間に分割すると
、１つのサブ選択期間が短くなりすぎる。したがって、１ゲート選択期間は、２つまたは
３つのサブ選択期間に分割されることが望ましい。
【０２５４】
別の例として、図３４のタイミングチャートに示すように、１つの選択期間をプリチャ
ージ期間Ｔｐ、第１のサブ選択期間Ｔ１、第２のサブ選択期間Ｔ２および第３の選択期間
Ｔ３に分割してもよい。さらに、図３４のタイミングチャートは、ｉ行目の走査線Ｇｉが
選択されるタイミング、第１のスイッチ５６０３ａのオン・オフのタイミング５８０３ａ
、第２のスイッチ５６０３ｂのオン・オフのタイミング５８０３ｂ、第３のスイッチ５６
０３ｃのオン・オフのタイミング５８０３ｃおよびＪ列目の配線５６２１＿Ｊに入力され
る信号５８２１＿Ｊを示している。図３４に示すように、プリチャージ期間Ｔｐにおいて
、第１のスイッチ５６０３ａ、第２のスイッチ５６０３ｂおよび第３のスイッチ５６０３
ｃがオンする。このとき、配線５６２１＿Ｊに入力されるプリチャージ電圧Ｖｐが、第１
のスイッチ５６０３ａ、第２のスイッチ５６０３ｂおよび第３のスイッチ５６０３ｃを介
して、それぞれ信号線Ｓｊ−１、信号線Ｓｊ、信号線Ｓｊ＋１に入力される。第１のサブ
選択期間Ｔ１において、第１のスイッチ５６０３ａがオンし、第２のスイッチ５６０３ｂ
および第３のスイッチ５６０３ｃがオフする。このとき、配線５６２１＿Ｊに入力される
Ｄａｔａｊ−１が、第１のスイッチ５６０３ａを介して、信号線Ｓｊ−１に入力される。
第２のサブ選択期間Ｔ２では、第２のスイッチ５６０３ｂがオンし、第１のスイッチ５６
０３ａおよび第３のスイッチ５６０３ｃがオフする。このとき、配線５６２１＿Ｊに入力
されるＤａｔａｊが、第２のスイッチ５６０３ｂを介して、信号線Ｓｊに入力される。第
３のサブ選択期間Ｔ３では、第３のスイッチ５６０３ｃがオンし、第１のスイッチ５６０
３ａおよび第２のスイッチ５６０３ｂがオフする。このとき、配線５６２１＿Ｊに入力さ
れるＤａｔａｊ＋１が、第３のスイッチ５６０３ｃを介して、信号線Ｓｊ＋１に入力され
る。
【０２５５】
以上のことから、図３４のタイミングチャートを適用した図３１の信号線駆動回路は、
サブ選択期間の前にプリチャージ選択期間を設けることによって、信号線をプリチャージ
できる。そのため、画素へビデオ信号を高速に書き込みできる。なお、図３２と同様なも
のに関しては共通の符号を用いて示し、同一部分または同様な機能を有する部分の詳細な
説明は省略する。
【０２５６】
図３５においても、図３１のように、１ゲート選択期間を複数のサブ選択期間に分割し
、複数のサブ選択期間それぞれにおいてある１つの配線から、複数の信号線それぞれにビ
デオ信号を入力することができる。なお、図３５は、信号線駆動回路のうち、Ｊ列目のス
イッチ群６０２２＿Ｊのみを示している。スイッチ群６０２２＿Ｊは、第１のトランジス
タ６００１、第２のトランジスタ６００２、第３のトランジスタ６００３、第４のトラン
ジスタ６００４、第５のトランジスタ６００５および第６のトランジスタ６００６を有し
ている。第１のトランジスタ６００１、第２のトランジスタ６００２、第３のトランジス
タ６００３、第４のトランジスタ６００４、第５のトランジスタ６００５および第６のト
ランジスタ６００６は、Ｎチャネル型のトランジスタである。スイッチ群６０２２＿Ｊは
、第１の配線６０１１、第２の配線６０１２、第３の配線６０１３、第４の配線６０１４
、第５の配線６０１５、第６の配線６０１６、配線５６２１＿Ｊ、信号線Ｓｊ−１、信号
線Ｓｊおよび信号線Ｓｊ＋１に接続される。
【０２５７】
第１のトランジスタ６００１の第１の電極は、配線５６２１＿Ｊに接続され、第２の電
極は、信号線Ｓｊ−１に接続され、ゲート電極は、第１の配線６０１１に接続される。第
２のトランジスタ６００２の第１の電極は、配線５６２１＿Ｊに接続され、第２の電極は
、信号線Ｓｊ−１に接続され、ゲート電極は、第２の配線６０１２に接続される。第３の
トランジスタ６００３の第１の電極は、配線５６２１＿Ｊに接続され、第２の電極は、信
号線Ｓｊに接続され、ゲート電極は、第３の配線６０１３に接続される。第４のトランジ
スタ６００４の第１の電極は、配線５６２１＿Ｊに接続され、第２の電極は、信号線Ｓｊ
に接続され、ゲート電極は、第４の配線６０１４に接続される。第５のトランジスタ６０
０５の第１の電極は、配線５６２１＿Ｊに接続され、第２の電極は、信号線Ｓｊ＋１に接
続され、ゲート電極は、第５の配線６０１５に接続される。第６のトランジスタ６００６
の第１の電極は、配線５６２１＿Ｊに接続され、第２の電極は、信号線Ｓｊ＋１に接続さ
れ、ゲート電極は、第６の配線６０１６に接続される。
【０２５８】
第１のトランジスタ６００１、第２のトランジスタ６００２、第３のトランジスタ６０
０３、第４のトランジスタ６００４、第５のトランジスタ６００５および第６のトランジ
スタ６００６は、それぞれスイッチングトランジスタとして機能する。さらに、第１のト
ランジスタ６００１、第２のトランジスタ６００２、第３のトランジスタ６００３、第４
のトランジスタ６００４、第５のトランジスタ６００５および第６のトランジスタ６００
６はそれぞれ、ゲート電極に入力される信号がＨレベルのときにオンとなり、ゲート電極
に入力される信号がＬレベルのときにオフとなる。
【０２５９】
図３５の第１の配線６０１１および第２の配線６０１２は、図３３の第１の配線５６１
１に相当する。図３５の第３の配線６０１３および第４の配線６０１４は、図３３の第２
の配線５６１２に相当する。図３５の第５の配線６０１５および第６の配線６０１６は、
図３３の第３の配線５６１３に相当する。なお、図３５の第１のトランジスタ６００１お
よび第２のトランジスタ６００２は、図３３の第１のトランジスタ５９０３ａに相当する
。図３５の第３のトランジスタ６００３および第４のトランジスタ６００４は、図３３の
第２のトランジスタ５９０３ｂに相当する。図３５の第５のトランジスタ６００５および
第６のトランジスタ６００６は、図３３の第３のトランジスタ５９０３ｃに相当する。
【０２６０】
図３５では、図３２に示した第１のサブ選択期間Ｔ１において、第１のトランジスタ６
００１または第２のトランジスタ６００２のどちらかがオンする。第２のサブ選択期間Ｔ
２において、第３のトランジスタ６００３または第４のトランジスタ６００４のどちらか
がオンする。第３のサブ選択期間Ｔ３において、第５のトランジスタ６００５または第６
のトランジスタ６００６のどちらかがオンする。さらに、図３４に示したプリチャージ期
間Ｔｐにおいて、第１のトランジスタ６００１、第３のトランジスタ６００３および第５
のトランジスタ６００５か、第２のトランジスタ６００２、第４のトランジスタ６００４
および第６のトランジスタ６００６のどちらかがオンする。
【０２６１】
したがって、図３５では、各トランジスタのオン時間を短くすることができるため、各
トランジスタの特性劣化を抑制することができる。なぜなら、例えば、図３２に示した第
１のサブ選択期間Ｔ１においては、第１のトランジスタ６００１または第２のトランジス
タ６００２のどちらかがオンしていれば、ビデオ信号を信号線Ｓｊ−１に入力することが
できるからである。ここで、図３２に示した第１のサブ選択期間Ｔ１において、第１のト
ランジスタ６００１および第２のトランジスタ６００２を同時にオンすることによって、
高速にビデオ信号を信号線Ｓｊ−１に入力することもできる。
【０２６２】
図３５では、２つのトランジスタを、配線５６２１と、信号線の間に並列に接続する場
合について説明した。しかし、これに限定されず、３つ以上のトランジスタを、配線５６
２１と、信号線の間に並列に接続してもよい。こうすることで、さらに各トランジスタの
特性劣化を抑制することができる。
【０２６３】
本実施の形態において、さまざまな図を用いて述べてきたが、各々の図で述べた内容ま
たは内容の一部を、別の図で述べた内容または内容の一部にも適用、あるいは、組み合わ
せることができる。さらに、これまでに述べた図において、各々の部分に関して、別の部
分を組み合わせることにより、さらに多くの図を構成できる。
【０２６４】
本実施の形態の各々の図で述べた内容または内容の一部を、別の実施の形態の図で述べ
た内容または内容の一部にも適用、あるいは、組み合わせることができる。さらに、本実
施の形態の図において、各々の部分に関して、別の実施の形態の部分を組み合わせること
により、さらに多くの図を構成できる。
【０２６５】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０２６６】
（実施の形態６）
本実施の形態では、実施の形態１乃至実施の形態４に示した表示装置の、静電破壊によ
る不良を防止するための構成について説明する。
【０２６７】
静電破壊とは、人体または物体に蓄積された、正または負の電荷が、半導体デバイスに
触れた時にデバイスの入出力端子を介して瞬時に放電されることで、デバイス内部に大電
流が流れて発生する破壊のことである。
【０２６８】
図３６（Ａ）は、保護ダイオードによって、走査線に発生する静電破壊を防止するため
の構成を示す。図３６（Ａ）は、保護ダイオードを、配線６１１１と走査線の間に配置し
た構成である。なお、図示はしないが、ｉ行目の走査線Ｇｉには複数の画素が接続される
。保護ダイオードとしては、トランジスタ６１０１を用いる。なお、トランジスタ６１０
１は、Ｎチャネル型のトランジスタである。ただし、Ｐチャネル型のトランジスタを用い
てもよく、トランジスタ６１０１の極性は、走査線駆動回路や画素が有するトランジスタ
の極性と同様なものを用いればよい。
【０２６９】
保護ダイオードは１つだけ配置されているが、複数個の保護ダイオードが直列に配置さ
れていてもよいし、並列に配置されていてもよいし、直並列に配置されていてもよい。
【０２７０】
トランジスタ６１０１は、第１の電極が、ｉ行目の走査線Ｇｉに接続され、第２の電極
が、配線６１１１に接続され、ゲート電極が、ｉ行目の走査線Ｇｉに接続される。
【０２７１】
図３６（Ａ）の動作について説明する。配線６１１１にはある電位が入力されており、
その電位は、ｉ行目の走査線Ｇｉに入力される信号のＬレベルよりも低い電位である。正
または負の電荷がｉ行目の走査線Ｇｉに放電されていない場合、ｉ行目の走査線Ｇｉの電
位は、ＨレベルもしくはＬレベルであるため、トランジスタ６１０１はオフしている。一
方、負の電荷がｉ行目の走査線Ｇｉに放電された場合、ｉ行目の走査線Ｇｉの電位は瞬間
的に下がる。このとき、ｉ行目の走査線Ｇｉの電位が、配線６１１１の電位から、トラン
ジスタ６１０１のしきい値電圧を引いた値よりも低くなると、トランジスタ６１０１がオ
ンする。その結果、トランジスタ６１０１を介して、電流が配線６１１１に流れる。した
がって、図３６（Ａ）に示した構成によって、大電流が画素に流れ込むことを防ぐことが
できる。そのため、画素の静電破壊を防止することができる。
【０２７２】
図３６（Ｂ）は、正の電荷が、ｉ行目の走査線Ｇｉに放電された場合に、静電破壊を防
止するための構成である。保護ダイオードとして機能するトランジスタ６１０２が、走査
線と配線６１１２の間に配置されている。なお、保護ダイオードは１つだけ配置されてい
るが、複数個の保護ダイオードが直列に配置されていてもよいし、並列に配置されていて
もよいし、直並列に配置されていてもよい。なお、トランジスタ６１０２は、Ｎチャネル
型のトランジスタである。ただし、Ｐチャネル型のトランジスタを用いてもよい。トラン
ジスタ６１０２の極性は、走査線駆動回路や画素が有するトランジスタの極性と同様なも
のを用いればよい。トランジスタ６１０２は、第１の電極がｉ行目の走査線Ｇｉに接続さ
れ、第２の電極が、配線６１１２に接続され、ゲート電極が、配線６１１２に接続される
。なお、配線６１１２には、ｉ行目の走査線Ｇｉに入力される信号のＨレベルよりも高い
電位が入力されている。したがって、トランジスタ６１０２は、電荷がｉ行目の走査線Ｇ
ｉに放電されていない場合には、オフしている。一方、正の電荷がｉ行目の走査線Ｇｉに
放電された場合、ｉ行目の走査線Ｇｉの電位は瞬間的に上昇する。このとき、ｉ行目の走
査線Ｇｉの電位が、配線６１１２の電位とトランジスタ６１０２のしきい値電圧との和よ
りも高くなると、トランジスタ６１０２がオンする。その結果、トランジスタ６１０２を
介して、電流が配線６１１２に流れる。したがって、図３６（Ｂ）に示した構成によって
、大電流が画素に流れ込むことを防ぐことができる。そのため、画素の静電破壊を防止す
ることができる。
【０２７３】
図３６（Ｃ）に示すように、図３６（Ａ）と、図３６（Ｂ）と、を組み合わせた構成に
することで、正の電荷がｉ行目の走査線Ｇｉに放電された場合でも、負の電荷がｉ行目の
走査線Ｇｉに放電された場合でも、画素の静電破壊を防止することができる。なお、図３
６（Ａ）、（Ｂ）と同様なものに関しては、共通の符号を用いて示し、同一部分または同
様な機能を有する部分の詳細な説明は省略する。
【０２７４】
図３７（Ａ）は、保護ダイオードとして機能するトランジスタ６２０１を、走査線と保
持容量線の間に接続した場合の構成を示す。なお、保護ダイオードは１つだけ配置されて
いるが、複数個の保護ダイオードが直列に配置されていてもよいし、並列に配置されてい
てもよいし、直並列に配置されていてもよい。なお、トランジスタ６２０１は、Ｎチャネ
ル型のトランジスタである。ただし、Ｐチャネル型のトランジスタを用いてもよい。トラ
ンジスタ６２０１の極性は、走査線駆動回路や画素が有するトランジスタの極性と同様な
ものを用いればよい。なお、配線６２１１は、保持容量線として機能する。トランジスタ
６２０１の第１の電極は、ｉ行目の走査線Ｇｉに接続され、第２の電極は、配線６２１１
に接続され、ゲート電極は、ｉ行目の走査線Ｇｉに接続される。なお、配線６２１１には
、ｉ行目の走査線Ｇｉに入力される信号の、Ｌレベルよりも低い電位が入力されている。
したがって、トランジスタ６２０１は、電荷がｉ行目の走査線Ｇｉに放電されていない場
合には、オフしている。一方、負の電荷がｉ行目の走査線Ｇｉに放電された場合、ｉ行目
の走査線Ｇｉの電位は瞬間的に下がる。このとき、ｉ行目の走査線Ｇｉの電位が、配線６
２１１の電位からトランジスタ６２０１のしきい値電圧を引いた値よりも低くなると、ト
ランジスタ６２０１がオンする。その結果、トランジスタ６２０１を介して、電流が配線
６２１１に流れる。したがって、図３７（Ａ）に示した構成によって、大電流が画素に流
れ込むことを防ぐことができる。そのため、画素の静電破壊を防止することができる。さ
らに、図３７（Ａ）に示した構成では、保持容量線を、電荷を逃がす配線として利用して
いるので、新たに配線を追加する必要がない。
【０２７５】
図３７（Ｂ）は、正の電荷がｉ行目の走査線Ｇｉに放電された場合に、静電破壊を防止
するための構成である。ここでは、配線６２１１には、ｉ行目の走査線Ｇｉに入力される
信号のＨレベルよりも高い電位が入力されている。したがって、トランジスタ６２０２は
、電荷がｉ行目の走査線Ｇｉに放電されていない場合には、オフしている。一方、正の電
荷がｉ行目の走査線Ｇｉに放電された場合、ｉ行目の走査線Ｇｉの電位は瞬間的に上昇す
る。このとき、ｉ行目の走査線Ｇｉの電位が、配線６２１１の電位と、トランジスタ６２
０２のしきい値電圧との和よりも高くなると、トランジスタ６２０２がオンする。その結
果、トランジスタ６２０２を介して、電流が配線６２１１に流れる。したがって、図３７
（Ｂ）に示した構成によって、大電流が画素に流れ込むことを防ぐことができる。そのた
め、画素の静電破壊を防止することができる。さらに、図３７（Ｂ）に示した構成では、
保持容量線を、電荷を逃がす配線として利用しているので、新たに配線を追加する必要が
ない。なお、図３７（Ａ）と同様なものに関しては、共通の符号を用いて示し、同一部分
または同様な機能を有する部分の詳細な説明は省略する。
【０２７６】
次に、保護ダイオードによって信号線に発生する静電破壊を、防止するための構成を図
３８（Ａ）に示す。図３８（Ａ）は、保護ダイオードを、配線６４１１と信号線の間に配
置した場合の構成である。なお、図示はしないが、ｊ列目の信号線Ｓｊには複数の画素が
接続される。保護ダイオードとしては、トランジスタ６４０１を用いる。トランジスタ６
４０１は、Ｎチャネル型のトランジスタである。ただし、Ｐチャネル型のトランジスタを
用いてもよい。トランジスタ６４０１の極性は、信号線駆動回路や画素が有するトランジ
スタの極性と同様なものを用いればよい。
【０２７７】
保護ダイオードは１つだけ配置されているが、複数個の保護ダイオードが直列に配置さ
れていてもよいし、並列に配置されていてもよいし、直並列に配置されていてもよい。
【０２７８】
トランジスタ６４０１は、第１の電極が、ｊ列目の信号線Ｓｊに接続され、第２の電極
が、配線６４１１に接続され、ゲート電極が、配線６４１１に接続される。
【０２７９】
図３８（Ａ）の動作について説明する。配線６４１１には、ある電位が入力されており
、その電位は、ｊ列目の信号線Ｓｊに入力されるビデオ信号の最小値よりも低い電位であ
る。正または負の電荷がｊ列目の信号線Ｓｊに放電されていない場合、ｊ列目の信号線Ｓ
ｊの電位は、ビデオ信号と同電位であるため、トランジスタ６４０１はオフしている。一
方、負の電荷がｊ行目の信号線Ｓｊに放電された場合、ｊ列目の信号線Ｓｊの電位は、瞬
間的に下がる。このとき、ｊ列目の信号線Ｓｊの電位が、配線６４１１の電位からトラン
ジスタ６４０１のしきい値電圧を引いた値よりも低くなると、トランジスタ６４０１がオ
ンする。その結果、トランジスタ６４０１を介して、電流が配線６４１１に流れる。した
がって、図３８（Ａ）に示した構成によって、大電流が画素に流れ込むことを防ぐことが
できる。そのため、画素の静電破壊を防止することができる。
【０２８０】
図３８（Ｂ）は、正の電荷が、ｊ列目の信号線Ｓｊに放電された場合に、静電破壊を防
止するための構成である。保護ダイオードとして機能するトランジスタ６４０２が、信号
線と配線６４１２の間に配置されている。なお、保護ダイオードは１つだけ配置されてい
るが、複数個の保護ダイオードが直列に配置されていてもよいし、並列に配置されていて
もよいし、直並列に配置されていてもよい。トランジスタ６４０２は、Ｎチャネル型のト
ランジスタである。ただし、Ｐチャネル型のトランジスタを用いてもよい。トランジスタ
６４０２の極性は、信号線駆動回路や画素が有するトランジスタの極性と同様なものを用
いればよい。トランジスタ６４０２は、第１の電極が、ｊ列目の信号線Ｓｊに接続され、
第２の電極が、配線６４１２に接続され、ゲート電極が、ｊ列目の信号線Ｓｊに接続され
る。なお、配線６４１２には、ｊ列目の信号線Ｓｊに入力されるビデオ信号の最大値より
も、高い電位が入力されている。したがって、トランジスタ６４０２は、電荷がｊ列目の
信号線Ｓｊに放電されていない場合には、オフしている。一方、正の電荷がｊ列目の信号
線Ｓｊに放電された場合、ｊ列目の信号線Ｓｊの電位は瞬間的に上昇する。このとき、ｊ
列目の信号線Ｓｊの電位が配線６４１２の電位と、トランジスタ６４０２のしきい値電圧
との和よりも高くなると、トランジスタ６４０２がオンする。その結果、トランジスタ６
４０２を介して、電流が配線６４１２に流れる。したがって、図３８（Ｂ）に示した構成
によって、大電流が画素に流れ込むことを防ぐことができる。そのため、画素の静電破壊
を防止することができる。
【０２８１】
図３８（Ｃ）に示すように、図３８（Ａ）と、図３８（Ｂ）と、を組み合わせた構成に
することで、正の電荷が、ｊ列目の信号線Ｓｊに放電された場合でも、負の電荷が、ｊ列
目の信号線Ｓｊに放電された場合でも、画素の静電破壊を防止することができる。なお、
図３８（Ａ）、（Ｂ）と同様なものに関しては共通の符号を用いて示し、同一部分または
同様な機能を有する部分の詳細な説明は省略する。
【０２８２】
本実施の形態では、走査線および信号線に接続された画素の静電破壊を防止するための
構成を説明した。しかし、本実施の形態の構成は、走査線および信号線に接続された画素
の静電破壊の防止だけに適用されるものではない。例えば、実施の形態１乃至実施の形態
４に示した走査線駆動回路および信号線駆動回路に接続される信号または電位が入力され
た配線に、本実施の形態を適用する場合は、走査線駆動回路および信号線駆動回路の静電
破壊を防止することができる。
【０２８３】
本実施の形態において、さまざまな図を用いて述べてきたが、各々の図で述べた内容ま
たは内容の一部を、別の図で述べた内容または内容の一部にも適用、あるいは、組み合わ
せることができる。さらに、これまでに述べた図において、各々の部分に関して、別の部
分を組み合わせることにより、さらに多くの図を構成できる。
【０２８４】
本実施の形態の各々の図で述べた内容、または内容の一部を、別の実施の形態の図で述
べた内容または内容の一部にも適用、あるいは、組み合わせることができる。さらに、本
実施の形態の図において、各々の部分に関して、別の実施の形態の部分を組み合わせるこ
とにより、さらに多くの図を構成できる。
【０２８５】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０２８６】
（実施の形態７）
本実施の形態では、実施の形態１乃至実施の形態４に示した表示装置に適用できる表示
装置の新たな構成について説明する。
【０２８７】
図３９（Ａ）は、ダイオード接続されたトランジスタを、ある走査線と別の走査線の間
に配置した場合の構成である。図３９（Ａ）では、ｉ−１行目の走査線Ｇｉ−１と、ｉ行
目の走査線Ｇｉの間に、ダイオード接続されたトランジスタ６３０１ａを配置し、ｉ行目
の走査線Ｇｉとｉ＋１行目の走査線Ｇｉ＋１との間にダイオード接続されたトランジスタ
６３０１ｂを配置した場合の構成を示している。なお、トランジスタ６３０１ａおよびト
ランジスタ６３０１ｂは、Ｎチャネル型のトランジスタである。ただし、Ｐチャネル型の
トランジスタを用いてもよい。トランジスタ６３０１ａおよびトランジスタ６３０１ｂの
極性は、走査線駆動回路や画素が有するトランジスタの極性と同様なものを用いればよい
。
【０２８８】
図３９（Ａ）では、代表してｉ−１行目の走査線Ｇｉ−１、ｉ行目の走査線Ｇｉおよび
ｉ＋１行目の走査線Ｇｉ＋１を示しているが、他の走査線も同様にダイオード接続された
トランジスタが配置されている。
【０２８９】
トランジスタ６３０１ａの第１の電極は、ｉ行目の走査線Ｇｉに接続され、第２の電極
は、ｉ−１行目の走査線Ｇｉ−１に接続され、ゲート電極は、Ｇｉ−１行目の走査線Ｇｉ
−１に接続される。トランジスタ６３０１ｂの第１の電極は、ｉ＋１行目の走査線Ｇｉ＋
１に接続され、第２の電極は、ｉ行目の走査線Ｇｉに接続され、ゲート電極は、ｉ行目の
走査線Ｇｉに接続される。
【０２９０】
図３９（Ａ）の動作について説明する。実施の形態１乃至実施の形態４に示した走査線
駆動回路では、非選択期間において、ｉ−１行目の走査線Ｇｉ−１、ｉ行目の走査線Ｇｉ
およびｉ＋１行目の走査線Ｇｉ＋１はＬレベルを維持している。したがって、トランジス
タ６３０１ａおよびトランジスタ６３０１ｂは、オフしている。しかしながら、例えばノ
イズなどによって、ｉ行目の走査線Ｇｉの電位が上昇した場合、ｉ行目の走査線Ｇｉが画
素を選択してしまい、画素に不正なビデオ信号が書き込まれてしまう。そこで、図３９（
Ａ）のように、ダイオード接続したトランジスタを走査線間に配置しておくことで、画素
に不正なビデオ信号が書き込まれることを防止することができる。なぜなら、ｉ行目の走
査線Ｇｉの電位がｉ−１行目の走査線Ｇｉ−１の電位と、トランジスタ６３０１ａのしき
い値電圧との和以上に上昇すると、トランジスタ６３０１ａがオンして、ｉ行目の走査線
Ｇｉの電位が下がる。したがって、ｉ行目の走査線Ｇｉによって画素が選択されることは
ないからである。
【０２９１】
図３９（Ａ）の構成は、特に走査線駆動回路と、画素部と、を同一基板上に一体形成し
た場合に有利である。なぜなら、Ｎチャネル型のトランジスタ、またはＰチャネル型のト
ランジスタだけで構成されている走査線駆動回路では、走査線が浮遊状態になることがあ
り、走査線にノイズが発生しやすいからである。
【０２９２】
図３９（Ｂ）は、走査線間に配置するダイオード接続されたトランジスタの向きを、逆
にした場合の構成である。なお、トランジスタ６３０２ａおよびトランジスタ６３０２ｂ
は、Ｎチャネル型のトランジスタである。ただし、Ｐチャネル型のトランジスタを用いて
もよい。トランジスタ６３０２ａおよびトランジスタ６３０２ｂの極性は、走査線駆動回
路や画素が有するトランジスタの極性と同様なものを用いればよい。図３９（Ｂ）では、
トランジスタ６３０２ａの第１の電極が、ｉ行目の走査線Ｇｉに接続され、第２の電極が
、ｉ−１行目の走査線Ｇｉ−１に接続され、ゲート電極が、ｉ行目の走査線Ｇｉに接続さ
れる。トランジスタ６３０２ｂの第１の電極が、ｉ＋１行目の走査線Ｇｉ＋１に接続され
、第２の電極が、ｉ行目の走査線Ｇｉに接続され、ゲート電極が、ｉ＋１行目の走査線Ｇ
ｉ＋１に接続される。図３９（Ｂ）は、図３８（Ａ）と同様に、ｉ行目の走査線Ｇｉの電
位が、ｉ−１行目の走査線Ｇｉ＋１の電位と、トランジスタ６３０２ｂのしきい値電圧と
の和以上に上昇すると、トランジスタ６３０２ｂがオンして、ｉ行目の走査線Ｇｉの電位
が下がる。したがって、ｉ行目の走査線Ｇｉによって画素が選択されることはなく、画素
に不正なビデオ信号が書き込まれることを防止することができる。
【０２９３】
図３９（Ｃ）に示すように、図３９（Ａ）と、図３９（Ｂ）と、を組み合わせた構成に
することで、ｉ行目の走査線Ｇｉの電位が上昇しても、トランジスタ６３０１ａおよびト
ランジスタ６３０２ｂがオンするので、ｉ行目の走査線Ｇｉの電位が下がる。なお、図３
９（Ｃ）では、２つのトランジスタを介して、電流が流れるので、より大きいノイズを除
去することが可能である。なお、図３９（Ａ）、（Ｂ）と同様なものに関しては共通の符
号を用いて示し、同一部分または同様な機能を有する部分の詳細な説明は省略する。
【０２９４】
図３７（Ａ）および（Ｂ）に示すように、走査線と保持容量線の間に、ダイオード接続
したトランジスタを配置しても図３９（Ａ）、（Ｂ）および（Ｃ）と同様の効果を得るこ
とができる。
【０２９５】
本実施の形態において、さまざまな図を用いて述べてきたが、各々の図で述べた内容ま
たは内容の一部を、別の図で述べた内容または内容の一部にも適用、あるいは、組み合わ
せることができる。さらに、これまでに述べた図において、各々の部分に関して、別の部
分を組み合わせることにより、さらに多くの図を構成できる。
【０２９６】
本実施の形態の各々の図で述べた内容、または内容の一部を、別の実施の形態の図で述
べた内容または内容の一部にも適用、あるいは、組み合わせることができる。さらに、本
実施の形態の図において、各々の部分に関して、別の実施の形態の部分を組み合わせるこ
とにより、さらに多くの図を構成できる。
【０２９７】
本実施の形態は、他の実施の形態で述べた内容を、具現化した場合の一例、少し変形し
た場合の一例、一部を変更した場合の一例、改良した場合の一例、詳細に述べた場合の一
例、応用した場合の一例および関連がある部分についての一例などを示している。したが
って、他の実施の形態で述べた内容は、本実施の形態にも適用、あるいは、組み合わせる
ことができる。
【０２９８】
（実施の形態８）
本実施の形態においては、トランジスタの構造および作製方法について説明する。
【０２９９】
図４０（Ａ）は、トランジスタの構造の例を示す図である。図４０（Ｂ）〜図４０（Ｇ
）は、トランジスタの作製方法の例を示す図である。
【０３００】
なお、トランジスタの構造および作製方法は、図４０（Ａ）〜図４０（Ｇ）に示すもの
に限定されず、さまざまな構造および作製方法を用いることができる。
【０３０１】
まず、図４０（Ａ）を参照し、トランジスタの構造の例について説明する。図４０（Ａ
）は、複数の異なる構造を有するトランジスタの断面図である。ここで、図４０（Ａ）に
おいては、複数の異なる構造を有するトランジスタを並置して示しているが、これは、ト
ランジスタの構造を説明するための表現である。よって、トランジスタが、実際に図４０
（Ａ）のように並置されている必要はなく、必要に応じてつくり分けることができる。
【０３０２】
次に、トランジスタを構成する各層の特徴について説明する。
【０３０３】
基板１１０１１１には、バリウムホウケイ酸ガラス、アルミノホウケイ酸ガラスなどの
ガラス基板、石英基板、セラミック基板またはステンレスを含む金属基板などを用いるこ
とができる。他にも、ポリエチレンテレフタレート（ＰＥＴ）、ポリエチレンナフタレー
ト（ＰＥＮ）、ポリエーテルサルフォン（ＰＥＳ）に代表されるプラスチック、またはア
クリルなどの可撓性を有する合成樹脂からなる基板を用いることも可能である。可撓性を
有する基板を用いることによって、折り曲げが可能である半導体装置を作製することが可
能となる。可撓性を有する基板であれば、基板の面積および基板の形状に大きな制限はな
いため、基板１１０１１１として、例えば、１辺が１メートル以上であって、矩形状のも
のを用いれば、生産性を格段に向上させることができる。このような利点は、円形のシリ
コン基板を用いる場合と比較すると、大きな優位点である。
【０３０４】
絶縁膜１１０１１２は、下地膜として機能する。基板１１０１１１から、Ｎａなどのア
ルカリ金属またはアルカリ土類金属が、半導体素子の特性に悪影響を及ぼすのを防ぐため
に設ける。絶縁膜１１０１１２は、酸化珪素（ＳｉＯｘ）、窒化珪素（ＳｉＮｘ）、酸化
窒化珪素（ＳｉＯｘＮｙ）（ｘ＞ｙ）、窒化酸化珪素（ＳｉＮｘＯｙ）（ｘ＞ｙ）などの
酸素または窒素を有する絶縁膜の単層構造、もしくはこれらの積層構造で設けることがで
きる。例えば、絶縁膜１１０１１２を２層構造で設ける場合、１層目の絶縁膜として窒化
酸化珪素膜を設け、２層目の絶縁膜として酸化窒化珪素膜を設けるとよい。別の例として
、絶縁膜１１０１１２を３層構造で設ける場合、１層目の絶縁膜として酸化窒化珪素膜を
設け、２層目の絶縁膜として窒化酸化珪素膜を設け、３層目の絶縁膜として酸化窒化珪素
膜を設けるとよい。
【０３０５】
半導体層１１０１１３、半導体層１１０１１４および半導体層１１０１１５は、非晶質
（アモルファス）半導体、微結晶（マイクロクリスタル）半導体、またはセミアモルファ
ス半導体（ＳＡＳ）で形成することができる。あるいは、多結晶半導体層を用いてもよい
。ＳＡＳは、非晶質と結晶構造（単結晶、多結晶を含む）の中間的な構造を有し、自由エ
ネルギー的に安定な第３の状態を有する半導体であって、短距離秩序を持ち、格子歪みを
有する結晶質な領域を含んでいる。少なくとも膜中の一部の領域には、０．５〜２０ｎｍ
の結晶領域を観測することができ、珪素を主成分とする場合にはラマンスペクトルが５２
０ｃｍ−１よりも低波数側にシフトしている。Ｘ線回折では、珪素結晶格子に由来すると
される（１１１）、（２２０）の回折ピークが観測される。未結合手（ダングリングボン
ド）を補償するものとして、水素またはハロゲンを少なくとも１原子％またはそれ以上含
ませている。ＳＡＳは、材料ガスをグロー放電分解（プラズマＣＶＤ）して形成する。材
料ガスとしては、ＳｉＨ４、Ｓｉ２Ｈ６、ＳｉＨ２Ｃｌ２、ＳｉＨＣｌ３、ＳｉＣｌ４、
ＳｉＦ４などを用いることが可能である。あるいは、ＧｅＦ４を混合させてもよい。この
材料ガスをＨ２、あるいはＨ２とＨｅ、Ａｒ、ＫｒおよびＮｅから選ばれた一種または複
数種の希ガス元素で希釈してもよい。希釈率は２〜１０００倍の範囲とする。圧力は概略
０．１Ｐａ〜１３３Ｐａの範囲、電源周波数は１ＭＨｚ〜１２０ＭＨｚ、好ましくは１３
ＭＨｚ〜６０ＭＨｚとする。基板加熱温度は、３００℃以下でよい。膜中の不純物元素と
して、酸素、窒素、炭素などの大気成分の不純物は１×１０２０ｃｍ−１以下とすること
が望ましい。特に、酸素濃度は５×１０１９／ｃｍ３以下、好ましくは１×１０１９／ｃ
ｍ３以下とする。ここでは、スパッタ法、ＬＰＣＶＤ法、プラズマＣＶＤ法などを用いて
シリコン（Ｓｉ）を主成分とする材料（例えばＳｉ（ｘ）Ｇｅ（１−ｘ）（０＜ｘ＜１）
など）で非晶質半導体層を形成し、当該非晶質半導体層をレーザ結晶化法、ＲＴＡまたは
ファーネスアニール炉を用いる熱結晶化法、結晶化を助長する金属元素を用いる熱結晶化
法などの結晶化法により結晶化させる。
【０３０６】
絶縁膜１１０１１６は、酸化珪素（ＳｉＯｘ）、窒化珪素（ＳｉＮｘ）、酸化窒化珪素
（ＳｉＯｘＮｙ）（ｘ＞ｙ）、窒化酸化珪素（ＳｉＮｘＯｙ）（ｘ＞ｙ）などの酸素また
は窒素を有する絶縁膜の単層構造、もしくはこれらの積層構造で設けることができる。
【０３０７】
ゲート電極１１０１１７は、単層の導電膜、または二層、三層の導電膜の積層構造とす
ることができる。ゲート電極１１０１１７の材料としては、例えば、タンタル（Ｔａ）、
チタン（Ｔｉ）、モリブデン（Ｍｏ）、タングステン（Ｗ）、クロム（Ｃｒ）、シリコン
（Ｓｉ）などの元素の単体膜、あるいは前記元素の窒化膜（代表的には窒化タンタル膜、
窒化タングステン膜、窒化チタン膜）、あるいは前記元素を組み合わせた合金膜（代表的
にはＭｏ−Ｗ合金、Ｍｏ−Ｔａ合金）、あるいは前記元素のシリサイド膜（代表的にはタ
ングステンシリサイド膜、チタンシリサイド膜）などを用いることができる。なお、上述
した単体膜、窒化膜、合金膜、シリサイド膜などは、単層で用いてもよいし、積層して用
いてもよい。
【０３０８】
絶縁膜１１０１１８は、スパッタ法またはプラズマＣＶＤ法などによって、酸化珪素（
ＳｉＯｘ）、窒化珪素（ＳｉＮｘ）、酸化窒化珪素（ＳｉＯｘＮｙ）（ｘ＞ｙ）、窒化酸
化珪素（ＳｉＮｘＯｙ）（ｘ＞ｙ）などの酸素または窒素を有する絶縁膜やＤＬＣ（ダイ
ヤモンドライクカーボン）などの炭素を含む膜の単層構造、もしくはこれらの積層構造で
設けることができる。
【０３０９】
絶縁膜１１０１１９は、シロキサン樹脂、あるいは酸化珪素（ＳｉＯｘ）、窒化珪素（
ＳｉＮｘ）、酸化窒化珪素（ＳｉＯｘＮｙ）（ｘ＞ｙ）、窒化酸化珪素（ＳｉＮｘＯｙ）
（ｘ＞ｙ）などの、酸素または窒素を有する絶縁膜や、ＤＬＣ（ダイヤモンドライクカー
ボン）などの炭素を含む膜、あるいはエポキシ、ポリイミド、ポリアミド、ポリビニルフ
ェノール、ベンゾシクロブテン、アクリルなどの有機材料からなる単層、もしくは積層構
造で設けることができる。なお、シロキサン樹脂とは、Ｓｉ−Ｏ−Ｓｉ結合を含む樹脂に
相当する。シロキサンは、シリコン（Ｓｉ）と酸素（Ｏ）との結合で骨格構造が構成され
る。置換基として、少なくとも水素を含む有機基（例えばアルキル基、アリール基）が用
いられる。置換基として、フルオロ基を用いることもできる。あるいは、置換基として、
少なくとも水素を含む有機基と、フルオロ基とを用いてもよい。なお、絶縁膜１１０１１
８を設けずに、ゲート電極１１０１１７を覆うように直接、絶縁膜１１０１１９を設ける
ことも可能である。
【０３１０】
導電膜１１０１２３は、Ａｌ、Ｎｉ、Ｃ、Ｗ、Ｍｏ、Ｔｉ、Ｐｔ、Ｃｕ、Ｔａ、Ａｕ、
Ｍｎなどの元素の単体膜、前記元素の窒化膜、前記元素を組み合わせた合金膜、あるいは
前記元素のシリサイド膜などを用いることができる。例えば、前記元素を複数含む合金と
して、ＣおよびＴｉを含有したＡｌ合金、Ｎｉを含有したＡｌ合金、ＣおよびＮｉを含有
したＡｌ合金、ＣおよびＭｎを含有したＡｌ合金などを用いることができる。例えば、積
層構造で導電膜を設ける場合、ＡｌをＭｏまたはＴｉなどで挟み込んだ構造とすることが
できる。こうすることで、Ａｌの熱や化学反応に対する耐性を向上することができる。
【０３１１】
次に、図４０（Ａ）に示した、複数の異なる構造を有するトランジスタの断面図を参照
して、各々の構造の特徴について説明する。
【０３１２】
トランジスタ１１０１０１は、シングルドレイントランジスタであり、簡便な方法で製
造できるため、製造コストが低く、歩留まりを高く製造できる利点がある。ここで、半導
体層１１０１１３、半導体層１１０１１５は、それぞれ不純物の濃度が異なり、半導体層
１１０１１３はチャネル領域、半導体層１１０１１５はソース領域およびドレイン領域と
して用いる。このように、不純物の濃度を制御することで、半導体層の抵抗率を制御でき
る。そのため、半導体層と導電膜１１０１２３との電気的な接続状態を、オーミック接続
に近づけることができる。なお、不純物の濃度の異なる半導体層を作り分ける方法として
は、ゲート電極１１０１１７をマスクとして半導体層に不純物をドーピングする方法を用
いることができる。
【０３１３】
トランジスタ１１０１０２は、ゲート電極１１０１１７にテーパ角を有する。ここで、
テーパ角は、４５°以上９５°未満、より好ましくは６０°以上９５°未満となるような
形状である。ただし、テーパ角を４５°未満の形状とすることも可能である。ここで、半
導体層１１０１１３、半導体層１１０１１４および半導体層１１０１１５は、それぞれ不
純物濃度が異なっている。半導体層１１０１１３はチャネル領域、半導体層１１０１１４
は低濃度不純物領域（Ｌｉｇｈｔｌｙ  Ｄｏｐｅｄ  Ｄｒａｉｎ：ＬＤＤ）、半導体層１
１０１１５はソース領域およびドレイン領域として用いる。このように、不純物の濃度を
制御することで、半導体層の抵抗率を制御できる。そのため、半導体層と導電膜１１０１
２３との電気的な接続状態を、オーミック接続に近づけることができる。ＬＤＤ領域を有
するため、トランジスタ内部に高電界がかかりにくく、ホットキャリアによる素子の劣化
を抑制することができる。なお、不純物の濃度の異なる半導体層を作り分ける方法として
は、ゲート電極１１０１１７をマスクとして半導体層に不純物をドーピングする方法を用
いることができる。トランジスタ１１０１０２においては、ゲート電極１１０１１７がテ
ーパ角を有しているため、ゲート電極１１０１１７を通過して半導体層にドーピングされ
る不純物の濃度に勾配を持たせることができ、簡便にＬＤＤ領域を形成することができる
。これにより、製造コストが低く、歩留まりを高く製造できる利点がある。
【０３１４】
トランジスタ１１０１０３は、ゲート電極１１０１１７が少なくとも２層で構成され、
下層のゲート電極が上層のゲート電極よりも長い形状を有する。本明細書中においては、
このような上層のゲート電極および下層のゲート電極の形状を、帽子型と呼ぶ。ゲート電
極１１０１１７の形状が帽子型であることによって、フォトマスクを追加することなく、
ＬＤＤ領域を形成することができる。なお、トランジスタ１１０１０３のように、ＬＤＤ
領域がゲート電極１１０１１７と重なっている構造を、特にＧＯＬＤ構造（Ｇａｔｅ  Ｏ
ｖｅｒｌａｐｐｅｄ  ＬＤＤ）と呼ぶ。なお、ゲート電極１１０１１７の形状を帽子型と
する方法としては、次のような方法を用いてもよい。
【０３１５】
まず、ゲート電極１１０１１７をパターニングする際に、ドライエッチングにより、下
層のゲート電極および上層のゲート電極をエッチングして側面に傾斜（テーパ）のある形
状にする。続いて、異方性エッチングにより上層のゲート電極の傾斜を垂直に近くなるよ
うに加工する。これにより、断面形状が帽子型のゲート電極が形成される。その後、２回
、不純物元素をドーピングすることによって、チャネル領域として用いる半導体層１１０
１１３、ＬＤＤ領域として用いる半導体層１１０１１４、ソース電極およびドレイン電極
として用いる半導体層１１０１１５が形成される。
【０３１６】
なお、ゲート電極１１０１１７と重なっているＬＤＤ領域をＬｏｖ領域、ゲート電極１
１０１１７と重なっていないＬＤＤ領域をＬｏｆｆ領域と呼ぶことにする。Ｌｏｆｆ領域
はオフ電流値を抑える効果は高いが、ドレイン近傍の電界を緩和して、ホットキャリアに
よるオン電流値の劣化を防ぐ効果は低い。一方、Ｌｏｖ領域はドレイン近傍の電界を緩和
し、オン電流値の劣化の防止には有効であるが、オフ電流値を抑える効果は低い。よって
、種々の回路ごとに、求められる特性に応じた構造のトランジスタを作製することが好ま
しい。例えば、半導体装置を表示装置として用いる場合、画素トランジスタは、オフ電流
値を抑えるために、Ｌｏｆｆ領域を有するトランジスタを用いることが好適である。一方
、周辺回路におけるトランジスタは、ドレイン近傍の電界を緩和し、オン電流値の劣化を
防止するために、Ｌｏｖ領域を有するトランジスタを用いることが好適である。
【０３１７】
トランジスタ１１０１０４は、ゲート電極１１０１１７の側面に接して、サイドウォー
ル１１０１２１を有する。サイドウォール１１０１２１を有することによって、サイドウ
ォール１１０１２１と重なる領域をＬＤＤ領域とすることができる。
【０３１８】
トランジスタ１１０１０５は、半導体層にマスクを用いてドーピングすることにより、
ＬＤＤ（Ｌｏｆｆ）領域が形成されている。こうすることにより、確実にＬＤＤ領域を形
成することができ、トランジスタのオフ電流値を低減することができる。
【０３１９】
トランジスタ１１０１０６は、半導体層にマスクを用いてドーピングすることにより、
ＬＤＤ（Ｌｏｖ）領域が形成されている。こうすることにより、確実にＬＤＤ領域を形成
することができ、トランジスタのドレイン近傍の電界を緩和し、オン電流値の劣化を低減
することができる。
【０３２０】
次に、トランジスタの作製方法の例を、図４０（Ｂ）〜図４０（Ｇ）に示す。
【０３２１】
本実施の形態においては、基板１１０１１１の表面、絶縁膜１１０１１２の表面、半導
体層１１０１１３の表面、１１０１１４の表面、１１０１１５の表面、絶縁膜１１０１１
６の表面、絶縁膜１１０１１８の表面または絶縁膜１１０１１９の表面に、プラズマ処理
を用いて酸化または窒化を行うことにより、半導体層または絶縁膜を、酸化または窒化す
ることができる。このように、プラズマ処理を用いて、半導体層または絶縁膜を、酸化ま
たは窒化することによって、当該半導体層または当該絶縁膜の表面を改質し、ＣＶＤ法や
スパッタ法により形成した絶縁膜と比較して、より緻密な絶縁膜を形成することができる
。そのため、ピンホールなどの欠陥を抑制し半導体装置の特性などを向上させることが可
能となる。
【０３２２】
サイドウォール１１０１２１は、酸化珪素（ＳｉＯｘ）または窒化珪素（ＳｉＮｘ）を
用いることができる。サイドウォール１１０１２１を、ゲート電極１１０１１７の側面に
形成する方法としては、例えば、ゲート電極１１０１１７を形成した後、酸化珪素（Ｓｉ
Ｏｘ）または窒化珪素（ＳｉＮｘ）を成膜した後に、異方性エッチングによって酸化珪素
（ＳｉＯｘ）膜または窒化珪素（ＳｉＮｘ）膜をエッチングする方法を用いることができ
る。こうすることで、ゲート電極１１０１１７の側面にのみ、酸化珪素（ＳｉＯｘ）膜ま
たは窒化珪素（ＳｉＮｘ）膜を残すことができるので、ゲート電極１１０１１７の側面に
サイドウォール１１０１２１を形成することができる。
【０３２３】
図４４は、ボトムゲート型のトランジスタの断面構造および容量素子の断面構造を示す
図である。
【０３２４】
基板１１０５０１上に、第１の絶縁膜（絶縁膜１１０５０２）が全面に形成されている
。ただし、これに限定されず、第１の絶縁膜（絶縁膜１１０５０２）を形成しないことも
可能である。第１の絶縁膜は、基板側からの不純物が、半導体層に影響を及ぼし、トラン
ジスタの性質が変化してしまうことを防ぐ機能を有する。つまり、第１の絶縁膜は、下地
膜としての機能を有する。したがって、信頼性の高いトランジスタを作製することができ
る。なお、第１の絶縁膜としては、酸化シリコン膜、窒化シリコン膜または酸化窒化シリ
コン膜（ＳｉＯｘＮｙ）などの単層、またはこれらの積層を用いることができる。
【０３２５】
第１の絶縁膜上に、第１の導電層（導電層１１０５０３および導電層１１０５０４）が
形成されている。導電層１１０５０３は、トランジスタ１１０５２０のゲート電極として
機能する部分を含む。導電層１１０５０４は、容量素子１１０５２１の第１の電極として
機能する部分を含む。なお、第１の導電層としては、Ｔｉ、Ｍｏ、Ｔａ、Ｃｒ、Ｗ、Ａｌ
、Ｎｄ、Ｃｕ、Ａｇ、Ａｕ、Ｐｔ、Ｎｂ、Ｓｉ、Ｚｎ、Ｆｅ、Ｂａ、Ｇｅなどの元素、ま
たはこれらの合金を用いることができる。あるいは、これらの元素（合金も含む）の積層
を用いることができる。
【０３２６】
少なくとも第１の導電層を覆うように、第２の絶縁膜（絶縁膜１１０５１４）が形成さ
れている。第２の絶縁膜は、ゲート絶縁膜としての機能を有する。なお、第２の絶縁膜と
しては、酸化シリコン膜、窒化シリコン膜または酸化窒化シリコン膜（ＳｉＯｘＮｙ）な
どの単層、またはこれらの積層を用いることができる。
【０３２７】
半導体層に接する部分の第２の絶縁膜としては、酸化シリコン膜を用いることが望まし
い。なぜなら、半導体層と、第２の絶縁膜が接する界面におけるトラップ準位が少なくな
るからである。
【０３２８】
第２の絶縁膜がＭｏと接する場合、Ｍｏと接する部分の第２の絶縁膜としては、酸化シ
リコン膜を用いることが望ましい。なぜなら、酸化シリコン膜はＭｏを酸化させないから
である。
【０３２９】
第２の絶縁膜上の、第１の導電層と重なって形成されている部分の一部に、フォトリソ
グラフィ法、インクジェット法または印刷法などによって、半導体層が形成されている。
そして、半導体層の一部は、第２の絶縁膜上の、第１の導電層と重なって形成されていな
い部分まで延長している。半導体層は、チャネル形成領域（チャネル形成領域１１０５１
０）、ＬＤＤ領域（ＬＤＤ領域１１０５０８、ＬＤＤ領域１１０５０９）、不純物領域（
不純物領域１１０５０５、不純物領域１１０５０６、不純物領域１１０５０７）を有して
いる。チャネル形成領域１１０５１０は、トランジスタ１１０５２０のチャネル形成領域
として機能する。ＬＤＤ領域１１０５０８およびＬＤＤ領域１１０５０９は、トランジス
タ１１０５２０のＬＤＤ領域として機能する。なお、ＬＤＤ領域１１０５０８およびＬＤ
Ｄ領域１１０５０９は、必ずしも必要ではない。不純物領域１１０５０５は、トランジス
タ１１０５２０のソース電極およびドレイン電極の一方として機能する部分を含む。不純
物領域１００５０６は、トランジスタ１１０５２０のソース電極およびドレイン電極の他
方として機能する部分を含む。不純物領域１１０５０７は、容量素子１１０５２１の第２
の電極として機能する部分を含む。
【０３３０】
不純物領域１１０５０５、ＬＤＤ領域１１０５０８、チャネル形成領域１１０５１０、
ＬＤＤ領域１１０５０９、不純物領域１１０５０６、第２の絶縁膜１１０５１４および不
純物領域１１０５０７上の全面に、第３の絶縁膜（絶縁膜１１０５１１）が形成されてい
る。第３の絶縁膜の一部には、選択的にコンタクトホールが形成されている。絶縁膜１１
０５１１は、層間膜としての機能を有する。第３の絶縁膜としては、無機材料（酸化シリ
コン、窒化シリコン、酸化窒化シリコンなど）あるいは、低誘電率の有機化合物材料（感
光性または非感光性の有機樹脂材料）などを用いることができる。あるいは、シロキサン
を含む材料を用いることもできる。なお、シロキサンは、シリコン（Ｓｉ）と酸素（Ｏ）
との結合で骨格構造が構成される材料である。置換基として、少なくとも水素を含む有機
基（例えばアルキル基、アリール基）が用いられる。あるいは、置換基としてフルオロ基
を用いてもよい。あるいは、置換基として、少なくとも水素を含む有機基と、フルオロ基
とを用いてもよい。
【０３３１】
第３の絶縁膜上に、第２の導電層（導電層１１０５１２および導電層１１０５１３）が
形成されている。導電層１１０５１２は、第３の絶縁膜に形成されたコンタクトホールを
介して、トランジスタ１１０５２０のソース電極およびドレイン電極の他方と接続されて
いる。したがって、導電層１１０５１２は、トランジスタ１１０５２０のソース電極およ
びドレイン電極の他方として機能する部分を含む。導電層１１０５１３が、導電層１１０
５０４と電気的に接続されている場合は、導電層１１０５１３は、容量素子１１０５２１
の第１の電極として機能する部分を含む。あるいは、導電層１１０５１３が、導電層１１
０５０７と電気的に接続されている場合は、導電層１１０５１３は、容量素子１１０５２
１の第２の電極として機能する部分を含む。あるいは、導電層１１０５１３が、導電層１
１０５０４および導電層１１０５０７と接続されていない場合は、容量素子１１０５２１
とは別の容量素子が形成される。この容量素子は、導電層１１０５１３、導電層１１０５
０７および絶縁膜１１０５１１が、それぞれ容量素子の第１の電極、第２の電極、絶縁膜
として用いられる構成である。なお、第２の導電層としては、Ｔｉ、Ｍｏ、Ｔａ、Ｃｒ、
Ｗ、Ａｌ、Ｎｄ、Ｃｕ、Ａｇ、Ａｕ、Ｐｔ、Ｎｂ、Ｓｉ、Ｚｎ、Ｆｅ、Ｂａ、Ｇｅなど、
またはこれらの合金を用いることができる。あるいは、これらの元素（合金も含む）の積
層を用いることができる。
【０３３２】
第２の導電層が形成された後の工程として、さまざまな絶縁膜、またはさまざまな導電
膜が形成されていてもよい。
【０３３３】
次に、トランジスタの半導体層に、アモルファスシリコン（ａ−Ｓｉ：Ｈ）膜またはマ
イクロクリスタルシリコン膜などを用いた場合の、トランジスタおよび容量素子の構造に
ついて説明する。
【０３３４】
図４１は、トップゲート型のトランジスタの断面構造および容量素子の断面構造を示す
図である。
【０３３５】
基板１１０２０１上に、第１の絶縁膜（絶縁膜１１０２０２）が全面に形成されている
。第１の絶縁膜は、基板側からの不純物が半導体層に影響を及ぼし、トランジスタの性質
が変化してしまうことを防ぐ機能を有する。つまり、第１の絶縁膜は、下地膜としての機
能を有する。したがって、信頼性の高いトランジスタを作製することができる。なお、第
１の絶縁膜としては、酸化シリコン膜、窒化シリコン膜または酸化窒化シリコン膜（Ｓｉ
ＯｘＮｙ）などの単層、またはこれらの積層を用いることができる。
【０３３６】
なお、第１の絶縁膜を必ずしも形成する必要はない。この場合は、工程数の削減および
製造コストの削減を図ることができる。また、構造を簡単にできるので、歩留まりの向上
を図ることができる。
【０３３７】
第１の絶縁膜上に、第１の導電層（導電層１１０２０３、導電層１１０２０４および導
電層１１０２０５）が形成されている。導電層１１０２０３は、トランジスタ１１０２２
０のソース電極およびドレイン電極の一方の電極として機能する部分を含む。導電層１１
０２０４は、トランジスタ１１０２２０のソース電極およびドレイン電極の他方の電極と
して機能する部分を含む。導電層１１０２０５は、容量素子１１０２２１の第１の電極と
して機能する部分を含む。なお、第１の導電層としては、Ｔｉ、Ｍｏ、Ｔａ、Ｃｒ、Ｗ、
Ａｌ、Ｎｄ、Ｃｕ、Ａｇ、Ａｕ、Ｐｔ、Ｎｂ、Ｓｉ、Ｚｎ、Ｆｅ、Ｂａ、Ｇｅなどの元素
、またはこれらの合金を用いることができる。あるいは、これらの元素（合金も含む）の
積層を用いることができる。
【０３３８】
導電層１１０２０３および導電層１１０２０４の上部に、第１の半導体層（半導体層１
１０２０６および半導体層１１０２０７）が形成されている。半導体層１１０２０６は、
ソース電極およびドレイン電極の一方の電極として機能する部分を含む。半導体層１１０
２０７は、ソース電極およびドレイン電極の他方の電極として機能する部分を含む。なお
、第１の半導体層としては、リンなどを含んだシリコンなどを用いることができる。
【０３３９】
導電層１１０２０３と導電層１１０２０４との間であって、かつ第１の絶縁膜上に、第
２の半導体層（半導体層１１０２０８）が形成されている。そして、半導体層１１０２０
８の一部は、導電層１１０２０３上および導電層１１０２０４上まで延長されている。半
導体層１１０２０８は、トランジスタ１１０２２０のチャネル領域として機能する部分を
含む。なお、第２の半導体層としては、アモルファスシリコン（ａ−Ｓｉ：Ｈ）などの非
結晶性を有する半導体層、または微結晶半導体（μ−Ｓｉ：Ｈ）などの半導体層などを用
いることができる。
【０３４０】
少なくとも半導体層１１０２０８および導電層１１０２０５を覆うように、第２の絶縁
膜（絶縁膜１１０２０９および絶縁膜１１０２１０）が形成されている。第２の絶縁膜は
、ゲート絶縁膜としての機能を有する。なお、第２の絶縁膜としては、酸化シリコン膜、
窒化シリコン膜または酸化窒化シリコン膜（ＳｉＯｘＮｙ）などの単層、またはこれらの
積層を用いることができる。
【０３４１】
第２の半導体層に接する部分の第２の絶縁膜としては、酸化シリコン膜を用いることが
望ましい。なぜなら、第２の半導体層と第２の絶縁膜とが接する界面における、トラップ
準位が少なくなるからである。
【０３４２】
なお、第２の絶縁膜がＭｏと接する場合、Ｍｏと接する部分の第２の絶縁膜としては、
酸化シリコン膜を用いることが望ましい。なぜなら、酸化シリコン膜はＭｏを酸化させな
いからである。
【０３４３】
第２の絶縁膜上に、第２の導電層（導電層１１０２１１および導電層１１０２１２）が
形成されている。導電層１１０２１１は、トランジスタ１１０２２０のゲート電極として
機能する部分を含む。導電層１１０２１２は、容量素子１１０２２１の第２の電極、また
は配線としての機能を有する。なお、第２の導電層としては、Ｔｉ、Ｍｏ、Ｔａ、Ｃｒ、
Ｗ、Ａｌ、Ｎｄ、Ｃｕ、Ａｇ、Ａｕ、Ｐｔ、Ｎｂ、Ｓｉ、Ｚｎ、Ｆｅ、Ｂａ、Ｇｅなどの
元素、またはこれらの合金を用いることができる。あるいは、これらの元素（合金も含む
）の積層を用いることができる。
【０３４４】
第２の導電層が形成された後の工程として、さまざまな絶縁膜、またはさまざまな導電
膜が形成されていてもよい。
【０３４５】
図４２は、逆スタガ型（ボトムゲート型）のトランジスタの断面構造および容量素子の
断面構造を示す図である。特に、図４２に示すトランジスタは、チャネルエッチ型と呼ば
れる構造である。
【０３４６】
基板１１０３０１上に、第１の絶縁膜（絶縁膜１１０３０２）が全面に形成されている
。第１の絶縁膜は、基板側からの不純物が半導体層に影響を及ぼし、トランジスタの性質
が変化してしまうことを防ぐ機能を有する。つまり、第１の絶縁膜は下地膜としての機能
を有する。したがって、信頼性の高いトランジスタを作製することができる。なお、第１
の絶縁膜としては、酸化シリコン膜、窒化シリコン膜または酸化窒化シリコン膜（ＳｉＯ
ｘＮｙ）などの単層、またはこれらの積層を用いることができる。
【０３４７】
なお、第１の絶縁膜を必ずしも形成する必要はない。この場合は、工程数の削減および
製造コストの削減を図ることができる。また、構造を簡単にできるので、歩留まりの向上
を図ることができる。
【０３４８】
第１の絶縁膜上に、第１の導電層（導電層１１０３０３および導電層１１０３０４）が
形成されている。導電層１１０３０３は、トランジスタ１１０３２０のゲート電極として
機能する部分を含む。導電層１１０３０４は、容量素子１１０３２１の第１の電極として
機能する部分を含む。なお、第１の導電層としては、Ｔｉ、Ｍｏ、Ｔａ、Ｃｒ、Ｗ、Ａｌ
、Ｎｄ、Ｃｕ、Ａｇ、Ａｕ、Ｐｔ、Ｎｂ、Ｓｉ、Ｚｎ、Ｆｅ、Ｂａ、Ｇｅなどの元素、ま
たはこれらの合金を用いることができる。あるいは、これらの元素（合金も含む）の積層
を用いることができる。
【０３４９】
少なくとも第１の導電層を覆うように、第２の絶縁膜（絶縁膜１１０３０５）が形成さ
れている。第２の絶縁膜は、ゲート絶縁膜としての機能を有する。なお、第２の絶縁膜と
しては、酸化シリコン膜、窒化シリコン膜または酸化窒化シリコン膜（ＳｉＯｘＮｙ）な
どの単層、またはこれらの積層を用いることができる。
【０３５０】
半導体層に接する部分の第２の絶縁膜としては、酸化シリコン膜を用いることが望まし
い。なぜなら、半導体層と第２の絶縁膜が接する界面における、トラップ準位が少なくな
るからである。
【０３５１】
第２の絶縁膜がＭｏと接する場合、Ｍｏと接する部分の第２の絶縁膜としては酸化シリ
コン膜を用いることが望ましい。なぜなら、酸化シリコン膜は、Ｍｏを酸化させないから
である。
【０３５２】
第２の絶縁膜上のうち、第１の導電層と重なって形成されている部分の一部に、フォト
リソグラフィ法、インクジェット法または印刷法などによって、第１の半導体層（半導体
層１１０３０６）が形成されている。そして、半導体層１１０３０６の一部は、第２の絶
縁膜上のうち、第１の導電層と重なって形成されていない部分まで延長されている。半導
体層１１０３０６は、トランジスタ１１０３２０のチャネル領域として機能する部分を含
む。なお、半導体層１１０３０６としては、アモルファスシリコン（ａ−Ｓｉ：Ｈ）など
の非結晶性を有する半導体層、または微結晶半導体（μ−Ｓｉ：Ｈ）などの半導体層など
を用いることができる。
【０３５３】
第１の半導体層上の一部に、第２の半導体層（半導体層１１０３０７および半導体層１
１０３０８）が形成されている。半導体層１１０３０７は、ソース電極およびドレイン電
極の一方の電極として機能する部分を含む。半導体層１１０３０８は、ソース電極および
ドレイン電極の他方の電極として機能する部分を含む。なお、第２の導体層としては、リ
ンなどを含んだシリコンなどを用いることができる。
【０３５４】
第２の半導体層上および第２の絶縁膜上に、第２の導電層（導電層１１０３０９、導電
層１１０３１０および導電層１１０３１１）が形成されている。導電層１１０３０９は、
トランジスタ１１０３２０のソース電極およびドレイン電極の一方として機能する部分を
含む。導電層１１０３１０は、トランジスタ１１０３２０のソース電極およびドレイン電
極の他方として機能する部分を含む。導電層１１０３１１は、容量素子１１０３２１の第
２の電極として機能する部分を含む。なお、第２の導電層としては、Ｔｉ、Ｍｏ、Ｔａ、
Ｃｒ、Ｗ、Ａｌ、Ｎｄ、Ｃｕ、Ａｇ、Ａｕ、Ｐｔ、Ｎｂ、Ｓｉ、Ｚｎ、Ｆｅ、Ｂａ、Ｇｅ
など、またはこれらの合金を用いることができる。あるいは、これらの元素（合金も含む
）の積層を用いることができる。
【０３５５】
なお、第２の導電層が形成された後の工程として、さまざまな絶縁膜、またはさまざま
な導電膜が形成されていてもよい。
【０３５６】
ここで、チャネルエッチ型のトランジスタが特徴とする、工程の一例を説明する。同じ
マスクを用いて、第１の半導体層および第２の半導体層を形成できる。具体的には、第１
の半導体層と第２の半導体層が、連続して成膜される。その際、第１の半導体層および第
２の半導体層は、同じマスクを用いて形成される。
【０３５７】
チャネルエッチ型のトランジスタが特徴とする、工程の別の一例を説明する。新たなマ
スクを用いることなく、トランジスタのチャネル領域を形成することができる。具体的に
は、第２の導電層が形成された後で、第２の導電層をマスクとして用いて、第２の半導体
層の一部を除去する。あるいは、第２の導電層と同じマスクを用いて、第２の半導体層の
一部を除去する。そして、除去された第２の半導体層の下部に形成されている第１の半導
体層が、トランジスタのチャネル領域となる。
【０３５８】
図４３は、逆スタガ型（ボトムゲート型）のトランジスタの断面構造および容量素子の
断面構造を示す図である。特に、図４３に示すトランジスタは、チャネル保護型（チャネ
ルストップ型）と呼ばれる構造である。
【０３５９】
基板１１０４０１上に、第１の絶縁膜（絶縁膜１１０４０２）が全面に形成されている
。第１の絶縁膜は、基板側からの不純物が半導体層に影響を及ぼし、トランジスタの性質
が変化してしまうことを防ぐ機能を有する。つまり、第１の絶縁膜は、下地膜としての機
能を有する。したがって、信頼性の高いトランジスタを作製することができる。なお、第
１の絶縁膜としては、酸化シリコン膜、窒化シリコン膜または酸化窒化シリコン膜（Ｓｉ
ＯｘＮｙ）などの単層、またはこれらの積層を用いることができる。
【０３６０】
なお、第１の絶縁膜を必ずしも形成する必要はない。この場合は、工程数の削減および
製造コストの削減を図ることができる。また、構造を簡単にできるので、歩留まりの向上
を図ることができる。
【０３６１】
第１の絶縁膜上に、第１の導電層（導電層１１０４０３および導電層１１０４０４）が
形成されている。導電層１１０４０３は、トランジスタ１１０４２０のゲート電極として
機能する部分を含む。導電層１１０４０４は、容量素子１１０４２１の第１の電極として
機能する部分を含む。なお、第１の導電層としては、Ｔｉ、Ｍｏ、Ｔａ、Ｃｒ、Ｗ、Ａｌ
、Ｎｄ、Ｃｕ、Ａｇ、Ａｕ、Ｐｔ、Ｎｂ、Ｓｉ、Ｚｎ、Ｆｅ、Ｂａ、Ｇｅなどの元素、ま
たはこれらの合金を用いることができる。あるいは、これらの元素（合金も含む）の積層
を用いることができる。
【０３６２】
少なくとも第１の導電層を覆うように、第２の絶縁膜（絶縁膜１１０４０５）が形成さ
れている。第２の絶縁膜は、ゲート絶縁膜としての機能を有する。なお、第２の絶縁膜と
しては、酸化シリコン膜、窒化シリコン膜または酸化窒化シリコン膜（ＳｉＯｘＮｙ）な
どの単層、またはこれらの積層を用いることができる。
【０３６３】
半導体層に接する部分の第２の絶縁膜としては、酸化シリコン膜を用いることが望まし
い。なぜなら、半導体層と第２の絶縁膜が接する界面における、トラップ準位が少なくな
るからである。
【０３６４】
第２の絶縁膜がＭｏと接する場合、Ｍｏと接する部分の第２の絶縁膜としては酸化シリ
コン膜を用いることが望ましい。なぜなら、酸化シリコン膜はＭｏを酸化させないからで
ある。
【０３６５】
第２の絶縁膜上のうち、第１の導電層と重なって形成されている部分の一部に、フォト
リソグラフィ法、インクジェット法または印刷法などによって、第１の半導体層（半導体
層１１０４０６）が形成されている。そして、半導体層１１０４０６の一部は、第２の絶
縁膜上のうち、第１の導電層と重なって形成されていない部分まで延長されている。半導
体層１１０４０６は、トランジスタ１１０４２０のチャネル領域として機能する部分を含
む。なお、半導体層１１０４０６としては、アモルファスシリコン（Ｃ−Ｓｉ：Ｈ）など
の非結晶性を有する半導体層、または微結晶半導体（μ−Ｓｉ：Ｈ）などの半導体層など
を用いることができる。
【０３６６】
第１の半導体層上の一部に、第３の絶縁膜（絶縁膜１１０４１２）が形成されている。
絶縁膜１１０４１２は、トランジスタ１１０４２０のチャネル領域がエッチングによって
除去されることを防止する機能を有する。つまり、絶縁膜１１０４１２は、チャネル保護
膜（チャネルストップ膜）として機能する。なお、第３の絶縁膜としては、酸化シリコン
膜、窒化シリコン膜または酸化窒化シリコン膜（ＳｉＯｘＮｙ）などの単層、またはこれ
らの積層を用いることができる。
【０３６７】
第１の半導体層上の一部および第３の絶縁膜上の一部に、第２の半導体層（半導体層１
１０４０７および半導体層１１０４０８）が形成されている。半導体層１１０４０７は、
ソース電極およびドレイン電極の一方の電極として機能する部分を含む。半導体層１１０
４０８は、ソース電極およびドレイン電極の他方の電極として機能する部分を含む。なお
、第２の導体層としては、リンなどを含んだシリコンなどを用いることができる。
【０３６８】
第２の半導体層上に、第２の導電層（導電層１１０４０９、導電層１１０４１０および
導電層１１０４１１）が形成されている。導電層１１０４０９は、トランジスタ１１０４
２０のソース電極およびドレイン電極の一方として機能する部分を含む。導電層１１０４
１０は、トランジスタ１１０４２０のソース電極およびドレイン電極の他方として機能す
る部分を含む。導電層１１０４１１は、容量素子１１０４２１の第２の電極として機能す
る部分を含む。なお、第２の導電層としては、Ｔｉ、Ｍｏ、Ｔａ、Ｃｒ、Ｗ、Ａｌ、Ｎｄ
、Ｃｕ、Ａｇ、Ａｕ、Ｐｔ、Ｎｂ、Ｓｉ、Ｚｎ、Ｆｅ、Ｂａ、Ｇｅなど、またはこれらの
合金を用いることができる。あるいは、これらの元素（合金も含む）の積層を用いること
ができる。
【０３６９】
第２の導電層が形成された後の工程として、さまざまな絶縁膜、またはさまざまな導電
膜が形成されていてもよい。
【０３７０】
ここまで、トランジスタの構造およびトランジスタの作製方法について説明した。ここで
、配線、電極、導電層、導電膜、端子、ビア、プラグなどは、アルミニウム（Ａｌ）、タ
ンタル（Ｔａ）、チタン（Ｔｉ）、モリブデン（Ｍｏ）、タングステン（Ｗ）、ネオジム
（Ｎｄ）、クロム（Ｃｒ）、ニッケル（Ｎｉ）、白金（Ｐｔ）、金（Ａｕ）、銀（Ａｇ）
、銅（Ｃｕ）、マグネシウム（Ｍｇ）、スカンジウム（Ｓｃ）、コバルト（Ｃｏ）、亜鉛
（Ｚｎ）、ニオブ（Ｎｂ）、シリコン（Ｓｉ）、リン（Ｐ）、ボロン（Ｂ）、ヒ素（Ａｓ
）、ガリウム（Ｇａ）、インジウム（Ｉｎ）、錫（Ｓｎ）、酸素（Ｏ）で構成された群か
ら選ばれた一つもしくは複数の元素、または、前記群から選ばれた一つもしくは複数の元
素を成分とする化合物、合金材料（例えば、インジウム錫酸化物（ＩＴＯ）、インジウム
亜鉛酸化物（ＩＺＯ）、酸化珪素を含むインジウム錫酸化物（ＩＴＳＯ）、酸化亜鉛（Ｚ
ｎＯ）、酸化錫（ＳｎＯ）、酸化錫カドミウム（ＣＴＯ）、アルミネオジム（Ａｌ−Ｎｄ
）、マグネシウム銀（Ｍｇ−Ａｇ）、モリブデンニオブ（Ｍｏ−Ｎｂ）など）で形成され
ることが望ましい。または、配線、電極、導電層、導電膜、端子などは、これらの化合物
を組み合わせた物質などを有して形成されることが望ましい。もしくは、前記群から選ば
れた一つもしくは複数の元素と、シリコンの化合物（シリサイド）（例えば、アルミシリ
コン、モリブデンシリコン、ニッケルシリサイドなど）、前記群から選ばれた一つもしく
は複数の元素と窒素の化合物（例えば、窒化チタン、窒化タンタル、窒化モリブデンなど
）を有して形成されることが望ましい。
【０３７１】
シリコン（Ｓｉ）には、ｎ型不純物（リンなど）またはｐ型不純物（ボロンなど）を含
んでいてもよい。シリコンが不純物を含むことにより、導電率が向上し、通常の導体と同
様な振る舞いをすることが可能となる。従って、配線、電極などとして利用しやすくなる
。
【０３７２】
シリコンは、単結晶、多結晶（ポリシリコン）、微結晶（マイクロクリスタルシリコン
）など、さまざまな結晶性を有するシリコンを用いることができる。あるいは、非晶質（
アモルファスシリコン）などの、結晶性を有さないシリコンを用いることができる。単結
晶シリコンまたは多結晶シリコンを用いることにより、配線、電極、導電層、導電膜、端
子などの抵抗を小さくすることができる。非晶質シリコンまたは微結晶シリコンを用いる
ことにより、簡単な工程で配線などを形成することができる。
【０３７３】
アルミニウムまたは銀は、導電率が高いため、信号遅延を低減することができる。さら
に、エッチングしやすいので、パターニングしやすく、微細加工することができる。
【０３７４】
銅は、導電率が高いため、信号遅延を低減することができる。銅を用いる場合は、密着
性を向上させるため、積層構造にすることが望ましい。
【０３７５】
モリブデンまたはチタンは、酸化物半導体（ＩＴＯ、ＩＺＯなど）またはシリコンと接
触しても、不良を起こさず、エッチングしやすく、耐熱性が高いなどの利点を有するため
、望ましい。
【０３７６】
タングステンは、耐熱性が高いなどの利点を有するため、望ましい。
【０３７７】
ネオジムは、耐熱性が高いなどの利点を有するため、望ましい。特に、ネオジムとアル
ミニウムの合金にすると、耐熱性が向上し、アルミニウムがヒロックをおこしにくくなる
。
【０３７８】
シリコンは、トランジスタが有する半導体層と同時に形成できる。耐熱性が高いなどの
利点を有するため、望ましい。
【０３７９】
ＩＴＯ、ＩＺＯ、ＩＴＳＯ、酸化亜鉛（ＺｎＯ）、シリコン（Ｓｉ）、酸化錫（ＳｎＯ
）、酸化錫カドミウム（ＣＴＯ）は、透光性を有しているため、光を透過させる部分に用
いることができる。例えば、画素電極や共通電極として用いることができる。
【０３８０】
ＩＺＯは、エッチングしやすく、加工しやすいため、望ましい。また、ＩＺＯは、エッ
チングしたときに、残渣が残ってしまう、ということも起こりにくい。したがって、画素
電極としてＩＺＯを用いると、液晶素子や発光素子に不具合（ショート、配向乱れなど）
をもたらすことを低減できる。
【０３８１】
配線、電極、導電層、導電膜、端子、ビアおよびプラグなどは、単層構造でもよいし、
多層構造でもよい。単層構造にすることにより、配線、電極、導電層、導電膜および端子
などの製造工程を簡略化し、工程数を少なくし、さらにコストを低減することができる。
あるいは、多層構造にすることにより、それぞれの材料のメリットを生かしつつ、デメリ
ットを低減させ、性能の良い配線および電極などを形成することができる。例えば、低抵
抗材料（アルミニウムなど）を多層構造の中に含むことにより、配線の低抵抗化を図るこ
とができる。別の例として、低耐熱性の材料を、高耐熱性の材料で挟む積層構造にするこ
とにより、低耐熱性の材料の持つメリットを生かしつつ、配線および電極などの耐熱性を
高くすることができる。例えば、アルミニウムを含む層を、モリブデン、チタンまたはネ
オジムなどを含む層で挟む積層構造にすると望ましい。
【０３８２】
配線、電極など同士が、直接接する場合、お互いに悪影響を及ぼすことがある。例えば
、一方の配線、電極などが、他方の配線、電極などの材料の中に入りその性質を変えてし
まい、本来の目的を果たせなくなることがある。別の例として、高抵抗な部分を形成また
は製造するときに、問題が生じて、正常に製造できなくなることがある。そのような場合
、積層構造により、反応しやすい材料を、反応しにくい材料で挟んだり、覆ったりすると
よい。例えば、ＩＴＯとアルミニウムを接続させる場合は、ＩＴＯとアルミニウムの間に
、チタン、モリブデンまたはネオジム合金を挟むことが望ましい。別の例として、シリコ
ンとアルミニウムを接続させる場合は、シリコンとアルミニウムの間に、チタン、モリブ
デンまたはネオジム合金を挟むことが望ましい。
【０３８３】
配線とは、導電体が配置されているものをいう。線状に伸びていてもよいし、伸びずに
短く配置されていてもよい。したがって、電極は、配線に含まれている。
【０３８４】
配線、電極、導電層、導電膜、端子、ビアおよびプラグなどとして、カーボンナノチュー
ブを用いてもよい。さらに、カーボンナノチューブは、透光性を有しているため、光を透
過させる部分に用いることができる。例えば、画素電極や共通電極として用いることがで
きる。
【０３８５】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０３８６】
同様に、本実施の形態の各々の図で述べた内容（一部でもよい）は、別の実施の形態の
図で述べた内容（一部でもよい）に対して、適用、組み合わせまたは置き換えなどを自由
に行うことができる。さらに、本実施の形態の図の各々の部分に関して、別の実施の形態
の部分を組み合わせることにより、さらに多くの図を構成できる。
【０３８７】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０３８８】
（実施の形態９）
本実施の形態においては、表示装置の構成について説明する。
【０３８９】
図４７（Ａ）を参照して、表示装置の構成について説明する。図４７（Ａ）は、表示装
置の上面図である。
【０３９０】
画素部１７０１０１、走査線側入力端子１７０１０３および信号線側入力端子１７０１
０４が基板１７０１００上に形成されている。また、走査線が、走査線側入力端子１７０
１０３から行方向に延在して基板１７０１００上に形成され、信号線が、信号線側入力端
子１７０１０４から列方向に延在して基板１７０１００上に形成されている。そして、画
素１７０１０２が、画素部１７０１０１に、走査線と信号線が交差する領域に、マトリク
ス状に配置されている。
【０３９１】
ここまで、外付けの駆動回路によって信号を入力する場合について説明してきた。ただ
し、これに限定されず、ＩＣチップを表示装置に実装することができる。
【０３９２】
例えば、図４８（Ａ）に示すように、ＣＯＧ（Ｃｈｉｐ  Ｏｎ  Ｇｌａｓｓ）方式によ
って、ＩＣチップ１７０２０１を、基板１７０１００に実装することができる。この場合
、ＩＣチップ１７０２０１を、基板１７０１００に実装する前に検査できるので、表示装
置の歩留まりの向上を図り、信頼性を高めることができる。なお、図４７（Ａ）の構成と
共通するところは共通の符号を用いて、その説明を省略する。
【０３９３】
別の例として、図４８（Ｂ）に示すように、ＴＡＢ（Ｔａｐｅ  Ａｕｔｏｍａｔｅｄ  
Ｂｏｎｄｉｎｇ）方式によって、ＩＣチップ１７０２０１を、ＦＰＣ（Ｆｌｅｘｉｂｌｅ
Ｐｒｉｎｔｅｄ  Ｃｉｒｃｕｉｔ）１７０２００に実装することができる。この場合、
ＩＣチップ１７０２０１を、ＦＰＣ１７０２００に実装する前に検査できるので、表示装
置の歩留まりの向上を図り、信頼性を高めることができる。なお、図４７（Ａ）の構成と
共通するところは共通の符号を用いて、その説明を省略する。
【０３９４】
ＩＣチップを基板１７０１００に実装するだけでなく、駆動回路を基板１７０１００上
に形成することができる。
【０３９５】
例えば、図４７（Ｂ）に示すように、走査線駆動回路１７０１０５を、基板１７０１０
０上に形成することができる。この場合、部品点数の削減による、コストの低減を図るこ
とができる。また、回路部品との接続点数の低減による、信頼性の向上を図ることができ
る。また、走査線駆動回路１７０１０５は、駆動周波数が低い。そのため、トランジスタ
の半導体層として、非結晶シリコンまたは微結晶シリコンを用いて、走査線駆動回路１７
０１０５を容易に形成することができる。なお、信号線に信号を出力するためのＩＣチッ
プを、基板１７０１００にＣＯＧ方式で実装してもよい。あるいは、信号線に信号を出力
するためのＩＣチップが、ＴＡＢ方式で実装されたＦＰＣを、基板１７０１００に配置し
てもよい。また、走査線駆動回路１７０１０５を制御するためのＩＣチップを、基板１７
０１００にＣＯＧ方式で実装してもよい。あるいは、走査線駆動回路１７０１０５を制御
するためのＩＣチップが、ＴＡＢ方式で実装されたＦＰＣを、基板１７０１００に配置し
てもよい。なお、図４７（Ａ）の構成と共通するところは共通の符号を用いて、その説明
を省略する。
【０３９６】
別の例として、図４７（Ｃ）に示すように、走査線駆動回路１７０１０５および信号線
駆動回路１７０１０６を、基板１７０１００上に形成することができる。その結果、部品
点数の削減による、コストの低減を図ることができる。また、回路部品との接続点数の低
減による、信頼性の向上を図ることができる。なお、走査線駆動回路１７０１０５を制御
するためのＩＣチップを、基板１７０１００にＣＯＧ方式で実装してもよい。あるいは、
走査線駆動回路１７０１０５を制御するためのＩＣチップが、ＴＡＢ方式で実装されたＦ
ＰＣを、基板１７０１００に配置してもよい。また、信号線駆動回路１７０１０６を制御
するためのＩＣチップを、基板１７０１００にＣＯＧ方式で実装してもよい。あるいは、
信号線駆動回路１７０１０６を制御するためのＩＣチップが、ＴＡＢ方式で実装されたＦ
ＰＣを、基板１７０１００に配置してもよい。なお、図４７（Ａ）の構成と共通するとこ
ろは共通の符号を用いて、その説明を省略する。
【０３９７】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０３９８】
同様に、本実施の形態の各々の図で述べた内容（一部でもよい）は、別の実施の形態の
図で述べた内容（一部でもよい）に対して、適用、組み合わせまたは置き換えなどを自由
に行うことができる。さらに、本実施の形態の図の各々の部分に関して、別の実施の形態
の部分を組み合わせることにより、さらに多くの図を構成できる。
【０３９９】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０４００】
（実施の形態１０）
本実施の形態においては、表示装置の駆動方法について説明する。特に、液晶表示装置
の駆動方法について説明する。
【０４０１】
本実施の形態において説明する液晶表示装置に用いることのできる液晶パネルは、液晶
材料を２枚の基板によって挟んだ構造であるとする。２枚の基板は、それぞれ、液晶材料
に印加する電界を制御するための電極を備えている。液晶材料は、外部から印加される電
界によって、光学的および電気的な性質が、変化する材料である。したがって、液晶パネ
ルは、基板が有する電極を用いて、液晶材料に印加する電圧を制御することによって、所
望の光学的および電気的な性質を得ることができるデバイスである。そして、多数の電極
を平面的に並置することで、それぞれを画素とし、画素に印加する電圧を個別に制御する
ことにより、精細な画像を液晶パネルに表示できる。
【０４０２】
ここで、電界の変化に対する液晶材料の応答時間は、２枚の基板の間隔（セルギャップ
）および液晶材料の種類等に依存するが、一般的に数ミリ秒から数十ミリ秒である。さら
に、電界の変化量が小さい場合は、液晶材料の応答時間はさらに長くなる。この性質は、
液晶パネルによって動きのある画像を表示する場合に、残像、尾引きおよびコントラスト
の低下といった画像表示上の障害を引き起こし、特に中間調から別の中間調へ変化する場
合（電界の変化が小さい）場合に、前述の障害の程度が著しくなる。
【０４０３】
一方、アクティブマトリクスを用いた液晶パネルに特有の問題として、定電荷駆動によ
る書き込み電圧の変化がある。以下に、本実施の形態における、定電荷駆動について説明
する。
【０４０４】
アクティブマトリクスにおける画素回路は、書き込みを制御するスイッチと、電荷を保
持する容量素子を含む。アクティブマトリクスにおける画素回路の駆動方法は、スイッチ
をオン状態として所定の電圧を画素回路に書き込んだ後、直ちにスイッチをオフ状態とし
て画素回路内の電荷を保持する（ホールド状態）というものである。ホールド状態時、画
素回路の内部と外部では、電荷のやり取りが行なわれない（定電荷）。通常、スイッチが
オン状態となっている期間に比べて、オフ状態となっている期間は数百（走査線本数）倍
程度長い。そのため、画素回路のスイッチは、ほとんどオフ状態となっていると考えてよ
い。以上より、本実施の形態における定電荷駆動とは、液晶パネルの駆動時、画素回路は
ほとんどの期間においてホールド状態である駆動方法であるとする。
【０４０５】
次に、液晶材料の電気的特性について説明する。液晶材料は、外部から印加される電界
が変化すると、光学的性質が変化するのと同時に、誘電率も変化する。すなわち、液晶パ
ネルの各画素を２枚の電極に挟まれた容量素子（液晶素子）として考えたとき、当該容量
素子は、印加される電圧によって静電容量が変化する容量素子である。この現象を、ダイ
ナミックキャパシタンスと呼ぶこととする。
【０４０６】
このように、印加される電圧によって静電容量が変化する容量素子を、上述した定電荷
駆動によって駆動する場合、次のような問題が生じる。電荷の移動が行なわれないホール
ド状態において、液晶素子の静電容量が変化すると、印加される電圧も変化してしまうと
いう問題である。これは、（電荷量）＝（静電容量）×（印加電圧）という関係式におい
て、電荷量が一定であるということから理解できる。
【０４０７】
以上の理由により、アクティブマトリクスを用いた液晶パネルでは、定電荷駆動である
ことによって、ホールド状態時における電圧が、書き込み時における電圧から変化してし
まう。その結果、液晶素子の透過率の変化は、ホールド状態を取らない駆動法における変
化とは異なったものとなる。この様子を示したのが、図４５である。図４５（Ａ）は、横
軸に時間、縦軸に電圧の絶対値をとり、画素回路に書き込む電圧の制御例を表したもので
ある。図４５（Ｂ）は、横軸に時間、縦軸に電圧をとった場合の、画素回路に書き込む電
圧の制御例を表したものである。図４５（Ｃ）は、横軸に時間、縦軸に液晶素子の透過率
をとり、図４５（Ａ）または図４５（Ｂ）によって表した電圧を画素回路に書き込んだ場
合の、液晶素子の透過率の時間変化を表したものである。図４５（Ａ）〜図４５（Ｃ）に
おいて、期間Ｆは電圧の書き換え周期を表し、電圧を書き換える時刻をｔ１、ｔ２、ｔ３
、ｔ４として説明する。
【０４０８】
ここで、液晶表示装置に入力される画像データに対応する書き込み電圧は、時刻０にお
ける書き換えでは｜Ｖ１｜、時刻ｔ１、ｔ２、ｔ３、ｔ４における書き換えでは｜Ｖ２｜
であるとする（図４５（Ａ）参照）。
【０４０９】
液晶表示装置に入力される画像データに対応する書き込み電圧は、その極性を周期的に
入れ替えてもよい（反転駆動：図４５（Ｂ）参照）。この方法によって、液晶に直流電圧
をできるだけ印加しないようにすることができるので、液晶素子の劣化による焼きつきな
どを防ぐことができる。なお、極性を入れ替える周期（反転周期）は、電圧の書き換え周
期と同じでもよい。この場合は、反転周期が短いので、反転駆動によるフリッカの発生を
低減することができる。さらに、反転周期は、電圧の書き換え周期の整数倍の周期であっ
てもよい。この場合は、反転周期が長く、極性を変えて電圧を書き込む頻度を減少させる
ことができるため、消費電力を低減することができる。
【０４１０】
そして、図４５（Ａ）または図４５（Ｂ）に示したような電圧を液晶素子に印加したと
きの液晶素子の透過率の時間変化を、図４５（Ｃ）に示す。ここで、液晶素子に電圧｜Ｖ
１｜が印加され、十分時間が経過した後の液晶素子の透過率をＴＲ１とする。同様に、液
晶素子に電圧｜Ｖ２｜が印加され、十分時間が経過した後の液晶素子の透過率をＴＲ２と
する。時刻ｔ１において、液晶素子に印加される電圧が｜Ｖ１｜から｜Ｖ２｜に変化する
と、液晶素子の透過率は、破線３０４０１に示したように、すぐにＴＲ２とはならず、ゆ
っくりと変化する。たとえば、電圧の書き換え周期が、６０Ｈｚの画像信号のフレーム周
期（１６．７ミリ秒）と同じであるとき、透過率がＴＲ２に変化するまでは、数フレーム
程度の時間が必要となる。
【０４１１】
ただし、破線３０４０１に示したような、滑らかな透過率の時間変化は、液晶素子に正
確に電圧｜Ｖ２｜が印加されたときのものである。実際の液晶パネル、たとえば、アクテ
ィブマトリクスを用いた液晶パネルでは、定電荷駆動であることによって、ホールド状態
時における電圧が、書き込み時における電圧から変化してしまうため、液晶素子の透過率
は破線３０４０１に示したような時間変化とはならず、かわりに、実線３０４０２に示し
たような、段階的な時間変化となる。これは、定電荷駆動であることによって電圧が変化
してしまうため、１回の書き込みでは目的の電圧に到達することができないためである。
その結果、液晶素子の透過率の応答時間は、本来の応答時間（破線３０４０１）よりも、
見かけ上、さらに長くなってしまい、残像、尾引きおよびコントラストの低下といった画
像表示上の障害を顕著に引き起こしてしまうということになる。
【０４１２】
オーバードライブ駆動を用いることによって、液晶素子の本来の応答時間の長さと、ダ
イナミックキャパシタンスおよび定電荷駆動による書き込み不足に起因する、見かけ上の
応答時間がさらに長くなる現象を、同時に解決することができる。この様子を示したのが
、図４６である。図４６（Ａ）は、横軸に時間、縦軸に電圧の絶対値をとり、画素回路に
書き込む電圧の制御例を表したものである。図４６（Ｂ）は、横軸に時間、縦軸に電圧を
とった場合の、画素回路に書き込む電圧の制御例を表したものである。図４６（Ｃ）は、
横軸に時間、縦軸に液晶素子の透過率をとり、図４６（Ａ）または図４６（Ｂ）によって
表した電圧を画素回路に書き込んだ場合の、液晶素子の透過率の時間変化を表したもので
ある。図４６（Ａ）〜図４６（Ｃ）において、期間Ｆは電圧の書き換え周期を表し、電圧
を書き換える時刻をｔ１、ｔ２、ｔ３、ｔ４として説明する。
【０４１３】
ここで、液晶表示装置に入力される画像データに対応する書き込み電圧は、時刻０にお
ける書き換えでは｜Ｖ１｜、時刻ｔ１における書き換えでは｜Ｖ３｜、時刻ｔ２、ｔ３、
ｔ４における書き換えでは｜Ｖ２｜であるとする（図４６（Ａ）参照）。
【０４１４】
液晶表示装置に入力される画像データに対応する書き込み電圧は、その極性を周期的に
入れ替えてもよい（反転駆動：図４６（Ｂ）参照）。この方法によって、液晶に直流電圧
をできるだけ印加しないようにすることができるので、液晶素子の劣化による焼きつきな
どを防ぐことができる。なお、極性を入れ替える周期（反転周期）は、電圧の書き換え周
期と同じでもよい。この場合は、反転周期が短いので、反転駆動によるフリッカの発生を
低減することができる。さらに、反転周期は、電圧の書き換え周期の整数倍の周期であっ
てもよい。この場合は、反転周期が長く、極性を変えて電圧を書き込む頻度を減少させる
ことができるため、消費電力を低減することができる。
【０４１５】
そして、図４６（Ａ）または図４６（Ｂ）に示したような電圧を液晶素子に印加したと
きの液晶素子の透過率の時間変化を、図４６（Ｃ）に示す。ここで、液晶素子に電圧｜Ｖ
１｜が印加され、十分時間が経過した後の液晶素子の透過率をＴＲ１とする。同様に、液
晶素子に電圧｜Ｖ２｜が印加され、十分時間が経過した後の液晶素子の透過率をＴＲ２と
する。同様に、液晶素子に電圧｜Ｖ３｜が印加され、十分時間が経過した後の液晶素子の
透過率をＴＲ３とする。時刻ｔ１において、液晶素子に印加される電圧が｜Ｖ１｜から｜
Ｖ３｜に変化すると、液晶素子の透過率は、破線３０５０１に示したように、数フレーム
をかけて透過率をＴＲ３まで変化しようとする。しかし、電圧｜Ｖ３｜の印加は時刻ｔ２
で終わり、時刻ｔ２より後は、電圧｜Ｖ２｜が印加される。そのため、液晶素子の透過率
は破線３０５０１に示したようにはならず、実線３０５０２に示したようになる。ここで
、時刻ｔ２の時点において、透過率が概ねＴＲ２となっているように、電圧｜Ｖ３｜の値
を設定するのが好ましい。ここで、電圧｜Ｖ３｜を、オーバードライブ電圧とも呼ぶこと
とする。
【０４１６】
オーバードライブ電圧である｜Ｖ３｜を変化させれば、液晶素子の応答時間をある程度
制御することができる。なぜならば、液晶素子の応答時間は、電界の強さによって変化す
るからである。具体的には、電界が強いほど、液晶素子の応答時間は短くなり、電界が弱
いほど、液晶素子の応答時間は長くなる。
【０４１７】
オーバードライブ電圧である｜Ｖ３｜は、電圧の変化量、すなわち、目的とする透過率
ＴＲ１およびＴＲ２を与える電圧｜Ｖ１｜および｜Ｖ２｜、にしたがって変化させるのが
好ましい。なぜならば、液晶素子の応答時間が電圧の変化量によって変わってしまっても
、オーバードライブ電圧である｜Ｖ３｜をそれに合わせて変化させれば、常に最適な応答
時間を得ることができるからである。
【０４１８】
オーバードライブ電圧である｜Ｖ３｜は、ＴＮ、ＶＡ、ＩＰＳ、ＯＣＢ等の液晶素子の
モードによって変化させるのが好ましい。なぜならば、液晶素子の応答速度が液晶のモー
ドによって異なってしまっても、オーバードライブ電圧である｜Ｖ３｜をそれに合わせて
変化させれば、常に最適な応答時間を得ることができるからである。
【０４１９】
電圧書き換え周期Ｆは、入力信号のフレーム周期と同じでもよい。この場合は、液晶表
示装置の周辺駆動回路を簡単にできるため、製造コストの低い液晶表示装置を得ることが
できる。
【０４２０】
電圧書き換え周期Ｆは、入力信号のフレーム周期よりも短くてもよい。例えば、電圧書
き換え周期Ｆは入力信号のフレーム周期の１／２倍でもよいし、１／３倍でもよいし、そ
れ以下でもよい。この方法は、黒挿入駆動、バックライト点滅、バックライトスキャン、
動き補償による中間画像挿入駆動など、液晶表示装置のホールド駆動に起因する動画品質
の低下の対策法と合わせて用いるのが効果的である。すなわち、液晶表示装置のホールド
駆動に起因する動画品質の低下の対策法は、要求される液晶素子の応答時間が短いため、
本実施の形態で説明したオーバードライブ駆動法を用いることで、比較的容易に液晶素子
の応答時間を短くすることができる。液晶素子の応答時間は、セルギャップ、液晶材料お
よび液晶素子のモードなどによって本質的に短くすることは可能ではあるが、技術的に困
難である。そのため、オーバードライブのような駆動方法で液晶素子の応答時間を短くす
る方法を用いることは、非常に重要である。
【０４２１】
電圧書き換え周期Ｆは、入力信号のフレーム周期よりも長くてもよい。たとえば、電圧
書き換え周期Ｆは入力信号のフレーム周期の２倍でもよいし、３倍でもよいし、それ以上
でもよい。この方法は、長期間電圧の書き換えが行なわれないか否かを判断する手段（回
路）と合わせて用いるのが効果的である。すなわち、長期間電圧の書き換えが行なわれな
い場合は、電圧の書き換え動作自体を行わないことによって、回路の動作をその期間中は
停止させることができるので、消費電力の低い液晶表示装置を得ることができる。
【０４２２】
次に、オーバードライブ電圧｜Ｖ３｜を、目的とする透過率ＴＲ１およびＴＲ２を与え
る電圧｜Ｖ１｜および｜Ｖ２｜にしたがって変化させるための具体的な方法について説明
する。
【０４２３】
オーバードライブ回路は、目的とする透過率ＴＲ１およびＴＲ２を与える電圧｜Ｖ１｜
および｜Ｖ２｜にしたがって、オーバードライブ電圧｜Ｖ３｜を適切に制御するための回
路であるため、オーバードライブ回路に入力される信号は、透過率ＴＲ１を与える電圧｜
Ｖ１｜に関係する信号と、透過率ＴＲ２を与える電圧｜Ｖ２｜に関係する信号であり、オ
ーバードライブ回路から出力される信号は、オーバードライブ電圧｜Ｖ３｜に関係する信
号となる。ここで、これらの信号としては、液晶素子に印加する電圧（｜Ｖ１｜、｜Ｖ２
｜、｜Ｖ３｜）のようなアナログの電圧値であってもよいし、液晶素子に印加する電圧を
与えるためのデジタル信号であってもよい。ここでは、オーバードライブ回路に関係する
信号はデジタル信号であるとして説明する。
【０４２４】
まず、図８２（Ａ）を参照して、オーバードライブ回路の全体的な構成について説明す
る。ここでは、オーバードライブ電圧を制御するための信号として、入力画像信号３０１
０１ａおよび３０１０１ｂを用いる。これらの信号を処理した結果、オーバードライブ電
圧を与える信号として、出力画像信号３０１０４が出力されるとする。
【０４２５】
目的とする透過率ＴＲ１およびＴＲ２を与える電圧｜Ｖ１｜および｜Ｖ２｜は、互いに
隣り合ったフレームにおける画像信号であるため、入力画像信号３０１０１ａおよび３０
１０１ｂも、同様に互いに隣り合ったフレームにおける画像信号であることが好ましい。
このような信号を得るためには、入力画像信号３０１０１ａを、図８２（Ａ）における遅
延回路３０１０２に入力し、その結果出力される信号を、入力画像信号３０１０１ｂとす
ることができる。遅延回路３０１０２としては、たとえば、メモリが挙げられる。すなわ
ち、入力画像信号３０１０１ａを１フレーム分遅延させるために、メモリに当該入力画像
信号３０１０１ａを記憶させておき、同時に、１つ前のフレームにおいて記憶させておい
た信号を、入力画像信号３０１０１ｂとしてメモリから取り出し、入力画像信号３０１０
１ａと、入力画像信号３０１０１ｂを、同時に補正回路３０１０３に入力することで、互
いに隣り合ったフレームにおける画像信号を扱えるようにすることができる。そして、互
いに隣り合ったフレームにおける画像信号を、補正回路３０１０３に入力することで、出
力画像信号３０１０４を得ることができる。なお、遅延回路３０１０２としてメモリを用
いたときは、１フレーム分遅延させるために、１フレーム分の画像信号を記憶できる容量
を持ったメモリ（すなわち、フレームメモリ）とすることができる。こうすることで、メ
モリ容量の過不足なく、遅延回路としての機能を有することができる。
【０４２６】
次に、メモリの容量を削減することを主な目的として構成された遅延回路３０１０２に
ついて説明する。遅延回路３０１０２としてこのような回路を用いることで、メモリの容
量を削減することができるため、製造コストを低減することができる。
【０４２７】
このような特徴を持つ遅延回路３０１０２として、具体的には、図８２（Ｂ）に示すよ
うなものを用いることができる。図８２（Ｂ）に示す遅延回路３０１０２は、エンコーダ
３０１０５、メモリ３０１０６およびデコーダ３０１０７を有する。
【０４２８】
図８２（Ｂ）に示す遅延回路３０１０２の動作としては、次のようなものとなる。まず
、入力画像信号３０１０１ａを、メモリ３０１０６に記憶させる前に、エンコーダ３０１
０５によって、圧縮処理を行なう。これによって、メモリ３０１０６に記憶させるべきデ
ータのサイズを減らすことができる。その結果、メモリの容量を削減することができるた
め、製造コストを低減することができる。そして、圧縮処理を施された画像信号は、デコ
ーダ３０１０７に送られ、ここで伸張処理を行なう。これによって、エンコーダ３０１０
５によって圧縮処理された前の信号を復元することができる。ここで、エンコーダ３０１
０５およびデコーダ３０１０７によって行なわれる圧縮伸張処理は、可逆的な処理であっ
てもよい。こうすることで、圧縮伸張処理を行なった後でも画像信号の劣化がないため、
最終的に装置に表示される画像の品質を落とすことなく、メモリの容量を削減することが
できる。さらに、エンコーダ３０１０５およびデコーダ３０１０７によって行なわれる圧
縮伸張処理は、非可逆的な処理であってもよい。こうすることで、圧縮後の画像信号のデ
ータのサイズを非常に小さくすることができるため、メモリの容量を大幅に削減すること
ができる。
【０４２９】
メモリの容量を削減するための方法としては、上に挙げたもの以外にも、さまざまな方
法を用いることができる。エンコーダによって画像圧縮するのではなく、画像信号が有す
る色情報を削減する（たとえば、２６万色から６万５千色に減色する）、またはデータ量
を削減する（解像度を小さくする）、などの方法を用いることができる。
【０４３０】
次に、補正回路３０１０３の具体例について、図８２（Ｃ）〜図８２（Ｅ）を参照して
説明する。補正回路３０１０３は、２つの入力画像信号から、ある値の出力画像信号を出
力するための回路である。ここで、２つの入力画像信号と、出力画像信号の関係が非線形
であり、簡単な演算で求めることが難しい場合には、補正回路３０１０３として、ルック
アップテーブル（ＬＵＴ）を用いてもよい。ＬＵＴには、２つの入力画像信号と、出力画
像信号の関係が、測定によってあらかじめ求められているため、２つの入力画像信号に対
応する出力画像信号を、ＬＵＴを参照するだけで求めることができる（図８２（Ｃ）参照
）。補正回路３０１０３として、ＬＵＴ３０１０８を用いることで、複雑な回路設計等を
行なうことなく、補正回路３０１０３を実現することができる。
【０４３１】
ＬＵＴ３０１０８はメモリの１つであるため、メモリ容量をできるだけ削減することが
、製造コストを低減する上で、好ましい。それを実現するための補正回路３０１０３の例
として、図８２（Ｄ）に示す回路が考えられる。図８２（Ｄ）に示す補正回路３０１０３
は、ＬＵＴ３０１０９および加算器３０１１０を有する。ＬＵＴ３０１０９には、入力画
像信号３０１０１ａと、出力するべき出力画像信号３０１０４の差分データが格納されて
いる。つまり、入力画像信号３０１０１ａおよび入力画像信号３０１０１ｂから、対応す
る差分データをＬＵＴ３０１０９から取り出し、取り出した差分データと入力画像信号３
０１０１ａを、加算器３０１１０によって加算することで、出力画像信号３０１０４を得
ることができる。なお、ＬＵＴ３０１０９に格納するデータを差分データとすることで、
ＬＵＴ３０１０９のメモリ容量の削減が実現できる。なぜならば、そのままの出力画像信
号３０１０４よりも、差分データの方がデータサイズは小さいため、ＬＵＴ３０１０９に
必要なメモリ容量を小さくできるからである。
【０４３２】
さらに、出力画像信号が、２つの入力画像信号の四則演算等の簡単な演算によって求め
られるならば、加算器、減算器、乗算器などの簡単な回路の組み合わせによって実現でき
る。その結果、ＬＵＴを用いる必要が無くなり、製造コストを大幅に低減することができ
る。このような回路としては、図８２（Ｅ）に示す回路を挙げることができる。図８２（
Ｅ）に示す補正回路３０１０３は、減算器３０１１１、乗算器３０１１２および加算器３
０１１３を有する。まず、入力画像信号３０１０１ａと、入力画像信号３０１０１ｂの差
分を、減算器３０１１１によって求める。その後、乗算器３０１１２によって、適切な係
数を差分値に乗ずる。そして、入力画像信号３０１０１ａに、適切な係数を乗じた差分値
を、加算器３０１１３によって加算することで、出力画像信号３０１０４を得ることがで
きる。このような回路を用いることによって、ＬＵＴを用いる必要が無くなり、製造コス
トを大幅に低減することができる。
【０４３３】
ある条件の下で、図８２（Ｅ）に示す補正回路３０１０３を用いることによって、不適
切な出力画像信号３０１０４を出力することを防止することができる。その条件とは、オ
ーバードライブ電圧を与える出力画像信号３０１０４と、入力画像信号３０１０１ａおよ
び入力画像信号３０１０１ｂの差分値に、線形性があることである。そして、この線形性
の傾きを、乗算器３０１１２によって乗ずる係数とする。すなわち、このような性質を持
つ液晶素子に、図８２（Ｅ）に示す補正回路３０１０３を用いることが好ましい。このよ
うな性質を持つ液晶素子としては、応答速度の階調依存性の小さい、ＩＰＳモードの液晶
素子が挙げられる。このように、例えば、ＩＰＳモードの液晶素子に図８２の（Ｅ）に示
す補正回路３０１０３を用いることによって、製造コストを大幅に低減でき、かつ、不適
切な出力画像信号３０１０４を出力することを防止することができるオーバードライブ回
路を得ることができる。
【０４３４】
図８２（Ａ）〜図８２（Ｅ）に示した回路と同等の働きを、ソフトウェア処理によって
実現してもよい。遅延回路に用いるメモリについては、液晶表示装置が有する他のメモリ
、液晶表示装置に表示する画像を送り出す側の装置（たとえば、パーソナルコンピュータ
やそれに準じた装置が有するビデオカード等）が有するメモリ等を流用することができる
。こうすることで、製造コストを低減できるだけでなく、オーバードライブの強さや利用
する状況などを、ユーザが好みに応じて選択できるようにすることができる。
【０４３５】
次に、コモン線の電位を操作する駆動について、図８３を参照して説明する。図８３（
Ａ）は、液晶素子のような容量的な性質を持つ表示素子を用いた表示装置において、走査
線一本に対し、コモン線が一本配置されているときの、複数の画素回路を表した図である
。図８３（Ａ）に示す画素回路は、トランジスタ３０２０１、補助容量３０２０２、表示
素子３０２０３、映像信号線３０２０４、走査線３０２０５およびコモン線３０２０６を
備えている。
【０４３６】
トランジスタ３０２０１のゲート電極は、走査線３０２０５に電気的に接続され、トラ
ンジスタ３０２０１のソース電極およびドレイン電極の一方は、映像信号線３０２０４に
電気的に接続され、トランジスタ３０２０１のソース電極およびドレイン電極の他方は、
補助容量３０２０２の一方の電極、および表示素子３０２０３の一方の電極に電気的に接
続されている。また、補助容量３０２０２の他方の電極は、コモン線３０２０６に電気的
に接続されている。
【０４３７】
まず、走査線３０２０５によって選択された画素は、トランジスタ３０２０１がオンと
なるため、それぞれ、映像信号線３０２０４を介して、表示素子３０２０３および補助容
量３０２０２に映像信号に対応した電圧がかかる。このとき、その映像信号が、コモン線
３０２０６に接続された全ての画素に対して最低階調を表示させるものだった場合、ある
いは、コモン線３０２０６に接続された全ての画素に対して最高階調を表示させるものだ
った場合は、画素にそれぞれ映像信号線３０２０４を介して、映像信号を書き込む必要は
ない。映像信号線３０２０４を介して映像信号を書き込む代わりに、コモン線３０２０６
の電位を動かすことで、表示素子３０２０３にかかる電圧を変えることができる。
【０４３８】
次に、図８３（Ｂ）は、液晶素子のような容量的な性質を持つ表示素子を用いた表示装
置において、走査線一本に対し、コモン線が２本配置されているときの、複数の画素回路
を表した図である。図８３（Ｂ）に示す画素回路は、トランジスタ３０２１１、補助容量
３０２１２、表示素子３０２１３、映像信号線３０２１４、走査線３０２１５、第１のコ
モン線３０２１６および第２のコモン線３０２１７を備えている。
【０４３９】
トランジスタ３０２１１のゲート電極は、走査線３０２１５に電気的に接続され、トラ
ンジスタ３０２１１のソース電極およびドレイン電極の一方は、映像信号線３０２１４に
電気的に接続され、トランジスタ３０２１１のソース電極およびドレイン電極の他方は、
補助容量３０２１２の一方の電極、および表示素子３０２１３の一方の電極に電気的に接
続されている。また、補助容量３０２１２の他方の電極は、第１のコモン線３０２１６に
電気的に接続されている。また、当該画素と隣接する画素においては、補助容量３０２１
２の他方の電極は、第２のコモン線３０２１７に電気的に接続されている。
【０４４０】
図８３（Ｂ）に示す画素回路は、コモン線一本に対し電気的に接続されている画素が少
ないため、映像信号線３０２１４を介して映像信号を書き込む代わりに、第１のコモン線
３０２１６または第２のコモン線３０２１７の電位を動かすことで、表示素子３０２１３
にかかる電圧を変えることができる頻度が、顕著に大きくなる。また、ソース反転駆動ま
たはドット反転駆動が可能になる。ソース反転駆動またはドット反転駆動により、素子の
信頼性を向上させつつ、フリッカを抑えることができる。
【０４４１】
次に、走査型バックライトについて、図８４を参照して説明する。図８４（Ａ）は、冷
陰極管を並置した、走査型バックライトを示す図である。図８４（Ａ）に示す走査型バッ
クライトは、拡散板３０３０１と、Ｎ個の冷陰極管３０３０２―１から３０３０２―Ｎと
、を備える。Ｎ個の冷陰極管３０３０２―１から３０３０２―Ｎを、拡散板３０３０１の
後ろに並置することで、Ｎ個の冷陰極管３０３０２―１から３０３０２―Ｎは、その輝度
を変化させて走査することができる。
【０４４２】
走査するときの各冷陰極管の輝度の変化を、図８４（Ｃ）を用いて説明する。まず、冷
陰極管３０３０２―１の輝度を、一定時間変化させる。その後、冷陰極管３０３０２―１
の隣に配置された冷陰極管３０３０２―２の輝度を、同じ時間だけ変化させる。このよう
に、冷陰極管３０３０２―１から３０３０２―Ｎまで、輝度を順に変化させる。なお、図
８４（Ｃ）においては、一定時間変化させる輝度は、元の輝度より小さいものとしたが、
元の輝度より大きくてもよい。また、冷陰極管３０３０２―１から３０３０２―Ｎまで走
査するとしたが、逆方向に冷陰極管３０３０２―Ｎから３０３０２―１まで走査してもよ
い。
【０４４３】
図８４（Ｃ）のように駆動することで、バックライトの平均輝度を小さくすることがで
きる。したがって、液晶表示装置の消費電力の大部分を占める、バックライトの消費電力
を低減することができる。
【０４４４】
走査型バックライトの光源として、ＬＥＤを用いてもよい。その場合の走査型バックラ
イトは、図８４（Ｂ）のようになる。図８４（Ｂ）に示す走査型バックライトは、拡散板
３０３１１と、ＬＥＤを並置した光源３０３１２―１から３０３１２―Ｎと、を備える。
走査型バックライトの光源として、ＬＥＤを用いた場合、バックライトを薄く、軽くでき
る利点がある。また、色再現範囲を広げることができるという利点がある。さらに、ＬＥ
Ｄを並置した光源３０３１２―１から３０３１２―Ｎのそれぞれに並置したＬＥＤも、同
様に走査することができるので、点走査型のバックライトとすることもできる。点走査型
とすれば、動画像の画質をさらに向上させることができる。
【０４４５】
バックライトの光源としてＬＥＤを用いた場合も、図８４（Ｃ）に示すように輝度を変
化させて駆動することができる。
【０４４６】
次に、高周波駆動について、図８５を参照して説明する。図８５（Ａ）は、１フレーム
期間３０４００に１つの画像および１つの中間画像を表示するときの図である。３０４０
１は当該フレームの画像、３０４０２は当該フレームの中間画像、３０４０３は次フレー
ムの画像、３０４０４は次フレームの中間画像である。
【０４４７】
当該フレームの中間画像３０４０２は、当該フレームおよび次フレームの映像信号を元
に作成された画像であってもよい。また、当該フレームの中間画像３０４０２は、当該フ
レームの画像３０４０１から作成された画像であってもよい。また、当該フレームの中間
画像３０４０２は、黒画像であってもよい。こうすることで、ホールド型表示装置の動画
像の画質を向上できる。また、１フレーム期間３０４００に１つの画像および１つの中間
画像を表示する場合は、映像信号のフレームレートと整合性が取り易く、画像処理回路が
複雑にならないという利点がある。
【０４４８】
図８５（Ｂ）は、１フレーム期間３０４００が２つ連続する期間（２フレーム期間）に
１つの画像および２つの中間画像を表示するときの図である。３０４１１は当該フレーム
の画像、３０４１２は当該フレームの中間画像、３０４１３は次フレームの中間画像、３
０４１４は次々フレームの画像である。
【０４４９】
当該フレームの中間画像３０４１２および次フレームの中間画像３０４１３は、当該フ
レーム、次フレーム、次々フレームの映像信号を元に作成された画像であってもよい。ま
た、当該フレームの中間画像３０４１２および次フレームの中間画像３０４１３は、黒画
像であってもよい。２フレーム期間に１つの画像および２つの中間画像を表示する場合は
、周辺駆動回路の動作周波数をそれほど高速化することなく、効果的に動画像の画質を向
上できるという利点がある。
【０４５０】
本実施の形態において、様々な図を用いて述べてきたが、各々の図で述べた内容（一部
でもよい）は、別の図で述べた内容（一部でもよい）に対して、適用、組み合わせまたは
置き換えなどを自由に行うことが出来る。さらに、これまでに述べた図において、各々の
部分に関して、別の部分を組み合わせることにより、さらに多くの図を構成できる。
【０４５１】
本実施の形態の各々の図で述べた内容（一部でもよい）は、別の実施の形態の図で述べ
た内容（一部でもよい）対して、適用、組み合わせまたは置き換えなどを自由に行うこと
が出来る。さらに、本実施の形態の図において、各々の部分に関して、別の実施の形態の
部分を組み合わせることにより、さらに多くの図を構成できる。
【０４５２】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０４５３】
（実施の形態１１）
本実施の形態においては、液晶パネルの周辺部について説明する。
【０４５４】
図４９は、エッジライト式と呼ばれるバックライトユニット２０１０１と、液晶パネル
２０１０７と、を有している液晶表示装置の一例を示す図である。エッジライト式とは、
バックライトユニットの端部に光源を配置し、その光源の蛍光を発光面全体から放射する
方式である。エッジライト式のバックライトユニット２０１０１は、薄型で省電力化を図
ることができる。
【０４５５】
バックライトユニット２０１０１は、拡散板２０１０２、導光板２０１０３、反射板２
０１０４、ランプリフレクタ２０１０５および光源２０１０６によって構成される。
【０４５６】
光源２０１０６は必要に応じて発光する機能を有している。例えば、光源２０１０６と
しては冷陰極管、熱陰極管、発光ダイオード、無機ＥＬ素子または有機ＥＬ素子などが用
いられる。
【０４５７】
図５０（Ａ）、（Ｂ）、（Ｃ）および（Ｄ）は、エッジライト式のバックライトユニッ
トの詳細な構成を示す図である。なお、拡散板、導光板および反射板などはその説明を省
略する。
【０４５８】
図５０（Ａ）に示すバックライトユニット２０２０１は、光源として冷陰極管２０２０
３を用いた構成である。冷陰極管２０２０３からの光を効率よく反射させるため、ランプ
リフレクタ２０２０２が設けられている。このような構成は、冷陰極管２０２０３からの
輝度が高いため、大型表示装置に用いることが多い。
【０４５９】
図５０（Ｂ）に示すバックライトユニット２０２１１は、光源として発光ダイオード（
ＬＥＤ）２０２１３を用いた構成である。例えば、白色に発する発光ダイオード（ＬＥＤ
）２０２１３が、所定の間隔に配置される。そして、発光ダイオード（ＬＥＤ）２０２１
３からの光を効率よく反射させるため、ランプリフレクタ２０２１２が設けられている。
【０４６０】
図５０（Ｃ）に示すバックライトユニット２０２２１は、光源として各色ＲＧＢの発光
ダイオード（ＬＥＤ）２０２２３、発光ダイオード（ＬＥＤ）２０２２４および発光ダイ
オード（ＬＥＤ）２０２２５を用いた構成である。各色ＲＧＢの発光ダイオード（ＬＥＤ
）２０２２３、発光ダイオード（ＬＥＤ）２０２２４および発光ダイオード（ＬＥＤ）２
０２２５は、それぞれ所定の間隔に配置される。各色ＲＧＢの発光ダイオード（ＬＥＤ）
２０２２３、発光ダイオード（ＬＥＤ）２０２２４および発光ダイオード（ＬＥＤ）２０
２２５を用いることによって、色再現性を高くすることができる。そして、発光ダイオー
ドからの光を効率よく反射させるため、ランプリフレクタ２０２２２が設けられている。
【０４６１】
図５０（Ｄ）に示すバックライトユニット２０２３１は、光源として各色ＲＧＢの発光
ダイオード（ＬＥＤ）２０２３３、発光ダイオード（ＬＥＤ）２０２３４および発光ダイ
オード（ＬＥＤ）２０２３５を用いた構成である。例えば、各色ＲＧＢの発光ダイオード
（ＬＥＤ）２０２３３、発光ダイオード（ＬＥＤ）２０２３４および発光ダイオード（Ｌ
ＥＤ）２０２３５のうち、発光強度の低い色（例えば緑）は他の発光ダイオードよりも多
く配置されている。各色ＲＧＢの発光ダイオード（ＬＥＤ）２０２３３、発光ダイオード
（ＬＥＤ）２０２３４および発光ダイオード（ＬＥＤ）２０２３５を用いることによって
、色再現性を高くすることができる。そして、発光ダイオードからの光を効率よく反射さ
せるため、ランプリフレクタ２０２３２が設けられている。
【０４６２】
図５３は、直下型と呼ばれるバックライトユニットと、液晶パネルと、を有する液晶表
示装置の一例を示す図である。直下式とは、発光面の直下に光源を配置することで、その
光源の蛍光を発光面全体から放射する方式である。直下式のバックライトユニットは、発
光光量を効率よく利用することができる。
【０４６３】
バックライトユニット２０５００は、拡散板２０５０１、遮光板２０５０２、ランプリ
フレクタ２０５０３、光源２０５０４および液晶パネル２０５０５によって構成される。
【０４６４】
光源２０５０４は、必要に応じて発光する機能を有している。例えば、光源２０５０４
としては、冷陰極管、熱陰極管、発光ダイオード、無機ＥＬ素子または有機ＥＬ素子など
が用いられる。
【０４６５】
図５１は、偏光板（偏光フィルムともいう）の構成の一例を示す図である。
【０４６６】
偏光フィルム２０３００は、保護フィルム２０３０１、基板フィルム２０３０２、ＰＶ
Ａ偏光フィルム２０３０３、基板フィルム２０３０４、粘着剤層２０３０５および離型フ
ィルム２０３０６を有する。
【０４６７】
ＰＶＡ偏光フィルム２０３０３は、両側を基材となるフィルム（基板フィルム２０３０
２および基板フィルム２０３０４）で挟むことで、信頼性を増すことができる。なお、Ｐ
ＶＡ偏光フィルム２０３０３は、高透明性、高耐久性のトリアセチルセルロース（ＴＡＣ
）フィルムに挟まれていてもよい。なお、基板フィルムおよびＴＡＣフィルムは、ＰＶＡ
偏光フィルム２０３０３が有する偏光子の保護層として機能する。
【０４６８】
一方の基板フィルム（基板フィルム２０３０４）には、液晶パネルのガラス基板に貼る
ための粘着剤層２０３０５が貼られている。なお、粘着剤層２０３０５は、粘着剤を片側
の基板フィルム（基板フィルム２０３０４）に塗布することで形成される。粘着剤層２０
３０５には、離形フィルム２０３０６（セパレートフィルム）が備えられている。
【０４６９】
他方の基板フィルム（基板フィルム２０３０２）には、保護フィルム２０３０１が備え
られている。
【０４７０】
偏光フィルム２０３００表面に、ハードコート散乱層（アンチグレア層）が備えられて
いてもよい。ハードコート散乱層は、ＡＧ処理によって表面に微細な凹凸が形成されてお
り、外光を散乱させる防眩機能を有するため、液晶パネルへの外光の映り込みを防ぐこと
ができる。また、表面反射を防ぐことができる。
【０４７１】
偏光フィルム２０３００表面に、複数の屈折率の異なる光学薄膜層を多層化（アンチリ
フレクション処理、もしくはＡＲ処理ともいう）してもよい。多層化された複数の屈折率
の異なる光学薄膜層は、光の干渉効果によって表面の反射率を低減することができる。
【０４７２】
図５２は、液晶表示装置のシステムブロックの一例を示す図である。
【０４７３】
画素部２０４０５には、信号線２０４１２が、信号線駆動回路２０４０３から延伸して
配置されている。画素部２０４０５には、走査線２０４１０が、走査線駆動回路２０４０
４から延伸して配置されている。そして、信号線２０４１２と走査線２０４１０との交差
領域に、複数の画素がマトリクス状に配置されている。なお、複数の画素それぞれは、ス
イッチング素子を有している。したがって、複数の画素それぞれに、液晶分子の傾きを制
御するための電圧を独立して入力することができる。このように各交差領域にスイッチン
グ素子が設けられた構造を、アクティブマトリクス型と呼ぶ。ただし、このようなアクテ
ィブマトリクス型に限定されず、パッシブマトリクス型の構成でもよい。パッシブマトリ
クス型は、各画素にスイッチング素子がないため、工程が簡便である。
【０４７４】
駆動回路部２０４０８は、制御回路２０４０２、信号線駆動回路２０４０３および走査
線駆動回路２０４０４を有する。制御回路２０４０２には、映像信号２０４０１が入力さ
れている。制御回路２０４０２は、この映像信号２０４０１に応じて、信号線駆動回路２
０４０３および走査線駆動回路２０４０４を制御する。制御回路２０４０２は、信号線駆
動回路２０４０３および走査線駆動回路２０４０４に、それぞれ制御信号を入力する。そ
して、この制御信号に応じて、信号線駆動回路２０４０３は、ビデオ信号を信号線２０４
１２に入力し、走査線駆動回路２０４０４は、走査信号を走査線２０４１０に入力する。
そして、画素が有するスイッチング素子が走査信号に応じて選択され、画素の画素電極に
ビデオ信号が入力される。
【０４７５】
制御回路２０４０２は、映像信号２０４０１に応じて、電源２０４０７も制御している
。電源２０４０７は、照明手段２０４０６へ電力を供給する手段を有している。照明手段
２０４０６としては、エッジライト式のバックライトユニット、または直下型のバックラ
イトユニットを用いることができる。ただし、照明手段２０４０６として、フロントライ
トを用いてもよい。フロントライトとは、画素部の前面側に取りつけ、全体を照らす発光
体および導光体で構成された板状のライトユニットである。このような照明手段により、
低消費電力で、均等に画素部を照らすことができる。
【０４７６】
図５２（Ｂ）に示すように走査線駆動回路２０４０４は、シフトレジスタ２０４４１、
レベルシフタ２０４４２およびバッファ２０４４３として機能する回路を有する。シフト
レジスタ２０４４１にはゲートスタートパルス（ＧＳＰ）、ゲートクロック信号（ＧＣＫ
）などの信号が入力される。
【０４７７】
図５２（Ｃ）に示すように信号線駆動回路２０４０３は、シフトレジスタ２０４３１、
第１のラッチ２０４３２、第２のラッチ２０４３３、レベルシフタ２０４３４およびバッ
ファ２０４３５として機能する回路を有する。バッファ２０４３５として機能する回路と
は、弱い信号を増幅させる機能を有する回路であり、オペアンプなどを有する。レベルシ
フタ２０４３４には、スタートパルス（ＳＳＰ）などの信号が、第１のラッチ２０４３２
には、ビデオ信号などのデータ（ＤＡＴＡ）が入力される。第２のラッチ２０４３３には
、ラッチ（ＬＡＴ）信号を一時保持することができ、一斉に画素部２０４０５へ入力させ
る。これを線順次駆動と呼ぶ。そのため、線順次駆動ではなく、点順次駆動を行う画素で
あれば、第２のラッチは不要とすることができる。
【０４７８】
本実施の形態において、液晶パネルは、さまざまなものを用いることができる。例えば
、液晶パネルとして、２つの基板の間に液晶層が封止された構成を用いることができる。
一方の基板上には、トランジスタ、容量素子、画素電極または配向膜などが形成されてい
る。一方の基板の上面と反対側には、偏光板、位相差板またはプリズムシートが配置され
ていてもよい。他方の基板上には、カラーフィルタ、ブラックマトリクス、対向電極また
は配向膜などが形成されている。他方の基板の上面と反対側には、偏光板または位相差板
が配置されていてもよい。なお、カラーフィルタおよびブラックマトリクスは、一方の基
板の上面に形成されてもよい。また、一方の基板の上面側またはその反対側にスリット（
格子）を配置することで、３次元表示ができる。
【０４７９】
偏光板、位相差板およびプリズムシートをそれぞれ、２つの基板の間に配置することが
可能である。あるいは、２つの基板のうちのいずれかと一体とすることが可能である。
【０４８０】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０４８１】
同様に、本実施の形態の各々の図で述べた内容（一部でもよい）は、別の実施の形態の
図で述べた内容（一部でもよい）に対して、適用、組み合わせまたは置き換えなどを自由
に行うことができる。さらに、本実施の形態の図の各々の部分に関して、別の実施の形態
の部分を組み合わせることにより、さらに多くの図を構成できる。
【０４８２】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０４８３】
（実施の形態１２）
本実施の形態においては、液晶表示装置に適用できる画素の構成および画素の動作につ
いて説明する。
【０４８４】
本実施の形態において、液晶素子の動作モードとして、ＴＮ（Ｔｗｉｓｔｅｄ  Ｎｅｍ
ａｔｉｃ）モード、ＩＰＳ（Ｉｎ−Ｐｌａｎｅ−Ｓｗｉｔｃｈｉｎｇ）モード、ＦＦＳ（
Ｆｒｉｎｇｅ  Ｆｉｅｌｄ  Ｓｗｉｔｃｈｉｎｇ）モード、ＭＶＡ（Ｍｕｌｔｉ−ｄｏｍ
ａｉｎ  Ｖｅｒｔｉｃａｌ  Ａｌｉｇｎｍｅｎｔ）モード、ＰＶＡ（Ｐａｔｔｅｒｎｅｄ
Ｖｅｒｔｉｃａｌ  Ａｌｉｇｎｍｅｎｔ）モード、ＡＳＭ（Ａｘｉａｌｌｙ  Ｓｙｍｍ
ｅｔｒｉｃ  ａｌｉｇｎｅｄ  Ｍｉｃｒｏ−ｃｅｌｌ）モード、ＯＣＢ（Ｏｐｔｉｃａｌ
Ｃｏｍｐｅｎｓａｔｅｄ  Ｂｉｒｅｆｒｉｎｇｅｎｃｅ）モード、ＦＬＣ（Ｆｅｒｒｏ
ｅｌｅｃｔｒｉｃ  Ｌｉｑｕｉｄ  Ｃｒｙｓｔａｌ）モードおよびＡＦＬＣ（ＡｎｔｉＦ
ｅｒｒｏｅｌｅｃｔｒｉｃ  Ｌｉｑｕｉｄ  Ｃｒｙｓｔａｌ）モードなどを用いることが
できる。
【０４８５】
図５４（Ａ）は、液晶表示装置に適用できる画素構成の一例を示す図である。
【０４８６】
画素４０１００は、トランジスタ４０１０１、液晶素子４０１０２および容量素子４０
１０３を有している。トランジスタ４０１０１のゲートは、配線４０１０５に接続されて
いる。トランジスタ４０１０１の第１端子は、配線４０１０４に接続されている。トラン
ジスタ４０１０１の第２端子は、液晶素子４０１０２の第１電極および容量素子４０１０
３の第１電極に接続される。液晶素子４０１０２の第２電極は、対向電極４０１０７に相
当する。容量素子４０１０３の第２の電極は、配線４０１０６に接続される。
【０４８７】
配線４０１０４は、信号線として機能する。配線４０１０５は、走査線として機能する
。配線４０１０６は、容量線として機能する。トランジスタ４０１０１は、スイッチとし
て機能する。容量素子４０１０３は、保持容量として機能する。
【０４８８】
トランジスタ４０１０１は、スイッチとして機能すればよい。また、トランジスタ４０
１０１の極性は、Ｐチャネル型でもよいし、Ｎチャネル型でもよい。
【０４８９】
図５４（Ｂ）は、液晶表示装置に適用できる画素構成の一例を示す図である。特に、図
５４（Ｂ）は、横電界モード（ＩＰＳモード、ＦＦＳモードを含む）に適した液晶表示装
置に適用できる画素構成の一例を示す図である。
【０４９０】
画素４０１１０は、トランジスタ４０１１１、液晶素子４０１１２および容量素子４０
１１３を有している。トランジスタ４０１１１のゲートは、配線４０１１５に接続されて
いる。トランジスタ４０１１１の第１端子は、配線４０１１４に接続されている。トラン
ジスタ４０１１１の第２端子は、液晶素子４０１１２の第１電極および容量素子４０１１
３の第１電極に接続される。液晶素子４０１１２の第２電極は、配線４０１１６と接続さ
れている。容量素子４０１１３の第２の電極は、配線４０１１６に接続されている。
【０４９１】
配線４０１１４は、信号線として機能する。配線４０１１５は、走査線として機能する
。配線４０１１６は、容量線として機能する。トランジスタ４０１１１は、スイッチとし
て機能する。容量素子４０１１３は、保持容量として機能する。
【０４９２】
トランジスタ４０１１１は、スイッチとして機能すればよい。また、トランジスタ４０
１１１の極性はＰチャネル型でもよいし、Ｎチャネル型でもよい。
【０４９３】
図５５は、液晶表示装置に適用できる画素構成の一例を示す図である。特に、図５５は
、配線数を減らして画素の開口率を大きくできる画素構成の一例である。
【０４９４】
図５５は、同じ列方向に配置された二つの画素（画素４０２００および画素４０２１０
）を示す。例えば、画素４０２００がＮ行目に配置されている場合、画素４０２１０はＮ
＋１行目に配置されている。
【０４９５】
画素４０２００は、トランジスタ４０２０１、液晶素子４０２０２および容量素子４０
２０３を有している。トランジスタ４０２０１のゲートは、配線４０２０５に接続されて
いる。トランジスタ４０２０１の第１端子は、配線４０２０４に接続されている。トラン
ジスタ４０２０１の第２端子は、液晶素子４０２０２の第１電極および容量素子４０２０
３の第１電極に接続される。液晶素子４０２０２の第２電極は、対向電極４０２０７に相
当する。容量素子４０２０３の第２電極は、前行のトランジスタのゲートと同じ配線に接
続されている。
【０４９６】
画素４０２１０は、トランジスタ４０２１１、液晶素子４０２１２および容量素子４０
２１３を有している。トランジスタ４０２１１のゲートは、配線４０２１５に接続されて
いる。トランジスタ４０２１１の第１端子は、配線４０２０４に接続されている。トラン
ジスタ４０２１１の第２端子は、液晶素子４０２１２の第１電極および容量素子４０２１
３の第１電極に接続される。液晶素子４０２１２の第２電極は、対向電極４０２１７に相
当する。容量素子４０２１３の第２電極は、前行のトランジスタのゲートと同じ配線（配
線４０２０５）に接続されている。
【０４９７】
配線４０２０４は、信号線として機能する。配線４０２０５は、Ｎ行目の走査線として
機能する。そして、配線４０２０５は、Ｎ＋１段目の容量線としても機能する。トランジ
スタ４０２０１は、スイッチとして機能する。容量素子４０２０３は、保持容量として機
能する。
【０４９８】
配線４０２１５は、Ｎ＋１行目の走査線として機能する。そして、配線４０２１５は、
Ｎ＋２段目の容量線としても機能する。トランジスタ４０２１１は、スイッチとして機能
する。容量素子４０２１３は、保持容量として機能する。
【０４９９】
トランジスタ４０２０１およびトランジスタ４０２１１は、スイッチとして機能すれば
よい。また、トランジスタ４０２０１の極性およびトランジスタ４０２１１の極性は、Ｐ
チャネル型でもよいし、Ｎチャネル型でもよい。
【０５００】
図５６は、液晶表示装置に適用できる画素構成の一例を示す図である。特に、図５６は
、サブ画素を用いることで視野角を向上できる画素構成の一例である。
【０５０１】
画素４０３２０は、サブ画素４０３００と、サブ画素４０３１０と、を有している。以
下、画素４０３２０が、２つのサブ画素を有している場合について説明するが、画素４０
３２０は３つ以上のサブ画素を有していてもよい。
【０５０２】
サブ画素４０３００は、トランジスタ４０３０１、液晶素子４０３０２および容量素子
４０３０３を有している。トランジスタ４０３０１のゲートは、配線４０３０５に接続さ
れている。トランジスタ４０３０１の第１端子は、配線４０３０４に接続されている。ト
ランジスタ４０３０１の第２端子は、液晶素子４０３０２の第１電極および容量素子４０
３０３の第１電極に接続されている。液晶素子４０３０２の第２電極は、対向電極４０３
０７に相当する。容量素子４０３０３の第２の電極は、配線４０３０６に接続されている
。
【０５０３】
サブ画素４０３１０は、トランジスタ４０３１１、液晶素子４０３１２および容量素子
４０３１３を有している。トランジスタ４０３１１のゲートは、配線４０３１５に接続さ
れている。トランジスタ４０３１１の第１端子は、配線４０３０４に接続されている。ト
ランジスタ４０３１１の第２端子は、液晶素子４０３１２の第１電極および容量素子４０
３１３の第１電極に接続されている。液晶素子４０３１２の第２電極は、対向電極４０３
１７に相当する。容量素子４０３１３の第２の電極は、配線４０３０６に接続されている
。
【０５０４】
配線４０３０４は、信号線として機能する。配線４０３０５は、走査線として機能する
。配線４０３１５は、信号線として機能する。配線４０３０６は、容量線として機能する
。トランジスタ４０３０１は、スイッチとして機能する。トランジスタ４０３１１は、ス
イッチとして機能する。容量素子４０３０３は、保持容量として機能する。容量素子４０
３１３は、保持容量として機能する。
【０５０５】
トランジスタ４０３０１は、スイッチとして機能すればよい。また、トランジスタ４０
３０１の極性は、Ｐチャネル型でもよいし、Ｎチャネル型でもよい。トランジスタ４０３
１１は、スイッチとして機能すればよい。また、トランジスタ４０３１１の極性は、Ｐチ
ャネル型でもよいし、Ｎチャネル型でもよい。
【０５０６】
サブ画素４０３００に入力するビデオ信号は、サブ画素４０３１０に入力するビデオ信
号と異なる値としてもよい。この場合、液晶素子４０３０２の液晶分子の配向が、液晶素
子４０３１２の液晶分子の配向と異なるため、視野角を広くすることができる。
【０５０７】
なお、本実施の形態において、さまざまな図を用いて述べてきたが、各々の図で述べた
内容（一部でもよい）は、別の図で述べた内容（一部でもよい）に対して、適用、組み合
わせまたは置き換えなどを自由に行うことができる。さらに、これまでに述べた図におい
て、各々の部分に関して、別の部分を組み合わせることにより、さらに多くの図を構成で
きる。
【０５０８】
同様に、本実施の形態の各々の図で述べた内容（一部でもよい）は、別の実施の形態の
図で述べた内容（一部でもよい）に対して、適用、組み合わせまたは置き換えなどを自由
に行うことができる。さらに、本実施の形態の図の各々の部分に関して、別の実施の形態
の部分を組み合わせることにより、さらに多くの図を構成できる。
【０５０９】
なお、本実施の形態は、他の実施の形態で述べた内容（一部でもよい）を、具現化した
場合の一例、少し変形した場合の一例、一部を変更した場合の一例、改良した場合の一例
、詳細に述べた場合の一例、応用した場合の一例および関連がある部分についての一例な
どを示している。したがって、他の実施の形態で述べた内容は、本実施の形態への適用、
組み合わせまたは置き換えを自由に行うことができる。
【０５１０】
（実施の形態１３）
本実施の形態においては、各種液晶モードについて説明する。
【０５１１】
まず、断面図を用いて各種液晶モードについて説明する。
【０５１２】
図５７（Ａ）、（Ｂ）は、ＴＮモードの断面の模式図である。
【０５１３】
互いに対向するように配置された第１の基板５０１０１および第２の基板５０１０２に
、液晶層５０１００が挟持されている。第１の基板５０１０１の上面には、第１の電極５
０１０５が形成されている。第２の基板５０１０２の上面には、第２の電極５０１０６が
形成されている。第１の基板５０１０１の液晶層５０１００と反対側には、第１の偏光板
５０１０３が配置されている。第２の基板５０１０２の液晶層５０１００と反対側には、
第２の偏光板５０１０４が配置されている。なお、第１の偏光板５０１０３と第２の偏光
板５０１０４とは、クロスニコルになるように配置されている。
【０５１４】
第１の偏光板５０１０３は、第１の基板５０１０１の上面、つまり、第１の基板５０１
０１と液晶層５０１００との間に配置されてもよい。第２の偏光板５０１０４は、第２の
基板５０１０２の上面、つまり、第２の基板５０１０２と液晶層５０１００との間に配置
されてもよい。
【０５１５】
第１の電極５０１０５および第２の電極５０１０６のうち、少なくとも一方の電極が透
光性を有していればよい（透過型または反射型）。あるいは、両方の電極が透光性を有し
、かつ一方の電極の一部が反射性を有していてもよい（半透過型）。
【０５１６】
図５７（Ａ）は、第１の電極５０１０５および第２の電極５０１０６に、電圧が印加（
縦電界方式と呼ぶ）された場合の断面の模式図である。
【０５１７】
図５７（Ｂ）は、第１の電極５０１０５および第２の電極５０１０６に、電圧が印加さ
れていない場合の断面の模式図である。
【０５１８】
図５８（Ａ）、（Ｂ）は、ＶＡモードの断面の模式図である。ＶＡモードは、無電界の
時に液晶分子が基板に垂直となるように配向されているモードである。
【０５１９】
互いに対向するように配置された第１の基板５０２０１および第２の基板５０２０２に
、液晶層５０２００が挟持されている。第１の基板５０２０１の上面には、第１の電極５
０２０５が形成されている。第２の基板５０２０２の上面には、第２の電極５０２０６が
形成されている。第１の基板５０２０１の液晶層５０２００と反対側には、第１の偏光板
５０２０３が配置されている。第２の基板５０２０２の液晶層５０２００と反対側には、
第２の偏光板５０２０４が配置されている。なお、第１の偏光板５０２０３と第２の偏光
板５０２０４とは、クロスニコルになるように配置されている。
【０５２０】
第１の偏光板５０２０３は、第１の基板５０２０１の上面、つまり、第１の基板５０２
０１と液晶層５０２００との間に配置されてもよい。第２の偏光板５０２０４は、第２の
基板５０２０２の上面、つまり、第２の基板５０２０２と液晶層５０２００との間に配置
されてもよい。
【０５２１】
第１の電極５０２０５および第２の電極５０２０６のうち、少なくとも一方の電極が透
光性を有していればよい（透過型または反射型）。あるいは、両方の電極が透光性を有し
、かつ一方の電極の一部が反射性を有していてもよい（半透過型）。
【０５２２】
図５８（Ａ）は、第１の電極５０２０５および第２の電極５０２０６に、電圧が印加（
縦電界方式と呼ぶ）された場合の断面の模式図である。
【０５２３】
図５８（Ｂ）は、第１の電極５０２０５および第２の電極５０２０６に、電圧が印加さ
れていない場合の断面の模式図である。
【０５２４】
図５８（Ｃ）、（Ｄ）は、ＭＶＡモードの断面の模式図である。ＭＶＡモードは、それ
ぞれの部分の視野角依存性を互いに補償する方法である。
【０５２５】
互いに対向するように配置された第１の基板５０２１１および第２の基板５０２１２に
、液晶層５０２１０が挟持されている。第１の基板５０２１１の上面には、第１の電極５
０２１５が形成されている。第２の基板５０２１２の上面には、第２の電極５０２１６が
形成されている。第１の電極５０２１５上には、配向制御用に第１の突起物５０２１７が
形成されている。第２の電極５０２１６上には、配向制御用に第２の突起物５０２１８が
形成されている。第１の基板５０２１１の液晶層５０２１０と反対側には、第１の偏光板
５０２１３が配置されている。第２の基板５０２１２の液晶層５０２１０と反対側には、
第２の偏光板５０２１４が配置されている。なお、第１の偏光板５０２１３と第２の偏光
板５０２１４とは、クロスニコルになるように配置されている。
【０５２６】
第１の偏光板５０２１３は、第１の基板５０２１１の上面、つまり、第１の基板５０２
１１と液晶層５０２１０との間に配置されてもよい。第２の偏光板５０２１４は、第２の
基板５０２１２の上面、つまり、第２の基板５０２１２と液晶層５０２１０との間に配置
されてもよい。
【０５２７】
第１の電極５０２１５および第２の電極５０２１６のうち、少なくとも一方の電極が透
光性を有していればよい（透過型または反射型）。あるいは、両方の電極が透光性を有し
、かつ一方の電極の一部が反射性を有していてもよい（半透過型）。
【０５２８】
図５８（Ｃ）は、第１の電極５０２１５および第２の電極５０２１６に、電圧が印加（
縦電界方式と呼ぶ）された場合の断面の模式図である。
【０５２９】
図５８（Ｄ）は、第１の電極５０２１５および第２の電極５０２１６に、電圧が印加さ
れていない場合の断面の模式図である。
【０５３０】
図５９（Ａ）、（Ｂ）は、ＯＣＢモードの断面の模式図である。ＯＣＢモードは、液晶
層内で液晶分子の配列が光学的に補償状態を形成しているため、視野角依存が少ない。こ
の液晶分子の状態は、ベンド配向と呼ばれる。
【０５３１】
互いに対向するように配置された第１の基板５０３０１および第２の基板５０３０２に
、液晶層５０３００が挟持されている。第１の基板５０３０１の上面には、第１の電極５
０３０５が形成されている。第２の基板５０３０２の上面には、第２の電極５０３０６が
形成されている。第１の基板５０３０１の液晶層５０３００と反対側には、第１の偏光板
５０３０３が配置されている。第２の基板５０３０２の液晶層５０３００と反対側には、
第２の偏光板５０３０４が配置されている。なお、第１の偏光板５０３０３と第２の偏光
板５０３０４とは、クロスニコルになるように配置されている。
【０５３２】
第１の偏光板５０３０３は、第１の基板５０３０１の上面、つまり、第１の基板５０３
０１と液晶層５０３００との間に配置されてもよい。第２の偏光板５０３０４は、第２の
基板５０３０２の上面、つまり、第２の基板５０３０２と液晶層５０３００との間に配置
されてもよい。
【０５３３】
第１の電極５０３０５および第２の電極５０３０６のうち、少なくとも一方の電極が透
光性を有していればよい（透過型または反射型）。あるいは、両方の電極が透光性を有し
、かつ一方の電極の一部が反射性を有していてもよい（半透過型）。
【０５３４】
図５９（Ａ）は、第１の電極５０３０５および第２の電極５０３０６に、電圧が印加（
縦電界方式と呼ぶ）された場合の断面の模式図である。
【０５３５】
図５９（Ｂ）は、第１の電極５０３０５および第２の電極５０３０６に、電圧が印加さ
れていない場合の断面の模式図である。
【０５３６】
図５９（Ｃ）、（Ｄ）は、ＦＬＣモードまたはＡＦＬＣモードの断面の模式図である。
【０５３７】
互いに対向するように配置された第１の基板５０３１１および第２の基板５０３１２に
、液晶層５０３１０が挟持されている。第１の基板５０３１１の上面には、第１の電極５
０３１５が形成されている。第２の基板５０３１２の上面には、第２の電極５０３１６が
形成されている。第１の基板５０３１１の液晶層５０３１０と反対側には、第１の偏光板
５０３１３が配置されている。第２の基板５０３１２の液晶層５０３１０と反対側には、
第２の偏光板５０３１４が配置されている。なお、第１の偏光板５０３１３と第２の偏光
板５０３１４とは、クロスニコルになるように配置されている。
【０５３８】
第１の偏光板５０３１３は、第１の基板５０３１１の上面、つまり、第１の基板５０３
１１と液晶層５０３１０との間に配置されてもよい。第２の偏光板５０３１４は、第２の
基板５０３１２の上面、つまり、第２の基板５０３１２と液晶層５０３１０との間に配置
されてもよい。
【０５３９】
第１の電極５０３１５および第２の電極５０３１６のうち、少なくとも一方の電極が透
光性を有していればよい（透過型または反射型）。あるいは、両方の電極が透光性を有し
、かつ一方の電極の一部が反射性を有していてもよい（半透過型）。
【０５４０】
図５９（Ｃ）は、第１の電極５０３１５および第２の電極５０３１６に、電圧が印加（
縦電界方式と呼ぶ）された場合の断面の模式図である。
【０５４１】
図５９（Ｄ）は、第１の電極５０３１５および第２の電極５０３１６に、電圧が印加さ
れていない場合の断面の模式図である。
【０５４２】
図６０（Ａ）、（Ｂ）は、ＩＰＳモードの断面の模式図である。ＩＰＳモードは、液晶
層内で液晶分子の配列を光学的に補償でき、液晶分子を基板に対して常に平面内で回転さ
せるモードであり、電極を一方の基板側のみに設けた横電界方式をとる。
【０５４３】
互いに対向するように配置された第１の基板５０４０１および第２の基板５０４０２に
、液晶層５０４００が挟持されている。第２の基板５０４０２の上面には、第１の電極５
０４０５および第２の電極５０４０６が形成されている。第１の基板５０４０１の液晶層
５０４００と反対側には、第１の偏光板５０４０３が配置されている。第２の基板５０４
０２の液晶層５０４００と反対側には、第２の偏光板５０４０４が配置されている。なお
、第１の偏光板５０４０３と第２の偏光板５０４０４とは、クロスニコルになるように配
置されている。
【０５４４】
第１の偏光板５０４０３は、第１の基板５０４０１の上面、つまり、第１の基板５０４
０１と液晶層との間に配置されてもよい。第２の偏光板５０４０４は、第２の基板５０４
０２の上面、つまり、第２の基板５０４０２と液晶層との間に配置されてもよい。
【０５４５】
第１の電極５０４０５および第２の電極５０４０６のうち、少なくとも一方の電極が透
光性を有していればよい（透過型または反射型）。あるいは、両方の電極が透光性を有し
、かつ一方の電極の一部が反射性を有していてもよい（半透過型）。
【０５４６】
図６０（Ａ）は、第１の電極５０４０５および第２の電極５０４０６に、電圧が印加（
縦電界方式と呼ぶ）された場合の断面の模式図である。
【０５４７】
図６０（Ｂ）は、第１の電極５０４０５および第２の電極５０４０６に、電圧が印加さ
れていない場合の断面の模式図である。
【０５４８】
図６０（Ｃ）、（Ｄ）は、ＦＦＳモードの断面の模式図である。ＦＦＳモードは、液晶
層内で液晶分子の配列を光学的に補償でき、液晶分子を基板に対して常に平面内で回転さ
せるモードであり、電極を一方の基板側のみに設けた横電界方式をとる。
【０５４９】
互いに対向するように配置された第１の基板５０４１１および第２の基板５０４１２に
、液晶層５０４１０が挟持されている。第２の基板５０４１２の上面には、第２の電極５
０４１６が形成されている。第２の電極５０４１６の上面には、絶縁膜５０４１７が形成
されている。絶縁膜５０４１７上には、第１の電極５０４１５が形成されている。第１の
基板５０４１１の液晶層５０４１０と反対側には、第１の偏光板５０４１３が配置されて
いる。第２の基板５０４１２の液晶層５０４１０と反対側には、第２の偏光板５０４１４
が配置されている。なお、第１の偏光板５０４１３と第２の偏光板５０４１４とは、クロ
スニコルになるように配置されている。
【０５５０】
第１の偏光板５０４１３は、第１の基板５０４１１の上面、つまり、第１の基板５０４
１１と液晶層５０４１０との間に配置されてもよい。第２の偏光板５０４１４は、第２の
基板５０４１２の上面、つまり、第２の基板５０４１２と液晶層５０４１０との間に配置
されてもよい。
【０５５１】
第１の電極５０４１５および第２の電極５０４１６のうち、少なくとも一方の電極が透
光性を有していればよい（透過型または反射型）。あるいは、両方の電極が透光性を有し
、かつ一方の電極の一部が反射性を有していてもよい（半透過型）。
【０５５２】
図６０（Ｃ）は、第１の電極５０４１５および第２の電極５０４１６に、電圧が印加（
縦電界方式と呼ぶ）された場合の断面の模式図である。
【０５５３】
図６０（Ｄ）は、第１の電極５０４１５および第２の電極５０４１６に、電圧が印加さ
れていない場合の断面の模式図である。
【０５５４】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０５５５】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０５５６】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０５５７】
（実施の形態１４）
本実施の形態においては、表示装置の画素構造について説明する。特に、液晶表示装置
の画素構造について説明する。
【０５５８】
各液晶モードとトランジスタとを組み合わせた場合の画素構造について、画素の断面図
を参照して説明する。
【０５５９】
トランジスタとしては、非晶質シリコン、多結晶シリコン、微結晶（マイクロクリスタ
ル、セミアモルファスとも言う）シリコンなどに代表される、非単結晶半導体層を有する
薄膜トランジスタ（ＴＦＴ）などを用いることができる。
【０５６０】
トランジスタの構造としては、トップゲート型またはボトムゲート型などを用いること
ができる。ボトムゲート型のトランジスタとしては、チャネルエッチ型またはチャネル保
護型などを用いることができる。
【０５６１】
図６１は、ＴＮ方式とトランジスタとを組み合わせた場合の、画素の断面図の一例であ
る。第１の基板１０１０１と、第２の基板１０１１６とが、液晶分子１０１１８を有する
液晶１０１１１を挟持している。第１の基板１０１０１には、トランジスタ、画素電極お
よび配向膜などが配置され、第２の基板１０１１６には、遮光膜１０１１４、カラーフィ
ルタ１０１１５、対向電極および配向膜などが配置されている。そして、第１の基板１０
１０１と、第２の基板１０１１６との間には、スペーサ１０１１７が配置されている。図
６１に示す画素構造を液晶表示装置に適用することによって、安価に液晶表示装置を製造
することができる。
【０５６２】
図６２（Ａ）は、ＭＶＡ（Ｍｕｌｔｉ−ｄｏｍａｉｎ  Ｖｅｒｔｉｃａｌ  Ａｌｉｇｎ
ｍｅｎｔ）方式と、トランジスタとを組み合わせた場合の、画素の断面図の一例である。
第１の基板１０２０１と、第２の基板１０２１６とが、液晶分子１０２１８を有する液晶
１０２１１を挟持している。第１の基板１０２０１には、トランジスタ、画素電極および
配向膜などが配置され、第２の基板１０２１６には、遮光膜１０２１４、カラーフィルタ
１０２１５、対向電極、配向制御用突起１０２１９および配向膜などが配置されている。
そして、第１の基板１０２０１と、第２の基板１０２１６との間には、スペーサ１０２１
７が配置されている。図６２（Ａ）に示す画素構造を、液晶表示装置に適用することによ
って、視野角が大きく、応答速度が速く、コントラストの大きい液晶表示装置を得ること
ができる。
【０５６３】
図６２（Ｂ）は、ＰＶＡ（Ｐａｔｔｅｒｎｅｄ  Ｖｅｒｔｉｃａｌ  Ａｌｉｇｎｍｅｎ
ｔ）方式と、トランジスタとを組み合わせた場合の、画素の断面図の一例である。第１の
基板１０２３１と、第２の基板１０２４６とが、液晶分子１０２４８を有する液晶１０２
４１を挟持している。第１の基板１０２３１には、トランジスタ、画素電極および配向膜
などが配置され、第２の基板１０２３１には、遮光膜１０２４４、カラーフィルタ１０２
４５、対向電極および配向膜などが配置されている。なお、画素電極は、電極切り欠け部
１０２４９を有している。そして、第１の基板１０２３１と、第２の基板１０２４６との
間には、スペーサ１０２４７が配置されている。図６２（Ｂ）に示す画素構造を、液晶表
示装置に適用することによって、視野角が大きく、応答速度が速く、コントラストの大き
い液晶表示装置を得ることができる。
【０５６４】
図６３（Ａ）は、ＩＰＳ（Ｉｎ−Ｐｌａｎｅ−Ｓｗｉｔｃｈｉｎｇ）方式と、トランジ
スタとを組み合わせた場合の、画素の断面図の一例である。第１の基板１０３０１と、第
２の基板１０３１６とが、液晶分子１０３１８を有する液晶１０３１１を挟持している。
第１の基板１０３０１には、トランジスタ、画素電極、共通電極および配向膜などが形成
され、第２の基板１０３１６には、遮光膜１０３１４、カラーフィルタ１０３１５および
配向膜などが形成されている。そして、第１の基板１０３０１と、第２の基板１０３１６
との間には、スペーサ１０３１７が形成されている。図６３（Ａ）に示す画素構造を、液
晶表示装置に適用することによって、原理的に視野角が大きく、応答速度の階調依存性の
小さい液晶表示装置を得ることができる。
【０５６５】
図６３（Ｂ）は、ＦＦＳ（Ｆｒｉｎｇｅ  Ｆｉｅｌｄ  Ｓｗｉｔｃｈｉｎｇ）方式と、ト
ランジスタとを組み合わせた場合の、画素の断面図の一例である。第１の基板１０３３１
と、第２の基板１０３４６とが、液晶分子１０３４８を有する液晶１０３４１を挟持して
いる。第１の基板１０３３１には、トランジスタ、画素電極、共通電極および配向膜など
が配置され、第２の基板１０３４６には、遮光膜１０３４４、カラーフィルタ１０３４５
および配向膜などが配置されている。そして、第１の基板１０３３１と、第２の基板１０
３４６との間には、スペーサ１０３４７が配置されている。図６３（Ｂ）に示す画素構造
を、液晶表示装置に適用することによって、原理的に視野角が大きく、応答速度の階調依
存性の小さい液晶表示装置を得ることができる。
【０５６６】
ここで、各導電層または各絶縁膜に用いることができる材料について説明する。
【０５６７】
図６１の第１の絶縁膜１０１０２、図６２（Ａ）の第１の絶縁膜１０２０２、図６２（
Ｂ）の第１の絶縁膜１０２３２、図６３（Ａ）の第１の絶縁膜１０３０２および図６３（
Ｂ）の第１の絶縁膜１０３３２としては、酸化シリコン膜、窒化シリコン膜または酸化窒
化シリコン（ＳｉＯｘＮｙ）膜などの絶縁膜を用いることができる。あるいは、酸化シリ
コン膜、窒化シリコン膜または酸化窒化シリコン（ＳｉＯｘＮｙ）膜などのうち、２つ以
上の膜を組み合わせた積層構造の絶縁膜を用いることができる。
【０５６８】
図６１の第１の導電層１０１０３、図６２（Ａ）の第１の導電層１０２０３、図６２（
Ｂ）の第１の導電層１０２３３、図６３（Ａ）の第１の導電層１０３０３および図６３（
Ｂ）の第１の導電層１０３３３としては、Ｍｏ、Ｔｉ、Ａｌ、Ｎｄ、Ｃｒなどを用いるこ
とができる。あるいは、Ｍｏ、Ｔｉ、Ａｌ、Ｎｄ、Ｃｒなどのうち、２つ以上を組み合わ
せた積層構造を用いることもできる。
【０５６９】
図６１の第２の絶縁膜１０１０４、図６２（Ａ）の第２の絶縁膜１０２０４、図６２（
Ｂ）の第２の絶縁膜１０２３４、図６３（Ａ）の第２の絶縁膜１０３０４および図６３（
Ｂ）の第２の絶縁膜１０３３４としては、熱酸化膜、酸化シリコン膜、窒化シリコン膜ま
たは酸化窒化シリコン膜などを用いることができる。あるいは、熱酸化膜、酸化シリコン
膜、窒化シリコン膜または酸化窒化シリコン膜などのうち、２つ以上を組み合わせた積層
構造などを用いることができる。なお、半導体層と接する部分は、酸化シリコン膜である
ことが好ましい。なぜなら、酸化シリコン膜にすると、半導体層との界面におけるトラッ
プ準位が少なくなるからである。なお、Ｍｏと接する部分は、窒化シリコン膜であること
が好ましい。なぜなら、窒化シリコン膜は、Ｍｏを酸化させないからである。
【０５７０】
図６１の第１の半導体層１０１０５、図６２（Ａ）の第１の半導体層１０２０５、図６
２（Ｂ）の第１の半導体層１０２３５、図６３（Ａ）の第１の半導体層１０３０５および
図６３（Ｂ）の第１の半導体層１０３３５としては、シリコンまたはシリコンゲルマニウ
ム（ＳｉＧｅ）などを用いることができる。
【０５７１】
図６１の第２の半導体層１０１０６、図６２（Ａ）の第２の半導体層１０２０６、図６
２（Ｂ）の第２の半導体層１０２３６、図６３（Ａ）の第２の半導体層１０３０６および
図６３（Ｂ）の第２の半導体層１０３３６としては、リンなどを含んだシリコンなどを用
いることができる。
【０５７２】
図６１の第２の導電層１０１０７、第３の導電層１０１０９および第４の導電層１０１
１３、図６２（Ａ）の第２の導電層１０２０７、第３の導電層１０２０９および第４の導
電層１０２１３、図６２（Ｂ）の第２の導電層１０２３７、第３の導電層１０２３９およ
び第４の導電層１０２４３、図６３（Ａ）の第２の導電層１０３０７および第３の導電層
１０３０９、もしくは図６３（Ｂ）の第２の導電層１０３３７、第３の導電層１０３３９
および第４の導電層１０３４３の透明性を有する材料としては、酸化インジウムに酸化ス
ズを混ぜたインジウムスズ酸化物（ＩＴＯ）膜、インジウムスズ酸化物（ＩＴＯ）に酸化
珪素を混ぜたインジウムスズ珪素酸化物（ＩＴＳＯ）膜、酸化インジウムに酸化亜鉛を混
ぜたインジウム亜鉛酸化物（ＩＺＯ）膜、酸化亜鉛膜または酸化スズ膜などを用いること
ができる。なお、ＩＺＯとは、ＩＴＯに２〜２０ｗｔ％の酸化亜鉛（ＺｎＯ）を混合させ
たターゲットを用いてスパッタリングにより形成される透明導電材料である。
【０５７３】
図６１の第２の導電層１０１０７および第３の導電層１０１０９、図６２（Ａ）の第２
の導電層１０２０７および第３の導電層１０２０９、図６２（Ｂ）の第２の導電層１０２
３７および第３の導電層１０２３９、図６３（Ａ）の第２の導電層１０３０７および第３
の導電層１０３０９、もしくは図６３（Ｂ）の第２の導電層１０３３７、第３の導電層１
０３３９および第４の導電層１０３４３の反射性を有する材料としては、Ｔｉ、Ｍｏ、Ｔ
ａ、Ｃｒ、Ｗ、Ａｌなどを用いることができる。あるいは、Ｔｉ、Ｍｏ、Ｔａ、Ｃｒおよ
びＷと、Ａｌを積層させた２層構造、ＡｌをＴｉ、Ｍｏ、Ｔａ、Ｃｒ、Ｗなどの金属で挟
んだ３層積層構造としてもよい。
【０５７４】
図６１の第３の絶縁膜１０１０８、図６２（Ａ）の第３の絶縁膜１０２０８、図６２（
Ｂ）の第３の絶縁膜１０２３８、図６２（Ｂ）の第３の導電層１０２３９、図６３（Ａ）
の第３の絶縁膜１０３０８、図６３（Ｂ）の第３の絶縁膜１０３３８および第４の絶縁膜
１０３４９としては、無機材料（酸化シリコン、窒化シリコン、酸化窒化シリコンなど）
あるいは、低誘電率の有機化合物材料（感光性または非感光性の有機樹脂材料）などを用
いることができる。あるいは、シロキサンを含む材料を用いることもできる。なお、シロ
キサンは、シリコン（Ｓｉ）と酸素（Ｏ）との結合で骨格構造が構成される材料である。
置換基として、少なくとも水素を含む有機基（例えばアルキル基、アリール基）が用いら
れる。あるいは、置換基としてフルオロ基を用いてもよい。あるいは、置換基として、少
なくとも水素を含む有機基と、フルオロ基とを用いてもよい。
【０５７５】
図６１の第１の配向膜１０１１０および第２の配向膜１０１１２、図６２（Ａ）の第１
の配向膜１０２１０および第２の配向膜１０２１２、図６２（Ｂ）の第１の配向膜１０２
４０および第２の配向膜１０２４２、図６３（Ａ）の第１の配向膜１０３１０および第２
の配向膜１０３１２、図６３（Ｂ）の第１の配向膜１０３４０および第２の配向膜１０３
４２としては、ポリイミドなどの高分子膜を用いることができる。
【０５７６】
次に、各液晶モードと、トランジスタとを、組み合わせた場合の画素構造について、画
素の上面図（レイアウト図）を参照して説明する。
【０５７７】
なお、液晶モードとしては、ＴＮ（Ｔｗｉｓｔｅｄ  Ｎｅｍａｔｉｃ）モード、ＩＰＳ
（Ｉｎ−Ｐｌａｎｅ−Ｓｗｉｔｃｈｉｎｇ）モード、ＦＦＳ（Ｆｒｉｎｇｅ  Ｆｉｅｌｄ
Ｓｗｉｔｃｈｉｎｇ）モード、ＭＶＡ（Ｍｕｌｔｉ−ｄｏｍａｉｎ  Ｖｅｒｔｉｃａｌ
Ａｌｉｇｎｍｅｎｔ）モード、ＰＶＡ（Ｐａｔｔｅｒｎｅｄ  Ｖｅｒｔｉｃａｌ  Ａｌ
ｉｇｎｍｅｎｔ）モード、ＡＳＭ（Ａｘｉａｌｌｙ  Ｓｙｍｍｅｔｒｉｃ  ａｌｉｇｎｅ
ｄ  Ｍｉｃｒｏ−ｃｅｌｌ）モード、ＯＣＢ（Ｏｐｔｉｃａｌ  Ｃｏｍｐｅｎｓａｔｅｄ
Ｂｉｒｅｆｒｉｎｇｅｎｃｅ）モード、ＦＬＣ（Ｆｅｒｒｏｅｌｅｃｔｒｉｃ  Ｌｉｑ
ｕｉｄ  Ｃｒｙｓｔａｌ）モード、ＡＦＬＣ（ＡｎｔｉＦｅｒｒｏｅｌｅｃｔｒｉｃ  Ｌ
ｉｑｕｉｄ  Ｃｒｙｓｔａｌ）モードなどを用いることができる。
【０５７８】
図６４は、ＴＮ方式とトランジスタとを組み合わせた場合の画素の上面図の一例である
。図６４に示す画素構造を液晶表示装置に適用することによって、安価に液晶表示装置を
製造することができる。
【０５７９】
図６４に示す画素は、走査線１０４０１、映像信号線１０４０２、容量線１０４０３、
トランジスタ１０４０４、画素電極１０４０５および画素容量１０４０６を有している。
【０５８０】
図６５（Ａ）は、ＭＶＡ方式とトランジスタとを組み合わせた場合の、画素の上面図の
一例である。図６５（Ａ）に示す画素構造を、液晶表示装置に適用することによって、視
野角が大きく、応答速度が速く、コントラストの大きい液晶表示装置を得ることができる
。
【０５８１】
図６５（Ａ）に示す画素は、走査線１０５０１、映像信号線１０５０２、容量線１０５
０３、トランジスタ１０５０４、画素電極１０５０５、画素容量１０５０６および配向制
御用突起１０５０７を有する。
【０５８２】
図６５（Ｂ）は、ＰＶＡ方式とトランジスタとを組み合わせた場合の画素の上面図の一
例である。図６５（Ｂ）に示す画素構造を液晶表示装置に適用することによって、視野角
が大きく、応答速度が速く、コントラストの大きい液晶表示装置を得ることができる。
【０５８３】
図６５（Ｂ）に示す画素は、走査線１０５１１、映像信号線１０５１２、容量線１０５
１３、トランジスタ１０５１４、画素電極１０５１５、画素容量１０５１６および電極切
り欠き部１０５１７を有する。
【０５８４】
図６６（Ａ）は、ＩＰＳ方式とトランジスタとを組み合わせた場合の、画素の上面図の
一例である。図６６（Ａ）に示す画素構造を液晶表示装置に適用することによって、原理
的に視野角が大きく、応答速度の階調依存性の小さい液晶表示装置を得ることができる。
【０５８５】
図６６（Ａ）に示す画素は、走査線１０６０１、映像信号線１０６０２、共通電極１０
６０３、トランジスタ１０６０４および画素電極１０６０５を有する。
【０５８６】
図６６（Ｂ）は、ＦＦＳ方式とトランジスタとを組み合わせた場合の、画素の上面図で
ある。図６６（Ｂ）に示す画素構造を液晶表示装置に適用することによって、原理的に視
野角が大きく、応答速度の階調依存性の小さい液晶表示装置を得ることができる。
【０５８７】
図６６（Ｂ）に示す画素は、走査線１０６１１、映像信号線１０６１２、共通電極１０
６１３、トランジスタ１０６１４および画素電極１０６１５を有する。
【０５８８】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０５８９】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０５９０】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０５９１】
（実施の形態１５）
本実施の形態においては、表示装置の画素の構成および画素の動作について説明する。
【０５９２】
図６７（Ａ）、（Ｂ）は、デジタル時間階調駆動の一例を示すタイミングチャートであ
る。図６７（Ａ）のタイミングチャートは、画素への信号書き込み期間（アドレス期間）
と、発光期間（サステイン期間）とが、分離されている場合の駆動方法を示す。
【０５９３】
１表示領域分の画像を、完全に表示するための期間を１フレーム期間という。１フレー
ム期間は、複数のサブフレーム期間を有し、１サブフレーム期間は、アドレス期間とサス
テイン期間とを有する。アドレス期間Ｔａ１〜Ｔａ４は、全行分の画素への信号書き込み
にかかる時間を示し、期間Ｔｂ１〜Ｔｂ４は一行分の画素（または一画素分）への信号書
き込みにかかる時間を示している。サステイン期間Ｔｓ１〜Ｔｓ４は、画素へ書き込まれ
たビデオ信号にしたがって点灯または非点灯状態を維持する時間を示し、その長さの比を
Ｔｓ１：Ｔｓ２：Ｔｓ３：Ｔｓ４＝２３：２２：２１：２０＝８：４：２：１としている
。また、どのサステイン期間で発光するかによって、階調を表現している。
【０５９４】
ここで、図６７（Ｂ）を参照して、ｉ行目の画素行に着目して説明する。まず、アドレ
ス期間Ｔａ１において、１行目から順に、走査線に画素選択信号が入力され、アドレス期
間Ｔａ１のうち期間Ｔｂ１（ｉ）において、ｉ行目の画素が選択される。そして、ｉ行目
の画素が選択されているときに、信号線からｉ行目の画素へ、ビデオ信号が入力される。
そして、ｉ行目の画素にビデオ信号が書き込まれると、ｉ行目の画素は再び信号が入力さ
れるまでその信号を保持する。この書き込まれたビデオ信号によって、サステイン期間Ｔ
ｓ１におけるｉ行目の画素の点灯、非点灯が制御される。同様に、アドレス期間Ｔａ２、
Ｔａ３、Ｔａ４においてｉ行目の画素へビデオ信号が入力され、そのビデオ信号によって
サステイン期間Ｔｓ２、Ｔｓ３、Ｔｓ４におけるｉ行目の画素の点灯、非点灯が制御され
る。そして、それぞれのサブフレーム期間において、アドレス期間中は点灯せず、アドレ
ス期間が終了した後、サステイン期間が始まり、点灯させるための信号が書き込まれてい
る画素が点灯する。
【０５９５】
ここでは４ビット階調を表現する場合について説明したが、ビット数および階調数はこ
れに限定されない。なお、点灯の順番はＴｓ１、Ｔｓ２、Ｔｓ３、Ｔｓ４である必要はな
く、ランダムでもよいし、複数に分割して発光をさせてもよい。なお、Ｔｓ１、Ｔｓ２、
Ｔｓ３、Ｔｓ４の点灯時間は、２のべき乗にする必要はなく、同じ長さの点灯時間にして
もよいし、２のべき乗から少しだけずらしてもよい。
【０５９６】
続いて、画素への信号書き込み期間（アドレス期間）と、発光期間（サステイン期間）
とが、分離されていない場合の駆動方法について説明する。ビデオ信号の書き込み動作が
完了した行の画素は、次に画素へ信号が書き込まれるまで（または消去されるまで）、信
号を保持する。書き込み動作から、次にこの画素へ信号が書き込まれるまでの期間を、デ
ータ保持時間という。そして、このデータ保持時間中は、画素に書き込まれたビデオ信号
に従って、画素が点灯または非点灯となる。同じ動作が、最終行まで行われ、アドレス期
間が終了する。そして、データ保持時間が終了した行から順に、次のサブフレーム期間の
信号書き込み動作へ移る。
【０５９７】
このように、信号書き込み動作が完了し、データ保持時間となると、画素へ書き込まれ
たビデオ信号に従って、直ちに画素が点灯または非点灯となる駆動方法の場合には、同時
に２行に信号を入力できない。そのため、アドレス期間を重ならないようにしなければな
らないので、データ保持時間を、アドレス期間より短くすることができない。その結果、
高階調表示が困難になる。
【０５９８】
よって、消去期間を設けることにより、アドレス期間より短い、データ保持時間を設定
する。消去期間を設け、アドレス期間より短いデータ保持時間を設定する場合の駆動方法
について、図６８（Ａ）に示す。
【０５９９】
ここで、図６８（Ｂ）を参照して、ｉ行目の画素行に着目して説明する。アドレス期間
Ｔａ１において、１行目から順に、走査線に画素走査信号が入力され、画素が選択される
。そして、期間Ｔｂ１（ｉ）においてｉ行目の画素が選択されているときに、ｉ行目の画
素にビデオ信号が入力される。そして、ｉ行目の画素にビデオ信号が書き込まれると、ｉ
行目の画素は、再び信号が入力されるまでその信号を保持する。この書き込まれたビデオ
信号によって、サステイン期間Ｔｓ１（ｉ）におけるｉ行目の画素の点灯、非点灯が制御
される。つまり、ｉ行目にビデオ信号の書き込み動作が完了したら、直ちに書き込まれた
ビデオ信号にしたがって、ｉ行目の画素が点灯または非点灯の状態となる。同様に、アド
レス期間Ｔａ２、Ｔａ３、Ｔａ４においてｉ行目の画素へビデオ信号が入力され、そのビ
デオ信号によってサステイン期間Ｔｓ２、Ｔｓ３、Ｔｓ４におけるｉ行目の画素の点灯、
非点灯が制御される。そして、サステイン期間Ｔｓ４（ｉ）は、その終期を消去動作の開
始によって設定される。なぜなら、ｉ行目の消去時間Ｔｅ（ｉ）において、ｉ行目の画素
に書き込まれたビデオ信号に関わらず、強制的に非点灯となるからである。つまり、消去
時間Ｔｅ（ｉ）が始まるとｉ行目の画素のデータ保持時間が終了する。
【０６００】
よって、アドレス期間とサステイン期間とを分離せずに、アドレス期間より短いデータ
保持時間を持つ、高階調かつデューティー比（１フレーム期間中の点灯期間の割合）の高
い表示装置を提供することができる。瞬間輝度を低くすることが可能であるため、表示素
子の信頼性の向上を図ることが可能である。
【０６０１】
ここでは４ビット階調を表現する場合について説明したが、ビット数および階調数はこ
れに限定されない。また、点灯の順番はＴｓ１、Ｔｓ２、Ｔｓ３、Ｔｓ４である必要はな
く、ランダムでもよいし、複数に分割して発光をしてもよい。また、Ｔｓ１、Ｔｓ２、Ｔ
ｓ３、Ｔｓ４の点灯時間は、２のべき乗にする必要はなく、同じ長さの点灯時間にしても
よいし、２のべき乗からずらしてもよい。
【０６０２】
デジタル時間階調駆動を適用可能な画素の構成および画素の動作について説明する。
【０６０３】
図６９は、デジタル時間階調駆動を適用可能な画素構成の一例を示す図である。
【０６０４】
画素８０３００は、スイッチング用トランジスタ８０３０１、駆動用トランジスタ８０
３０２、発光素子８０３０４および容量素子８０３０３を有している。スイッチング用ト
ランジスタ８０３０１は、ゲートが、走査線８０３０６に接続され、第１電極（ソース電
極およびドレイン電極の一方）が、信号線８０３０５に接続され、第２電極（ソース電極
およびドレイン電極の他方）が、駆動用トランジスタ８０３０２のゲートに接続されてい
る。駆動用トランジスタ８０３０２は、ゲートが、容量素子８０３０３を介して電源線８
０３０７に接続され、第１電極が、電源線８０３０７に接続され、第２電極が、発光素子
８０３０４の第１電極（画素電極）に接続されている。発光素子８０３０４の第２電極は
、共通電極８０３０８に相当する。
【０６０５】
発光素子８０３０４の第２電極（共通電極８０３０８）には、低電源電位が設定されて
いる。低電源電位とは、電源線８０３０７に設定される高電源電位を基準にして、低電源
電位＜高電源電位を満たす電位であり、低電源電位としては例えばＧＮＤ、０Ｖなどが設
定されていてもよい。この高電源電位と、低電源電位との電位差を、発光素子８０３０４
に印加して、発光素子８０３０４に電流を流す。ここで、発光素子８０３０４を発光させ
るため、高電源電位と、低電源電位との電位差が、発光素子８０３０４の順方向しきい値
電圧以上となるように、それぞれの電位を設定する。
【０６０６】
容量素子８０３０３は、駆動用トランジスタ８０３０２のゲート容量を代用して省略す
ることも可能である。駆動用トランジスタ８０３０２のゲート容量については、ソース領
域、ドレイン領域またはＬＤＤ領域などと、ゲート電極とが重なって、オーバーラップし
ている領域で容量が形成されていてもよい。あるいは、チャネル領域と、ゲート電極との
間で、容量が形成されていてもよい。
【０６０７】
電圧入力電圧駆動方式の場合には、駆動用トランジスタ８０３０２のゲートには、駆動
用トランジスタ８０３０２が十分にオンするか、オフするかの、２つの状態となるビデオ
信号を入力する。つまり、駆動用トランジスタ８０３０２は、線形領域で動作する。
【０６０８】
駆動用トランジスタ８０３０２が、飽和領域で動作するようなビデオ信号を入力するこ
とで、発光素子８０３０４に電流を流すことができる。発光素子８０３０４が、電流に応
じて輝度を決定するような素子であれば、発光素子８０３０４の劣化による輝度の低下を
抑制することができる。さらに、ビデオ信号をアナログとすることで、発光素子８０３０
４にビデオ信号に応じた電流を流すことができる。この場合、アナログ階調駆動ができる
。
【０６０９】
しきい値電圧補正型と呼ばれる、画素の構成および動作について説明する。しきい値電
圧補正型の画素は、デジタル時間階調駆動およびアナログ階調駆動に適用することができ
る。
【０６１０】
図７０は、しきい値電圧補正型と呼ばれる画素の構成の一例を示す図である。
【０６１１】
図７０に示す画素は、駆動用トランジスタ８０６００、第１のスイッチ８０６０１、第
２のスイッチ８０６０２、第３のスイッチ８０６０３、第１の容量素子８０６０４、第２
の容量素子８０６０５および発光素子８０６２０を有している。駆動用トランジスタ８０
６００のゲートは、第１の容量素子８０６０４と、第１のスイッチ８０６０１とを、順に
介して信号線８０６１１と接続されている。また、駆動用トランジスタ８０６００のゲー
トは、第２の容量素子８０６０５を介して、電源線８０６１２と接続されている。駆動用
トランジスタ８０６００の第１電極は、電源線８０６１２と接続されている。駆動用トラ
ンジスタ８０６００の第２電極は、第３のスイッチ８０６０３を介して、発光素子８０６
２０の第１の電極と接続されている。また、駆動用トランジスタ８０６００の第２電極は
、第２のスイッチ８０６０２を介して、駆動用トランジスタ８０６００のゲートと接続さ
れている。発光素子８０６２０の第２の電極は、共通電極８０６２１に相当する。なお、
第１のスイッチ８０６０１、第２のスイッチ８０６０２および第３のスイッチ８０６０３
は、それぞれ第１の走査線８０６１３に入力される信号、第２の走査線８０６１５に入力
される信号および第３の走査線８０６１４に入力される信号によって、オンとオフが制御
されている。
【０６１２】
図７０に示す画素構成は、これに限定されない。例えば、図７０に示す画素に新たにス
イッチ、抵抗素子、容量素子、トランジスタまたは論理回路などを追加してもよい。例え
ば、第２のスイッチ８０６０２を、Ｐチャネル型トランジスタまたはＮチャネル型のトラ
ンジスタで構成し、第３のスイッチ８０６０３を、第２のスイッチ８０６０２とは別の極
性のトランジスタで構成し、第２のスイッチ８０６０２および第３のスイッチ８０６０３
を、同じ走査線で制御してもよい。
【０６１３】
電流入力型と呼ばれる画素の構成および動作について説明する。電流入力型の画素は、
デジタル階調駆動およびアナログ階調駆動に適用することができる。
【０６１４】
図７１は、電流入力型と呼ばれる画素の構成の一例を示す図である。
【０６１５】
図７１に示す画素は、駆動用トランジスタ８０７００、第１のスイッチ８０７０１、第
２のスイッチ８０７０２、第３のスイッチ８０７０３、容量素子８０７０４および発光素
子８０７３０を有している。駆動用トランジスタ８０７００のゲートは、第２のスイッチ
８０７０２と、第１のスイッチ８０７０１とを順に介して、信号線８０７１１に接続され
ている。駆動用トランジスタ８０７００のゲートは、容量素子８０７０４を介して、電源
線８０７１２に接続されている。駆動用トランジスタ８０７００の第１電極は、電源線８
０７１２に接続されている。駆動用トランジスタ８０７００の第２電極は、第１のスイッ
チ８０７０１を介して、信号線８０７１１に接続されている。駆動用トランジスタ８０７
００の第２電極は、第３のスイッチ８０７０３を介して発光素子８０７３０の第１の電極
に接続されている。発光素子８０７３０の第２の電極は、共通電極８０７３１に相当する
。なお、第１のスイッチ８０７０１、第２のスイッチ８０７０２および第３のスイッチ８
０７０３は、それぞれ第１の走査線８０７１３に入力される信号、第２の走査線８０７１
４に入力される信号および第３の走査線８０７１５に入力される信号によって、オンとオ
フが制御されている。
【０６１６】
図７１に示す画素構成は、これに限定されない。例えば、図７１に示す画素に新たにス
イッチ、抵抗素子、容量素子、トランジスタまたは論理回路などを追加してもよい。例え
ば、第１のスイッチ８０７０１を、Ｐチャネル型トランジスタまたはＮチャネル型トラン
ジスタで構成し、第２のスイッチ８０７０２を、第１のスイッチ８０７０１と同じ極性の
トランジスタで構成し、第１のスイッチ８０７０１および第２のスイッチ８０７０２を、
同じ走査線で制御してもよい。第２のスイッチ８０７０２は、駆動用トランジスタ８０７
００のゲートと信号線８０７１１との間に配置されていてもよい。
【０６１７】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０６１８】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０６１９】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０６２０】
（実施の形態１６）
本実施の形態においては、表示装置の画素構造について説明する。特に、有機ＥＬ素子
を用いた表示装置の画素構造について説明する。
【０６２１】
図７２（Ａ）は、１つの画素に、２つのトランジスタを有する画素の上面図（レイアウ
ト図）の一例である。図７２（Ｂ）は、図７２（Ａ）に示すＸ−Ｘ’の部分の断面図の一
例である。
【０６２２】
図７２（Ａ）は、第１のトランジスタ６０１０５、第１の配線６０１０６、第２の配線
６０１０７、第２のトランジスタ６０１０８、第３の配線６０１１１、対向電極６０１１
２、コンデンサ６０１１３、画素電極６０１１５、隔壁６０１１６、有機導電体膜６０１
１７、有機薄膜６０１１８および基板６０１１９を示している。なお、第１のトランジス
タ６０１０５は、スイッチング用トランジスタとして、第２のトランジスタ６０１０８は
駆動用トランジスタとして、それぞれ用いられるのが好適である。また、第１の配線６０
１０６はゲート信号線として、第２の配線６０１０７はソース信号線として、第３の配線
６０１１１は電流供給線として、それぞれ用いられるのが好適である。
【０６２３】
第１のトランジスタ６０１０５のゲート電極は、第１の配線６０１０６と電気的に接続
され、第１のトランジスタ６０１０５のソース電極およびドレイン電極の一方は、第２の
配線６０１０７と電気的に接続され、第１のトランジスタ６０１０５のソース電極および
ドレイン電極の他方は、第２のトランジスタ６０１０８のゲート電極およびコンデンサ６
０１１３の一方の電極と電気的に接続されている。なお、第１のトランジスタ６０１０５
のゲート電極は、複数のゲート電極によって構成されている。こうすることで、第１のト
ランジスタ６０１０５の、オフ状態におけるリーク電流を低減することができる。
【０６２４】
第２のトランジスタ６０１０８のソース電極およびドレイン電極の一方は、第３の配線
６０１１１と電気的に接続され、第２のトランジスタ６０１０８のソース電極およびドレ
イン電極の他方は、画素電極６０１１５と電気的に接続されている。こうすることで、画
素電極６０１１５に流れる電流を、第２のトランジスタ６０１０８によって制御すること
ができる。
【０６２５】
画素電極６０１１５上には、有機導電体膜６０１１７が設けられ、さらに有機薄膜６０
１１８（有機化合物層）が設けられている。有機薄膜６０１１８（有機化合物層）上には
、対向電極６０１１２が設けられている。なお、対向電極６０１１２は、全ての画素で共
通に接続されるように形成されていてもよく、シャドーマスクなどを用いてパターン形成
されていてもよい。
【０６２６】
有機薄膜６０１１８（有機化合物層）から発せられた光は、画素電極６０１１５または
対向電極６０１１２のうちいずれかを透過して発せられる。
【０６２７】
図７２（Ｂ）において、画素電極側、すなわちトランジスタなどが形成されている側に
光が発せられる場合を下面放射、対向電極側に光が発せられる場合を上面放射と呼ぶ。
【０６２８】
下面放射の場合、画素電極６０１１５は透明導電膜によって形成されるのが好適である
。逆に、上面放射の場合、対向電極６０１１２は透明導電膜によって形成されるのが好適
である。
【０６２９】
カラー表示の発光装置においては、Ｒ，Ｇ，Ｂそれぞれの発光色を持つＥＬ素子を作り
分けてもよいし、単色のＥＬ素子を全体一様に作り、カラーフィルタによってＲ，Ｇ，Ｂ
の発光を得るようにしてもよい。
【０６３０】
図７２に示した構成はあくまで一例であり、画素レイアウト、断面構成、ＥＬ素子の電
極の積層順などに関して、図７２に示した構成以外にも、さまざまな構成をとることがで
きる。また、発光素子は、図示した有機薄膜で構成される素子の他に、ＬＥＤのような結
晶性の素子、無機薄膜で構成される素子など、さまざまな素子を用いることができる。
【０６３１】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０６３２】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０６３３】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０６３４】
（実施の形態１７）
本実施の形態においては、ＥＬ素子の構造について説明する。特に、有機ＥＬ素子の構
造について説明する。
【０６３５】
混合接合型のＥＬ素子の構成について説明する。その一例として、正孔注入材料からな
る正孔注入層、正孔輸送材料からなる正孔輸送層、発光材料からなる発光層、電子輸送材
料からなる電子輸送層、電子注入材料からなる電子注入層などが、明確に区別されるよう
な積層構造ではなく、正孔注入材料、正孔輸送材料、発光材料、電子輸送材料、電子注入
材料などの材料のうち、複数の材料が混合された層（混合層）を有する構成（以下、混合
接合型のＥＬ素子と表記する）について説明する。
【０６３６】
図７３（Ａ）、（Ｂ）、（Ｃ）、（Ｄ）および（Ｅ）は、混合接合型のＥＬ素子の構造
を示す模式図である。なお、陽極１９０１０１と陰極１９０１０２の間に挟まれた層が、
ＥＬ層に相当する。
【０６３７】
図７３（Ａ）に示される構成は、ＥＬ層が正孔輸送材料からなる正孔輸送領域１９０１
０３と、電子輸送材料からなる電子輸送領域１９０１０４とを含んでいる。正孔輸送領域
１９０１０３は、電子輸送領域１９０１０４よりも陽極側に位置している。また、正孔輸
送領域１９０１０３と、電子輸送領域１９０１０４の間に、正孔輸送材料および電子輸送
材料の両方を含む混合領域１９０１０５が設けられている。
【０６３８】
陽極１９０１０１から陰極１９０１０２の方向に、混合領域１９０１０５内の正孔輸送
材料の濃度が減少し、混合領域１９０１０５内の電子輸送材料の濃度が増加することを特
徴とする。
【０６３９】
濃度勾配の設定の仕方は、自由に設定することが可能である。例えば、正孔輸送材料の
みからなる正孔輸送領域１９０１０３が存在せず、正孔輸送材料および電子輸送材料の両
方を含む混合領域１９０１０５内部で、各機能材料の濃度の割合が変化する（濃度勾配を
有する）構成であってもよい。あるいは、正孔輸送材料のみからなる正孔輸送領域１９０
１０３および電子輸送材料のみからなる電子輸送領域１９０１０４が存在せず、正孔輸送
材料および電子輸送材料の両方を含む混合領域１９０１０５内部で、各機能材料の濃度の
割合が変化する（濃度勾配を有する）構成であってもよい。あるいは、濃度の割合は、陽
極または陰極からの距離に依存して変化する構成であってもよい。なお、濃度の割合の変
化は連続的であってもよい。
【０６４０】
混合領域１９０１０５内に、発光材料が添加された領域１９０１０６を有する。発光材
料によって、ＥＬ素子の発光色を制御することができる。また、発光材料によって、キャ
リアをトラップすることができる。発光材料としては、キノリン骨格を含む金属錯体、ベ
ンゾオキサドール骨格を含む金属錯体、ベンゾチアゾ−ル骨格を含む金属錯体などの他、
各種蛍光色素を用いることができる。これらの発光材料を添加することによって、ＥＬ素
子の発光色を制御することができる。
【０６４１】
陽極１９０１０１としては、効率よく正孔を注入するため、仕事関数の大きな電極材料
を用いることが好ましい。例えば、インジウム錫酸化物（ＩＴＯ）、インジウム亜鉛酸化
物（ＩＺＯ）、ＺｎＯ、ＳｎＯ２またはＩｎ２Ｏ３などの透明電極を用いることができる
。あるいは、透光性を有する必要が無いならば、陽極１９０１０１は、不透明の金属材料
でもよい。
【０６４２】
正孔輸送材料としては、芳香族アミン系の化合物などを用いることができる。
【０６４３】
電子輸送材料としては、キノリン誘導体、８−キノリノールまたはその誘導体を配位子
とする金属錯体（特に、トリス（８−キノリノラト）アルミニウム（Ａｌｑ３））などを
用いることができる。
【０６４４】
陰極１９０１０２としては、効率よく電子を注入するため、仕事関数の小さな電極材料
を用いることが好ましい。例えば、アルミニウム、インジウム、マグネシウム、銀、カル
シウム、バリウム、リチウムなどの金属を単体で用いることができる。あるいは、これら
の金属の合金であってもよいし、これらの金属と他の金属との合金であってもよい。
【０６４５】
図７３（Ａ）とは異なる構成のＥＬ素子の模式図を、図７３（Ｂ）に示す。なお、図７
３（Ａ）と同じ部分は同じ符号を用いて示し、説明は省略する。
【０６４６】
図７３（Ｂ）では、発光材料が添加された領域を有さない。しかし、電子輸送領域１９
０１０４に添加する材料として、電子輸送性および発光性の両方を有する材料（電子輸送
発光材料）、例えば、トリス（８−キノリノラト）アルミニウム（Ａｌｑ３）を用いる構
成とすることによって、発光させることができる。
【０６４７】
あるいは、正孔輸送領域１９０１０３に添加する材料として、正孔輸送性および発光性
の両方を有する材料（正孔輸送発光材料）を用いてもよい。
【０６４８】
図７３（Ａ）および図７３（Ｂ）とは異なる構成のＥＬ素子の模式図を図７３（Ｃ）に
示す。なお、図７３（Ａ）および図７３（Ｂ）と同じ部分は同じ符号を用いて示し、説明
は省略する。
【０６４９】
図７３（Ｃ）において、正孔輸送材料に比べて、最高被占分子軌道と最低空分子軌道と
のエネルギー差が大きい正孔ブロッキング性材料が、混合領域１９０１０５内に添加され
た領域１９０１０７を有する。正孔ブロッキング性材料が添加された領域１９０１０７を
、混合領域１９０１０５内の発光材料が添加された領域１９０１０６より、陰極１９０１
０２側に配置することによって、キャリアの再結合率を上げ、発光効率を上げることがで
きる。上記、正孔ブロッキング性材料が添加された領域１９０１０７を設ける構成は、特
に、三重項励起子による発光（燐光）を利用するＥＬ素子において有効である。
【０６５０】
図７３（Ａ）、図７３（Ｂ）および図７３（Ｃ）とは異なる構成のＥＬ素子の模式図を
図７３（Ｄ）に示す。なお、図７３（Ａ）、図７３（Ｂ）および図７３（Ｃ）と同じ部分
は同じ符号を用いて示し、説明は省略する。
【０６５１】
図７３（Ｄ）において、電子輸送材料に比べて、最高被占分子軌道と最低空分子軌道と
のエネルギー差が大きい電子ブロッキング性材料が、混合領域１９０１０５内に添加され
た領域１９０１０８を有する。電子ブロッキング性材料が添加された領域１９０１０８を
、混合領域１９０１０５内の発光材料が添加された領域１９０１０６より、陽極１９０１
０１側に配置することによって、キャリアの再結合率を上げ、発光効率を上げることがで
きる。上記、電子ブロッキング性材料が添加された領域１９０１０８を設ける構成は、特
に、三重項励起子による発光（燐光）を利用するＥＬ素子において有効である。
【０６５２】
図７３（Ｅ）は、図７３（Ａ）、図７３（Ｂ）、図７３（Ｃ）および図７３（Ｄ）とは
異なる混合接合型のＥＬ素子の構成を示す模式図である。図７３（Ｅ）では、ＥＬ素子の
電極に接するＥＬ層の部分に、金属材料を添加した領域１９０１０９を有する構成の例を
示す。図７３（Ｅ）において、図７３（Ａ）〜図７３（Ｄ）と同じ部分は同じ符号を用い
て示し説明は省略する。図７３（Ｅ）に示す構成は、例えば、陰極１９０１０２としてＭ
ｇＡｇ（Ｍｇ―Ａｇ合金）を用い、電子輸送材料が添加された電子輸送領域１９０１０４
の、陰極１９０１０２に接する領域にＡｌ（アルミニウム）合金を添加した領域１９０１
０９を有する構成であってもよい。上記構成によって、陰極の酸化を防止し、かつ、陰極
からの電子の注入効率を高めることができる。こうして、混合接合型のＥＬ素子では、そ
の寿命を長くすることができる。また、駆動電圧も低くすることができる。
【０６５３】
上記混合接合型のＥＬ素子を作製する手法としては、共蒸着法などを用いることができ
る。
【０６５４】
図７３（Ａ）〜図７３（Ｅ）に示したような混合接合型のＥＬ素子では、明確な層の界
面が存在せず、電荷の蓄積を低減することができる。こうして、その寿命を長くすること
ができる。また、駆動電圧も低くすることができる。
【０６５５】
図７３（Ａ）〜図７３（Ｅ）に示した構成は、自由に組み合わせて実施することが可能
である。
【０６５６】
混合接合型のＥＬ素子の構成は、これに限定されず、さまざまな構成を自由に用いるこ
とができる。
【０６５７】
ＥＬ素子のＥＬ層を構成する有機材料としては、低分子材料でも高分子材料でもよい。
あるいは、これらの材料を両方用いてもよい。有機化合物材料として低分子材料を用いる
場合は、蒸着法によって成膜することができる。一方、ＥＬ層として高分子材料を用いる
場合では、高分子材料を溶媒に溶かし、スピン塗布法またはインクジェット方式で成膜す
ることができる。
【０６５８】
ＥＬ層は、中分子材料によって構成されていてもよい。本明細書中において、中分子系
有機発光材料とは、昇華性を有さず、かつ、重合度が２０程度以下の有機発光材料を示す
ものとする。ＥＬ層として中分子材料を用いる場合では、インクジェット方式などで成膜
することができる。
【０６５９】
低分子材料と、高分子材料と、中分子材料とを組み合わせて用いてもよい。
【０６６０】
ＥＬ素子は、一重項励起子からの発光（蛍光）を利用するものでも、三重項励起子から
の発光（燐光）を利用するものでも、どちらでもよい。
【０６６１】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０６６２】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０６６３】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０６６４】
（実施の形態１８）
本実施の形態においては、ＥＬ素子の構造について説明する。特に、無機ＥＬ素子の構
造について説明する。
【０６６５】
発光材料に用いる母体材料としては、硫化物、酸化物、窒化物を用いることができる。
硫化物としては、例えば、硫化亜鉛（ＺｎＳ）、硫化カドミウム（ＣｄＳ）、硫化カルシ
ウム（ＣａＳ）、硫化イットリウム（Ｙ２Ｓ３）、硫化ガリウム（Ｇａ２Ｓ３）、硫化ス
トロンチウム（ＳｒＳ）、硫化バリウム（ＢａＳ）などを用いることができる。酸化物と
しては、例えば、酸化亜鉛（ＺｎＯ）、酸化イットリウム（Ｙ２Ｏ３）などを用いること
ができる。窒化物としては、例えば、窒化アルミニウム（ＡｌＮ）、窒化ガリウム（Ｇａ
Ｎ）、窒化インジウム（ＩｎＮ）などを用いることができる。さらに、セレン化亜鉛（Ｚ
ｎＳｅ）、テルル化亜鉛（ＺｎＴｅ）なども用いることができる。また、硫化カルシウム
−ガリウム（ＣａＧａ２Ｓ４）、硫化ストロンチウム−ガリウム（ＳｒＧａ２Ｓ４）、硫
化バリウム−ガリウム（ＢａＧａ２Ｓ４）、などの３元系の混晶であってもよい。
【０６６６】
局在型発光の発光中心として、マンガン（Ｍｎ）、銅（Ｃｕ）、サマリウム（Ｓｍ）、
テルビウム（Ｔｂ）、エルビウム（Ｅｒ）、ツリウム（Ｔｍ）、ユーロピウム（Ｅｕ）、
セリウム（Ｃｅ）、プラセオジウム（Ｐｒ）などを用いることができる。なお、電荷補償
として、フッ素（Ｆ）、塩素（Ｃｌ）などのハロゲン元素が添加されていてもよい。
【０６６７】
一方、ドナー−アクセプター再結合型発光の発光中心として、ドナー準位を形成する第
１の不純物元素およびアクセプター準位を形成する第２の不純物元素を含む、発光材料を
用いることができる。第１の不純物元素は、例えば、フッ素（Ｆ）、塩素（Ｃｌ）、アル
ミニウム（Ａｌ）などを用いることができる。第２の不純物元素としては、例えば、銅（
Ｃｕ）、銀（Ａｇ）などを用いることができる。
【０６６８】
図７４（Ａ）〜図７４（Ｃ）に発光素子として用いることのできる、薄膜型無機ＥＬ素
子の一例を示す。図７４（Ａ）〜図７４（Ｃ）において、発光素子は、第１の電極層１２
０１００、電界発光層１２０１０２および第２の電極層１２０１０３を含む。
【０６６９】
図７４（Ｂ）および図７４（Ｃ）に示す発光素子は、図７４（Ａ）の発光素子において
、電極層と、電界発光層との間に、絶縁膜を設ける構造である。図７４（Ｂ）に示す発光
素子は、第１の電極層１２０１００と、電界発光層１２０１０２との間に、絶縁膜１２０
１０４を有している。図７４（Ｃ）に示す発光素子は、第１の電極層１２０１００と、電
界発光層１２０１０２との間に、絶縁膜１２０１０５を有し、第２の電極層１２０１０３
と、電界発光層１２０１０２との間に、絶縁膜１２０１０６を有している。このように、
絶縁膜は、電界発光層を挟持する一対の電極層のうち、一方の間にのみ設けてもよいし、
両方の間に設けてもよい。また、絶縁膜は単層でもよいし、複数層を有する積層でもよい
。
【０６７０】
図７５（Ａ）〜図７５（Ｃ）に、発光素子として用いることのできる分散型無機ＥＬ素
子の一例を示す。図７５（Ａ）における発光素子は、第１の電極層１２０２００、電界発
光層１２０２０２および第２の電極層１２０２０３の積層構造を有し、電界発光層１２０
２０２中に、バインダによって保持された発光材料１２０２０１を含む。
【０６７１】
図７５（Ｂ）および図７５（Ｃ）に示す発光素子は、図７５（Ａ）の発光素子において、
電極層と、電界発光層との間に、絶縁膜を設ける構造である。図７５（Ｂ）に示す発光素
子は、第１の電極層１２０２００と、電界発光層１２０２０２との間に、絶縁膜１２０２
０４を有している。図７５（Ｃ）に示す発光素子は、第１の電極層１２０２００と、電界
発光層１２０２０２との間に、絶縁膜１２０２０５を有し、第２の電極層１２０２０３と
、電界発光層１２０２０２との間に、絶縁膜１２０２０６を有している。このように、絶
縁膜は、電界発光層を挟持する一対の電極層のうち、一方の間にのみ設けてもよいし、両
方の間に設けてもよい。また、絶縁膜は、単層でもよいし、複数層を有する積層でもよい
。
【０６７２】
図７５（Ｂ）では、第１の電極層１２０２００に接するように、絶縁膜１２０２０４が
設けられているが、絶縁膜と電界発光層の順番を逆にして、第２の電極層１２０２０３に
接するように絶縁膜１２０２０４を設けてもよい。
【０６７３】
図７４（Ｂ）における絶縁膜１２０１０４、図７５（Ｂ）における絶縁膜１２０２０４
のような、絶縁膜に用いることのできる材料は、絶縁耐圧が高く、緻密な膜質であること
が好ましい。さらには、誘電率が高いことが好ましい。例えば、酸化シリコン（ＳｉＯ２
）、酸化イットリウム（Ｙ２Ｏ３）、酸化チタン（ＴｉＯ２）、酸化アルミニウム（Ａｌ
２Ｏ３）、酸化ハフニウム（ＨｆＯ２）、酸化タンタル（Ｔａ２Ｏ５）、チタン酸バリウ
ム（ＢａＴｉＯ３）、チタン酸ストロンチウム（ＳｒＴｉＯ３）、チタン酸鉛（ＰｂＴｉ
Ｏ３）、窒化シリコン（Ｓｉ３Ｎ４）または酸化ジルコニウム（ＺｒＯ２）など、もしく
はこれらの混合膜または２種以上の積層膜を用いることができる。これらの絶縁膜は、ス
パッタリング、蒸着、ＣＶＤなどにより成膜することができる。絶縁膜は、これら絶縁材
料の粒子を、バインダ中に分散して成膜してもよい。バインダ材料は、電界発光層に含ま
れるバインダと同様な材料、方法を用いて形成すればよい。膜厚は特に限定されることは
ないが、好ましくは１０〜１０００ｎｍの範囲である。
【０６７４】
発光素子は、電界発光層を挟持する、一対の電極層間に電圧を印加することで発光が得
られるが、直流駆動または交流駆動のいずれにおいても動作することができる。
【０６７５】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０６７６】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図の各々の部分に関して、別の実施の形態の部分を
組み合わせることにより、さらに多くの図を構成できる。
【０６７７】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０６７８】
（実施の形態１９）
本実施の形態においては、表示装置の一例、特に光学的な取り扱いを行なう場合につい
て説明する。
【０６７９】
図７６（Ａ）および（Ｂ）に示す背面投影型表示装置１３０１００は、プロジェクタユ
ニット１３０１１１、ミラー１３０１１２およびスクリーンパネル１３０１０１を備えて
いる。その他に、スピーカ１３０１０２および操作スイッチ類１３０１０４を備えていて
もよい。このプロジェクタユニット１３０１１１は、背面投影型表示装置１３０１００の
筐体１３０１１０の下部に配設され、映像信号に基づいて映像を映し出す投射光をミラー
１３０１１２に向けて投射する。背面投影型表示装置１３０１００は、スクリーンパネル
１３０１０１の背面から投影される映像を表示する構成となっている。
【０６８０】
一方、図７７は、前面投影型表示装置１３０２００を示している。前面投影型表示装置
１３０２００は、プロジェクタユニット１３０１１１および投射光学系１３０２０１を備
えている。この投射光学系１３０２０１は、前面に配設するスクリーンなどに映像を投影
する構成となっている。
【０６８１】
図７６に示す背面投影型表示装置１３０１００、図７７に示す前面投影型表示装置１３
０２００に適用される、プロジェクタユニット１３０１１１の構成を以下に説明する。
【０６８２】
図７８は、プロジェクタユニット１３０１１１の一構成例を示している。このプロジェ
クタユニット１３０１１１は、光源ユニット１３０３０１および変調ユニット１３０３０
４を備えている。光源ユニット１３０３０１は、レンズ類を含んで構成される光源光学系
１３０３０３と、光源ランプ１３０３０２を備えている。光源ランプ１３０３０２は、迷
光が拡散しないように筐体内に収納されている。光源ランプ１３０３０２としては、大光
量の光を放射可能な、例えば、高圧水銀ランプまたはキセノンランプなどが用いられる。
光源光学系１３０３０３は、光学レンズ、偏光機能を有するフィルム、位相差を調節する
ためのフィルム、ＩＲフィルムなどを適宜設けて構成される。そして、光源ユニット１３
０３０１は、放射光が変調ユニット１３０３０４に入射するように配設されている。変調
ユニット１３０３０４は、複数の表示パネル１３０３０８、カラーフィルタ、ダイクロイ
ックミラー１３０３０５、全反射ミラー１３０３０６、位相差板１３０３０７、プリズム
１３０３０９および投射光学系１３０３１０を備えている。光源ユニット１３０３０１か
ら放射された光は、ダイクロイックミラー１３０３０５で複数の光路に分離される。
【０６８３】
各光路には、所定の波長もしくは波長帯の光を透過するカラーフィルタと、表示パネル
１３０３０８が備えられている。透過型である表示パネル１３０３０８は、映像信号に基
づいて透過光を変調する。表示パネル１３０３０８を透過した各色の光は、プリズム１３
０３０９に入射し投射光学系１３０３１０を通して、スクリーン上に映像を表示する。な
お、フレネルレンズがミラーおよびスクリーンの間に配設されていてもよい。そして、プ
ロジェクタユニット１３０１１１によって投射されミラーで反射される投影光は、フレネ
ルレンズによって概略平行光に変換され、スクリーンに投影される。平行光は、主光線と
光軸のずれが±１０°以下であることが好ましい。より好ましくは、光線と光軸のずれが
±５°以下であることが好ましい。
【０６８４】
図７９で示すプロジェクタユニット１３０１１１は、反射型表示パネル１３０４０７、
反射型表示パネル１３０４０８および反射型表示パネル１３０４０９を備えた構成を示し
ている。
【０６８５】
図７９で示すプロジェクタユニット１３０１１１は、光源ユニット１３０３０１と、変
調ユニット１３０４００を備えている。光源ユニット１３０３０１は、図７８と同様の構
成であってもよい。光源ユニット１３０３０１からの光は、ダイクロイックミラー１３０
４０１、ダイクロイックミラー１３０４０２および全反射ミラー１３０４０３により、複
数の光路に分けられて、偏光ビームスプリッタ１３０４０４、偏光ビームスプリッタ１３
０４０５および偏光ビームスプリッタ１３０４０６に入射する。偏光ビームスプリッタ１
３０４０４、偏光ビームスプリッタ１３０４０５および偏光ビームスプリッタ１３０４０
６は、各色に対応する反射型表示パネル１３０４０７、反射型表示パネル１３０４０８お
よび反射型表示パネル１３０４０９に対応して設けられている。反射型表示パネル１３０
４０７、反射型表示パネル１３０４０８および反射型表示パネル１３０４０９は、映像信
号に基づいて反射光を変調する。反射型表示パネル１３０４０７、反射型表示パネル１３
０４０８および反射型表示パネル１３０４０９で反射された各色の光は、プリズム１３０
４１０に入射することで合成されて、投射光学系１３０４１１を通して投射される。
【０６８６】
光源ユニット１３０３０１から放射された光は、ダイクロイックミラー１３０４０１で
赤の波長領域の光のみを透過し、緑および青の波長領域の光を反射する。さらに、ダイク
ロイックミラー１３０４０２では、緑の波長領域の光のみが反射される。ダイクロイック
ミラー１３０４０１を透過した赤の波長領域の光は、全反射ミラー１３０４０３で反射さ
れ、偏光ビームスプリッタ１３０４０４へ入射する。また、青の波長領域の光は、偏光ビ
ームスプリッタ１３０４０５へ入射し、緑の波長領域の光は偏光ビームスプリッタ１３０
４０６に入射する。偏光ビームスプリッタ１３０４０４、偏光ビームスプリッタ１３０４
０５および偏光ビームスプリッタ１３０４０６は、入射光をＰ偏光と、Ｓ偏光とに分離す
る機能を有し、かつＰ偏光のみを透過させる機能を有している。反射型表示パネル１３０
４０７、反射型表示パネル１３０４０８および反射型表示パネル１３０４０９は、映像信
号に基づいて、入射した光を偏光する。
【０６８７】
各色に対応する反射型表示パネル１３０４０７、反射型表示パネル１３０４０８および
反射型表示パネル１３０４０９には、各色に対応するＳ偏光のみが入射する。なお、反射
型表示パネル１３０４０７、反射型表示パネル１３０４０８および反射型表示パネル１３
０４０９は、液晶パネルであってもよい。このとき、液晶パネルは、電界制御複屈折モー
ド（ＥＣＢ）で動作する。そして、液晶分子は、基板に対してある角度をもって垂直配向
している。よって、反射型表示パネル１３０４０７、反射型表示パネル１３０４０８およ
び反射型表示パネル１３０４０９は、画素がオフ状態にある時は、入射光の偏光状態を変
化させないで反射させるように、表示分子が配向している。そして、画素がオン状態にあ
る時は、表示分子の配向状態が変化し、入射光の偏光状態が変化する。
【０６８８】
図７９に示すプロジェクタユニット１３０１１１は、図７６に示す背面投影型表示装置
１３０１００、および図７７に示す前面投影型表示装置１３０２００に適用することがで
きる。
【０６８９】
図８０で示すプロジェクタユニットは、単板式の構成を示している。図８０（Ａ）に示
したプロジェクタユニット１３０１１１は、光源ユニット１３０３０１、表示パネル１３
０５０７、投射光学系１３０５１１および位相差板１３０５０４を備えている。投射光学
系１３０５１１は、１つまたは複数のレンズにより構成されている。表示パネル１３０５
０７には、カラーフィルタが備えられていてもよい。
【０６９０】
図８０（Ｂ）は、フィールドシーケンシャル方式で動作する、プロジェクタユニット１
３０１１１の構成を示している。フィールドシーケンシャル方式は、赤、緑、青などの各
色の光を時間的にずらして順次表示パネルに入射させて、カラーフィルタ無しでカラー表
示する方式である。特に、入力信号変化に対する応答速度の大きい表示パネルと組み合わ
せると、高精細な映像を表示することができる。図８０（Ｂ）では、光源ユニット１３０
３０１と、表示パネル１３０５０８の間に、赤、緑、青などの複数のカラーフィルタが備
えられた回動式のカラーフィルタ板１３０５０５を備えている。
【０６９１】
図８０（Ｃ）で示すプロジェクタユニット１３０１１１は、カラー表示の方式として、
マイクロレンズを使った色分離方式の構成を示している。この方式は、マイクロレンズア
レイ１３０５０６を、表示パネル１３０５０９の光入射側に備え、各色の光をそれぞれの
方向から照明することで、カラー表示を実現する方式である。この方式を採用するプロジ
ェクタユニット１３０１１１は、カラーフィルタによる光の損失が少ないので、光源ユニ
ット１３０３０１からの光を有効に利用することができるという特徴を有している。図８
０（Ｃ）に示すプロジェクタユニット１３０１１１は、表示パネル１３０５０９に対して
各色の光をそれぞれの方向から照明するように、ダイクロイックミラー１３０５０１、ダ
イクロイックミラー１３０５０２およびダイクロイックミラー１３０５０３を備えている
。
【０６９２】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０６９３】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図において、各々の部分に関して、別の実施の形態
の部分を組み合わせることにより、さらに多くの図を構成できる。
【０６９４】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０６９５】
（実施の形態２０）
本実施の形態においては、電子機器の例について説明する。
【０６９６】
図８１は表示パネル９００１０１と、回路基板９００１１１を組み合わせた表示パネル
モジュールを示している。表示パネル９００１０１は、画素部９００１０２、走査線駆動
回路９００１０３および信号線駆動回路９００１０４を有している。回路基板９００１１
１には、例えば、コントロール回路９００１１２および信号分割回路９００１１３などが
形成されている。表示パネル９００１０１と、回路基板９００１１１とは、接続配線９０
０１１４によって接続されている。接続配線には、ＦＰＣなどを用いることができる。
【０６９７】
図８６は、テレビ受像機の主要な構成を示すブロック図である。チューナ９００２０１
は、映像信号と音声信号を受信する。映像信号は、映像信号増幅回路９００２０２と、映
像信号増幅回路９００２０２から出力される信号を、赤、緑、青の各色に対応した色信号
に変換する、映像信号処理回路９００２０３と、その映像信号を、駆動回路の入力仕様に
変換するためのコントロール回路９００２１２により処理される。コントロール回路９０
０２１２は、走査線駆動回路９００２１４と、信号線駆動回路９００２０４に、それぞれ
信号を出力する。そして、走査線駆動回路９００２１４と、信号線駆動回路９００２０４
が、表示パネル９００２１１を駆動する。デジタル駆動する場合には、信号線側に、信号
分割回路９００２１３を設け、入力デジタル信号をｍ個（ｍは正の整数）に分割して供給
する構成としてもよい。
【０６９８】
チューナ９００２０１で受信した信号のうち、音声信号は、音声信号増幅回路９００２
０５に送られ、その出力は音声信号処理回路９００２０６を経て、スピーカ９００２０７
に供給される。制御回路９００２０８は、受信局（受信周波数）および音量の制御情報を
入力部９００２０９から受け、チューナ９００２０１または音声信号処理回路９００２０
６に信号を送出する。
【０６９９】
図８６とは別の形態の、表示パネルモジュールを組み込んだテレビ受像器について、図
８７（Ａ）に示す。図８７（Ａ）において、筐体９００３０１内に収められた表示画面９
００３０２は、表示パネルモジュールで形成される。なお、スピーカ９００３０３、入力
手段（操作キー９００３０４、接続端子９００３０５、センサ９００３０６（力、変位、
位置、速度、加速度、角速度、回転数、距離、光、液、磁気、温度、化学物質、音声、時
間、硬度、電場、電流、電圧、電力、放射線、流量、湿度、傾度、振動、においまたは赤
外線を測定する機能を含むもの）、マイクロフォン９００３０７）などが適宜備えられて
いてもよい。
【０７００】
図８７（Ｂ）に、ワイヤレスでディスプレイのみを持ち運び可能なテレビ受像器を示す
。このテレビ受像器には、表示部９００３１３、スピーカ部９００３１７、入力手段（操
作キー９００３１６、接続端子９００３１８、センサ９００３１９（力、変位、位置、速
度、加速度、角速度、回転数、距離、光、液、磁気、温度、化学物質、音声、時間、硬度
、電場、電流、電圧、電力、放射線、流量、湿度、傾度、振動、においまたは赤外線を測
定する機能を含むもの）、マイクロフォン９００３２０）などが適宜備えられている。筐
体９００３１２には、バッテリーおよび信号受信器が収められており、そのバッテリーで
表示部９００３１３、スピーカ部９００３１７、センサ９００３１９およびマイクロフォ
ン９００３２０を駆動させる。バッテリーは、充電器９００３１０で繰り返し充電が可能
となっている。充電器９００３１０は、映像信号を送受信することが可能で、その映像信
号を、ディスプレイの信号受信器に送信することができる。図８７（Ｂ）に示す装置は、
操作キー９００３１６によって制御される。あるいは、図８７（Ｂ）に示す装置は、操作
キー９００３１６を操作することによって、充電器９００３１０に信号を送ることが可能
である。つまり、映像音声双方向通信装置であってもよい。あるいは、図８７（Ｂ）に示
す装置は、操作キー９００３１６を操作することによって、充電器９００３１０に信号を
送り、さらに充電器９００３１０が送信できる信号を、他の電子機器に受信させることに
よって、他の電子機器の通信制御も可能である。つまり、汎用遠隔制御装置であってもよ
い。なお、本実施の形態の各々の図で述べた内容（一部でもよい）を、表示部９００３１
３に適用することができる。
【０７０１】
次に、図８８を参照して、携帯電話の構成例について説明する。
【０７０２】
表示パネル９００５０１は、ハウジング９００５３０に脱着自在に組み込まれる。ハウ
ジング９００５３０は、表示パネル９００５０１のサイズに合わせて、形状または寸法を
適宜変更することができる。表示パネル９００５０１を固定したハウジング９００５３０
は、プリント基板９００５３１に嵌入され、モジュールとして組み立てられる。
【０７０３】
表示パネル９００５０１は、ＦＰＣ９００５１３を介して、プリント基板９００５３１
に接続される。プリント基板９００５３１には、スピーカ９００５３２、マイクロフォン
９００５３３、送受信回路９００５３４、ＣＰＵ、コントローラなどを含む信号処理回路
９００５３５およびセンサ９００５４１（力、変位、位置、速度、加速度、角速度、回転
数、距離、光、液、磁気、温度、化学物質、音声、時間、硬度、電場、電流、電圧、電力
、放射線、流量、湿度、傾度、振動、においまたは赤外線を測定する機能を含むもの）が
形成されている。このようなモジュールと、操作キー９００５３６、バッテリー９００５
３７、アンテナ９００５４０を組み合わせ、筐体９００５３９に収納する。表示パネル９
００５０１の画素部は、筐体９００５３９に形成された開口窓から視認できように配置す
る。
【０７０４】
表示パネル９００５０１は、画素部と一部の周辺駆動回路（複数の駆動回路のうち動作
周波数の低い駆動回路）を基板上にトランジスタを用いて一体形成し、一部の周辺駆動回
路（複数の駆動回路のうち動作周波数の高い駆動回路）をＩＣチップ上に形成し、そのＩ
ＣチップをＣＯＧ（Ｃｈｉｐ  Ｏｎ  Ｇｌａｓｓ）で表示パネル９００５０１に実装して
もよい。あるいは、そのＩＣチップを、ＴＡＢ（Ｔａｐｅ  Ａｕｔｏｍａｔｅｄ  Ｂｏｎ
ｄｉｎｇ）またはプリント基板を用いて、ガラス基板と接続してもよい。このような構成
とすることで、表示装置の低消費電力化を図り、携帯電話機の一回の充電による使用時間
を長くすることができる。また、携帯電話機の低コスト化を図ることができる。
【０７０５】
図８８に示した携帯電話は、さまざまな情報（静止画、動画、テキスト画像など）を表
示する機能を有する。カレンダー、日付または時刻などを、表示部に表示する機能を有す
る。表示部に表示した情報を、操作または編集する機能を有する。さまざまなソフトウェ
ア（プログラム）によって、処理を制御する機能を有する。無線通信機能を有する。無線
通信機能を用いて、他の携帯電話、固定電話または音声通信機器と通話する機能を有する
。無線通信機能を用いて、さまざまなコンピュータネットワークに接続する機能を有する
。無線通信機能を用いて、さまざまなデータを送信または受信する機能を有する。着信、
データの受信またはアラームに応じて、バイブレータが動作する機能を有する。着信、デ
ータの受信またはアラームに応じて、音が発生する機能を有する。なお、図８８に示した
携帯電話が有する機能はこれらに限定されず、さまざまな機能を有することができる。
【０７０６】
図８９（Ａ）はディスプレイであり、筐体９００７１１、支持台９００７１２、表示部
９００７１３、スピーカ９００７１７、ＬＥＤランプ９００７１９、入力手段（接続端子
９００７１４、センサ９００７１５（力、変位、位置、速度、加速度、角速度、回転数、
距離、光、液、磁気、温度、化学物質、音声、時間、硬度、電場、電流、電圧、電力、放
射線、流量、湿度、傾度、振動、においまたは赤外線を測定する機能を含むもの）、マイ
クロフォン９００７１６、操作キー９００７１８）などを含む。図８９（Ａ）に示すディ
スプレイは、さまざまな情報（静止画、動画、テキスト画像など）を表示部に表示する機
能を有する。なお、図８９（Ａ）に示すディスプレイが有する機能はこれに限定されず、
さまざまな機能を有することができる。
【０７０７】
図８９（Ｂ）はカメラであり、本体９００７３１、表示部９００７３２、シャッターボ
タン９００７３６、スピーカ９００７４０、ＬＥＤランプ９００７４１、入力手段（受像
部９００７３３、操作キー９００７３４、外部接続ポート９００７３５、接続端子９００
７３７、センサ９００７３８（力、変位、位置、速度、加速度、角速度、回転数、距離、
光、液、磁気、温度、化学物質、音声、時間、硬度、電場、電流、電圧、電力、放射線、
流量、湿度、傾度、振動、においまたは赤外線を測定する機能を含むもの）、マイクロフ
ォン９００７３９）などを含む。図８９（Ｂ）に示すカメラは、静止画を撮影する機能を
有する。動画を撮影する機能を有する。撮影した画像（静止画、動画）を自動で補正する
機能を有する。撮影した画像を、記録媒体（外部またはカメラに内臓）に保存する機能を
有する。撮影した画像を、表示部に表示する機能を有する。なお、図８９（Ｂ）に示すカ
メラが有する機能はこれに限定されず、さまざまな機能を有することができる。
【０７０８】
図８９（Ｃ）はコンピュータであり、本体９００７５１、筐体９００７５２、表示部９
００７５３、スピーカ９００７６０、ＬＥＤランプ９００７６１、リーダ／ライタ９００
７６２、入力手段（キーボード９００７５４、外部接続ポート９００７５５、ポインティ
ングデバイス９００７５６、接続端子９００７５７、センサ９００７５８（力、変位、位
置、速度、加速度、角速度、回転数、距離、光、液、磁気、温度、化学物質、音声、時間
、硬度、電場、電流、電圧、電力、放射線、流量、湿度、傾度、振動、においまたは赤外
線を測定する機能を含むもの）、マイクロフォン９００７５９）などを含む。図８９（Ｃ
）に示すコンピュータは、さまざまな情報（静止画、動画、テキスト画像など）を、表示
部に表示する機能を有する。さまざまなソフトウェア（プログラム）によって、処理を制
御する機能を有する。無線通信または有線通信などの通信機能を有する。通信機能を用い
て、さまざまなコンピュータネットワークに接続する機能を有する。通信機能を用いて、
さまざまなデータを送信または受信する機能を有する。なお、図８９（Ｃ）に示すコンピ
ュータが有する機能はこれに限定されず、さまざまな機能を有することができる。
【０７０９】
図９６（Ａ）はモバイルコンピュータであり、本体９０１４１１、表示部９０１４１２
、スイッチ９０１４１３、スピーカ９０１４１９、ＬＥＤランプ９０１４２０、入力手段
（操作キー９０１４１４、赤外線ポート９０１４１５、接続端子９０１４１６、センサ９
０１４１７（力、変位、位置、速度、加速度、角速度、回転数、距離、光、液、磁気、温
度、化学物質、音声、時間、硬度、電場、電流、電圧、電力、放射線、流量、湿度、傾度
、振動、においまたは赤外線を測定する機能を含むもの）、マイクロフォン９０１４１８
）などを含む。図９６（Ａ）に示すモバイルコンピュータは、さまざまな情報（静止画、
動画、テキスト画像など）を、表示部に表示する機能を有する。表示部にタッチパネルの
機能を有する。カレンダー、日付または時刻などを、表示する機能を表示部に有する。さ
まざまなソフトウェア（プログラム）によって、処理を制御する機能を有する。無線通信
機能を有する。無線通信機能を用いて、さまざまなコンピュータネットワークに接続する
機能を有する。無線通信機能を用いて、さまざまなデータを送信または受信する機能を有
する。なお、図９６（Ａ）に示すモバイルコンピュータが有する機能はこれに限定されず
、さまざまな機能を有することができる。
【０７１０】
図９６（Ｂ）は記録媒体を備えた携帯型の画像再生装置（例えば、ＤＶＤ再生装置）で
あり、本体９０１４３１、筐体９０１４３２、表示部Ａ９０１４３３、表示部Ｂ９０１４
３４、スピーカ部９０１４３７、ＬＥＤランプ９０１４４１、入力手段（記録媒体（ＤＶ
Ｄなど）読み込み部９０１４３５、操作キー９０１４３６、接続端子９０１４３８、セン
サ９０１４３９（力、変位、位置、速度、加速度、角速度、回転数、距離、光、液、磁気
、温度、化学物質、音声、時間、硬度、電場、電流、電圧、電力、放射線、流量、湿度、
傾度、振動、においまたは赤外線を測定する機能を含むもの）、マイクロフォン９０１４
４０）などを含む。表示部Ａ９０１４３３は、主として画像情報を表示し、表示部Ｂ９０
１４３４は、主として文字情報を表示する。
【０７１１】
図９６（Ｃ）はゴーグル型ディスプレイであり、本体９０１４５１、表示部９０１４５
２、イヤホン９０１４５３、支持部９０１４５４、ＬＥＤランプ９０１４５９、スピーカ
９０１４５８、入力手段（接続端子９０１４５５、センサ９０１４５６（力、変位、位置
、速度、加速度、角速度、回転数、距離、光、液、磁気、温度、化学物質、音声、時間、
硬度、電場、電流、電圧、電力、放射線、流量、湿度、傾度、振動、においまたは赤外線
を測定する機能を含むもの）、マイクロフォン９０１４５７）などを含む。図９６（Ｃ）
に示すゴーグル型ディスプレイは、外部から取得した画像（静止画、動画、テキスト画像
など）を表示部に表示する機能を有する。なお、図９６（Ｃ）に示すゴーグル型ディスプ
レイが有する機能はこれに限定されず、さまざまな機能を有することができる。
【０７１２】
図９７（Ａ）は携帯型遊技機であり、筐体９０１５１１、表示部９０１５１２、スピー
カ部９０１５１３、記録媒体挿入部９０１５１５、ＬＥＤランプ９０１５１９、入力手段
（操作キー９０１５１４、接続端子９０１５１６、センサ９０１５１７（力、変位、位置
、速度、加速度、角速度、回転数、距離、光、液、磁気、温度、化学物質、音声、時間、
硬度、電場、電流、電圧、電力、放射線、流量、湿度、傾度、振動、においまたは赤外線
を測定する機能を含むもの）、マイクロフォン９０１５１８）などを含む。図９７（Ａ）
に示す携帯型遊技機は、記録媒体に記録されているプログラムまたはデータを読み出して
、表示部に表示する機能を有する。他の携帯型遊技機と無線通信して、情報を共有する機
能を有する。なお、図９７（Ａ）に示す携帯型遊技機が有する機能はこれに限定されず、
さまざまな機能を有することができる。
【０７１３】
図９７（Ｂ）はテレビ受像機能付きデジタルカメラであり、本体９０１５３１、表示部
９０１５３２、スピーカ９０１５３４、シャッターボタン９０１５３５、ＬＥＤランプ９
０１５４１、入力手段（操作キー９０１５３３、受像部９０１５３６、アンテナ９０１５
３７、接続端子９０１５３８、センサ９０１５３９（力、変位、位置、速度、加速度、角
速度、回転数、距離、光、液、磁気、温度、化学物質、音声、時間、硬度、電場、電流、
電圧、電力、放射線、流量、湿度、傾度、振動、においまたは赤外線を測定する機能を含
むもの）、マイクロフォン９０１５４０）などを含む。図９７（Ｂ）に示すテレビ受像機
能付きデジタルカメラは、静止画を撮影する機能を有する。動画を撮影する機能を有する
。撮影した画像を、自動で補正する機能を有する。アンテナから、さまざまな情報を取得
する機能を有する。撮影した画像、またはアンテナから取得した情報を、保存する機能を
有する。撮影した画像、またはアンテナから取得した情報を、表示部に表示する機能を有
する。なお、図９７（Ｂ）に示すテレビ受像機能付きデジタルカメラが有する機能はこれ
に限定されず、さまざまな機能を有することができる。
【０７１４】
図９８は携帯型遊技機であり、筐体９０１６１１、第１表示部９０１６１２、第２表示
部９０１６１３、スピーカ部９０１６１４、記録媒体挿入部９０１６１６、ＬＥＤランプ
９０１６２０、入力手段（操作キー９０１６１５、接続端子９０１６１７、センサ９０１
６１８（力、変位、位置、速度、加速度、角速度、回転数、距離、光、液、磁気、温度、
化学物質、音声、時間、硬度、電場、電流、電圧、電力、放射線、流量、湿度、傾度、振
動、においまたは赤外線を測定する機能を含むもの）、マイクロフォン９０１６１９）な
どを含む。図９８に示す携帯型遊技機は、記録媒体に記録されているプログラムまたはデ
ータを読み出して、表示部に表示する機能を有する。他の携帯型遊技機と無線通信して、
情報を共有する機能を有する。なお、図９８に示す携帯型遊技機が有する機能はこれに限
定されず、さまざまな機能を有することができる。
【０７１５】
図８９（Ａ）〜図８９（Ｃ）、図９６（Ａ）〜図９６（Ｃ）、図９７（Ａ）〜図９７（
Ｂ）、および図９８に示したように、電子機器は、何らかの情報を表示するための表示部
を有することを特徴とする。
【０７１６】
次に、半導体装置の応用例を説明する。
【０７１７】
図９０に、半導体装置を、建造物と一体にして設けた例について示す。図９０は、筐体
９００８１０、表示部９００８１１、操作部であるリモコン装置９００８１２、スピーカ
部９００８１３などを含む。半導体装置は、壁かけ型として建物と一体となっており、設
置するスペースを広く必要とすることなく設置可能である。
【０７１８】
図９１に、建造物内に半導体装置を、建造物と一体にして設けた別の例について示す。
表示パネル９００９０１は、ユニットバス９００９０２と一体に取り付けられており、入
浴者は表示パネル９００９０１の視聴が可能になる。表示パネル９００９０１は、入浴者
が操作することで情報を表示する機能を有する。広告または娯楽手段として利用できる機
能を有する。
【０７１９】
半導体装置は、図９１で示したユニットバス９００９０２の側壁だけではなく、さまざ
まな場所に設置することができる。例えば、鏡面の一部または浴槽自体と一体にするなど
としてもよい。このとき、表示パネル９００９０１の形状は、鏡面または浴槽の形状に合
わせたものとなっていてもよい。
【０７２０】
図９２に、半導体装置を、建造物と一体にして設けた別の例について示す。表示パネル
９０１００２は、柱状体９０１００１の曲面に合わせて湾曲させて取り付けられている。
ここでは、柱状体９０１００１を電柱として説明する。
【０７２１】
図９２に示す表示パネル９０１００２は、人間の視点より高い位置に設けられている。
電柱のように、屋外で林立している建造物に表示パネル９０１００２を設置することで、
不特定多数の視認者に広告を行なうことができる。表示パネル９０１００２は、外部から
の制御により、同じ画像を表示させること、および瞬時に画像を切替えることが容易であ
るため、極めて効率的な情報表示、および広告効果が期待できる。表示パネル９０１００
２に自発光型の表示素子を設けることで、夜間であっても、視認性の高い表示媒体として
有用であるといえる。電柱に設置することで、表示パネル９０１００２の電力供給手段の
確保が容易である。災害発生時などの非常事態の際には、被災者に素早く正確な情報を伝
達する手段ともなり得る。
【０７２２】
表示パネル９０１００２としては、例えば、フィルム状の基板に有機トランジスタなど
のスイッチング素子を設けて、表示素子を駆動することにより、画像を表示する表示パネ
ルを用いることができる。
【０７２３】
本実施の形態において、建造物として壁、柱状体、ユニットバスを例としたが、本実施
の形態はこれに限定されず、さまざまな建造物に半導体装置を設置することができる。
【０７２４】
次に、半導体装置を、移動体と一体にして設けた例について示す。
【０７２５】
図９３は、半導体装置を、自動車と一体にして設けた例について示した図である。表示
パネル９０１１０２は、自動車の車体９０１１０１と一体に取り付けられており、車体の
動作または車体内外から入力される情報を、オンデマンドに表示することができる。なお
、ナビゲーション機能を有していてもよい。
【０７２６】
半導体装置は、図９３で示した車体９０１１０１だけではなく、さまざまな場所に設置
することができる。例えば、ガラス窓、ドア、ハンドル、シフトレバー、座席シート、ル
ームミラーなどと一体にしてもよい。このとき、表示パネル９０１１０２の形状は、設置
するものの形状に合わせたものとなっていてもよい。
【０７２７】
図９４は、半導体装置を、列車車両と一体にして設けた例について示した図である。
【０７２８】
図９４（Ａ）は、列車車両のドア９０１２０１のガラスに、表示パネル９０１２０２を
設けた例について示した図である。従来の紙による広告に比べて、広告切替えの際に必要
となる人件費がかからないという利点がある。表示パネル９０１２０２は、外部からの信
号により表示部で表示される画像の切り替えを瞬時に行なうことが可能であるため、例え
ば、電車の乗降客の客層が入れ替わる時間帯ごとに表示パネルの画像を切り替えることが
でき、より効果的な広告効果が期待できる。
【０７２９】
図９４（Ｂ）は、列車車両のドア９０１２０１のガラスの他に、ガラス窓９０１２０３
、および天井９０１２０４に、表示パネル９０１２０２を設けた例について示した図であ
る。このように、半導体装置は、従来では設置が困難であった場所に容易に設置すること
が可能であるため、効果的な広告効果を得ることができる。半導体装置は、外部からの信
号により表示部で表示される画像の切り替えを瞬時に行なうことが可能であるため、広告
切替え時のコストおよび時間が削減でき、より柔軟な広告の運用および情報伝達が可能と
なる。
【０７３０】
半導体装置は、図９４で示したドア９０１２０１、ガラス窓９０１２０３、および天井
９０１２０４だけではなく、さまざまな場所に設置することができる。例えば、つり革、
座席シート、てすり、床などと一体にしてもよい。このとき、表示パネル９０１２０２の
形状は、設置するもの形状に合わせたものとなっていてもよい。
【０７３１】
図９５は、半導体装置を、旅客用飛行機と一体にして設けた例について示した図である
。
【０７３２】
図９５（Ａ）は、旅客用飛行機の座席上部の天井９０１３０１に、表示パネル９０１３
０２を設けたときの、使用時の形状について示した図である。表示パネル９０１３０２は
、天井９０１３０１とヒンジ部９０１３０３を介して一体に取り付けられており、ヒンジ
部９０１３０３の伸縮により乗客は表示パネル９０１３０２の視聴が可能になる。表示パ
ネル９０１３０２は、乗客が操作することで情報を表示する機能を有する。また、広告ま
たは娯楽手段として、利用できる機能を有する。図９５（Ｂ）に示すように、ヒンジ部を
折り曲げて天井９０１３０１に格納することにより、離着陸時の安全に配慮することがで
きる。なお、緊急時に表示パネルの表示素子を点灯させることで、情報伝達手段および誘
導灯としても利用可能である。
【０７３３】
半導体装置は、図９５で示した天井９０１３０１だけではなく、さまざまな場所に設置
することができる。例えば、座席シート、座席テーブル、肘掛、窓などと一体にしてもよ
い。多数の人が同時に視聴できる大型の表示パネルを、機体の壁に設置してもよい。この
とき、表示パネル９０１３０２の形状は、設置するもの形状に合わせたものとなっていて
もよい。
【０７３４】
本実施の形態において、移動体としては電車車両本体、自動車車体、飛行機車体につい
て例示したがこれに限定されず、自動二輪車、自動四輪車（自動車、バスなどを含む）、
電車（モノレール、鉄道などを含む）、船舶など、さまざまなものに設置することができ
る。半導体装置は、外部からの信号により、移動体内における表示パネルの表示を瞬時に
切り替えることが可能であるため、移動体に半導体装置を設置することにより、移動体を
不特定多数の顧客を対象とした広告表示板、災害発生時の情報表示板、などの用途に用い
ることが可能となる。
【０７３５】
本実施の形態において、さまざまな図を用いて述べてきたが、各々の図で述べた内容（
一部でもよい）は、別の図で述べた内容（一部でもよい）に対して、適用、組み合わせま
たは置き換えなどを自由に行うことができる。さらに、これまでに述べた図において、各
々の部分に関して、別の部分を組み合わせることにより、さらに多くの図を構成できる。
【０７３６】
本実施の形態の各々の図で述べた内容（一部でもよい）は、別の実施の形態の図で述べ
た内容（一部でもよい）に対して、適用、組み合わせまたは置き換えなどを自由に行うこ
とができる。さらに、本実施の形態の図において、各々の部分に関して、別の実施の形態
の部分を組み合わせることにより、さらに多くの図を構成できる。
【０７３７】
本実施の形態は、他の実施の形態で述べた内容（一部でもよい）を、具現化した場合の
一例、少し変形した場合の一例、一部を変更した場合の一例、改良した場合の一例、詳細
に述べた場合の一例、応用した場合の一例および関連がある部分についての一例などを示
している。したがって、他の実施の形態で述べた内容は、本実施の形態への適用、組み合
わせまたは置き換えを自由に行うことができる。
【０７３８】
（実施の形態２１）
以上に説明したように、本明細書には少なくとも以下の発明が含まれている。
【０７３９】
本発明の一は、液晶素子を有する画素と、駆動回路と、を有する液晶表示装置である。
駆動回路は、第１のトランジスタと、第２のトランジスタと、第３のトランジスタと、第
４のトランジスタと、第５のトランジスタと、第６のトランジスタと、第７のトランジス
タと、第８のトランジスタと、を有している。なお、この駆動回路は、少なくとも一部に
以下の接続関係を含んでいる。第１のトランジスタの第１の電極が、第４の配線に電気的
に接続され、第１のトランジスタの第２の電極が、第３の配線に電気的に接続されている
。第２のトランジスタの第１の電極が、第６の配線に電気的に接続され、第２のトランジ
スタの第２の電極が、第３の配線に電気的に接続されている。第３のトランジスタの第１
の電極が、第５の配線に電気的に接続され、第３のトランジスタの第２の電極が、第２の
トランジスタのゲート電極に電気的に接続され、第３のトランジスタのゲート電極が、第
５の配線に電気的に接続されている。第４のトランジスタの第１の電極が、第６の配線に
電気的に接続され、第４のトランジスタの第２の電極が、第２のトランジスタのゲート電
極に電気的に接続され、第４のトランジスタのゲート電極が、第１のトランジスタのゲー
ト電極に電気的に接続されている。第５のトランジスタの第１の電極が、第５の配線に電
気的に接続され、第５のトランジスタの第２の電極が、第１のトランジスタのゲート電極
に電気的に接続され、第５のトランジスタのゲート電極が、第１の配線に電気的に接続さ
れている。第６のトランジスタの第１の電極が、第６の配線に電気的に接続され、第６の
トランジスタの第２の電極が、第１のトランジスタのゲート電極に電気的に接続され、第
６のトランジスタのゲート電極が、第２のトランジスタのゲート電極に電気的に接続され
ている。第７のトランジスタの第１の電極が、第６の配線に電気的に接続され、第７のト
ランジスタの第２の電極が、第１のトランジスタのゲート電極に電気的に接続され、第７
のトランジスタのゲート電極が、第２の配線に電気的に接続されている。第８のトランジ
スタの第１の電極が、第６の配線に電気的に接続され、第８のトランジスタの第２の電極
が、第２のトランジスタのゲート電極に電気的に接続され、第８のトランジスタのゲート
電極が、第１の配線に電気的に接続されている。
【０７４０】
上記液晶素子を有する画素と、駆動回路と、を有する液晶表示装置は、第１のトランジ
スタ乃至第８のトランジスタのチャネル長Ｌとチャネル幅Ｗの比Ｗ／Ｌの値の中で、第１
のトランジスタのＷ／Ｌの値が最大となる駆動回路を含む構成であってもよい。
【０７４１】
上記液晶素子を有する画素と、駆動回路と、を有する液晶表示装置は、第１のトランジ
スタのチャネル長Ｌとチャネル幅Ｗの比Ｗ／Ｌの値は、第５のトランジスタのチャネル長
Ｌとチャネル幅Ｗの比Ｗ／Ｌの値の２倍以上５倍以下となる駆動回路を含む構成であって
もよい。
【０７４２】
上記液晶素子を有する画素と、駆動回路と、を有する液晶表示装置は、第３のトランジ
スタのチャネル長Ｌは、第４のトランジスタのチャネル長Ｌよりも大きい場合を含む構成
であってもよい。
【０７４３】
上記液晶素子を有する画素と、駆動回路と、を有する液晶表示装置は、第１のトランジ
スタの第２の電極と、第１のトランジスタのゲート電極との間に、容量素子が配置されて
いるものを含む構成であってもよい。
【０７４４】
上記液晶素子を有する画素と、駆動回路と、を有する液晶表示装置は、第１のトランジ
スタ乃至第８のトランジスタは、Ｎチャネル型トランジスタであるものを含む構成であっ
てもよい。
【０７４５】
上記液晶素子を有する画素と、駆動回路と、を有する液晶表示装置は、第１のトランジ
スタ乃至第８のトランジスタは、半導体層としてアモルファスシリコンを用いるものを含
む構成であってもよい。
【０７４６】
本発明の一は、液晶素子を有する画素と、第１の駆動回路と、第２の駆動回路と、を有
する液晶表示装置である。第１の駆動回路と第２の駆動回路は少なくとも一部に以下の接
続関係を含んでいる。第１の駆動回路は、第１のトランジスタと、第２のトランジスタと
、第３のトランジスタと、第４のトランジスタと、第５のトランジスタと、第６のトラン
ジスタと、第７のトランジスタと、第８のトランジスタと、を有している。第１のトラン
ジスタの第１の電極が、第４の配線に電気的に接続され、第１のトランジスタの第２の電
極が、第３の配線に電気的に接続されている。第２のトランジスタの第１の電極が、第６
の配線に電気的に接続され、第２のトランジスタの第２の電極が、第３の配線に電気的に
接続されている。第３のトランジスタの第１の電極が、第５の配線に電気的に接続され、
第３のトランジスタの第２の電極が、第２のトランジスタのゲート電極に電気的に接続さ
れ、第３のトランジスタのゲート電極が、第５の配線に電気的に接続されている。第４の
トランジスタの第１の電極が、第６の配線に電気的に接続され、第４のトランジスタの第
２の電極が、第２のトランジスタのゲート電極に電気的に接続され、第４のトランジスタ
のゲート電極が、第１のトランジスタのゲート電極に電気的に接続されている。第５のト
ランジスタの第１の電極が、第５の配線に電気的に接続され、第５のトランジスタの第２
の電極が、第１のトランジスタのゲート電極に電気的に接続され、第５のトランジスタの
ゲート電極が、第１の配線に電気的に接続されている。第６のトランジスタの第１の電極
が、第６の配線に電気的に接続され、第６のトランジスタの第２の電極が、第１のトラン
ジスタのゲート電極に電気的に接続され、第６のトランジスタのゲート電極が、第２のト
ランジスタのゲート電極に電気的に接続されている。第７のトランジスタの第１の電極が
、第６の配線に電気的に接続され、第７のトランジスタの第２の電極が、第１のトランジ
スタのゲート電極に電気的に接続され、第７のトランジスタのゲート電極が、第２の配線
に電気的に接続されている。第８のトランジスタの第１の電極が、第６の配線に電気的に
接続され、第８のトランジスタの第２の電極が、第２のトランジスタのゲート電極に電気
的に接続され、第８のトランジスタのゲート電極が、第１の配線に電気的に接続されてい
る。また、第２の駆動回路は、第９のトランジスタと、第１０のトランジスタと、第１１
のトランジスタと、第１２のトランジスタと、第１３のトランジスタと、第１４のトラン
ジスタと、第１５のトランジスタと、第１６のトランジスタと、を有している。第９のト
ランジスタの第１の電極が、第１０の配線に電気的に接続され、第９のトランジスタの第
２の電極が第９の配線に電気的に接続されている。第１０のトランジスタの第１の電極が
、第１２の配線に電気的に接続され、第１０のトランジスタの第２の電極が、第９の配線
に電気的に接続されている。第１１のトランジスタの第１の電極が、第１１の配線に電気
的に接続され、第１１のトランジスタの第２の電極が、第１０のトランジスタのゲート電
極に電気的に接続され、第１１のトランジスタのゲート電極が、第１１の配線に電気的に
接続されている。第１２のトランジスタの第１の電極が、第１２の配線に電気的に接続さ
れ、第１２のトランジスタの第２の電極が、第１０のトランジスタのゲート電極に電気的
に接続され、第１２のトランジスタのゲート電極が、第９のトランジスタのゲート電極に
電気的に接続されている。第１３のトランジスタの第１の電極が、第１１の配線に電気的
に接続され、第１３のトランジスタの第２の電極が、第９のトランジスタのゲート電極に
電気的に接続され、第１３のトランジスタのゲート電極が、第７の配線に電気的に接続さ
れている。第１４のトランジスタの第１の電極が、第１２の配線に電気的に接続され、第
１４のトランジスタの第２の電極が、第９のトランジスタのゲート電極に電気的に接続さ
れ、第１４のトランジスタのゲート電極が、第１０のトランジスタのゲート電極に電気的
に接続されている。第１５のトランジスタの第１の電極が、第１２の配線に電気的に接続
され、第１５のトランジスタの第２の電極が、第９のトランジスタのゲート電極に電気的
に接続され、第１５のトランジスタのゲート電極が、第８の配線に電気的に接続されてい
る。第１６のトランジスタの第１の電極が、第１２の配線に電気的に接続され、第１６の
トランジスタの第２の電極が、第１０のトランジスタのゲート電極に電気的に接続され、
第１６のトランジスタのゲート電極が、第７の配線に電気的に接続されている。
【０７４７】
液晶素子を有する画素と、第１の駆動回路と、第２の駆動回路と、を有する液晶表示装
置は、第４の配線と第１０の配線とが電気的に接続され、第５の配線と第１１の配線とが
電気的に接続され、第６の配線と第１２の配線とが電気的に接続されているものを含む構
成であってもよい。
【０７４８】
液晶素子を有する画素と、第１の駆動回路と、第２の駆動回路と、を有する液晶表示装
置は、第４の配線と第１０の配線とは同一の配線であり、第５の配線と第１１の配線とは
同一の配線であり、第６の配線と第１２の配線とは同一の配線であるものを含む構成であ
ってもよい。
【０７４９】
液晶素子を有する画素と、第１の駆動回路と、第２の駆動回路と、を有する液晶表示装
置は、第３の配線と第９の配線とが、電気的に接続されているものを含む構成であっても
よい。
【０７５０】
液晶素子を有する画素と、第１の駆動回路と、第２の駆動回路と、を有する液晶表示装
置は、第３の配線と第９の配線とは同一の配線であるものを含む構成であってもよい。
【０７５１】
液晶素子を有する画素と、第１の駆動回路と、第２の駆動回路と、を有する液晶表示装
置は、第１のトランジスタ乃至第８のトランジスタのチャネル長Ｌとチャネル幅Ｗの比Ｗ
／Ｌの値の中で、第１のトランジスタのＷ／Ｌの値が最大となり、第９のトランジスタ乃
至第１６のトランジスタのチャネル長Ｌとチャネル幅Ｗの比Ｗ／Ｌの値の中で、第９のト
ランジスタのＷ／Ｌの値が最大となるものを含む構成であってもよい。
【０７５２】
液晶素子を有する画素と、第１の駆動回路と、第２の駆動回路と、を有する液晶表示装
置は、第１のトランジスタのチャネル長Ｌとチャネル幅Ｗの比Ｗ／Ｌの値は、第５のトラ
ンジスタのチャネル長Ｌとチャネル幅Ｗの比Ｗ／Ｌの値の２倍以上５倍以下となり、第９
のトランジスタのチャネル長Ｌとチャネル幅Ｗの比Ｗ／Ｌの値は、第１３のトランジスタ
のチャネル長Ｌとチャネル幅Ｗの比Ｗ／Ｌの値の２倍以上５倍以下となるものを含む構成
であってもよい。
【０７５３】
液晶素子を有する画素と、第１の駆動回路と、第２の駆動回路と、を有する液晶表示装
置は、第３のトランジスタのチャネル長Ｌは、第４のトランジスタのチャネル長Ｌよりも
大きく、第１１のトランジスタのチャネル長Ｌは、第１２のトランジスタのチャネル長Ｌ
よりも大きいものを含む構成であってもよい。
【０７５４】
液晶素子を有する画素と、第１の駆動回路と、第２の駆動回路と、を有する液晶表示装
置は、第１のトランジスタの第２の電極と、第１のトランジスタのゲート電極との間に容
量素子が配置され、第９のトランジスタの第２の電極と、第９のトランジスタのゲート電
極との間に容量素子が配置されているものを含む構成であってもよい。
【０７５５】
液晶素子を有する画素と、第１の駆動回路と、第２の駆動回路と、を有する液晶表示装
置は、第１のトランジスタ乃至第１６のトランジスタは、Ｎチャネル型トランジスタであ
るものを含む構成であってもよい。
【０７５６】
液晶素子を有する画素と、第１の駆動回路と、第２の駆動回路と、を有する液晶表示装
置は、第１のトランジスタ乃至第１６のトランジスタは、半導体層としてアモルファスシ
リコンを用いるものを含む構成であってもよい。
【０７５７】
上述した液晶表示装置は、さまざまな電子機器に具備することができる。
【０７５８】
本実施の形態に示す液晶表示装置は、本明細書に記載されているものであり、したがっ
て他の実施の形態と同様の作用効果を有する。
【符号の説明】
【０７５９】
１０１  トランジスタ
１０２  トランジスタ
１０３  トランジスタ
１０４  トランジスタ
１０５  トランジスタ
１０６  トランジスタ
１０７  トランジスタ
１０８  トランジスタ
１０９  トランジスタ
１１０  トランジスタ
１４１  ノード
１４２  ノード
５０１  配線
５０２  配線
５０３  配線
５０４  配線
５０５  配線
５０６  配線
５０７  配線
【図１】
0005470418.tif 000002
【図２】
0005470418.tif 000003
【図３】
0005470418.tif 000004
【図４】
0005470418.tif 000005
【図５】
0005470418.tif 000006
【図６】
0005470418.tif 000007
【図７】
0005470418.tif 000008
【図８】
0005470418.tif 000009
【図９】
0005470418.tif 000010
【図１０】
0005470418.tif 000011
【図１１】
0005470418.tif 000012
【図１２】
0005470418.tif 000013
【図１３】
0005470418.tif 000014
【図１４】
0005470418.tif 000015
【図１５】
0005470418.tif 000016
【図１６】
0005470418.tif 000017
【図１７】
0005470418.tif 000018
【図１８】
0005470418.tif 000019
【図１９】
0005470418.tif 000020
【図２０】
0005470418.tif 000021
【図２１】
0005470418.tif 000022
【図２２】
0005470418.tif 000023
【図２３】
0005470418.tif 000024
【図２４】
0005470418.tif 000025
【図２５】
0005470418.tif 000026
【図２６】
0005470418.tif 000027
【図２７】
0005470418.tif 000028
【図２８】
0005470418.tif 000029
【図２９】
0005470418.tif 000030
【図３０】
0005470418.tif 000031
【図３１】
0005470418.tif 000032
【図３２】
0005470418.tif 000033
【図３３】
0005470418.tif 000034
【図３４】
0005470418.tif 000035
【図３５】
0005470418.tif 000036
【図３６】
0005470418.tif 000037
【図３７】
0005470418.tif 000038
【図３８】
0005470418.tif 000039
【図３９】
0005470418.tif 000040
【図４０】
0005470418.tif 000041
【図４１】
0005470418.tif 000042
【図４２】
0005470418.tif 000043
【図４３】
0005470418.tif 000044
【図４４】
0005470418.tif 000045
【図４５】
0005470418.tif 000046
【図４６】
0005470418.tif 000047
【図４７】
0005470418.tif 000048
【図４８】
0005470418.tif 000049
【図４９】
0005470418.tif 000050
【図５０】
0005470418.tif 000051
【図５１】
0005470418.tif 000052
【図５２】
0005470418.tif 000053
【図５３】
0005470418.tif 000054
【図５４】
0005470418.tif 000055
【図５５】
0005470418.tif 000056
【図５６】
0005470418.tif 000057
【図５７】
0005470418.tif 000058
【図５８】
0005470418.tif 000059
【図５９】
0005470418.tif 000060
【図６０】
0005470418.tif 000061
【図６１】
0005470418.tif 000062
【図６２】
0005470418.tif 000063
【図６３】
0005470418.tif 000064
【図６４】
0005470418.tif 000065
【図６５】
0005470418.tif 000066
【図６６】
0005470418.tif 000067
【図６７】
0005470418.tif 000068
【図６８】
0005470418.tif 000069
【図６９】
0005470418.tif 000070
【図７０】
0005470418.tif 000071
【図７１】
0005470418.tif 000072
【図７２】
0005470418.tif 000073
【図７３】
0005470418.tif 000074
【図７４】
0005470418.tif 000075
【図７５】
0005470418.tif 000076
【図７６】
0005470418.tif 000077
【図７７】
0005470418.tif 000078
【図７８】
0005470418.tif 000079
【図７９】
0005470418.tif 000080
【図８０】
0005470418.tif 000081
【図８１】
0005470418.tif 000082
【図８２】
0005470418.tif 000083
【図８３】
0005470418.tif 000084
【図８４】
0005470418.tif 000085
【図８５】
0005470418.tif 000086
【図８６】
0005470418.tif 000087
【図８７】
0005470418.tif 000088
【図８８】
0005470418.tif 000089
【図８９】
0005470418.tif 000090
【図９０】
0005470418.tif 000091
【図９１】
0005470418.tif 000092
【図９２】
0005470418.tif 000093
【図９３】
0005470418.tif 000094
【図９４】
0005470418.tif 000095
【図９５】
0005470418.tif 000096
【図９６】
0005470418.tif 000097
【図９７】
0005470418.tif 000098
【図９８】
0005470418.tif 000099
【図９９】
0005470418.tif 000100
【図１００】
0005470418.tif 000101